(57)【要約】【課題】  本発明は、関連情報連続提供装置の処理負荷を大幅に低減させる。【解決手段】  本発明は、リスト情報提供装置ＳＶ１から取得したページ情報のリスト３００内で連続出力対応として設定されているコンテンツ識別情報を注目コンテンツ情報として自動的に選定して関連情報連続提供装置ＳＶ１から対応するコンテンツ関連情報を取得して自動出力することで、連続出力対応として設定されているコンテンツ識別情報に対応するコンテンツ関連情報を連続的に自動出力する。よって関連情報連続提供装置ＳＶ１に対して煩雑な処理を何ら行わせずに、リスト３００内で連続出力対応として設定されているコンテンツ識別情報に対応するコンテンツ関連情報を連続的に自動送信させ、当該関連情報連続提供装置ＳＶ１の処理負荷を大幅に低減できる。【選択図】        図２８
2006293968.tif 000002
【特許請求の範囲】
【請求項１】
ページ情報提供装置から送信される、複数のコンテンツ識別情報のリストを含むページ情報を取得するページ情報取得ステップと、
上記取得された上記ページ情報に含まれる上記リスト内で、連続出力対応として設定されている上記コンテンツ識別情報のうち１つの当該コンテンツ識別情報を注目コンテンツ情報として選定する注目コンテンツ情報選定ステップと、
関連情報連続提供装置から、上記注目コンテンツ情報として選定された１つの上記コンテンツ識別情報に対応するコンテンツ関連情報を取得する関連情報取得ステップと、
上記取得された上記コンテンツ関連情報を出力する関連情報出力ステップと、
上記コンテンツ関連情報の出力終了を検出する出力終了検出ステップと
を具え、
上記出力終了検出ステップで上記コンテンツ関連情報の出力終了を検出すると、再び上記注目コンテンツ情報選定ステップと、上記関連情報取得ステップと、上記関連情報出力ステップと、上記出力終了検出ステップとを順次実行するようにして、上記ページ情報に含まれる上記リスト内で、上記連続出力対応として設定されている上記コンテンツ識別情報に対応する上記コンテンツ関連情報を連続的に自動出力する
ことを特徴とする関連情報連続出力方法。
【請求項２】
上記関連情報取得ステップは、
上記注目コンテンツ情報として選定された１つの上記コンテンツ識別情報に対し上記コンテンツ関連情報が対応付けられているとき、上記関連情報連続提供装置から当該コンテンツ関連情報を取得する
ことを特徴とする請求項１に記載の関連情報連続出力方法。
【請求項３】
上記注目コンテンツ情報選定ステップは、
上記ページ情報内に、上記連続出力対応として設定されている上記コンテンツ識別情報に対応する上記コンテンツ関連情報が、連続出力可能であることを示す連続出力可能識別情報が存在するとき、上記コンテンツ識別情報を上記注目コンテンツ情報として自動的に選定する
ことを特徴とする請求項１に記載の関連情報連続出力方法。
【請求項４】
上記ページ情報に含まれる上記リスト内の特定の上記コンテンツ識別情報を、上記連続出力対応として設定する連続出力対応設定ステップ
を具えることを特徴とする請求項１に記載の関連情報連続出力方法。
【請求項５】
上記連続出力対応設定ステップは、
外部からの入力に応じて、上記ページ情報に含まれる上記リスト内で指定された上記コンテンツ識別情報を上記連続出力対応として設定する
ことを特徴とする請求項４に記載の関連情報連続出力方法。
【請求項６】
上記連続出力対応設定ステップは、
上記入力を実行させるためのユーザインタフェースを生成し、当該生成したユーザインタフェースを出力する
ことを特徴とする請求項５に記載の関連情報連続出力方法。
【請求項７】
上記ページ情報に含まれる上記リスト内の上記連続出力対応として設定されている上記コンテンツ識別情報に対応する上記コンテンツ関連情報が、連続出力可能であることを通知する連続出力通知表示子を出力する連続出力通知表示子出力ステップ
を具えることを特徴とする請求項１に記載の関連情報連続出力方法。
【請求項８】
上記連続出力通知表示子出力ステップは、
上記ページ情報に含まれる上記連続出力通知表示子を出力する
ことを特徴とする請求項７に記載の関連情報連続出力方法。
【請求項９】
上記連続出力通知表示子出力ステップは、
上記ページ情報内に、上記連続出力対応として設定されている上記コンテンツ識別情報に対応する上記コンテンツ関連情報が連続出力可能であることを示す連続出力可能識別情報が存在するとき、当該連続出力可能識別情報に応じて上記連続出力通知表示子を出力する
ことを特徴とする請求項７に記載の関連情報連続出力方法。
【請求項１０】
上記関連情報出力ステップは、
上記ページ情報に含まれる上記リスト内の上記連続出力対応として設定されている上記コンテンツ識別情報に対応する全ての上記コンテンツ関連情報の出力が終了すると、最後に出力した上記コンテンツ関連情報に対応する上記コンテンツ識別情報、又は最初に出力した上記コンテンツ関連情報に対応する上記コンテンツ識別情報を上記注目コンテンツ情報として、当該コンテンツ関連情報の出力を停止する
ことを特徴とする請求項１に記載の関連情報連続出力方法。
【請求項１１】
上記ページ情報に含まれる上記リスト内の上記連続出力対応として設定されている上記コンテンツ識別情報に対応する上記コンテンツ関連情報の出力形態を設定する関連情報出力形態設定ステップ
を具え、
上記注目コンテンツ情報選定ステップは、
上記設定された上記出力形態に応じて、上記ページ情報に含まれる上記リスト内の上記連続出力対応として設定されている上記コンテンツ識別情報を順次上記注目コンテンツ情報として選定し、
上記関連情報出力ステップは、
上記注目コンテンツ情報選定ステップで上記出力形態に応じて上記注目コンテンツ情報として選定された上記コンテンツ識別情報に対応する上記コンテンツ関連情報を出力する
ことを特徴とする請求項１に記載の関連情報連続出力方法。
【請求項１２】
上記関連情報出力ステップは、
上記設定された上記出力形態が複数繰返出力形態の場合、当該複数繰返出力形態に応じて、上記ページ情報に含まれる上記リスト内の上記連続出力対応として設定されている複数の上記コンテンツ識別情報に対応する複数の上記コンテンツ関連情報を循環的に繰り返すように出力する
ことを特徴とする請求項１１に記載の関連情報連続出力方法。
【請求項１３】
上記関連情報出力ステップは、
上記設定された上記出力形態が単一繰返出力形態の場合、現在の上記注目コンテンツ情報として選定された上記コンテンツ識別情報に対応する単一の上記コンテンツ関連情報を繰り返すように出力する
ことを特徴とする請求項１１に記載の関連情報連続出力方法。
【請求項１４】
上記関連情報出力ステップは、
上記設定された上記出力形態が並替出力形態の場合、当該並替出力形態に応じて、上記ページ情報に含まれる上記リスト内の上記連続出力対応として設定されている複数の上記コンテンツ識別情報に対応する複数の上記コンテンツ関連情報を無作為に並べ替えた順序で出力する
ことを特徴とする請求項１１に記載の関連情報連続出力方法。
【請求項１５】
上記関連情報出力ステップは、
上記設定された上記出力形態が無作為選択出力形態の場合、当該無作為選択出力形態に応じて、上記ページ情報に含まれる上記リスト内の上記連続出力対応として設定されている複数の上記コンテンツ識別情報に対応する複数の上記コンテンツ関連情報全体から順次１つの当該コンテンツ関連情報を無作為に選択しながら出力する
ことを特徴とする請求項１１に記載の関連情報連続出力方法。
【請求項１６】
上記関連情報出力ステップは、
上記設定された上記出力形態が順序設定出力形態の場合、当該順序設定出力形態に応じて、上記ページ情報に含まれる上記リスト内の上記連続出力対応として設定されている複数の上記コンテンツ識別情報に対応する複数の上記コンテンツ関連情報を設定された順序で出力する
ことを特徴とする請求項１１に記載の関連情報連続出力方法。
【請求項１７】
上記注目コンテンツ情報選定ステップは、
上記ページ情報に含まれる、上記連続出力対応として設定されている上記コンテンツ識別情報に対応する上記コンテンツ関連情報の出力形態を指示する出力形態指示情報に応じて、上記ページ情報に含まれる上記リスト内の上記連続出力対応として設定されている上記コンテンツ識別情報のうち当該出力形態に応じた上記コンテンツ識別情報を上記注目コンテンツ情報として自動的に選定する
ことを特徴とする請求項１に記載の関連情報連続出力方法。
【請求項１８】
上記注目コンテンツ情報選定ステップは、
上記ページ情報に含まれる上記リスト内の上記連続出力対応として設定されている上記コンテンツ識別情報のうち、当該連続出力対応として設定されている上記コンテンツ識別情報に対応する上記コンテンツ関連情報の予め設定されている出力形態に応じた上記コンテンツ識別情報を上記注目コンテンツ情報として自動的に選定する
ことを特徴とする請求項１に記載の関連情報連続出力方法。
【請求項１９】
外部からの入力に応じて、上記ページ情報に含まれる上記リスト内の上記連続出力対応として設定されている上記コンテンツ識別情報に対応する上記コンテンツ関連情報の上記出力形態を設定する関連情報出力形態設定ステップ
を具えることを特徴とする請求項１８に記載の関連情報連続出力方法。
【請求項２０】
上記関連情報出力形態設定ステップは、
上記入力を実行させるためのユーザインタフェースを生成し、当該生成したユーザインタフェースを出力する
ことを特徴とする請求項１９に記載の関連情報連続出力方法。
【請求項２１】
上記関連情報出力形態設定ステップは、
上記出力形態が順序設定出力形態の場合、上記ユーザインタフェースにより、上記ページ情報に含まれる上記リスト内の上記連続出力対応として設定されている複数の上記コンテンツ識別情報に対し、複数の上記コンテンツ関連情報に対する出力の順序を設定させる
ことを特徴とする請求項２０に記載の関連情報連続出力方法。
【請求項２２】
上記設定された上記出力形態に対応する出力形態通知表示子を出力する出力形態通知表示子出力ステップ
を具えることを特徴とする請求項１１に記載の関連情報連続出力方法。
【請求項２３】
上記出力形態通知表示子出力ステップは、
上記ページ情報に含まれる上記出力形態通知表示子を出力する
ことを特徴とする請求項２２に記載の関連情報連続出力方法。
【請求項２４】
上記出力形態通知表示子出力ステップは、
上記ページ情報に含まれる、上記出力形態を指示する出力形態指示情報に応じて上記出力形態通知表示子を出力する
ことを特徴とする請求項２２に記載の関連情報連続出力方法。
【請求項２５】
上記関連情報出力形態設定ステップは、
外部からの入力に応じて上記出力形態を設定し、
上記出力形態通知表示子出力ステップは、
上記設定された上記出力形態に対応する上記出力形態通知表示子を出力する
ことを特徴とする請求項２２に記載の関連情報連続出力方法。
【請求項２６】
上記関連情報出力ステップは、
上記コンテンツ関連情報の出力中に、当該コンテンツ関連情報が出力中であることを通知する出力実行中通知表示子を出力する
ことを特徴とする請求項１に記載の関連情報連続出力方法。
【請求項２７】
上記関連情報出力ステップは、
上記コンテンツ関連情報を出力していると判断すると、上記ページ情報に含まれる上記出力実行中通知表示子を出力する
ことを特徴とする請求項２６に記載の関連情報連続出力方法。
【請求項２８】
上記関連情報出力ステップは、
上記コンテンツ関連情報を出力中であると判断すると、予め記憶している上記出力実行中通知表示子を出力する
ことを特徴とする請求項２６に記載の関連情報連続出力方法。
【請求項２９】
上記関連情報出力ステップは、
上記コンテンツ関連情報の出力を停止すると、上記出力実行中通知表示子の出力も停止する
ことを特徴とする請求項２６に記載の関連情報連続出力方法。
【請求項３０】
上記関連情報出力ステップは、
外部からの入力に応じて、上記コンテンツ関連情報の出力を制御する
ことを特徴とする請求項１に記載の関連情報連続出力方法。
【請求項３１】
上記関連情報出力ステップは、
上記外部からの入力に応じて、現在の上記注目コンテンツ情報として選定されている上記コンテンツ識別情報の前又は次に上記注目コンテンツ情報として選定するように設定されている上記コンテンツ識別情報に対応する上記コンテンツ関連情報を出力する
ことを特徴とする請求項３０に記載の関連情報連続出力方法。
【請求項３２】
上記関連情報出力ステップは、
上記外部からの入力に応じて、現在出力中の上記コンテンツ関連情報を早送り又は早戻し出力する
ことを特徴とする請求項３０に記載の関連情報連続出力方法。
【請求項３３】
上記関連情報出力ステップは、
上記外部から上記早送り又は早戻しの指示が入力されている間は、上記コンテンツ関連情報を上記早送り又は早戻し出力し、上記外部からの上記早送り又は早戻しの指示の入力が終了すると、上記コンテンツ関連情報に対する上記早送り又は早戻し出力を終了すると共に、当該出力の終了位置から通常出力する
ことを特徴とする請求項３２に記載の関連情報連続出力方法。
【請求項３４】
上記関連情報出力ステップは、
上記外部からの入力に応じて、現在出力中の上記コンテンツ関連情報の出力を停止する
ことを特徴とする請求項３０に記載の関連情報連続出力方法。
【請求項３５】
上記関連情報出力ステップは、
上記外部からの出力開始を指示する入力に応じて上記コンテンツ関連情報の出力を開始する
ことを特徴とする請求項３４に記載の関連情報連続出力方法。
【請求項３６】
上記関連情報出力ステップは、
上記コンテンツ関連情報の出力を停止したとき、当該出力を停止した上記コンテンツ関連情報に対応する上記コンテンツ識別情報を記憶し、上記外部からの上記出力開始を指示する入力に応じて、上記記憶した上記コンテンツ識別情報に対応する上記コンテンツ関連情報の先頭から出力を開始する
ことを特徴とする請求項３５に記載の関連情報連続出力方法。
【請求項３７】
上記関連情報出力ステップは、
上記コンテンツ関連情報の出力を停止したとき、当該出力を停止した上記コンテンツ関連情報に対応する上記コンテンツ識別情報と当該コンテンツ関連情報の出力停止位置とを記憶し、上記外部からの上記出力開始を指示する入力に応じて、上記記憶した上記コンテンツ識別情報に対応する上記コンテンツ関連情報の上記記憶した上記出力停止位置から出力を開始する
ことを特徴とする請求項３５に記載の関連情報連続出力方法。
【請求項３８】
上記関連情報出力ステップは、
上記外部からの上記出力開始を指示する入力に応じて、上記ページ情報に含まれる上記リスト内の上記連続出力対応として設定されている上記コンテンツ識別情報のうち最初に上記注目コンテンツ情報として選定する上記コンテンツ識別情報に対応する上記コンテンツ関連情報の出力を開始する
ことを特徴とする請求項３５に記載の関連情報連続出力方法。
【請求項３９】
上記関連情報出力ステップは、
上記外部からの上記出力開始を指示する入力に応じて、上記ページ情報に含まれる出力再開位置から上記コンテンツ関連情報の出力を開始する
ことを特徴とする請求項３５に記載の関連情報連続出力方法。
【請求項４０】
上記関連情報出力ステップは、
上記外部からの上記出力開始を指示する入力に応じて、予め設定されている出力再開位置から上記コンテンツ関連情報の出力を開始する
ことを特徴とする請求項３５に記載の関連情報連続出力方法。
【請求項４１】
上記関連情報出力ステップは、
上記外部からの上記出力開始を指示する入力に応じて、当該外部からの入力に応じて予め設定されている出力再開位置から上記コンテンツ関連情報の出力を開始する
ことを特徴とする請求項３５に記載の関連情報連続出力方法。
【請求項４２】
上記注目コンテンツ情報選定ステップは、
上記注目コンテンツ情報として選定した上記コンテンツ識別情報に対し上記コンテンツ関連情報が対応付けられていないとき、一定時間、上記コンテンツ識別情報を上記注目コンテンツ情報として選定した後、当該コンテンツ識別情報の次に上記注目コンテンツ情報として選定するように設定されている他の上記コンテンツ識別情報を上記注目コンテンツ情報として自動的に選定する
ことを特徴とする請求項１に記載の関連情報連続出力方法。
【請求項４３】
上記注目コンテンツ情報選定ステップは、
上記注目コンテンツ情報として選定した上記コンテンツ識別情報に対し上記コンテンツ関連情報が対応付けられていないとき、上記ページ情報に含まれる上記一定時間を示す選定継続時間情報に応じて、当該一定時間、上記コンテンツ識別情報を上記注目コンテンツ情報として選定した後、当該コンテンツ識別情報の次に上記注目コンテンツ情報として選定するように設定されている他の上記コンテンツ識別情報を上記注目コンテンツ情報として自動的に選定する
ことを特徴とする請求項４２に記載の関連情報連続出力方法。
【請求項４４】
上記注目コンテンツ情報選定ステップは、
上記注目コンテンツ情報として選定した上記コンテンツ識別情報に対し上記コンテンツ関連情報が対応付けられていないとき、予め設定されている上記一定時間、上記コンテンツ識別情報を上記注目コンテンツ情報として選定した後、当該コンテンツ識別情報の次に上記注目コンテンツ情報として選定するように設定されている他の上記コンテンツ識別情報を上記注目コンテンツ情報として自動的に選定する
ことを特徴とする請求項４２に記載の関連情報連続出力方法。
【請求項４５】
上記注目コンテンツ情報選定ステップは、
上記注目コンテンツ情報として選定した上記コンテンツ識別情報に対し上記コンテンツ関連情報が対応付けられていないとき、外部からの入力に応じて予め設定されている上記一定時間、上記コンテンツ識別情報を上記注目コンテンツ情報として選定した後、当該コンテンツ識別情報の次に上記注目コンテンツ情報として選定するように設定されている他の上記コンテンツ識別情報を上記注目コンテンツ情報として自動的に選定する
ことを特徴とする請求項４２に記載の関連情報連続出力方法。
【請求項４６】
上記注目コンテンツ情報選定ステップは、
外部からの入力に応じて上記コンテンツ識別情報を上記注目コンテンツ情報として選定したときに当該コンテンツ識別情報に対し上記コンテンツ関連情報が対応付けられていないと、第１の時間でなる上記一定時間、上記コンテンツ識別情報を上記注目コンテンツ情報として選定した後、当該コンテンツ識別情報の次に上記注目コンテンツ情報として選定するように設定されている他の上記コンテンツ識別情報を上記注目コンテンツ情報として自動的に選定し、自動的に上記コンテンツ識別情報を上記注目コンテンツ情報として選定したときに当該コンテンツ識別情報に対し上記コンテンツ関連情報が対応付けられていないと、第２の時間でなる上記一定時間、上記コンテンツ識別情報を上記注目コンテンツ情報として選定した後、当該コンテンツ識別情報の次に上記注目コンテンツ情報として選定するように設定されている他の上記コンテンツ識別情報を上記注目コンテンツ情報として自動的に選定する
ことを特徴とする請求項４２に記載の関連情報連続出力方法。
【請求項４７】
上記注目コンテンツ情報選定ステップは、
上記注目コンテンツ情報として選定した上記コンテンツ識別情報に対し上記コンテンツ関連情報が対応付けられていないとき、上記コンテンツ関連情報の出力動作を終了する
ことを特徴とする請求項１に記載の関連情報連続出力方法。
【請求項４８】
上記注目コンテンツ情報選定ステップは、
上記コンテンツ関連情報が対応付けられている上記コンテンツ識別情報を選択的に上記注目コンテンツ情報として選定する
ことを特徴とする請求項１に記載の関連情報連続出力方法。
【請求項４９】
上記ページ情報に含まれる上記リスト内の上記連続出力対応として設定されている上記コンテンツ識別情報に対し上記コンテンツ関連情報が対応付けられているか否かを通知するための通知画像を生成して出力する通知画像出力ステップ
を具えることを特徴とする請求項１に記載の関連情報連続出力方法。
【請求項５０】
上記通知画像出力ステップは、
上記ページ情報に含まれる、上記連続出力対応として設定されている上記コンテンツ識別情報に対し上記コンテンツ関連情報が対応付けられているか否かを通知する対応通知表示子を用いて上記通知画像を生成する
ことを特徴とする請求項４９に記載の関連情報連続出力方法。
【請求項５１】
上記通知画像出力ステップは、
上記ページ情報に含まれる上記リスト内の上記連続出力対応として設定されている上記コンテンツ識別情報に対し上記コンテンツ関連情報が対応付けられているか否かを判別し、当該判別結果に応じて上記通知画像を生成する
ことを特徴とする請求項４９に記載の関連情報連続出力方法。
【請求項５２】
上記関連情報出力ステップは、
上記注目コンテンツ情報として選定された上記コンテンツ識別情報に対応する上記コンテンツ関連情報として、当該コンテンツ識別情報で識別されるコンテンツ用のサンプルコンテンツを出力する
ことを特徴とする請求項１に記載の関連情報連続出力方法。
【請求項５３】
上記コンテンツは、動画、静止画、ゲーム、オーディオ、テキスト、プログラムを含む
ことを特徴とする請求項５２に記載の関連情報連続出力方法。
【請求項５４】
上記関連情報出力ステップは、
上記注目コンテンツ情報として選定された上記コンテンツ識別情報に対応する上記コンテンツ関連情報として、当該コンテンツ識別情報で識別されるコンテンツに関連するテキスト情報を出力する
ことを特徴とする請求項１に記載の関連情報連続出力方法。
【請求項５５】
上記関連情報出力ステップは、
上記注目コンテンツ情報として選定された上記コンテンツ識別情報に対応する上記コンテンツ関連情報として、当該コンテンツ識別情報で識別されるコンテンツに関連する画像情報を出力する
ことを特徴とする請求項１に記載の関連情報連続出力方法。
【請求項５６】
上記関連情報出力ステップは、
上記関連情報連続提供装置からストリーミング形式で送信される上記コンテンツ関連情報を出力する
ことを特徴とする請求項１に記載の関連情報連続出力方法。
【請求項５７】
関連情報連続出力装置から送信される要求に応じて、当該関連情報連続出力装置に対し、複数のコンテンツ識別情報のリストを含むページ情報を送信するページ情報送信ステップと、
上記関連情報連続出力装置で上記ページ情報に含まれる上記リスト内の連続出力対応として設定されている上記コンテンツ識別情報のうち１つの当該コンテンツ識別情報が注目コンテンツ情報として選定されることにより、上記関連情報連続出力装置から送信される当該注目コンテンツ情報として選定された上記コンテンツ識別情報に対応するコンテンツ関連情報の要求情報を受信する要求情報受信ステップと、
上記関連情報連続出力装置に対し、上記受信された上記要求情報に応じた上記コンテンツ関連情報を送信する関連情報送信ステップと
を具え、
上記関連情報連続出力装置で上記コンテンツ関連情報の出力が終了し、上記ページ情報に含まれる上記リスト内の上記連続出力対応として設定されている上記コンテンツ識別情報のうち新たに当該コンテンツ識別情報が上記注目コンテンツ情報として自動的に選定されると、再び上記要求情報受信ステップと、上記関連情報送信ステップとを順次実行するようにして、上記関連情報連続出力装置に対し、当該関連情報連続出力装置から順次送信される上記要求情報に応じた上記コンテンツ関連情報を連続的に自動送信する
ことを特徴とする関連情報連続提供方法。
【請求項５８】
上記ページ情報送信ステップは、
上記関連情報連続出力装置に対し、上記連続出力対応として設定されている上記コンテンツ識別情報に対応する上記コンテンツ関連情報が連続出力可能であることを示す連続出力可能識別情報を含む上記ページ情報を送信する
ことを特徴とする請求項５７に記載の関連情報連続提供方法。
【請求項５９】
上記ページ情報送信ステップは、
上記関連情報連続出力装置に対し、上記連続出力対応として設定されている上記コンテンツ識別情報に対応する上記コンテンツ関連情報が連続出力可能であることを通知する連続出力通知表示子を含む上記ページ情報を送信する
ことを特徴とする請求項５７に記載の関連情報連続提供方法。
【請求項６０】
上記ページ情報送信ステップは、
上記関連情報連続出力装置に対し、上記連続出力対応として設定されている上記コンテンツ識別情報と、当該コンテンツ識別情報に対応する上記コンテンツ関連情報の出力形態を指示する出力形態指示情報とを含む上記ページ情報を送信する
ことを特徴とする請求項５７に記載の関連情報連続提供方法。
【請求項６１】
上記ページ情報送信ステップは、
上記関連情報連続出力装置に対し、上記連続出力対応として設定されている複数の上記コンテンツ識別情報と、当該複数の上記コンテンツ識別情報に対応する複数の上記コンテンツ関連情報の上記出力形態として複数繰返出力形態を指示する上記出力形態指示情報とを含む上記ページ情報を送信する
ことを特徴とする請求項６０に記載の関連情報連続提供方法。
【請求項６２】
上記ページ情報送信ステップは、
上記関連情報連続出力装置に対し、上記連続出力対応として設定されている上記コンテンツ識別情報と、当該コンテンツ識別情報に対応する上記コンテンツ関連情報の上記出力形態として単一繰返出力形態を指示する上記出力形態指示情報とを含む上記ページ情報を送信する
ことを特徴とする請求項６０に記載の関連情報連続提供方法。
【請求項６３】
上記ページ情報送信ステップは、
上記関連情報連続出力装置に対し、上記連続出力対応として設定されている複数の上記コンテンツ識別情報と、当該複数の上記コンテンツ識別情報に対応する複数の上記コンテンツ関連情報の上記出力形態として並替出力形態を指示する上記出力形態指示情報とを含む上記ページ情報を送信する
ことを特徴とする請求項６０に記載の関連情報連続提供方法。
【請求項６４】
上記ページ情報送信ステップは、
上記関連情報連続出力装置に対し、上記連続出力対応として設定されている複数の上記コンテンツ識別情報と、当該複数の上記コンテンツ識別情報に対応する複数の上記コンテンツ関連情報の上記出力形態として無作為選択出力形態を指示する上記出力形態指示情報とを含む上記ページ情報を送信する
ことを特徴とする請求項６０に記載の関連情報連続提供方法。
【請求項６５】
上記ページ情報送信ステップは、
上記関連情報連続出力装置に対し、上記連続出力対応として設定されている複数の上記コンテンツ識別情報と、当該複数の上記コンテンツ識別情報に対応する複数の上記コンテンツ関連情報に対して設定された出力順序と、当該複数のコンテンツ関連情報の上記出力形態として上記設定された出力順序で出力する順序設定出力形態を指示する上記出力形態指示情報とを含む上記ページ情報を送信する
ことを特徴とする請求項６０に記載の関連情報連続提供方法。
【請求項６６】
上記ページ情報送信ステップは、
上記関連情報連続出力装置に対し、上記連続出力対応として設定されている上記コンテンツ識別情報に対応する上記コンテンツ関連情報の上記出力形態を通知する出力形態通知表示子を含む上記ページ情報を送信する
ことを特徴とする請求項６０に記載の関連情報連続提供方法。
【請求項６７】
上記ページ情報送信ステップは、
上記関連情報連続出力装置に対し、上記連続出力対応として設定されている上記コンテンツ識別情報に対応する上記コンテンツ関連情報の出力中に出力させる、当該コンテンツ関連情報が出力中であることを通知する出力実行中通知表示子を含む上記ページ情報を送信する
ことを特徴とする請求項５７に記載の関連情報連続提供方法。
【請求項６８】
上記ページ情報送信ステップは、
上記関連情報連続出力装置に対し、上記連続出力対応として設定されている上記コンテンツ識別情報に対応する上記コンテンツ関連情報の出力が一旦停止されたときの出力再開位置を指示する出力再開位置指示情報を含む上記ページ情報を送信する
ことを特徴とする請求項５７に記載の関連情報連続提供方法。
【請求項６９】
上記ページ情報送信ステップは、
上記関連情報連続出力装置に対し、上記出力の停止された上記コンテンツ関連情報の先頭を上記出力再開位置として指示する上記出力再開位置指示情報を含む上記ページ情報を送信する
ことを特徴とする請求項６８に記載の関連情報連続提供方法。
【請求項７０】
上記ページ情報送信ステップは、
上記関連情報連続出力装置に対し、上記出力の停止された上記コンテンツ関連情報の出力停止位置を上記出力再開位置として指示する上記出力再開位置指示情報を含む上記ページ情報を送信する
ことを特徴とする請求項６８に記載の関連情報連続提供方法。
【請求項７１】
上記ページ情報送信ステップは、
上記関連情報連続出力装置に対し、最初に上記注目コンテンツ情報として選定される上記コンテンツ識別情報に対応する上記コンテンツ関連情報を上記出力再開位置として指示する上記出力再開位置指示情報を含む上記ページ情報を送信する
ことを特徴とする請求項６８に記載の関連情報連続提供方法。
【請求項７２】
上記ページ情報送信ステップは、
上記関連情報連続出力装置に対し、上記注目コンテンツ情報として選定された上記コンテンツ識別情報に対し上記コンテンツ関連情報を対応付けていないとき、次の上記コンテンツ識別情報が上記注目コンテンツ情報として選定される前に、上記選定された上記コンテンツ識別情報を上記注目コンテンツ情報としてそのまま選定させる一定時間を示す選定継続時間情報を含む上記ページ情報を送信する
ことを特徴とする請求項５７に記載の関連情報連続提供方法。
【請求項７３】
上記ページ情報送信ステップは、
上記関連情報連続出力装置に対し、上記コンテンツ関連情報を対応付けていない上記コンテンツ識別情報が外部入力に応じて上記注目コンテンツ情報として選定されたとき、当該コンテンツ識別情報を上記注目コンテンツ情報としてそのまま選定させる第１の時間でなる上記一定時間を示す上記選定継続時間情報と、上記コンテンツ関連情報を対応付けていない上記コンテンツ識別情報が自動的に上記注目コンテンツ情報として選定されたとき、当該コンテンツ識別情報を上記注目コンテンツ情報としてそのまま選定させる第２の時間でなる上記一定時間を示す上記選定継続時間情報とを含む上記ページ情報を送信する
ことを特徴とする請求項７２に記載の関連情報連続提供方法。
【請求項７４】
上記ページ情報送信ステップは、
上記関連情報連続出力装置に対し、上記連続出力対応として設定されている上記コンテンツ識別情報に対し上記コンテンツ関連情報を対応付けているか否かを通知するための対応通知表示子を含む上記ページ情報を送信する
ことを特徴とする請求項５７に記載の関連情報連続提供方法。
【請求項７５】
上記ページ情報送信ステップは、
上記関連情報連続出力装置に対し、上記コンテンツ識別情報に上記コンテンツ関連情報として、当該コンテンツ識別情報で識別されるコンテンツ用のサンプルコンテンツを対応付けた上記ページ情報を送信する
ことを特徴とする請求項５７に記載の関連情報連続提供方法。
【請求項７６】
上記ページ情報送信ステップは、
上記関連情報連続出力装置に対し、上記コンテンツ識別情報に上記コンテンツ関連情報として、当該コンテンツ識別情報で識別される動画、静止画、ゲーム、オーディオ、テキスト、プログラムを含む上記コンテンツ用の上記サンプルコンテンツを対応付けた上記ページ情報を送信する
ことを特徴とする請求項７５に記載の関連情報連続提供方法。
【請求項７７】
上記ページ情報送信ステップは、
上記関連情報連続出力装置に対し、上記コンテンツ識別情報に上記コンテンツ関連情報として、当該コンテンツ識別情報で識別されるコンテンツに関連するテキスト情報を対応付けた上記ページ情報を送信する
ことを特徴とする請求項５７に記載の関連情報連続提供方法。
【請求項７８】
上記ページ情報送信ステップは、
上記関連情報連続出力装置に対し、上記コンテンツ識別情報に上記コンテンツ関連情報として、当該コンテンツ識別情報で識別されるコンテンツに関連する画像情報を対応付けた上記ページ情報を送信する
ことを特徴とする請求項５７に記載の関連情報連続提供方法。
【請求項７９】
上記関連情報送信ステップは、
上記関連情報連続出力装置に対し上記コンテンツ関連情報をストリーミング形式で送信する
ことを特徴とする請求項５７に記載の関連情報連続提供方法。
【請求項８０】
ページ情報提供装置から送信される、複数のコンテンツ識別情報のリストを含むページ情報を取得するページ情報取得部と、
上記ページ情報取得部により取得された上記ページ情報に含まれる上記リスト内で、連続出力対応として設定されている上記コンテンツ識別情報を注目コンテンツ情報として選定する注目コンテンツ情報選定部と、
関連情報連続提供装置から、上記注目コンテンツ情報選定部により上記注目コンテンツ情報として選定された上記コンテンツ識別情報に対応するコンテンツ関連情報を取得する関連情報取得部と、
上記関連情報取得部により取得された上記コンテンツ関連情報を出力する関連情報出力部と、
上記関連情報出力部による上記コンテンツ関連情報の出力終了を検出する出力終了検出部と
を具え、
上記注目コンテンツ情報選定部が上記ページ情報に含まれる上記リスト内で、上記連続出力対応として設定されている上記コンテンツ識別情報のうち１つの当該コンテンツ識別情報を上記注目コンテンツ情報として選定すると、上記関連情報取得部が上記関連情報連続提供装置から当該注目コンテンツ情報として選定された上記コンテンツ識別情報に対応する上記コンテンツ関連情報を取得して上記関連情報出力部が当該取得された上記コンテンツ関連情報を出力し、上記出力終了検出部が上記関連情報出力部による上記コンテンツ関連情報の出力終了を検出すると、上記注目コンテンツ情報選定部が上記ページ情報に含まれる上記リスト内で、上記連続出力対応として設定されている上記コンテンツ識別情報のうち新たに１つの当該コンテンツ識別情報を上記注目コンテンツ情報として自動的に選定し、上記関連情報取得部が上記関連情報連続提供装置から当該新たに注目コンテンツ情報として選定された上記コンテンツ識別情報に対応するコンテンツ関連情報を取得して上記関連情報出力部が当該取得された上記コンテンツ関連情報を出力するようにして、上記ページ情報に含まれる上記リスト内で、上記連続出力対応として設定されている上記コンテンツ識別情報に対応する上記コンテンツ関連情報を連続的に自動出力する
ことを特徴とする関連情報連続出力装置。
【請求項８１】
関連情報連続出力装置から送信される要求に応じて、当該関連情報連続出力装置に対し、複数のコンテンツ識別情報のリストを含むページ情報を送信するページ情報送信部と、
上記関連情報連続出力装置で上記ページ情報に含まれる上記リスト内の連続出力対応として設定されている上記コンテンツ識別情報が注目コンテンツ情報として選定されることにより、上記関連情報連続出力装置から送信される、当該注目コンテンツ情報として選定された上記コンテンツ識別情報に対応するコンテンツ関連情報の要求情報を受信する要求情報受信部と、
上記関連情報連続出力装置に対し、上記要求情報受信部により受信された上記要求情報に応じた上記コンテンツ関連情報を送信する関連情報送信部と
を具え、
上記要求情報受信部が上記関連情報連続出力装置から上記ページ情報に含まれる上記リスト内の上記連続出力対応として設定されている上記コンテンツ識別情報のうち１つの当該コンテンツ識別情報が上記注目コンテンツ情報として選定されることにより送信される、当該注目コンテンツ情報として選定された上記コンテンツ識別情報に対応する上記コンテンツ関連情報の上記要求情報を受信すると、上記関連情報送信部が上記関連情報連続出力装置に対し当該要求情報に応じた上記コンテンツ関連情報を送信し、上記要求情報受信部が上記関連情報連続出力装置から上記コンテンツ関連情報の出力が終了し、上記ページ情報に含まれる上記リスト内の上記連続出力対応として設定されている上記コンテンツ識別情報のうち新たに１つの当該コンテンツ識別情報が上記注目コンテンツ情報として自動的に選定されることにより送信される、当該新たに注目コンテンツ情報として選定された上記コンテンツ識別情報に対応する上記コンテンツ関連情報の上記要求情報を受信すると、関連情報送信部が上記関連情報連続出力装置に対し当該要求情報に応じた上記コンテンツ関連情報を送信するようにして、上記関連情報連続出力装置に対し、当該関連情報連続出力装置から順次送信される上記要求情報に応じた上記コンテンツ関連情報を連続的に自動送信する
ことを特徴とする関連情報連続提供装置。
【請求項８２】
情報処理装置に対して、
ページ情報提供装置から送信される、複数のコンテンツ識別情報のリストを含むページ情報を取得するページ情報取得ステップと、
上記取得された上記ページ情報に含まれる上記リスト内で、連続出力対応として設定されている上記コンテンツ識別情報のうち１つの当該コンテンツ識別情報を注目コンテンツ情報として選定する注目コンテンツ情報選定ステップと、
関連情報連続提供装置から、上記注目コンテンツ情報として選定された１つの上記コンテンツ識別情報に対応するコンテンツ関連情報を取得する関連情報取得ステップと、
上記取得された上記コンテンツ関連情報を出力する関連情報出力ステップと、
上記コンテンツ関連情報の出力終了を検出する出力終了検出ステップと
を実行させ、
上記出力終了検出ステップで上記コンテンツ関連情報の出力終了を検出されると、再び上記注目コンテンツ情報選定ステップと、上記関連情報取得ステップと、上記関連情報出力ステップと、上記出力終了検出ステップとを順次実行させるようにして、上記ページ情報に含まれる上記リスト内で、上記連続出力対応として設定されている上記コンテンツ識別情報に対応する上記コンテンツ関連情報を連続的に自動出力させる
ことを特徴とする関連情報連続出力プログラム。
【請求項８３】
情報処理装置に対して、
関連情報連続出力装置から送信される要求に応じて、当該関連情報連続出力装置に対し、複数のコンテンツ識別情報のリストを含むページ情報を送信するページ情報送信ステップと、
上記関連情報連続出力装置で上記ページ情報に含まれる上記リスト内の連続出力対応として設定されている上記コンテンツ識別情報のうち１つの当該コンテンツ識別情報が注目コンテンツ情報として選定されることにより、上記関連情報連続出力装置から送信される当該注目コンテンツ情報として選定された上記コンテンツ識別情報に対応するコンテンツ関連情報の要求情報を受信する要求情報受信ステップと、
上記関連情報連続出力装置に対し、上記受信された上記要求情報に応じた上記コンテンツ関連情報を送信する関連情報送信ステップと
を実行させ、
上記関連情報連続出力装置で上記コンテンツ関連情報の出力が終了し、上記ページ情報に含まれる上記リスト内の上記連続出力対応として設定されている上記コンテンツ識別情報のうち新たに当該コンテンツ識別情報が上記注目コンテンツ情報として自動的に選定されると、再び上記要求情報受信ステップと、上記関連情報送信ステップとを順次実行させるようにして、上記関連情報連続出力装置に対し、当該関連情報連続出力装置から順次送信される上記要求情報に応じた上記コンテンツ関連情報を連続的に自動送信させる
ことを特徴とする関連情報連続提供プログラム。
【発明の詳細な説明】
【技術分野】
【０００１】
本発明は関連情報連続出力方法、関連情報連続提供方法、関連情報連続出力装置、関連情報連続提供装置、関連情報連続出力プログラム及び関連情報連続提供プログラムに関し、例えばデータ記録再生装置（以下、これをクライアント端末と呼ぶ）により、ネットワーク上で提供されている音楽データを取得する場合に適用して好適なものである。
【背景技術】
【０００２】
従来の音楽配信システムの端末は、ディスプレイに表示したウェブブラウザ画面上で楽曲の試聴が選択されると、ウェブサーバに対し当該楽曲の試聴を要求する。これに応じてウェブサーバは、販売可能な楽曲を予め決められた所定時間ずつ次々にストリーミング形式で端末に送信する。これにより端末は、ウェブサーバからストリーミング形式で送信された所定時間ずつの楽曲を順次スピーカから出力してユーザに試聴させていた（例えば、特許文献１参照）。
【特許文献１】特開２００２−９９２８３公報（第６頁、第７頁、図２、図３）
【発明の開示】
【発明が解決しようとする課題】
【０００３】
ところがかかる構成の音楽配信システムでは、ウェブサーバが端末から与えられる楽曲の試聴要求に応じて、複数の楽曲の中から試聴可能な楽曲を順次選び出しながら、当該選び出した楽曲の所定時間部分を切り出して端末に送信しなければならず、楽曲試聴時の処理負荷が著しく増大するという問題があった。
【０００４】
本発明は以上の点を考慮してなされたもので、関連情報連続提供装置に対しコンテンツ関連情報の提供時の処理負荷を大幅に低減し得る関連情報連続出力方法、関連情報連続提供方法、関連情報連続出力装置、関連情報連続提供装置、関連情報連続出力プログラム及び関連情報連続提供プログラムを提案しようとするものである。
【課題を解決するための手段】
【０００５】
かかる課題を解決するため本発明においては、関連情報連続出力装置において、ページ情報提供装置から送信される、複数のコンテンツ識別情報のリストを含むページ情報を取得し、当該取得したページ情報に含まれるリスト内で、連続出力対応として設定されているコンテンツ識別情報のうち１つのコンテンツ識別情報を注目コンテンツ情報として選定することで関連情報連続提供装置から、当該注目コンテンツ情報として選定した１つのコンテンツ識別情報に対応するコンテンツ関連情報を取得して出力し、かかるコンテンツ関連情報の出力終了を検出すると、ページ情報に含まれるリスト内で、連続出力対応として設定されているコンテンツ識別情報のうち新たに１つのコンテンツ識別情報を注目コンテンツ情報として自動的に選定すると共に、関連情報連続提供装置から、当該新たに注目コンテンツ情報として選定した１つのコンテンツ識別情報に対応するコンテンツ関連情報を取得し出力するようにして、連続出力対応として設定されているコンテンツ識別情報に対応するコンテンツ関連情報を連続的に自動出力するようにした。
【０００６】
従って本発明の関連情報連続出力装置では、ページ情報に含まれるリスト内で、連続出力対応として設定されているコンテンツ識別情報を順次注目コンテンツ情報として自動的に選定しながら、関連情報連続提供装置に対し当該注目コンテンツ情報として選定したコンテンツ識別情報に対応するコンテンツ関連情報を要求することで、かかる関連情報連続提供装置に対して複数のコンテンツ関連情報の中から関連情報連続出力装置に提供するコンテンツ関連情報を順次選び出させる等の煩雑な処理を何ら行わせることなく、ページ情報に含まれるリスト内で、連続出力対応として設定されているコンテンツ識別情報に対応するコンテンツ関連情報を連続的に自動送信させ自動出力することができる。
【０００７】
また本発明においては、関連情報連続提供装置において、関連情報連続出力装置から送信される要求に応じて、当該関連情報連続出力装置に対し、複数のコンテンツ識別情報のリストを含むページ情報を送信し、関連情報連続出力装置でページ情報に含まれるリスト内の連続出力対応として設定されているコンテンツ識別情報のうち１つのコンテンツ識別情報が注目コンテンツ情報として選定されることにより、当該関連情報連続出力装置から送信される当該注目コンテンツ情報として選定された１つのコンテンツ識別情報に対応するコンテンツ関連情報の要求情報を受信すると、関連情報連続出力装置に対して、かかる要求情報に応じたコンテンツ関連情報を送信し、関連情報連続出力装置でコンテンツ関連情報の出力が終了し、ページ情報に含まれるリスト内の連続出力対応として設定されているコンテンツ識別情報のうち新たに１つのコンテンツ識別情報が注目コンテンツ情報として自動的に選定されることにより、当該関連情報連続出力装置から送信される当該新たに注目コンテンツ情報として選定された１つのコンテンツ識別情報に対応するコンテンツ関連情報の要求情報を受信すると、関連情報連続出力装置に対して当該受信した要求情報に応じたコンテンツ関連情報を送信するようにして、関連情報連続出力装置に対し、当該関連情報連続出力装置から順次送信される要求情報に応じたコンテンツ関連情報を連続的に自動送信するようにした。
【０００８】
従って本発明の関連情報連続提供装置では、関連情報連続出力装置から、ページ情報に含まれるリスト内で、連続出力対応として設定されているコンテンツ識別情報を順次注目コンテンツ情報として自動的に選定しながら、当該注目コンテンツ情報として選定したコンテンツ識別情報に対応するコンテンツ関連情報が要求されるため、複数のコンテンツ関連情報の中から関連情報連続出力装置に提供するコンテンツ関連情報を順次選び出す等の煩雑な処理を何ら行うことなく、当該関連情報連続出力装置に対し、ページ情報に含まれるリスト内で、連続出力対応として設定されているコンテンツ識別情報に対応するコンテンツ関連情報を連続的に自動送信することができる。
【発明の効果】
【０００９】
本発明によれば、ページ情報提供装置から送信される、複数のコンテンツ識別情報のリストを含むページ情報を取得し、当該取得したページ情報に含まれるリスト内で、連続出力対応として設定されているコンテンツ識別情報のうち１つのコンテンツ識別情報を注目コンテンツ情報として選定することで関連情報連続提供装置から、当該注目コンテンツ情報として選定した１つのコンテンツ識別情報に対応するコンテンツ関連情報を取得して出力し、かかるコンテンツ関連情報の出力終了を検出すると、ページ情報に含まれるリスト内で、連続出力対応として設定されているコンテンツ識別情報のうち新たに１つのコンテンツ識別情報を注目コンテンツ情報として自動的に選定すると共に、関連情報連続提供装置から、当該新たに注目コンテンツ情報として選定した１つのコンテンツ識別情報に対応するコンテンツ関連情報を取得し出力するようにして、連続出力対応として設定されているコンテンツ識別情報に対応するコンテンツ関連情報を連続的に自動出力するようにしたことにより、関連情報連続提供装置に対し、複数のコンテンツ関連情報の中から関連情報連続出力装置に提供するコンテンツ関連情報を順次選び出させる等の煩雑な処理を何ら行わせることなく、ページ情報に含まれるリスト内で、連続出力対応として設定されているコンテンツ識別情報に対応するコンテンツ関連情報を連続的に自動送信させ自動出力することができ、かくして関連情報連続提供装置に対しコンテンツ関連情報の提供時の処理負荷を大幅に低減し得る関連情報連続出力方法、関連情報連続出力装置及び関連情報連続出力プログラムを実現することができる。
【００１０】
また本発明によれば、関連情報連続出力装置から送信される要求に応じて、当該関連情報連続出力装置に対し、複数のコンテンツ識別情報のリストを含むページ情報を送信し、関連情報連続出力装置でページ情報に含まれるリスト内の連続出力対応として設定されているコンテンツ識別情報のうち１つのコンテンツ識別情報が注目コンテンツ情報として選定されることにより、当該関連情報連続出力装置から送信される当該注目コンテンツ情報として選定された１つのコンテンツ識別情報に対応するコンテンツ関連情報の要求情報を受信すると、関連情報連続出力装置に対して、かかる要求情報に応じたコンテンツ関連情報を送信し、関連情報連続出力装置でコンテンツ関連情報の出力が終了し、ページ情報に含まれるリスト内の連続出力対応として設定されているコンテンツ識別情報のうち新たに１つのコンテンツ識別情報が注目コンテンツ情報として自動的に選定されることにより、当該関連情報連続出力装置から送信される当該新たに注目コンテンツ情報として選定された１つのコンテンツ識別情報に対応するコンテンツ関連情報の要求情報を受信すると、関連情報連続出力装置に対して当該受信した要求情報に応じたコンテンツ関連情報を送信するようにして、関連情報連続出力装置に対し、当該関連情報連続出力装置から順次送信される要求情報に応じたコンテンツ関連情報を連続的に自動送信するようにしたことにより、複数のコンテンツ関連情報の中から関連情報連続出力装置に提供するコンテンツ関連情報を順次選び出す等の煩雑な処理を何ら行うことなく、当該関連情報連続出力装置に対し、ページ情報に含まれるリスト内で、連続出力対応として設定されているコンテンツ識別情報に対応するコンテンツ関連情報を連続的に自動送信することができ、かくしてコンテンツ関連情報の提供時に処理負荷を大幅に低減し得る関連情報連続提供方法、関連情報連続提供装置及び関連情報連続提供プログラムを実現することができる。
【発明を実施するための最良の形態】
【００１１】
以下図面について、本発明の一実施の形態を詳述する。
【００１２】
〔１〕第１の実施の形態
（１）音楽関連サービス提供システム
（１−１）システム構成
図１において、１は全体として音楽関連サービス提供システムを示し、この音楽関連サービス提供システム１の運営業者と契約しているユーザのクライアント端末２と、当該クライアント端末２を管理するポータルサーバ３と、当該クライアント端末２に対して音楽に関する各種サービスを提供する複数のサーバＳＶ１乃至ＳＶ５とを有している。
【００１３】
この実施の形態の場合、音楽データ配信サーバＳＶ１は、ＡＴＲＡＣ３（Adaptive Transform Acoustic Coding 3）、ＡＡＣ（Advanced Audio Coding ）、ＷＭＡ（Windows（登録商標） Media Audio ）、ＲｅａｌＡＵＤＩＯ  Ｇ２  Ｍｕｓｉｃ  Ｃｏｄｅｃ、ＭＰ３（MPEG Audio Layer-3）形式等でなる音楽データをクライアント端末２に配信する音楽データ配信サービスを提供する。また物販サーバＳＶ２は、ＣＤ（Compact Disc）やＤＶＤ（Digital Versatile Disc）等をクライアント端末２を介してユーザに販売する物販サービスを提供する。さらにラジオ放送情報配信サーバＳＶ３は、ラジオ局を介して放送されているラジオ放送のラジオ番組や音楽等についてのラジオ放送情報をクライアント端末２に配信するラジオ放送情報配信サービスを提供する。
【００１４】
さらにインターネットラジオサーバＳＶ４は、インターネットに相当するネットワークＮＴを介してラジオ放送データをストリーミング配信の形態でクライアント端末２に向けて放送するインターネットラジオ放送サービスを提供する。これに加えて課金サーバＳＶ５は、ポータルサーバ３等からの要求に応じてユーザに対し様々な料金を課すための課金処理を実行するようになされている。
【００１５】
（１−２）クライアント端末２の構成
（１−２−１）クライアント端末２の機能回路ブロック構成
次にクライアント端末２の機能回路ブロックによるハードウェア構成を説明する。図２に示すようにクライアント端末２は、その筐体表面やリモートコントローラ（図示せず）に設けられた各種操作ボタンでなる操作入力部２０がユーザによって操作されると、当該操作入力部２０でこれを認識し、当該操作に応じた操作入力信号を入力処理部２１に送出する。入力処理部２１は、操作入力部２０から与えられる操作入力信号を特定の操作コマンドに変換しバス２２を介して制御部２３に送出する。制御部２３は、バス２２を介して接続された各回路から与えられる操作コマンドや制御信号に基づいてこれら各回路の動作を制御する。
【００１６】
表示制御部２４は、バス２２を介して供給される映像データに対してディジタルアナログ変換処理を施し、その結果得られるアナログ映像信号を表示部２５に送出する。表示部２５は、例えば液晶ディスプレイ等の表示デバイスであって、筐体表面に直接取り付けられている場合や外付けされている場合がある。そして表示部２５は、制御部２３による処理結果や各種映像データが表示制御部２４を介してアナログ映像信号として供給されると、当該アナログ映像信号に基づく映像を表示する。
【００１７】
音声制御部２６は、バス２２を介して供給される音声データに対してディジタルアナログ変換処理を施し、その結果得られるアナログ音声信号をスピーカ２７に送出する。スピーカ２７は、音声制御部２６から供給されるアナログ音声信号に基づく音声を出力する。
【００１８】
外部記録媒体記録再生部２８は、ＣＤや、フラッシュメモリが外装ケースに内包されたメモリスティック（登録商標）等の外部記録媒体に記録されているコンテンツデータを読み出して再生し、又は当該外部記録媒体に対し記録対象のコンテンツデータを記録する記録再生部である。外部記録媒体記録再生部２８は、外部記録媒体からコンテンツデータとして映像データを読み出したとき、当該読み出した映像データをバス２２を介して表示制御部２４に供給する。これにより表示制御部２４は、外部記録媒体記録再生部２８により外部記録媒体からコンテンツデータとして読み出された映像データをアナログ映像信号に変換して表示部２５に供給する。
【００１９】
また外部記録媒体記録再生部２８は、外部記録媒体からコンテンツデータとして音声データを読み出したとき、当該読み出した音声データをバス２２を介して音声制御部２６に供給する。これにより音声制御部２６は、外部記録媒体記録再生部２８により外部記録媒体からコンテンツデータとして読み出された音声データをアナログ音声信号に変換してスピーカ２７に供給する。
【００２０】
さらに制御部２３は、外部記録媒体記録再生部２８により外部記録媒体から読み出されたコンテンツデータをバス２２を介してクライアント端末２内部の記憶媒体２９に送出し、その記憶媒体２９に対して当該コンテンツデータを記憶する（以下、このように外部記録媒体に記録されているコンテンツデータを記憶媒体２９に記憶することをリッピングと呼ぶ）ことができる。そして制御部２３は、記憶媒体２９からコンテンツデータとしてイメージデータ又はビデオデータ等の映像データを読み出したときには、当該読み出した映像データをバス２２を介して表示制御部２４に供給する。また制御部２３は、記憶媒体２９からコンテンツデータとしてオーディオデータ等の音声データを読み出したときには、当該読み出した音声データをバス２２を介して音声制御部２６に供給する。これに加えて制御部２３は、記憶媒体２９から音楽データを読み出して外部記録媒体記録再生部２８に転送することにより当該外部記録媒体記録再生部２８により外部記録媒体に対しその音楽データを記録させることもできる。
【００２１】
放送信号受信部３０は、各ラジオ局から送信されるラジオ放送波を受信し、チューナ部３１に供給する。チューナ部３１は、制御部２３の制御のもと、放送信号受信部３０を介して受信されたラジオ放送波の中から例えば操作入力部２０を介して指定されたラジオ局に対応する放送周波数のラジオ放送信号を抽出して所定の受信処理を施し、この結果得られる音声データをバス２２を介して音声制御部２６に送出する。音声制御部２６は、チューナ部３１から与えられた音声データをアナログ音声信号に変換してスピーカ２７に送出することにより、当該スピーカ２７からラジオ局で放送されているラジオ番組の番組音声を出力させ、かくしてユーザに対しラジオ番組の番組音声を聴取させることができる。また制御部２３は、チューナ部３１で得られた音声データを記憶媒体２９に送出して記憶することにより、ラジオ番組の番組音声を録音することもできる。
【００２２】
さらに制御部２３は、通信制御部３２及びネットワークインタフェース３３を順次介してネットワークＮＴに接続し、当該ネットワークＮＴ上のポータルサーバ３やその他サーバＳＶ１乃至ＳＶ４にアクセスすることができる。これにより制御部２３は、ポータルサーバ３やその他サーバＳＶ１乃至ＳＶ４との間で各種情報や各種データを送受信する。
【００２３】
エンコーダ／デコーダ部３４は、ネットワークＮＴからネットワークインタフェース３３及び通信制御部３２を順次介して受信された圧縮符号化されているコンテンツデータ、あるいは記憶媒体２９や外部記録媒体から読み出された圧縮符号化されているコンテンツデータを復号し表示制御部２４や音声制御部２６に送出する。またエンコーダ／デコーダ部３４は、外部記録媒体から読み出された圧縮符号化されてはいないコンテンツデータや、チューナ部３１から与えられる音声データ等を圧縮符号化し、当該圧縮符号化したコンテンツデータを記憶媒体２９に送出する。これによりエンコーダ／デコーダ部３４で圧縮符号化されたコンテンツデータは、制御部２３の制御のもと記憶媒体２９に記憶される。
【００２４】
著作権管理部３５は、ネットワークＮＴからネットワークインタフェース３３及び通信制御部３２を順次介してダウンロードされるコンテンツデータに対応する著作権管理情報や、外部記録媒体記録再生部２８により外部記録媒体から読み出されたコンテンツデータに対応する著作権管理情報を生成する。著作権管理部３５で生成された著作権管理情報は、制御部２３の制御のもとにコンテンツデータと対応付けられて記憶媒体２９に登録される。また著作権管理部３５は、記憶媒体２９と特定の外部記録媒体との間で著作権管理情報を対応付けたコンテンツデータをチェックアウトするときや、当該特定の外部記録媒体と記憶媒体２９との間で当該著作権管理情報を対応付けたコンテンツデータをチェックインするときに、当該コンテンツデータに対応する著作権管理情報の内容を適切に更新することにより、そのコンテンツデータに対する著作権を保護する。
【００２５】
ページ情報生成部３６は、ネットワークＮＴからネットワークインタフェース３３及び通信制御部３２を順次介して受信されたＸＭＬ（eXtensible Markup Language）ファイル、あるいはＨＴＭＬ（Hyper Text Markup language）ファイル等のページ情報を解釈して表示部２５に表示するための映像データを生成し、当該生成した映像データを表示制御部２４に送出する。
【００２６】
認証処理部３７は、ネットワークインタフェース３３を介して接続されるネットワークＮＴ上のポータルサーバ３やその他サーバＳＶ１乃至ＳＶ４に対し認証情報を通信制御部３２及びネットワークインタフェース３３を順次介して送信する等の認証処理を実行する。認証情報記憶部３８は、認証処理部３７がポータルサーバ３やその他サーバＳＶ１乃至ＳＶ４に対しアクセスするときに必要となる認証情報を記憶する。
【００２７】
ラジオ放送表示制御部３９は、現在、ユーザによる聴取用に受信中のラジオ放送に関するラジオ放送情報を要求するための要求信号を通信制御部３２及びネットワークインタフェース３３を順次介して、当該受信中のラジオ放送を放送しているラジオ局に対応するラジオ放送情報配信サーバＳＶ３に送信する。その結果、ラジオ放送表示制御部３９は、ネットワークＮＴ上のラジオ放送情報配信サーバＳＶ３から送信されたラジオ放送情報をネットワークインタフェース３３及び通信制御部３２を順次介して受信すると共に、当該受信したラジオ放送情報を表示制御部２４に送出することにより表示部２５に対し、現在受信中のラジオ番組の番組名や、当該受信中の楽曲のタイトル及びアーティスト名等からなるラジオ放送情報を表示させる。
【００２８】
（１−２−２）ディレクトリ管理
クライアント端末２の制御部２３は、記憶媒体２９に対して記憶するコンテンツデータを、図３に示すディレクトリ構成で管理する。まず最上位の「ｒｏｏｔ」ディレクトリの下層に対しては、規定範囲内での任意の数の「ｆｏｌｄｅｒ」ディレクトリが作成される。この「ｆｏｌｄｅｒ」ディレクトリは、例えばコンテンツが属するジャンル、又は所有ユーザ等に対応して作成される。この「ｆｏｌｄｅｒ」ディレクトリの下層には、規定範囲内での任意の数の「ａｌｂｕｍ」ディレクトリが作成され、当該「ａｌｂｕｍ」ディレクトリは例えば１つのアルバムタイトル毎に対応するようになされている。この「ａｌｂｕｍ」ディレクトリの下層においては、その「ａｌｂｕｍ」ディレクトリに属するとされる１以上の「ｔｒａｃｋ」ファイルが格納され、この「ｔｒａｃｋ」ファイルが例えば１つの楽曲の音楽データすなわちコンテンツとなるものである。このようなコンテンツデータについてのディレクトリ管理は、記憶媒体２９に記憶されているデータベースファイルによって行われる。
【００２９】
（１−３）ポータルサーバ３の機能回路ブロック構成
次に、図４を用いてポータルサーバ３の機能回路ブロックによるハードウェア構成を説明する。ポータルサーバ３内の制御部５０は、バス５１を介して接続される各回路の動作を制御する。通信制御部５２は、制御部５０の制御のもと、ネットワークインタフェース５３を介してクライアント端末２やその他サーバＳＶ１乃至ＳＶ５と各種情報を送受信する。顧客データベース部５４には、音楽関連サービス提供システム１の運営業者とすでに契約を完了しているユーザのユーザＩＤ（Identification）情報とパスワード情報とが対応付けられて顧客情報として登録されている。ページ情報記憶部５５には、音楽関連サービス提供システム１の運営業者が管理するページ情報等が記憶されている。なおページ情報は、ＸＭＬ等の言語によって記述されており、音楽データ配信サーバＳＶ１、物販サーバＳＶ２、ラジオ放送情報配信サーバＳＶ３及びインターネットラジオサーバＳＶ４等にアクセスするためのＵＲＬ（Uniform Resource Locator）情報を含んでいる。
【００３０】
認証処理部５６は、クライアント端末２から送信されたユーザＩＤ情報及びパスワード情報をネットワークインタフェース５３及び通信制御部５２を順次介して受信すると、ユーザ認証処理として、当該受信したユーザＩＤ情報及びパスワード情報が顧客データベース部５４に顧客情報として登録されているか否かを確認する。そして認証処理部５６は、ユーザ認証処理を終了すると、当該ユーザ認証処理の結果を示したポータル認証結果情報（後述する認証セッションＩＤ情報）を発行し、当該発行したポータル認証結果情報を認証情報記憶部５７に一時記憶する。このとき制御部５０は、認証処理部５６によるユーザ認証処理の結果、ユーザが正規ユーザであると認証されると、ページ情報記憶部５５に記憶されている契約者用のページ情報をポータル認証結果情報と共に通信制御部５２及びネットワークインタフェース５３を順次介してクライアント端末２に送信する。なお制御部５０は、認証処理部５６によるユーザ認証処理の結果、ユーザが正規ユーザであると認証されなかったときには、認証エラー情報を、ページ情報記憶部５５に記憶されている認証の失敗を示す認証失敗通知ページ情報と共に通信制御部５２及びネットワークインタフェース５３を順次介してクライアント端末２に送信するように構成しても良い。
【００３１】
また認証処理部５６は、音楽データ配信サーバＳＶ１、物販サーバＳＶ２及びラジオ放送情報配信サーバＳＶ３からユーザに対する認証処理が実行された結果、当該ユーザのクライアント端末２から取得して送信されるポータル認証結果情報（後述する認証チケット）をネットワークインタフェース５３及び通信制御部５２を順次介して受信すると、当該受信したポータル認証結果情報と、認証情報記憶部５７に一時記憶していた当該ユーザに対応するポータル認証結果情報とを比較する。これにより認証処理部５６は、音楽データ配信サーバＳＶ１、物販サーバＳＶ２及びラジオ放送情報配信サーバＳＶ３から受信したポータル認証結果情報に対する認証処理として、正規のポータル認証結果情報であるか否かを確認する確認処理を実行し、その確認結果を示す確認結果情報を通信制御部５２及びネットワークインタフェース５３を順次介して当該音楽データ配信サーバＳＶ１、物販サーバＳＶ２及びラジオ放送情報配信サーバＳＶ３に返信する。
【００３２】
周波数情報記憶部５８には、地域を特定可能な郵便番号等の地域コードと、その地域コードの示す地域で受信可能なラジオ放送の放送周波数を示す周波数情報、当該ラジオ放送を放送するラジオ局の名称（以下、これをラジオ局名と呼ぶ）及び当該ラジオ局毎のユニークな識別情報であるコールサインとが対応付けられて記憶されている。ＵＲＬ記憶部５９には、ラジオ放送用のラジオ局毎のコールサインと、当該コールサインに対応するラジオ局で提供する現在放送中のラジオ番組に関し当該ラジオ番組の番組名やそのラジオ番組内で現時点に流されている楽曲のタイトル等からなるラジオ放送情報（以下、これを特にナウオンエア情報と呼ぶ）を取得可能なＵＲＬ情報とが対応付けられて記憶されている。
【００３３】
（１−４）音楽データ配信サーバＳＶ１の機能回路ブロック構成
次に、図５を用いて音楽データ配信サーバＳＶ１の機能回路ブロックによるハードウェア構成を説明する。音楽データ配信サーバＳＶ１内の制御部７０は、バス７１を介して接続される各回路の動作を制御する。通信制御部７２は、制御部７０の制御のもと、ネットワークインタフェース７３を介してクライアント端末２やポータルサーバ３等と各種情報や、コンテンツデータ等の各種データを送受信する。顧客データベース部７４には、音楽データ配信サーバＳＶ１の運営業者とすでに契約を完了しているユーザのユーザＩＤ情報とパスワード情報とが対応付けられて顧客情報として登録されている。ただし認証処理部７５が、クライアント端末２から送信される、ポータルサーバ３によって発行されたポータル認証結果情報に基づいてユーザを認証処理する機能を有する場合には、顧客データベース部７４を設けなくてもよい。
【００３４】
ページ情報記憶部７６には、音楽データ配信サーバＳＶ１が管理する、ダウンロード可能な音楽データを紹介する音楽データ配信用のページ情報等が記憶されている。因みに音楽データ配信用のページ情報は、ＸＭＬ等の言語によって記述されており、クライアント端末２を利用するユーザに対してダウンロードを希望する音楽データを選択させることができる。そして制御部７０は、クライアント端末２から送信される、音楽データ配信用のページ情報を要求するページ情報取得要求信号をネットワークインタフェース７３及び通信制御部７２を順次介して受信すると、当該受信したページ情報取得要求信号に応じて、ページ情報記憶部７６に記憶された音楽データ配信用のページ情報を通信制御部７２及びネットワークインタフェース７３を順次介してクライアント端末２に送信する。
【００３５】
認証処理部７５は、クライアント端末２から送信される、当該クライアント端末２を利用するユーザのユーザＩＤ情報及びパスワード情報をネットワークインタフェース７３及び通信制御部７２を順次介して受信すると、ユーザ認証処理として、当該受信したユーザＩＤ情報及びパスワード情報が顧客データベース部７４に顧客情報として登録されているか否かを確認する。また認証処理部７５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース７３及び通信制御部７２を順次介して受信し、当該受信したポータル認証結果情報を通信制御部７２及びネットワークインタフェース７３を順次介してポータルサーバ３に送信する。そして認証処理部７５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース７３及び通信制御部７２を順次介して受信し、当該受信した確認結果情報に基づいてユーザが音楽関連サービス提供システム１の運営業者とすでに契約を完了している正規ユーザであるか否かを確認する。このようにして認証処理部７５は、ユーザ認証処理が終了すると、そのユーザ認証処理の結果を示したサーバ認証結果情報（後述するサービスセッションＩＤ情報）を発行する。
【００３６】
このとき制御部７０は、認証処理部７５によるユーザ認証処理の結果、ユーザが正規ユーザであると認証されると、ページ情報記憶部７６に契約者用として記憶されている音楽データ配信用のページ情報をサーバ認証結果情報と共に通信制御部７２及びネットワークインタフェース７３を順次介してクライアント端末２に送信する。これに対して制御部７０は、認証処理部７５によるユーザ認証処理の結果、ユーザが正規ユーザであると認証されなかったときには、認証エラー情報を、ページ情報記憶部７６に記憶されている認証の失敗を示す認証失敗通知ページ情報と共に通信制御部７２及びネットワークインタフェース７３を順次介してクライアント端末２に送信する。ところで認証情報記憶部７７には、認証処理部７５により発行されたサーバ認証結果情報が一時記憶されると共に、当該認証処理部７５により、クライアント端末２を利用するユーザをユーザ認証処理するときに必要とされる各種認証情報が記憶されている。
【００３７】
音楽データ記憶部７８には、上述のＡＴＲＡＣ３形式やＭＰ３形式等で圧縮符号化された複数の音楽データが各々のコンテンツＩＤ情報等の検索キーと対応付けられて記憶されている。検索部７９は、クライアント端末２に対し音楽データ配信用のページ情報が送信された結果、当該クライアント端末２から送信される、ダウンロード希望の音楽データ検索用の検索キーが格納されそのダウンロード希望の音楽データをダウンロード要求するダウンロード要求信号がネットワークインタフェース７３及び通信制御部７２を順次介して受信されると、当該受信されたダウンロード要求信号からその検索キーを取り出す。そして検索部７９は、かかる検索キーに基づいて、音楽データ記憶部７８内の複数の音楽データの中から当該検索キーの示す検索条件に該当するダウンロード希望の音楽データを検索する。これにより制御部７０は、その検索されたダウンロード希望の音楽データを通信制御部７２及びネットワークインタフェース７３を順次介してクライアント端末２に送信する。また制御部７０は、このときクライアント端末２への音楽データのダウンロードに伴うユーザに対する課金処理用の課金情報を通信制御部７２及びネットワークインタフェース７３を順次介して課金サーバＳＶ５に送信することにより、課金サーバＳＶ５に対し当該ユーザに対する音楽データのダウンロードに応じた課金処理を実行させる。
【００３８】
（１−５）物販サーバＳＶ２の機能回路ブロック構成
次に、図６を用いて物販サーバＳＶ２の機能回路ブロックによるハードウェア構成を説明する。物販サーバＳＶ２内の制御部９０は、バス９１を介して接続される各回路の動作を制御する。通信制御部９２は、制御部９０の制御のもと、ネットワークインタフェース９３を介してクライアント端末２やポータルサーバ３等と各種情報を送受信する。顧客データベース部９４には、物販サーバＳＶ２の運営業者とすでに契約を完了しているユーザのユーザＩＤ情報とパスワード情報とが対応付けられて顧客情報として登録されている。ただし認証処理部９５が、クライアント端末２から送信される、ポータルサーバ３によって発行されたポータル認証結果情報に基づいてユーザを認証処理する機能を有する場合には、顧客データベース部９４を設けなくてもよい。
【００３９】
ページ情報記憶部９６には、物販サーバＳＶ２が管理する、販売対象のＣＤやＤＶＤ等のパッケージメディアを紹介するパッケージメディア販売用のページ情報等が記憶されている。因みにパッケージメディア販売用のページ情報は、ＸＭＬ等の言語によって記述されており、クライアント端末２を利用するユーザに対して購入を希望するＣＤやＤＶＤ等のパッケージメディアを選択させることができる。そして制御部９０は、クライアント端末２から送信される、パッケージメディア販売用のページ情報を要求するページ情報取得要求信号をネットワークインタフェース９３及び通信制御部９２を順次介して受信すると、当該受信したページ情報取得要求信号に応じて、ページ情報記憶部９６に記憶されたパッケージメディア販売用のページ情報を通信制御部９２及びネットワークインタフェース９３を順次介してクライアント端末２に送信する。
【００４０】
認証処理部９５は、クライアント端末２から送信される、当該クライアント端末２を利用するユーザのユーザＩＤ情報及びパスワード情報をネットワークインタフェース９３及び通信制御部９２を順次介して受信すると、ユーザ認証処理として、当該受信したユーザＩＤ情報及びパスワード情報が顧客データベース部９４に顧客情報として登録されているか否かを確認する。また認証処理部９５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース９３及び通信制御部９２を順次介して受信し、当該受信したポータル認証結果情報を通信制御部９２及びネットワークインタフェース９３を順次介してポータルサーバ３に送信する。そして認証処理部９５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース９３及び通信制御部９２を順次介して受信し、当該受信した確認結果情報に基づいてユーザが音楽関連サービス提供システム１の運営業者とすでに契約を完了している正規ユーザであるか否かを確認する。このようにして認証処理部９５は、ユーザ認証処理が終了すると、そのユーザ認証処理の結果を示したサーバ認証結果情報（後述するサービスセッションＩＤ情報）を発行する。
【００４１】
このとき制御部９０は、認証処理部９５によるユーザ認証処理の結果、ユーザが正規ユーザであると認証されると、ページ情報記憶部９６に契約者用として記憶されているパッケージメディア販売用のページ情報をサーバ認証結果情報と共に通信制御部９２及びネットワークインタフェース９３を順次介してクライアント端末２に送信する。これに対して制御部９０は、認証処理部９５によるユーザ認証処理の結果、ユーザが正規ユーザであると認証されなかったときには、認証エラー情報を、ページ情報記憶部９６に記憶されている認証の失敗を示す認証失敗通知ページ情報と共に通信制御部９２及びネットワークインタフェース９３を順次介してクライアント端末２に送信する。ところで認証情報記憶部９７には、認証処理部９５により発行されたサーバ認証結果情報が一時記憶されると共に、当該認証処理部９５により、クライアント端末２を利用するユーザをユーザ認証処理するときに必要とされる各種認証情報が記憶されている。
【００４２】
パッケージメディア情報記憶部９８には、販売対象のＣＤやＤＶＤ等の複数のパッケージメディアに関する情報（以下、これをパッケージメディア情報と呼ぶ）が各々のパッケージメディアＩＤ情報等の検索キーと対応付けられて記憶されている。検索部９９は、クライアント端末２に対しパッケージメディア販売用のページ情報が送信された結果、当該クライアント端末２から送信される、特定のＣＤやＤＶＤ等のパッケージメディアに関するパッケージメディア情報を要求するメディア情報要求信号がネットワークインタフェース９３及び通信制御部９２を順次介して受信されると、当該受信されたメディア情報要求信号から当該特定のパッケージメディア検索用の検索キーを取り出す。そして検索部９９は、かかる検索キーに基づいて、パッケージメディア情報記憶部９８内の複数のパッケージメディア情報の中から当該検索キーの示す検索条件に該当する特定のパッケージメディアのパッケージメディア情報を検索する。これにより制御部９０は、その検索されたパッケージメディア情報を通信制御部９２及びネットワークインタフェース９３を順次介してクライアント端末２に送信し、かくしてユーザに対し特定のパッケージメディアに関するパッケージメディア情報を提示する。その結果、制御部９０は、クライアント端末２から送信される、上述の特定のパッケージメディアを購入要求する購入要求信号をネットワークインタフェース９３及び通信制御部９２を順次介して受信すると、当該クライアント端末２を利用するユーザへの当該特定のパッケージメディアの引き渡し手続等の購入処理を実行する。
【００４３】
また制御部９０は、特定のパッケージメディアの購入に伴うユーザに対する課金処理用の課金情報を通信制御部９２及びネットワークインタフェース９３を順次介して課金サーバＳＶ５に送信することにより、課金サーバＳＶ５に対し当該ユーザに対する特定のパッケージメディアの購入に応じた課金処理を実行させる。さらに制御部９０は、課金サーバＳＶ５によるユーザに対する課金処理が完了すると、パッケージメディアの購入処理が完了したことを示す購入完了ページ情報を通信制御部９２及びネットワークインタフェース９３を順次介してクライアント端末２に送信する。
【００４４】
（１−６）ラジオ放送情報配信サーバＳＶ３の機能回路ブロック構成
次に、図７を用いてラジオ放送情報配信サーバＳＶ３の機能回路ブロックによるハードウェア構成を説明する。ラジオ放送情報配信サーバＳＶ３内の制御部１１０は、バス１１１を介して接続される各回路の動作を制御する。通信制御部１１２は、制御部１１０の制御のもと、ネットワークインタフェース１１３を介してクライアント端末２やポータルサーバ３等と各種情報を送受信する。顧客データベース部１１４には、ラジオ放送情報配信サーバＳＶ３の運営業者とすでに契約を完了しているユーザのユーザＩＤ情報とパスワード情報とが対応付けられて顧客情報として登録されている。ただし認証処理部１１５が、クライアント端末２から送信される、ポータルサーバ３によって発行されたポータル認証結果情報に基づいてユーザを認証処理する機能を有する場合には、顧客データベース部１１４を設けなくてもよい。
【００４５】
ページ情報記憶部１１６には、ラジオ放送情報配信サーバＳＶ３が管理し、当該ラジオ放送情報配信サーバＳＶ３に対応するラジオ局によってすでに放送されたラジオ番組に関するラジオ放送情報（以下、これを特にオンエアリスト情報と呼ぶ）の取得に利用させるオンエアリスト情報配信用のページ情報等が記憶されている。因みにオンエアリスト情報配信用のページ情報は、ＸＭＬ等の言語によって記述され、クライアント端末２を利用するユーザに対し、ラジオ番組の放送日時情報や番組名等を、取得希望のオンエアリスト情報に対する検索キーとして入力させるための入力ボックス等が設けられている。オンエアリスト情報記憶部１１７には、ラジオ放送情報配信サーバＳＶ３に対応するラジオ局ですでに放送されたラジオ番組に対する番組名、番組放送開始時刻及び番組放送終了時刻等と、当該ラジオ番組内で流された楽曲に対するタイトル、アーティスト名、楽曲放送開始時刻等とをリスト化して生成されたオンエアリスト情報が記憶されている。
【００４６】
そして制御部１１０は、クライアント端末２から送信される、オンエアリスト情報配信用のページ情報を要求するページ情報取得要求信号をネットワークインタフェース１１３及び通信制御部１１２を順次介して受信すると、当該受信したページ情報取得要求信号に応じて、ページ情報記憶部１１６に記憶されたオンエアリスト情報配信用のページ情報を通信制御部１１２及びネットワークインタフェース１１３を順次介してクライアント端末２に送信する。その結果、検索部１１８は、クライアント端末２からオンエアリスト情報配信用のページ情報上で入力された取得希望のオンエアリスト情報検索用の検索キーが格納されオンエアリスト情報をダウンロード要求するオンエアリスト情報要求信号が送信されることにより、そのオンエアリスト情報要求信号をネットワークインタフェース１１３及び通信制御部１１２を順次介して受信すると、当該受信したオンエアリスト情報要求信号から検索キーを取り出す。そして検索部１１８は、かかる検索キーに基づいて、オンエアリスト情報記憶部１１７内のオンエアリスト情報全体に対し当該検索キーの示す検索条件に該当する所定範囲部分を取得希望のオンエアリスト情報として検索する。これにより制御部１１０は、その検索された取得希望のオンエアリスト情報を通信制御部１１２及びネットワークインタフェース１１３を順次介してクライアント端末２に送信する。
【００４７】
またナウオンエア情報記憶部１１９には、ラジオ放送情報配信サーバＳＶ３に対応するラジオ局で現在放送中のラジオ番組に対する番組名、番組放送開始時刻、番組放送終了時刻、当該ラジオ番組内で現時点に流されている楽曲に対するタイトル、アーティスト名、楽曲放送開始時刻等からなるナウオンエア情報が記憶されている。そして認証処理部１１５は、クライアント端末２からナウオンエア情報を取得要求するナウオンエア情報要求信号と共に送信される、当該クライアント端末２を利用するユーザのユーザＩＤ情報及びパスワード情報をネットワークインタフェース１１３及び通信制御部１１２を順次介して受信すると、ユーザ認証処理として、当該受信したユーザＩＤ情報及びパスワード情報が顧客データベース部１１４に顧客情報として登録されているか否かを確認する。
【００４８】
また認証処理部１１５は、ユーザＩＤ情報及びパスワード情報を用いるユーザ認証処理とは異なるユーザ認証手法として、クライアント端末２から送信される、ポータルサーバ３で発行されたポータル認証結果情報（後述する認証チケット）をネットワークインタフェース１１３及び通信制御部１１２を順次介して受信し、当該受信したポータル認証結果情報を通信制御部１１２及びネットワークインタフェース１１３を順次介してポータルサーバ３に送信する。そして認証処理部１１５は、ポータルサーバ３へのポータル認証結果情報の送信に応じて、当該ポータルサーバ３からそのポータル認証結果情報に対する認証処理（すなわち、上述の確認処理）が実行された結果返信される確認結果情報をネットワークインタフェース１１３及び通信制御部１１２を順次介して受信し、当該受信した確認結果情報に基づいてユーザが音楽関連サービス提供システム１の運営業者とすでに契約を完了している正規ユーザであるか否かを確認する。このようにして認証処理部１１５は、ユーザ認証処理が終了すると、そのユーザ認証処理の結果を示したサーバ認証結果情報（後述するサービスセッションＩＤ情報）を発行する。
【００４９】
このとき制御部１１０は、認証処理部１１５によるユーザ認証処理の結果、ユーザが正規ユーザであると認証されると、ナウオンエア情報記憶部１１９に記憶されているナウオンエア情報をサーバ認証結果情報と共に通信制御部１１２及びネットワークインタフェース１１３を順次介してクライアント端末２に送信する。これに対して制御部１１０は、認証処理部１１５によるユーザ認証処理の結果、ユーザが正規ユーザであると認証されなかったときには、認証エラー情報を、ページ情報記憶部１１６に記憶されている認証の失敗を示す認証失敗通知ページ情報と共に通信制御部１１２及びネットワークインタフェース１１３を順次介してクライアント端末２に送信する。このようにして制御部１１０は、ユーザからナウオンエア情報の取得が要求されたとき、当該ユーザを正規ユーザであると認証したときには、ナウオンエア情報を配信するものの、ユーザを正規ユーザであると認証することができなかったときには、そのユーザに対してナウオンエア情報の配信サービスのようなラジオ放送情報配信サーバＳＶ３が提供するラジオ放送情報配信サービスを受けさせないようにしている。ところで認証情報記憶部１２０には、認証処理部１１５により発行されたサーバ認証結果情報が一時記憶されると共に、当該認証処理部１１５により、クライアント端末２を利用するユーザをユーザ認証処理するときに必要とされる各種認証情報が記憶されている。
【００５０】
（１−７）各サーバの処理概要
次に図８乃至図１３に示すシーケンスチャートを用いて、クライアント端末２とポータルサーバ３との間で実行される処理や、クライアント端末２とその他の音楽データ配信サーバＳＶ１、物販サーバＳＶ２及びラジオ放送情報配信サーバＳＶ３との間で実行される処理の概要を説明する。
【００５１】
（１−７−１）クライアント端末２及びポータルサーバ３間のユーザ認証処理手順
まず図８を用いて、クライアント端末２とポータルサーバ３との間で実行されるユーザ認証処理手順について説明する。音楽関連サービス提供システム１の運営業者と契約しているユーザのクライアント端末２において制御部２３は、例えばクライアント端末２に対して電源を投入する操作が行われ、又はユーザにより操作入力部２０の特定の操作ボタンが押下されたことに応じてその操作入力部２０で認識された操作入力信号が入力処理部２１で操作コマンドに変換されて与えられると、認証要求処理を開始する。
【００５２】
クライアント端末２で認証要求処理を開始すると、ステップＳＰ１において、制御部２３は、認証情報記憶部３８に対し予め一時記憶している認証セッションＩＤ情報等を格納した接続要求信号を生成し、当該生成した接続要求信号を通信制御部３２及びネットワークインタフェース３３を順次介してポータルサーバ３に送信する。因みに認証セッションＩＤ情報は、クライアント端末２とポータルサーバ３とがユーザ認証処理等の各種処理の実行用に通信接続する毎に、個々の通信接続状態（すなわち、セッション）の識別用としてポータルサーバ３によって発行される識別情報である。なおかかる認証セッションＩＤ情報については、ユーザ認証処理等に利用するうえで、ポータルサーバ３による発行時点を基準とした所定の有効期限（例えば１分程度）が設定されている。
【００５３】
従ってポータルサーバ３から認証セッションＩＤ情報を取得したクライアント端末２は、その認証セッションＩＤ情報を有効期限以内にポータルサーバ３に対して提示することができない場合、ポータルサーバ３により、当該認証セッションＩＤ情報で特定される通信接続状態が切断されたと判断される。これによりポータルサーバ３は、過去に発行した認証セッションＩＤ情報が、音楽関連サービス提供システム１の運営業者と契約してはいないユーザによりユーザ認証処理等に対し不当に利用されることを防止している。また認証情報記憶部３８に一時記憶されている認証セッションＩＤ情報は、クライアント端末２とポータルサーバ３とが以前にユーザ認証処理等の実行用に通信接続したとき、そのポータルサーバ３によって発行されたものである。
【００５４】
クライアント端末２から接続要求信号が送信されると、これに応じてステップＳＰ２においてポータルサーバ３の制御部５０は、ネットワークインタフェース５３及び通信制御部５２を順次介してその接続要求信号を受信し、当該受信した接続要求信号に格納されている認証セッションＩＤ情報等を認証処理部５６に送出する。そして認証処理部５６は、制御部５０の制御のもと、クライアント端末２から接続要求信号として受信された認証セッションＩＤ情報等に基づいてユーザ認証処理を実行する。その結果、制御部５０は、認証処理部５６により、クライアント端末２から受信した認証セッションＩＤ情報等の有効期限が切れる等して、当該クライアント端末２を利用するユーザを正規ユーザであると認証することができなかったときには、認証エラーを示す認証エラー情報を通信制御部５２及びネットワークインタフェース５３を順次介してクライアント端末２に送信する。
【００５５】
ステップＳＰ３において、クライアント端末２の制御部２３は、ポータルサーバ３から送信された認証エラー情報をネットワークインタフェース３３及び通信制御部３２を順次介して受信すると、これに応じて認証情報記憶部３８に記憶しているユーザＩＤ情報及びパスワード情報等を読み出し、当該読み出したユーザＩＤ情報及びパスワード情報等を通信制御部３２及びネットワークインタフェース３３を順次介してポータルサーバ３に送信する。
【００５６】
ステップＳＰ４において、ポータルサーバ３の制御部５０は、クライアント端末２から送信されたユーザＩＤ情報及びパスワード情報等をネットワークインタフェース５３及び通信制御部５２を順次介して受信し、当該受信したユーザＩＤ情報及びパスワード情報等を認証処理部５６に送出する。これにより認証処理部５６は、制御部５０の制御のもとにユーザ認証処理として、そのクライアント端末２から受信されたユーザＩＤ情報及びパスワード情報等が、顧客データベース部５４に登録されている顧客情報に含まれているか否かを検出する。その結果、認証処理部５６は、クライアント端末２を利用するユーザを正規ユーザであると認証すると、制御部５０の制御のもとにポータル認証結果情報として、現時点のクライアント端末２とポータルサーバ３との通信接続状態に対する認証セッションＩＤ情報等を発行すると共に、当該クライアント端末２に対して発行した認証セッションＩＤ情報等を認証情報記憶部５７に一時記憶する。そして制御部５０は、認証処理部５６によりそのクライアント端末２に対して発行された認証セッションＩＤ情報等を通信制御部５２及びネットワークインタフェース５３を順次介してクライアント端末２に送信する。
【００５７】
ステップＳＰ５において、クライアント端末２の制御部２３は、ポータルサーバ３から送信された認証セッションＩＤ情報等をネットワークインタフェース３３及び通信制御部３２を順次介して受信し、当該受信した認証セッションＩＤ情報等を認証処理部３７に送出する。そして認証処理部３７は、制御部２３の制御のもとに、ポータルサーバ３から受信されたその認証セッションＩＤ情報等を認証情報記憶部３８に一時記憶する。これにより制御部２３は、ポータルサーバ３に対しページ情報を要求するためのページ情報取得要求信号を、ポータルサーバ３から受信して認証情報記憶部３８に一時記憶されたその認証セッションＩＤ情報等と共に通信制御部３２及びネットワークインタフェース３３を順次介してポータルサーバ３に送信する。
【００５８】
ステップＳＰ６において、ポータルサーバ３の制御部５０は、クライアント端末２から送信されたページ情報取得要求信号及び認証セッションＩＤ情報等をネットワークインタフェース５３及び通信制御部５２を順次介して受信し、当該受信した認証セッションＩＤ情報等を認証処理部５６に送出する。これにより認証処理部５６は、制御部５０の制御のもと、クライアント端末２から受信された認証セッションＩＤ情報等と、上述のステップＳＰ４においてクライアント端末２に対して発行し認証情報記憶部５７に一時記憶していた認証セッションＩＤ情報等とを比較するようにしてユーザ認証処理を実行する。
【００５９】
その結果ステップＳＰ７において、認証処理部５６は、クライアント端末２を利用するユーザを正規ユーザであると認証すると、当該クライアント端末２からのページ情報の取得要求が正当な要求であると判断し、クライアント端末２に対して発行していた認証セッションＩＤ情報等の有効期限を延長する。これにより制御部５０は、ページ情報記憶部５５から、ユーザによって取得要求されたページ情報を読み出すと共に、当該読み出したページ情報を、認証処理部５６により有効期限の延長された認証セッションＩＤ情報等と共に通信制御部５２及びネットワークインタフェース５３を順次介してクライアント端末２に送信する。
【００６０】
ステップＳＰ８において、クライアント端末２の制御部２３は、ポータルサーバ３から送信されたページ情報と、有効期限の延長された認証セッションＩＤ情報等とをネットワークインタフェース３３及び通信制御部３２を順次介して受信し、当該受信したページ情報をページ情報生成部３６に送出すると共に、その有効期限の延長された認証セッションＩＤ情報等を認証処理部３７に送出する。ページ情報生成部３６は、制御部２３から与えられたページ情報に基づいて、音楽データ配信サーバＳＶ１、物販サーバＳＶ２及びラジオ放送情報配信サーバＳＶ３へのリンクが埋め込まれたページの映像データを生成し、当該生成した映像データを表示制御部２４に送出する。これにより表示制御部２４は、ページ情報生成部３６から与えられた映像データに対してディジタルアナログ変換処理を施し、得られたアナログ映像信号を表示部２５に送出することにより当該表示部２５にそのアナログ映像信号に基づく映像としてポータルサーバ３のページを表示させる。また認証処理部３７は、制御部２３の制御のもと認証情報記憶部３８において、ポータルサーバ３から受信された、有効期限の延長された認証セッションＩＤ情報等をその有効期限が延長される前の認証セッションＩＤ情報等に上書きするようにして一時記憶することにより、上述のステップＳＰ５において一時記憶していた認証セッションＩＤ情報等を有効期限の延長された認証セッションＩＤ情報等に更新する。
【００６１】
（１−７−２）クライアント端末２及び各サーバＳＶ１乃至ＳＶ３間のユーザ認証処理手順
次に、図９において、クライアント端末２と、音楽データ配信サーバＳＶ１、物販サーバＳＶ２及びラジオ放送情報配信サーバＳＶ３との間で実行するユーザ認証処理について以下に説明する。
【００６２】
この場合、かかるユーザ認証処理としては、クライアント端末２が図８について上述したようにポータルサーバ３からページ情報を一旦取得し、引き続きそのページ情報に埋め込まれたリンクにより音楽データ配信サーバＳＶ１、物販サーバＳＶ２及びラジオ放送情報配信サーバＳＶ３にアクセスして実行されるユーザ認証処理（以下、これを間接アクセス認証処理と呼ぶ）がある。またかかるユーザ認証処理としては、クライアント端末２がポータルサーバ３のページ情報を取得せずに、予めブックマークとして登録しているＵＲＬ情報等により音楽データ配信サーバＳＶ１、物販サーバＳＶ２及びラジオ放送情報配信サーバＳＶ３に直接アクセスして実行されるユーザ認証処理（以下、これを直接アクセス認証処理と呼ぶ）もある。
【００６３】
ただし間接アクセス認証処理については、クライアント端末２と、音楽データ配信サーバＳＶ１、物販サーバＳＶ２及びラジオ放送情報配信サーバＳＶ３とが何れの組合せであっても同様の手順で実行することができる。また直接アクセス認証処理についても、クライアント端末２と、音楽データ配信サーバＳＶ１、物販サーバＳＶ２及びラジオ放送情報配信サーバＳＶ３とが何れの組合せであっても同様の手順で実行することができる。そして間接アクセス認証処理及び直接アクセス認証処理では、クライアント端末２において音楽データ配信サーバＳＶ１、物販サーバＳＶ２及びラジオ放送情報配信サーバＳＶ３へのアクセスに使用するＵＲＬ情報の取得の仕方のみが異なるだけで、当該ＵＲＬ情報の取得以降には、間接アクセス認証処理及び直接アクセス認証処理の両方ともに同様の手順で実行することができる。従って以下には、クライアント端末２のアクセス先として、説明を簡略化するうえで音楽データ配信サーバＳＶ１を代表として用い、さらに間接アクセス認証処理及び直接アクセス認証処理をまとめて１つのユーザ認証処理として説明する。
【００６４】
まず、ステップＳＰ１０において、クライアント端末２の制御部２３は、ページ情報にリンクとして埋め込まれたＵＲＬ情報、又はすでにブックマークとして登録しているＵＲＬ情報等に従って、音楽データ配信用のページ情報（他の物販サーバＳＶ２やラジオ放送情報配信サーバＳＶ３では、パッケージメディア販売用のページ情報やオンエアリスト情報配信用のページ情報等となる）を取得要求するページ情報取得要求信号と共に、認証情報記憶部３８から読み出したサービスセッションＩＤ情報等を通信制御部３２及びネットワークインタフェース３３を順次介して音楽データ配信サーバＳＶ１に送信する。因みにサービスセッションＩＤ情報は、クライアント端末２と音楽データ配信サーバＳＶ１、物販サーバＳＶ２及びラジオ放送情報配信サーバＳＶ３とがユーザ認証処理等の各種処理の実行用に通信接続する毎に、個々の通信接続状態（すなわち、セッション）の識別用として、クライアント端末２がアクセスした音楽データ配信サーバＳＶ１、物販サーバＳＶ２及びラジオ放送情報配信サーバＳＶ３によって発行される識別情報である。なおかかるサービスセッションＩＤ情報については、上述した認証セッションＩＤ情報と同様に、ユーザ認証処理等に利用するうえで音楽データ配信サーバＳＶ１、物販サーバＳＶ２及びラジオ放送情報配信サーバＳＶ３による発行時点を基準とした所定の有効期限（例えば１分程度）が設定されている。
【００６５】
従って各サーバＳＶ１乃至ＳＶ３からサービスセッションＩＤ情報を取得したクライアント端末２は、そのサービスセッションＩＤ情報を有効期限以内に発行元の音楽データ配信サーバＳＶ１、物販サーバＳＶ２及びラジオ放送情報配信サーバＳＶ３に対して提示することができない場合、これら発行元の音楽データ配信サーバＳＶ１、物販サーバＳＶ２及びラジオ放送情報配信サーバＳＶ３により、当該サービスセッションＩＤ情報で特定される通信接続状態が切断されたと判断される。これにより音楽データ配信サーバＳＶ１、物販サーバＳＶ２及びラジオ放送情報配信サーバＳＶ３は、過去に発行したサービスセッションＩＤ情報が、音楽関連サービス提供システム１の運営業者と契約してはいないユーザによりユーザ認証処理等に対し不当に利用されることを防止している。また認証情報記憶部３８に一時記憶されているサービスセッションＩＤ情報は、クライアント端末２と音楽データ配信サーバＳＶ１、物販サーバＳＶ２及びラジオ放送情報配信サーバＳＶ３とが以前にユーザ認証処理等の実行用に通信接続したとき、そのアクセス先の音楽データ配信サーバＳＶ１、物販サーバＳＶ２及びラジオ放送情報配信サーバＳＶ３によって発行されたものである。
【００６６】
ステップＳＰ１１において、音楽データ配信サーバＳＶ１の制御部７０は、クライアント端末２から送信されたページ情報取得要求信号及びサービスセッションＩＤ情報等をネットワークインタフェース７３及び通信制御部７２を順次介して受信し、当該受信したサービスセッションＩＤ情報等を認証処理部７５に送出する。認証処理部７５は、制御部７０の制御のもと、クライアント端末２から受信されたサービスセッションＩＤ情報等と、認証情報記憶部７７にすでに一時記憶しているサービスセッションＩＤ情報等とを比較するようにしてユーザ認証処理を実行する。その結果、認証処理部７５は、例えばクライアント端末２から受信したサービスセッションＩＤ情報の有効期限がすでに切れていることにより、当該クライアント端末２を利用するユーザを正規ユーザであるとは認証することができないと、クライアント端末２からの音楽データ配信用のページ情報の取得要求が正当な要求ではないと判断する。そして制御部７０は、認証処理部７５によりクライアント端末２を利用するユーザが正規ユーザであると認証されないと、認証エラーを示す認証エラー情報と、音楽データ配信サーバＳＶ１を識別するショップコードとを通信制御部７２及びネットワークインタフェース７３を順次介してクライアント端末２に送信する。
【００６７】
ステップＳＰ１２において、クライアント端末２の制御部２３は、音楽データ配信サーバＳＶ１から送信された認証エラー情報及びショップコードをネットワークインタフェース３３及び通信制御部３２を順次介して受信し、当該受信した認証エラー情報により、音楽データ配信サーバＳＶ１においてユーザが正規ユーザとして認証されなかったことを認識すると共に、その音楽データ配信サーバＳＶ１から受信したショップコードを認証情報記憶部３８に一時記憶する。そして制御部２３は、ポータルサーバ３に対して、音楽データ配信サーバＳＶ１にアクセスするための認証チケットを発行要求する認証チケット発行要求信号を生成し、当該生成した認証チケット発行要求信号を音楽データ配信サーバＳＶ１のショップコード、及びすでにポータルサーバ３から受信して認証情報記憶部３８に対し一時記憶している認証セッションＩＤ情報等と共に通信制御部３２及びネットワークインタフェース３３を順次介してポータルサーバ３に送信する。
【００６８】
ステップＳＰ１３において、ポータルサーバ３の制御部５０は、クライアント端末２から送信された認証チケット発行要求信号、ショップコード及び認証セッションＩＤ情報等をネットワークインタフェース５３及び通信制御部５２を順次介して受信し、これらを認証処理部５６に送出する。これにより認証処理部５６は、制御部５０の制御のもと、そのクライアント端末２から受信された認証セッションＩＤ情報等と、認証情報記憶部５７に対しすでに一時記憶している認証セッションＩＤ情報等とを比較するようにしてユーザ認証処理を実行する。その結果、認証処理部５６は、例えばクライアント端末２から受信された認証セッションＩＤ情報の有効期限がすでに切れており、当該クライアント端末２を利用するユーザを正規ユーザであるとは認証することができないと、クライアント端末２からの認証チケットの発行要求が正当な要求ではないと判断する。そして制御部５０は、認証処理部５６によりクライアント端末２を利用するユーザが正規ユーザであると認証されないと、認証エラーを示す認証エラー情報を通信制御部５２及びネットワークインタフェース５３を順次介してクライアント端末２に送信する。これに対して認証処理部５６は、例えばクライアント端末２から受信した認証セッションＩＤ情報の有効期限が未だ切れてはいないことで、クライアント端末２を利用するユーザを正規ユーザであると認証すると、当該クライアント端末２からの認証チケットの発行要求が正当な要求であると判断する。そして制御部５０は、認証処理部５６により、クライアント端末２を利用するユーザが正規ユーザであると認証されると、後述するステップＳＰ１８に移る。
【００６９】
ステップＳＰ１４において、クライアント端末２の制御部２３は、ポータルサーバ３から送信された認証エラー情報をネットワークインタフェース３３及び通信制御部３２を順次介して受信すると、認証情報記憶部３８に記憶されているユーザＩＤ情報及びパスワード情報等を読み出すと共に、当該読み出したユーザＩＤ情報及びパスワード情報等を通信制御部３２及びネットワークインタフェース３３を順次介してポータルサーバ３に送信する。
【００７０】
ステップＳＰ１５において、ポータルサーバ３の制御部５０は、クライアント端末２から送信されたユーザＩＤ情報及びパスワード情報等をネットワークインタフェース５３及び通信制御部５２を順次介して受信し、当該受信したユーザＩＤ情報及びパスワード情報等を認証処理部５６に送出する。これにより認証処理部５６は、制御部５０の制御のもと、クライアント端末２から受信されたユーザＩＤ情報及びパスワード情報等が、顧客データベース部５４に登録されている顧客情報に含まれているか否かを検出するようにしてユーザ認証処理を実行する。その結果、認証処理部５６は、クライアント端末２を利用するユーザを正規ユーザであると認証すると、制御部５０の制御のもとポータル認証結果情報として、現時点のクライアント端末２とポータルサーバ３との通信接続状態に対する認証セッションＩＤ情報等を発行すると共に、当該クライアント端末２に対して発行した認証セッションＩＤ情報等を認証情報記憶部５７に一時記憶する。そして制御部５０は、認証処理部５６によりそのクライアント端末２に対して発行された認証セッションＩＤ情報等を通信制御部５２及びネットワークインタフェース５３を順次介してクライアント端末２に送信する。
【００７１】
ステップＳＰ１６において、クライアント端末２の制御部２３は、ポータルサーバ３から送信された認証セッションＩＤ情報等をネットワークインタフェース３３及び通信制御部３２を順次介して受信し、当該受信した認証セッションＩＤ情報等を認証処理部３７により認証情報記憶部３８に一時記憶する。そして制御部２３は、再びポータルサーバ３に対して、認証チケットを発行要求する認証チケット発行要求信号を生成すると共に、当該生成した認証チケット発行要求信号を、認証情報記憶部３８にすでに一時記憶しているショップコード、及びこのとき一時記憶した認証セッションＩＤ情報等と共に通信制御部３２及びネットワークインタフェース３３を順次介してポータルサーバ３に送信する。
【００７２】
ここで本実施の形態では、クライアント端末２において認証情報記憶部３８に対しショップコードを一時記憶しておいたが、これに限らず、当該クライアント端末２とポータルサーバ３との間でステップＳＰ１２乃至ステップＳＰ１６の処理を実行する際にショップコードを順次送受信することにより、クライアント端末２において認証情報記憶部３８に対しショップコードを一時記憶しなくてもステップＳＰ１６においてポータルサーバ３に対しショップコードを送信することが可能である。
【００７３】
ステップＳＰ１７において、ポータルサーバ３の制御部５０は、クライアント端末２から送信された認証チケット発行要求信号、ショップコード及び認証セッションＩＤ情報等をネットワークインタフェース５３及び通信制御部５２を順次介して受信し、これらを認証処理部５６に送出する。これにより認証処理部５６は、制御部５０の制御のもと、そのクライアント端末２から受信された認証セッションＩＤ情報等と、認証情報記憶部５７にすでに一時記憶している認証セッションＩＤ情報等とを比較するようにしてユーザ認証処理を実行する。その結果、認証処理部５６は、例えばクライアント端末２から受信した認証セッションＩＤ情報等の有効期限が未だ切れてはいないために、クライアント端末２を利用するユーザを正規ユーザであると認証すると、当該クライアント端末２からの認証チケットの発行要求が正当な要求であると判断する。そして制御部５０は、認証処理部５６により、クライアント端末２を利用するユーザが正規ユーザであると認証されると、次のステップＳＰ１８に移る。
【００７４】
ステップＳＰ１８において、認証処理部５６は、制御部５０の制御のもと、上述のステップＳＰ１７においてクライアント端末２から受信したショップコード及び認証チケット発行要求信号に基づいて、ポータル認証結果情報として、当該ショップコードの示す音楽データ配信サーバＳＶ１へのアクセスを可能にする認証チケット等を発行する。そして認証処理部５６は、制御部５０の制御のもと、その発行した認証チケット等を認証情報記憶部５７に一時記憶すると共に、クライアント端末２に対して発行していた認証セッションＩＤ情報等の有効期限を延長する。これにより制御部５０は、認証チケット等を、認証処理部５６により有効期限の延長された認証セッションＩＤ情報等と共に通信制御部５２及びネットワークインタフェース５３を順次介してクライアント端末２に送信する。
【００７５】
ステップＳＰ１９において、クライアント端末２の制御部２３は、ポータルサーバ３から送信された認証チケット等と、有効期限の延長された認証セッションＩＤ情報等とをネットワークインタフェース３３及び通信制御部３２を順次介して受信し、当該受信した認証セッションＩＤ情報を認証処理部３７に送出する。そして制御部２３は、そのポータルサーバ３から受信した認証チケット等を認証要求信号と共に通信制御部３２及びネットワークインタフェース３３を順次介して音楽データ配信サーバＳＶ１に送信する。また認証処理部３７は、このとき制御部２３の制御のもとに認証情報記憶部３８において、ポータルサーバ３から受信された有効期限の延長されている認証セッションＩＤ情報等をその有効期限が延長される前の認証セッションＩＤ情報等に上書きするようにして一時記憶することにより、上述のステップＳＰ１６において一時記憶していた認証セッションＩＤ情報等を有効期限の延長された認証セッションＩＤ情報等に更新する。
【００７６】
ステップＳＰ２０において、音楽データ配信サーバＳＶ１の制御部７０は、クライアント端末２から送信された認証要求信号及び認証チケット等をネットワークインタフェース７３及び通信制御部７２を順次介して受信する。そして制御部７０は、そのクライアント端末２から受信した認証チケット等を当該認証チケット等の確認を要求する認証チケット確認要求信号と共に通信制御部７２及びネットワークインタフェース７３を順次介してポータルサーバ３に送信する。
【００７７】
ステップＳＰ２１において、ポータルサーバ３の制御部５０は、音楽データ配信サーバＳＶ１から送信された認証チケット確認要求信号及び認証チケット等をネットワークインタフェース５３及び通信制御部５２を順次介して受信し、当該受信した認証チケット確認要求信号及び認証チケット等を認証処理部５６に送出する。そして認証処理部５６は、制御部５０の制御のもと認証チケット確認要求信号に応じて、その音楽データ配信サーバＳＶ１から受信された認証チケット等と、認証情報記憶部５７にすでに一時記憶している認証チケット等とを比較するようにして、当該音楽データ配信サーバＳＶ１から受信した認証チケットに対する確認処理を実行する。その結果、制御部５０は、認証処理部５６により、音楽データ配信サーバＳＶ１から受信した認証チケット等が正規の認証チケット等であると確認されると、当該認証チケット等を正規の認証チケット等であると確認したことを示す確認結果情報を通信制御部５２及びネットワークインタフェース５３を順次介して音楽データ配信サーバＳＶ１に送信する。
【００７８】
ステップＳＰ２２において、音楽データ配信サーバＳＶ１の制御部７０は、ポータルサーバ３から送信された確認結果情報をネットワークインタフェース７３及び通信制御部７２を順次介して受信し、当該受信した確認結果情報を認証処理部７５に送出する。これにより認証処理部７５は、制御部７０の制御のもとにその確認結果情報に応じ、サーバ認証結果情報として、現時点のクライアント端末２と音楽データ配信サーバＳＶ１との通信接続状態に対するサービスセッションＩＤ情報等を発行すると共に、当該発行したサービスセッションＩＤ情報等を認証情報記憶部７７に一時記憶する。また制御部７０は、認証処理部７５によりそのクライアント端末２に対して発行されたサービスセッションＩＤ情報等を通信制御部７２及びネットワークインタフェース７３を順次介してクライアント端末２に送信する。
【００７９】
ステップＳＰ２３において、クライアント端末２の制御部２３は、音楽データ配信サーバＳＶ１から送信されたサービスセッションＩＤ情報等をネットワークインタフェース３３及び通信制御部３２を順次介して受信し、当該受信したサービスセッションＩＤ情報等を認証処理部３７により認証情報記憶部３８に一時記憶させる。これにより制御部２３は、音楽データ配信用のページ情報を要求するページ情報取得要求信号を、音楽データ配信サーバＳＶ１から受信して認証情報記憶部３８に一時記憶させたサービスセッションＩＤ情報等と共に通信制御部３２及びネットワークインタフェース３３を順次介して音楽データ配信サーバＳＶ１に送信する。
【００８０】
ステップＳＰ２４において、音楽データ配信サーバＳＶ１の制御部７０は、クライアント端末２から送信されたページ情報取得要求信号及びサービスセッションＩＤ情報等をネットワークインタフェース７３及び通信制御部７２を順次介して受信し、当該受信したサービスセッションＩＤ情報等を認証処理部７５に送出する。これにより認証処理部７５は、制御部７０の制御のもと、クライアント端末２から受信されたサービスセッションＩＤ情報等と、上述のステップＳＰ２２においてすでにクライアント端末２に対し発行して認証情報記憶部７７に一時記憶していたサービスセッションＩＤ情報等とを比較するようにしてユーザ認証処理を実行する。その結果、認証処理部７５は、例えばクライアント端末２から受信したサービスセッションＩＤ情報等の有効期限が未だ切れてはいないために、そのクライアント端末２を利用するユーザを正規ユーザであると認証すると、当該クライアント端末２からの音楽データ配信用のページ情報の取得要求が正当な要求であると判断する。そして制御部７０は、認証処理部７５により、クライアント端末２を利用するユーザが正規ユーザであると認証されると、次のステップＳＰ２５に移る。
【００８１】
ステップＳＰ２５において、制御部７０は、ページ情報記憶部７６から、ユーザにより取得要求された音楽データ配信用のページ情報を読み出すと共に、認証処理部７５により、クライアント端末２に対して発行していたサービスセッションＩＤ情報等の有効期限を延長させる。そして制御部７０は、そのページ情報記憶部７６から読み出した音楽データ配信用のページ情報を、認証処理部７５により有効期限を延長させたサービスセッションＩＤ情報等と共に通信制御部７２及びネットワークインタフェース７３を順次介してクライアント端末２に送信する。
【００８２】
ステップＳＰ２６において、クライアント端末２の制御部２３は、音楽データ配信サーバＳＶ１から送信された音楽データ配信用のページ情報と、有効期限の延長されたサービスセッションＩＤ情報等とをネットワークインタフェース３３及び通信制御部３２を順次介して受信し、当該受信した音楽データ配信用のページ情報をページ情報生成部３６に送出すると共に、その音楽データ配信サーバＳＶ１から受信したサービスセッションＩＤ情報等を認証処理部３７に送出する。これにより認証処理部３７は、制御部２３の制御のもと認証情報記憶部３８において、音楽データ配信サーバＳＶ１から受信された有効期限の延長されているサービスセッションＩＤ情報等をその有効期限が延長される前のサービスセッションＩＤ情報等に上書きするようにして一時記憶することにより、上述のステップＳＰ２３において一時記憶していたサービスセッションＩＤ情報等を有効期限の延長されたサービスセッションＩＤ情報等に更新する。またページ情報生成部３６は、音楽データ配信用のページ情報に基づく映像データを生成し、当該生成した映像データを表示制御部２４に送出する。これにより表示制御部２４は、ページ情報生成部３６から与えられた映像データに対しディジタルアナログ変換処理を施し、得られたアナログ映像信号を表示部２５に送出することにより当該表示部２５にそのアナログ映像信号に基づく映像として音楽データ配信用のページを表示する。
【００８３】
（１−７−３）音楽関連サービス提供処理
続いて図１０乃至図１３において、図９について上述したクライアント端末２と、音楽データ配信サーバＳＶ１、物販サーバＳＶ２及びラジオ放送情報配信サーバＳＶ３との間で実行されたユーザ認証処理手順の終了後に、当該ユーザ認証処理手順においてクライアント端末２が音楽データ配信サーバＳＶ１、物販サーバＳＶ２及びラジオ放送情報配信サーバＳＶ３から取得した音楽データ配信用のページ情報、パッケージメディア販売用のページ情報及びオンエアリスト情報配信用のページ情報等を利用して音楽データ配信サービス、物販サービス及びラジオ放送情報配信サービスの提供を受ける際の音楽関連サービス提供処理について説明する。
【００８４】
（１−７−３−１）音楽データ配信サービス提供処理手順
まず図１０を用いてクライアント端末２が、音楽データ配信サーバＳＶ１から音楽データ配信サービスの提供を受ける際の音楽データ配信サービス提供処理手順について説明する。
【００８５】
ステップＳＰ３０において、クライアント端末２の制御部２３は、表示部２５に映像として表示された音楽データ配信用のページの一部を選択する制御コマンドが入力処理部２１から入力されると、当該入力された制御コマンドに応じて、ダウンロード希望の音楽データをダウンロード要求するダウンロード要求信号を生成する。そして制御部２３は、そのダウンロード要求信号を、すでに音楽データ配信サーバＳＶ１で発行され認証情報記憶部３８に対し一時記憶されているサービスセッションＩＤ情報等と共に通信制御部３２及びネットワークインタフェース３３を順次介して音楽データ配信サーバＳＶ１に送信する。
【００８６】
ステップＳＰ３１において、音楽データ配信サーバＳＶ１の制御部７０は、クライアント端末２から送信されたダウンロード要求信号と、サービスセッションＩＤ情報等とをネットワークインタフェース７３及び通信制御部７２を順次介して受信し、当該受信したサービスセッションＩＤ情報等を認証処理部７５に送出する。これにより認証処理部７５は、制御部７０の制御のもと、クライアント端末２から受信されたサービスセッションＩＤ情報等と、認証情報記憶部７７に対しすでに一時記憶しているサービスセッションＩＤ情報等とを比較するようにしてユーザ認証処理を実行する。その結果、制御部７０は、認証処理部７５により、クライアント端末２を利用して音楽データのダウンロードを要求したユーザが正規ユーザであると認証されると、次のステップＳＰ３２に移る。
【００８７】
ステップＳＰ３２において、検索部７９は、ダウンロード要求信号に格納されている検索キーに基づいて、音楽データ記憶部７８内の複数の音楽データの中から当該検索キーの示す検索条件に該当するダウンロード希望の音楽データを検索する。そして制御部７０は、検索部７９により音楽データが検索されると、認証処理部７５により、クライアント端末２に対し発行していたサービスセッションＩＤ情報等の有効期限を延長させて、次のステップＳＰ３３に移る。
【００８８】
ステップＳＰ３３において制御部７０は、音楽データ記憶部７８から、検索部７９によって検索されたダウンロード希望の音楽データを読み出すと共に、当該読み出したダウンロード希望の音楽データを、認証処理部７５により有効期限の延長されたサービスセッションＩＤ情報等と共に通信制御部７２及びネットワークインタフェース７３を順次介してクライアント端末２に送信する。
【００８９】
ステップＳＰ３４において、クライアント端末２の制御部２３は、音楽データ配信サーバＳＶ１から送信されたダウンロード希望の音楽データと、有効期限の延長されたサービスセッションＩＤ情報等とをネットワークインタフェース３３及び通信制御部３２を順次介して受信し、当該受信した音楽データを記憶媒体２９に記憶すると共に、その音楽データ配信サーバＳＶ１から受信したサービスセッションＩＤ情報等を認証処理部３７に送出する。認証処理部３７は、制御部２３の制御のもと認証情報記憶部３８において、音楽データ配信サーバＳＶ１から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。このようにしてクライアント端末２は、音楽データ配信サーバＳＶ１の提供している音楽データ配信サービスを利用して、ユーザにより取得の希望された音楽データをダウンロードすることができる。
【００９０】
（１−７−３−２）物販サービス提供処理手順
次に図１１を用いてクライアント端末２が、物販サーバＳＶ２から物販サービスの提供を受ける際の物販サービス提供処理手順について説明する。
【００９１】
ステップＳＰ４０において、クライアント端末２の制御部２３は、表示部２５に映像として表示されたパッケージメディア販売用のページの一部を選択する制御コマンドが入力処理部２１から入力されると、当該入力された制御コマンドに応じた特定のパッケージメディアに関するパッケージメディア情報を要求するメディア情報要求信号を生成する。そして制御部２３は、そのメディア情報要求信号を、すでに物販サーバＳＶ２で発行され認証情報記憶部３８に対し一時記憶されているサービスセッションＩＤ情報等と共に通信制御部３２及びネットワークインタフェース３３を順次介して物販サーバＳＶ２に送信する。
【００９２】
ステップＳＰ４１において、物販サーバＳＶ２の制御部９０は、クライアント端末２から送信されたメディア情報要求信号と、サービスセッションＩＤ情報等とをネットワークインタフェース９３及び通信制御部９２を順次介して受信し、当該受信したサービスセッションＩＤ情報等を認証処理部９５に送出する。認証処理部９５は、制御部９０の制御のもと、クライアント端末２から受信されたサービスセッションＩＤ情報等と、認証情報記憶部９７に対しすでに一時記憶しているサービスセッションＩＤ情報等とを比較するようにしてユーザ認証処理を実行する。その結果、制御部９０は、認証処理部９５により、クライアント端末２を利用してパッケージメディアに関するパッケージメディア情報を要求したユーザが正規ユーザであると認証されると、次のステップＳＰ４２に移る。
【００９３】
ステップＳＰ４２において、検索部９９は、メディア情報要求信号に格納されている検索キーに基づいて、パッケージメディア情報記憶部９８内の複数のパッケージメディア情報の中から当該検索キーの示す検索条件に該当する特定のパッケージメディアのパッケージメディア情報を検索する。そして制御部９０は、検索部９９によりパッケージメディア情報が検索されると、認証処理部９５により、クライアント端末２に対し発行していたサービスセッションＩＤ情報等の有効期限を延長させて、次のステップＳＰ４３に移る。
【００９４】
そしてステップＳＰ４３において制御部９０は、パッケージメディア情報記憶部９８から、検索部９９によって検索されたパッケージメディア情報を読み出すと共に、当該読み出したパッケージメディア情報を、認証処理部９５により有効期限の延長されたサービスセッションＩＤ情報等と共に通信制御部９２及びネットワークインタフェース９３を順次介してクライアント端末２に送信する。
【００９５】
ステップＳＰ４４において、クライアント端末２の制御部２３は、物販サーバＳＶ２から送信されたパッケージメディア情報と、有効期限の延長されたサービスセッションＩＤ情報等とをネットワークインタフェース３３及び通信制御部３２を順次介して受信し、当該受信したパッケージメディア情報をページ情報生成部３６に送出すると共に、その物販サーバＳＶ２から受信したサービスセッションＩＤ情報等を認証処理部３７に送出する。認証処理部３７は、制御部２３の制御のもと認証情報記憶部３８において、物販サーバＳＶ２から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。またページ情報生成部３６は、制御部２３から与えられたパッケージメディア情報に基づいて映像データを生成し、当該生成した映像データを表示制御部２４によりアナログ映像信号に変換して表示部２５に送出する。このようにして制御部２３は、表示部２５に対しそのアナログ映像信号に基づく映像としてパッケージメディア情報を表示させると、次のステップＳＰ４５に移る。
【００９６】
ステップＳＰ４５において、制御部２３は、表示部２５に映像として表示させたパッケージメディア情報に対応するパッケージメディアを購入要求する制御コマンドが入力処理部２１から入力されると、当該入力された制御コマンドに応じてそのパッケージメディアを購入要求する購入要求信号を生成する。そして制御部２３は、その購入要求信号を、すでに物販サーバＳＶ２から受信して認証情報記憶部３８に対し一時記憶されているサービスセッションＩＤ情報等（すなわち、有効期限の延長されたサービスセッションＩＤ情報等）と共に通信制御部３２及びネットワークインタフェース３３を順次介して物販サーバＳＶ２に送信する。
【００９７】
ステップＳＰ４６において、物販サーバＳＶ２の制御部９０は、クライアント端末２から送信された購入要求信号と、サービスセッションＩＤ情報等とをネットワークインタフェース９３及び通信制御部９２を順次介して受信し、当該受信したサービスセッションＩＤ情報等を認証処理部９５に送出する。認証処理部９５は、制御部９０の制御のもと、クライアント端末２から受信されたサービスセッションＩＤ情報等と、認証情報記憶部９７に対しすでに一時記憶しているサービスセッションＩＤ情報等とを比較するようにしてユーザ認証処理を実行する。その結果、制御部９０は、認証処理部９５により、クライアント端末２を利用してパッケージメディアの購入を要求したユーザが正規ユーザであると認証されると、次のステップＳＰ４７に移る。
【００９８】
ステップＳＰ４７において、制御部９０は、クライアント端末２を利用するユーザに対し、購入要求されたパッケージメディアを引き渡すための手続等の購入処理を実行すると共に、当該パッケージメディアの購入に伴うユーザに対する課金処理用の課金情報を通信制御部９２及びネットワークインタフェース９３を順次介して課金サーバＳＶ５に送信することにより、その課金サーバＳＶ５に対し当該ユーザに対するパッケージメディアの購入に応じた課金処理を実行させる。また制御部９０は、認証処理部９５により、クライアント端末２に対し発行していたサービスセッションＩＤ情報等の有効期限を延長させる。
【００９９】
ステップＳＰ４８において、制御部９０は、課金処理終了後、パッケージメディアの購入処理が完了したことを示す購入完了ページ情報を、認証処理部９５により有効期限の延長されたサービスセッションＩＤ情報等と共に通信制御部９２及びネットワークインタフェース９３を順次介してクライアント端末２に送信する。
【０１００】
ステップＳＰ４９において、クライアント端末２の制御部２３は、物販サーバＳＶ２から送信された購入完了ページ情報と、有効期限の延長されたサービスセッションＩＤ情報等とをネットワークインタフェース３３及び通信制御部３２を順次介して受信し、当該受信した購入完了ページ情報をページ情報生成部３６に送出すると共に、その物販サーバＳＶ２から受信したサービスセッションＩＤ情報等を認証処理部３７に送出する。認証処理部３７は、制御部２３の制御のもと認証情報記憶部３８において、物販サーバＳＶ２から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。またページ情報生成部３６は、制御部２３から与えられた購入完了ページ情報に基づく映像データを生成し、当該生成した映像データを表示制御部２４によりアナログ映像信号に変換して表示部２５に送出する。これにより制御部２３は、表示部２５に対しそのアナログ映像信号に基づく映像として購入完了ページを表示させる。このようにしてクライアント端末２は、物販サーバＳＶ２の提供している物販サービスを利用して、ユーザに対して所望のパッケージメディアを購入させることができる。
【０１０１】
（１−７−３−３）オンエアリスト情報配信サービス提供処理手順
次に図１２を用いてクライアント端末２が、ラジオ放送情報配信サーバＳＶ３からラジオ放送情報配信サービスとして特にオンエアリスト情報配信サービスの提供を受ける際のラジオ放送情報配信サービス提供処理手順について説明する。
【０１０２】
ステップＳＰ６０において、クライアント端末２の制御部２３は、表示部２５に映像として表示させたオンエアリスト情報配信用のページ上で入力ボックスに対し取得希望のオンエアリスト情報検索用の検索キーが入力され、当該入力された検索キーを示す文字列に対応する制御コマンドが入力処理部２１から入力されると、当該入力された制御コマンドに応じて、取得希望のオンエアリスト情報をダウンロード要求するオンエアリスト情報要求信号を生成する。そして制御部２３は、そのオンエアリスト情報要求信号を、すでにラジオ放送情報配信サーバＳＶ３で発行され認証情報記憶部３８に対し一時記憶されているサービスセッションＩＤ情報等と共に通信制御部３２及びネットワークインタフェース３３を順次介してラジオ放送情報配信サーバＳＶ３に送信する。
【０１０３】
ステップＳＰ６１において、ラジオ放送情報配信サーバＳＶ３の制御部１１０は、クライアント端末２から送信されたオンエアリスト情報要求信号と、サービスセッションＩＤ情報等とをネットワークインタフェース１１３及び通信制御部１１２を順次介して受信し、当該受信したサービスセッションＩＤ情報等を認証処理部１１５に送出する。認証処理部１１５は、制御部１１０の制御のもと、クライアント端末２から受信されたサービスセッションＩＤ情報等と、認証情報記憶部１２０に対しすでに一時記憶しているサービスセッションＩＤ情報等とを比較するようにしてユーザ認証処理を実行する。その結果、制御部１１０は、認証処理部１１５により、クライアント端末２を利用してオンエアリスト情報を要求したユーザが正規ユーザであると認証されると、次のステップＳＰ６２に移る。
【０１０４】
ステップＳＰ６２において、検索部１１８は、オンエアリスト情報要求信号に格納されている検索キーに基づいて、オンエアリスト情報記憶部１１７内のオンエアリスト情報全体に対し、当該検索キーの示す検索条件に該当する所定範囲部分を取得希望のオンエアリスト情報として検索する。そして制御部１１０は、検索部１１８によりオンエアリスト情報が検索されると、認証処理部１１５により、クライアント端末２に対し発行していたサービスセッションＩＤ情報等の有効期限を延長させて、次のステップＳＰ６３に移る。
【０１０５】
そしてステップＳＰ６３において制御部１１０は、オンエアリスト情報記憶部１１７から、検索部１１８によって検索されたオンエアリスト情報を読み出すと共に、当該読み出したオンエアリスト情報を、認証処理部１１５により有効期限の延長されたサービスセッションＩＤ情報等と共に通信制御部１１２及びネットワークインタフェース１１３を順次介してクライアント端末２に送信する。
【０１０６】
ステップＳＰ６４において、クライアント端末２の制御部２３は、ラジオ放送情報配信サーバＳＶ３から送信されたオンエアリスト情報と、有効期限の延長されたサービスセッションＩＤ情報等とをネットワークインタフェース３３及び通信制御部３２を順次介して受信し、当該受信したオンエアリスト情報をページ情報生成部３６に送出すると共に、そのラジオ放送情報配信サーバＳＶ３から受信したサービスセッションＩＤ情報等を認証処理部３７に送出する。認証処理部３７は、制御部２３の制御のもと認証情報記憶部３８において、ラジオ放送情報配信サーバＳＶ３から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。またページ情報生成部３６は、制御部２３から与えられたオンエアリスト情報に基づいて映像データを生成し、当該生成した映像データを表示制御部２４によりアナログ映像信号に変換して表示部２５に送出することにより当該表示部２５に対しそのアナログ映像信号に基づく映像としてオンエアリスト情報を表示させる。このようにしてクライアント端末２は、ラジオ放送情報配信サーバＳＶ３の提供しているラジオ放送情報配信サービスを利用して、ユーザに対して所望のオンエアリスト情報を取得させることができる。
【０１０７】
（１−７−３−４）ナウオンエア情報配信サービス提供処理手順
次に図１３を用いてクライアント端末２が、ラジオ放送情報配信サーバＳＶ３からラジオ放送情報配信サービスとして特にナウオンエア情報配信サービスの提供を受ける際のラジオ放送情報配信サービス提供処理手順について説明する。
【０１０８】
ただしナウオンエア情報を提供するラジオ放送情報配信サーバＳＶ３は、ラジオ局（コールサイン）毎に設けられている。そしてクライアント端末２には、初期状態において、各ラジオ局に対応するラジオ放送情報配信サーバＳＶ３のＵＲＬ情報が記憶されていない場合がある。そのため以下のラジオ放送情報配信サービス提供処理手順については、各ラジオ放送情報配信サーバＳＶ３のＵＲＬ情報をラジオ局のコールサイン毎にポータルサーバ３が管理している場合を例に挙げて説明する。またかかるラジオ放送情報配信サービス提供処理手順では、クライアント端末２が、ラジオ局毎の放送周波数を自動プリセットするためにポータルサーバ３に対して当該放送周波数を示す周波数情報を要求するときに、認証情報記憶部３８に対し認証セッションＩＤ情報等を一時記憶してはいない場合を想定している。このため、まずクライアント端末２は、ポータルサーバ３に対しユーザＩＤ情報及びパスワード情報等を送信することになる。
【０１０９】
ステップＳＰ７０において、クライアント端末２の制御部２３は、入力処理部２１から各ラジオ局の放送周波数を自動プリセットするように要求する操作コマンドが入力されると、これに応じて各ラジオ局の受信可能な放送周波数の周波数情報を取得要求する周波数情報要求信号を、ユーザにより入力された地域コードと、認証情報記憶部３８に記憶されているユーザＩＤ情報及びパスワード情報等と共に通信制御部３２及びネットワークインタフェース３３を順次介してポータルサーバ３に送信する。
【０１１０】
ステップＳＰ７１において、ポータルサーバ３の制御部５０は、クライアント端末２から送信された周波数情報要求信号、地域コード、ユーザＩＤ情報及びパスワード情報等をネットワークインタフェース５３及び通信制御部５２を順次介して受信し、そのクライアント端末２から受信したユーザＩＤ情報及びパスワード情報等を認証処理部５６に送出する。認証処理部５６は、制御部５０の制御のもと、クライアント端末２から受信されたユーザＩＤ情報及びパスワード情報等と、顧客データベース部５４に登録している顧客情報とを比較するようにしてユーザ認証処理を実行する。その結果、認証処理部５６は、クライアント端末２を利用するユーザを正規ユーザであると認証し、当該クライアント端末２からの周波数情報の取得要求が正当な要求であると判断すると、制御部５０の制御のもと、現時点のクライアント端末２とポータルサーバ３との通信接続状態に対する認証セッションＩＤ情報等を発行し、当該発行した認証セッションＩＤ情報等を認証情報記憶部５７に一時記憶する。そして制御部５０は、このように認証処理部５６によりユーザが正規ユーザであると認証されると、次のステップＳＰ７２に移る。
【０１１１】
ステップＳＰ７２において、制御部５０は、クライアント端末２から受信した地域コードに基づいて、周波数情報記憶部５８内の複数の周波数情報、ラジオ局名及びコールサインのリストの中から当該地域コードに対応する周波数情報、ラジオ局名及びコールサインを検索してリスト化し読み出す。これにより制御部５０は、周波数情報記憶部５８からリスト化して読み出した周波数情報、ラジオ局名及びコールサインを、上述のステップＳＰ７１において認証処理部５６によりクライアント端末２に対して発行された認証セッションＩＤ情報等と共に通信制御部５２及びネットワークインタフェース５３を順次介してクライアント端末２に送信する。
【０１１２】
ステップＳＰ７３において、クライアント端末２の制御部２３は、ポータルサーバ３から送信された周波数情報、ラジオ局名及びコールサインのリストと、認証セッションＩＤ情報等とをネットワークインタフェース３３及び通信制御部３２を順次介して受信し、当該ポータルサーバ３から受信した認証セッションＩＤ情報等を認証処理部３７に送出すると共に、周波数情報、ラジオ局名及びコールサインのリストを表示制御部２４に送出する。これにより認証処理部３７は、制御部２３の制御のもと、ポータルサーバ３から受信された認証セッションＩＤ情報等を認証情報記憶部３８に一時記憶する。また表示制御部２４は、制御部２３から与えられた周波数情報、ラジオ局名及びコールサインのリストを表示部２５に送出することにより当該表示部２５に対しそのリストを表示させる。さらに制御部２３は、このとき入力処理部２１から入力される選択コマンドに基づき、選択された周波数情報、ラジオ局名及びコールサインを記憶媒体２９にプリセットとして記憶して、次のステップＳＰ７４に移る。
【０１１３】
ステップＳＰ７４において、制御部２３は、入力処理部２１から入力されるチューニング制御コマンドに応じて、チューナ部３１を、ラジオ放送波の中からチューニング制御コマンドに対応する放送周波数で放送されているラジオ放送のラジオ放送信号を抽出するように制御する。これによりチューナ部３１は、放送信号受信部３０により受信されたラジオ放送波の中から、その放送周波数で放送されているラジオ放送信号を抽出して復号等の所定の受信処理を施し、この結果得られた音声データを音声制御部２６に送出する。従って音声制御部２６は、チューナ部３１から与えられる音声データをアナログ音声信号に変換してスピーカ２７に送出することにより当該スピーカ２７から、選択されたラジオ番組の音声を出力させることができる。
【０１１４】
ステップＳＰ７５において、ラジオ放送表示制御部３９は、制御部２３の制御のもと、記憶媒体２９から、上述のチューニング制御コマンドに対応する放送周波数を示す周波数情報に対応して記憶されているコールサインを読み出すと共に、当該読み出したコールサインを、認証情報記憶部３８に対しすでに一時記憶されている認証セッションＩＤ情報等と共に通信制御部３２及びネットワークインタフェース３３を順次介してポータルサーバ３に送信する。
【０１１５】
ステップＳＰ７６において、ポータルサーバ３の制御部５０は、クライアント端末２から送信されたコールサイン及び認証セッションＩＤ情報等をネットワークインタフェース５３及び通信制御部５２を順次介して受信し、当該受信した認証セッションＩＤ情報等を認証処理部５６に送出する。認証処理部５６は、制御部５０の制御のもと、クライアント端末２から受信された認証セッションＩＤ情報等と、認証情報記憶部５７に対しすでに一時記憶している認証セッションＩＤ情報等とを比較するようにしてユーザ認証処理を実行する。その結果、制御部５０は、認証処理部５６により、クライアント端末２から受信した認証セッションＩＤ情報等が有効期限内のものであり、当該クライアント端末２を利用してコールサインを送信したユーザが正規ユーザであると認証されると、次のステップＳＰ７７に移る。
【０１１６】
ステップＳＰ７７において、制御部５０は、クライアント端末２から受信したコールサインに基づいて、ＵＲＬ記憶部５９内の複数のＵＲＬ情報の中から当該コールサインに対応付けられたＵＲＬ情報を検索する。また制御部５０は、認証処理部５６により、クライアント端末２に対し発行していた認証セッションＩＤ情報等の有効期限を延長させる。そして制御部５０は、ＵＲＬ記憶部５９から、その検索したＵＲＬ情報を読み出すと共に、当該読み出したＵＲＬ情報を、認証処理部５６により有効期限の延長された認証セッションＩＤ情報等と共に通信制御部５２及びネットワークインタフェース５３を順次介してクライアント端末２に送信する。
【０１１７】
ステップＳＰ７８において、クライアント端末２の制御部２３は、ポータルサーバ３から送信されたＵＲＬ情報と、有効期限の延長された認証セッションＩＤ情報等とをネットワークインタフェース３３及び通信制御部３２を順次介して受信し、当該受信した認証セッションＩＤ情報等を認証処理部３７に送出すると共に、ＵＲＬ情報をラジオ放送表示制御部３９に送出する。認証処理部３７は、制御部２３の制御のもと認証情報記憶部３８において、ポータルサーバ３から受信された有効期限の延長されている認証セッションＩＤ情報等をその有効期限が延長される前の認証セッションＩＤ情報等に上書きするようにして一時記憶することにより、当該認証情報記憶部３８に対しすでに一時記憶している認証セッションＩＤ情報等の内容を更新する。またラジオ放送表示制御部３９は、制御部２３の制御のもとに、当該制御部２３から与えられたＵＲＬ情報を、記憶媒体２９に記憶しているコールサインに対応付けて記憶媒体２９等に一時記憶する。そしてラジオ放送表示制御部３９は、制御部２３の制御のもとに、記憶媒体２９等に一時記憶したＵＲＬ情報に従って、ナウオンエア情報を取得要求するナウオンエア情報要求信号を、すでにラジオ放送情報配信サーバＳＶ３から受信され認証情報記憶部３８に対し一時記憶されているサービスセッションＩＤ情報等と共に通信制御部３２及びネットワークインタフェース３３を順次介してラジオ放送情報配信サーバＳＶ３に送信する。
【０１１８】
ここでかかるラジオ放送情報配信サービス提供処理手順では、ステップＳＰ７８においてクライアント端末２からナウオンエア情報要求信号及びサービスセッションＩＤ情報等をラジオ放送情報配信サーバＳＶ３に送信する処理が、図９について上述したステップＳＰ１０の処理に対応している。従ってこのラジオ放送情報配信サービス提供処理手順では、ステップＳＰ７８の処理に引き続き、クライアント端末２及びラジオ放送情報配信サーバＳＶ３並びにポータルサーバ３において、図９について上述したステップＳＰ１１乃至ステップＳＰ１３及びステップＳＰ１８乃至ステップＳＰ２２と同様のユーザ認証処理を順次実行した後、続くステップＳＰ７９に移る。
【０１１９】
ステップＳＰ７９において、クライアント端末２のラジオ放送表示制御部３９は、制御部２３の制御のもとに再び、記憶媒体２９等に一時記憶していたＵＲＬ情報に従ってナウオンエア情報要求信号を、すでにラジオ放送情報配信サーバＳＶ３から受信して認証情報記憶部３８に対し一時記憶されているサービスセッションＩＤ情報等と共に通信制御部３２及びネットワークインタフェース３３を順次介してラジオ放送情報配信サーバＳＶ３に送信する。
【０１２０】
ステップＳＰ８０において、ラジオ放送情報配信サーバＳＶ３の制御部１１０は、クライアント端末２から送信されたナウオンエア情報要求信号と、サービスセッションＩＤ情報等とをネットワークインタフェース１１３及び通信制御部１１２を順次介して受信し、当該受信した認証セッションＩＤ情報等を認証処理部１１５に送出する。これにより認証処理部１１５は、制御部１１０の制御のもと、クライアント端末２から受信されたサービスセッションＩＤ情報等と、認証情報記憶部１２０に対しすでに一時記憶しているサービスセッションＩＤ情報等とを比較するようにしてユーザ認証処理を実行する。その結果、認証処理部１１５は、クライアント端末２を利用するユーザを正規ユーザであると認証すると、当該クライアント端末２からのナウオンエア情報の取得要求が正当な要求であると判断する。そして制御部１１０は、認証処理部１１５により、クライアント端末２を利用するユーザが正規ユーザであると認証されると、当該認証処理部１１５により、そのクライアント端末２に対し発行していたサービスセッションＩＤ情報等の有効期限を延長させて、次のステップＳＰ８１に移る。
【０１２１】
ステップＳＰ８１において、制御部１１０は、ナウオンエア情報記憶部１１９からナウオンエア情報を読み出し、当該読み出したナウオンエア情報を、認証処理部１１５により有効期限の延長されたサービスセッションＩＤ情報等と共に通信制御部１１２及びネットワークインタフェース１１３を順次介してクライアント端末２に送信する。
【０１２２】
ステップＳＰ８２において、クライアント端末２の制御部２３は、ラジオ放送情報配信サーバＳＶ３から送信されたナウオンエア情報と、有効期限の延長されたサービスセッションＩＤ情報等とをネットワークインタフェース３３及び通信制御部３２を順次介して受信し、当該受信したサービスセッションＩＤ情報等を認証処理部３７に送出すると共に、ナウオンエア情報をラジオ放送表示制御部３９に送出する。これにより認証処理部３７は、制御部２３の制御のもと認証情報記憶部３８において、ラジオ放送情報配信サーバＳＶ３から受信された有効期限の延長されているサービスセッションＩＤ情報等をその有効期限が延長される前のサービスセッションＩＤ情報等に上書きするようにして一時記憶することにより、当該認証情報記憶部３８に対しすでに一時記憶しているサービスセッションＩＤ情報等の内容を更新する。
【０１２３】
またラジオ放送表示制御部３９は、制御部２３から与えられたナウオンエア情報を表示制御部２４を介して表示部２５に送出することにより、当該表示部２５に対し、現在受信中のラジオ放送のラジオ番組に関するナウオンエア情報を表示させる。そしてかかるラジオ放送情報配信サービス提供処理手順では、この後、クライアント端末２がステップＳＰ７９におけるナウオンエア情報の取得要求を定期的に繰り返し実行すると共に、ラジオ放送情報配信サーバＳＶ３がクライアント端末２からその取得要求を受けてステップＳＰ８０及びステップＳＰ８１の処理を順次実行する。これによりクライアント端末２では、現在受信中のラジオ番組の番組名、番組放送開始時刻、番組放送終了時刻、そのラジオ番組内で現在流れている楽曲のタイトル、アーティスト名、楽曲放送開始時刻等をナウオンエア情報として時々刻々と更新しながらクライアント端末２の表示部２５に表示することができる。
【０１２４】
（１−８）クライアント端末２のハードウェア回路ブロック構成
（１−８−１）回路構成
次にクライアント端末２のハードウェア回路ブロックによるハードウェア構成を説明する。かかるクライアント端末２のハードウェア回路ブロックによるハードウェア構成では、一部の機能を後述するソフトウェアモジュールに従って実現している。
【０１２５】
図１４に示すようにクライアント端末２は、その筐体表面やリモートコントローラ（図示せず）に設けられた各種操作ボタンでなる操作入力部２００がユーザによって操作されると、当該操作入力部２００でこれを認識し、当該操作に応じた操作入力信号を入力処理部２０１へ送出する。入力処理部２０１は、供給される操作入力信号に対して所定の処理を施すことにより、当該操作入力信号を操作コマンドに変換し、これをバス２０２を介してＣＰＵ（Central Processing Unit）２０３に供給する。ＣＰＵ２０３は、ＲＯＭ（Read Only Memory）２０４に予め格納されている基本プログラムやアプリケーションプログラム等の各種プログラムをバス２０２を介してＲＡＭ（Random Access Memory）２０５に読み出し、これら各種プログラムに従って全体を制御すると共に、所定の演算処理や、入力処理部２０１から供給される操作コマンドに応じた各種処理を実行する。
【０１２６】
ディスプレイ２０６は、例えば液晶ディスプレイ等の表示デバイスであって、筐体表面に直接取り付けられている場合や外付けされている場合がある。そしてディスプレイ２０６は、ＣＰＵ２０３による処理結果や各種映像データが表示処理部２０７を介してアナログ映像信号として供給されると、当該アナログ映像信号に基づく映像を表示する。
【０１２７】
メディアドライブ２０８は、例えばＣＤや、フラッシュメモリが外装ケースに内包されるメモリスティック（登録商標）に記録されたコンテンツデータを読み出して再生し、又は当該ＣＤやメモリスティックに対し記録対象のコンテンツデータを記録する。そしてメディアドライブ２０８は、ＣＤやメモリスティックからコンテンツデータとして映像データを読み出したときには、当該再生した映像データをバス２０２を介して表示処理部２０７に供給する。またメディアドライブ２０８は、ＣＤやメモリスティックからコンテンツデータとして音声データを読み出したときには、当該再生した音声データを音声処理部２０９に供給する。
【０１２８】
表示処理部２０７は、バス２０２を介して供給される映像データに対してディジタルアナログ変換処理を施し、その結果得られるアナログ映像信号をディスプレイ２０６に供給することにより、当該ディスプレイ２０６にそのアナログ映像信号に基づく映像を表示させる。また音声処理部２０９は、バス２０２を介して供給される音声データに対してディジタルアナログ変換処理を施し、その結果得られるアナログ音声信号を２チャンネルのスピーカ２１０に送出することにより、当該スピーカ２１０からそのアナログ音声信号に基づくステレオ音声を出力させる。
【０１２９】
さらにＣＰＵ２０３は、メディアドライブ２０８で読み出したコンテンツデータをバス２０２を介してハードディスクドライブ２１１に送出することにより、当該ハードディスクドライブ２１１にそのコンテンツデータをコンテンツファイルとして記憶し得るようにもなされている。因みにＣＰＵ２０３は、ハードディスクドライブ２１１に対して記憶したコンテンツデータを、図３について上述したディレクトリ構成で管理している。そしてＣＰＵ２０３は、ハードディスクドライブ２１１に記憶したコンテンツファイルを当該ハードディスクドライブ２１１からコンテンツデータとして読み出すこともできる。なおＣＰＵ２０３は、ハードディスクドライブ２１１からコンテンツデータとして映像データを読み出したときには、当該読み出した映像データをバス２０２を介して表示処理部２０７に供給する。またＣＰＵ２０３は、ハードディスクドライブ２１１からコンテンツデータとして音声データを読み出したときには、当該読み出した音声データを音声処理部２０９に供給する。
【０１３０】
アンテナ２１２は、各ラジオ局から送信されてくるラジオ放送波を受信し、これをＡＭ／ＦＭチューナでなるチューナ２１３に送出する。チューナ２１３は、ＣＰＵ２０３の制御のもと、アンテナ２１２を介して受信されたラジオ放送波の中から例えば操作入力部２００を介して指定されたラジオ局に対応する放送周波数のラジオ放送信号を抽出して所定の受信処理を施し、この結果得られる音声データをバス２０２を介して音声処理部２０９に供給する。音声処理部２０９は、チューナ２１３から与えられた音声データをアナログ音声信号に変換してスピーカ２１０に送出することにより、当該スピーカ２１０からラジオ局で放送されているラジオ番組の番組音声を出力させ、かくしてユーザに対しラジオ番組の番組音声を聴取させることができる。またＣＰＵ２０３は、チューナ２１３で得られた音声データをハードディスクドライブ２１１に送出して記録することにより、ラジオ番組の番組音声を録音することもできる。
【０１３１】
さらにＣＰＵ２０３は、通信処理部２１４、ネットワークインタフェース２１５を順次介してネットワークＮＴに接続し、当該ネットワークＮＴ上のポータルサーバ３やその他サーバＳＶ１乃至ＳＶ４にアクセスすることができ、これによりポータルサーバ３やその他サーバＳＶ１乃至ＳＶ４との間で各種データを送受信することができる。
【０１３２】
（１−８−２）プログラムモジュール構成
図１５に示すように、上述の図１４に示したハードウェア回路ブロックによるハードウェア構成のクライアント端末２に実装されるプログラムモジュールとしては、ＯＳ上で動作するようになされており、ポータルサーバ３やその他サーバＳＶ１乃至ＳＶ４との間でやりとりを行う。ＨＴＴＰ(Hyper Text Transfer Protocol)メッセージプログラム２４０は、ポータルサーバ３やその他サーバＳＶ１乃至ＳＶ４との間のやりとりをＨＴＴＰ通信で行うものであり、コミュニケータプログラム２４１は、ＨＴＴＰメッセージプログラム２４０とデータのやりとりを行うプログラムモジュールである。
【０１３３】
コミュニケータプログラム２４１の上位には、コンテンツのコーデックを解釈して再生するコンテンツ再生モジュール２４２、著作権保護に関する情報を取り扱う著作権保護管理モジュール２４３が位置し、そのコンテンツ再生モジュール２４２、著作権保護管理モジュール２４３の上位に対して、インターネットラジオの選局及び再生を行うインターネットラジオ選局再生モジュール２４４、楽曲購入及び試聴曲の再生を司る楽曲購入再生モジュール２４５がそれぞれ位置している。インターネットラジオ選局再生モジュール２４４と、楽曲購入再生モジュール２４５とにより再生された音声データは、音声処理部２０９に転送されることにより、最終的にスピーカ２１０から音声として出力される。
【０１３４】
インターネットラジオ選局再生モジュール２４４、楽曲購入再生モジュール２４５の上位にはＸＭＬブラウザ２４６が位置し、各種サーバからのＸＭＬファイルを解釈し、ディスプレイ２０６に対して映像表示を行う。例えば、ＸＭＬブラウザ２４６を介してユーザに選択された楽曲は楽曲購入再生モジュール２４５で購入処理され、ハードディスクコンテンツコントローラ２４７を介してハードディスクドライブ２１１に書き込まれる。
【０１３５】
なおコミュニケータプログラム２４１には、ライブラリ２４８の認証ライブラリ２４８Ａが接続されており、当該認証ライブラリ２４８Ａはポータルサーバ３等と連携して各種認証処理を行うようになされている。さらにコミュニケータプログラム２４１の上位には、データベースアクセスモジュール２４９、コンテンツデータアクセスモジュール２５０及びハードディスクコンテンツコントローラ２４７が位置する。このデータベースアクセスモジュール２４９は、ハードディスクドライブ２１１に構築された各種データベースにアクセスし、コンテンツデータアクセスモジュール２５０はハードディスクドライブ２１１に格納されたコンテンツデータにアクセスし、ハードディスクコンテンツコントローラ２４７はハードディスクドライブ２１１に格納されたコンテンツデータを管理するようになされている。
【０１３６】
ハードディスクコンテンツコントローラ２４７の上位には、ラジオ局が放送した楽曲のタイトルやアーティスト名等を表示するためのラジオ放送情報表示モジュール２５１、及びラジオ局を選局したり、当該ラジオ局から受信した楽曲としてのコンテンツデータをハードディスクドライブ２１１に記憶（録音）するチューナ選局再生／録音モジュール２５２が位置している。例えば、オーディオユーザインタフェース２５３を介して選局されたラジオ局から受信した楽曲は、コンテンツデータアクセスモジュール２５０を介してハードディスクドライブ２１１へ書き込まれるようになされている。またチューナ選局再生／録音モジュール２５２により再生されたコンテンツデータとしての音声データは、音声処理部２０９に転送されることにより、最終的にスピーカ２１０から音声として出力される。
【０１３７】
ラジオ放送情報表示モジュール２５１は、チューナ選局再生／録音モジュール２５２によって現在ラジオ局が放送している楽曲のタイトルやアーティスト名等のナウオンエア情報のようなラジオ放送情報をラジオ放送情報配信サーバＳＶ３からＨＴＴＰメッセージプログラム２４０経由で受信し、これをオーディオユーザインタフェース（ＵＩ）２５３を介してディスプレイ２０６に表示する。なおオーディオユーザインタフェース２５３を介してディスプレイ２０６に表示したラジオ放送情報は、ライブラリ２４８のクリップライブラリ２４８Ｂに一時的に記憶することもでき、ユーザからの指示に従って最終的にはデータベースアクセスモジュール２４９を介してハードディスクドライブ２１１へ記憶される。
【０１３８】
ＣＤ再生モジュール２５４は、メディアドライブ２０８に対してＣＤを再生するように制御する。そしてＣＤ再生モジュール２５４によりＣＤから再生された音声データは、音声処理部２０９に転送されることにより、最終的にスピーカ２１０から音声として出力される。ＨＤＤ再生モジュール２５５は、図示はしていないが、ハードディスクコンテンツコントローラ２４７及び著作権保護管理モジュール２４３と接続されている。これによりＨＤＤ再生モジュール２５５は、ハードディスクコンテンツコントローラ２４７の制御のもとにハードディスクドライブ２１１から読み出されたコンテンツデータとしての音声データを、著作権保護管理モジュール２４３から供給される著作権管理情報に従って再生する。そしてＨＤＤ再生モジュール２５５により著作権管理情報に従って再生された音声データは、音声処理部２０９に転送されることにより、最終的にスピーカ２１０から音声として出力される。
【０１３９】
リッピングモジュール２５６は、図示はしていないが、ハードディスクコンテンツコントローラ２４７及び著作権保護管理モジュール２４３と接続されている。これによりリッピングモジュール２５６は、ＣＤ再生モジュール２５４によりＣＤから再生された音声データを、著作権保護管理モジュール２４３から供給される、その音声データを管理するための著作権管理情報と共に、ハードディスクコンテンツコントローラ２４７の制御のもとハードディスクドライブ２１１のハードディスクに記憶される（すなわち、リッピングされる）ように、ＣＤ再生モジュール２５４、著作権保護管理モジュール２４３及びハードディスクコンテンツコントローラ２４７を制御する。
【０１４０】
ところで以上説明したプログラムモジュールにおいてＨＴＴＰメッセージプログラム２４０及びコミュニケータプログラム２４１は、図２について上述したクライアント端末２の通信制御部３２と同様の機能を実現可能なプログラムモジュールである。またコンテンツ再生モジュール２４２は、図２について上述したクライアント端末２のエンコーダ／デコーダ部３４と同様の機能を実現可能なプログラムモジュールである。さらに著作権保護管理モジュール２４３は、図２について上述したクライアント端末２の著作権管理部３５と同様の機能を実現可能なプログラムモジュールである。さらにインターネットラジオ選局再生モジュール２４４は、図２について上述したクライアント端末２の制御部２３及び音声制御部２６と同様の機能を実現可能なプログラムモジュールである。
【０１４１】
さらに楽曲購入再生モジュール２４５は、図２について上述したクライアント端末２の制御部２３及び音声制御部２６と同様の機能を実現可能なプログラムモジュールである。さらにＸＭＬブラウザ２４６は、図２について上述したクライアント端末２の入力処理部２１及びページ情報生成部３６と同様の機能を実現可能なプログラムモジュールである。さらにハードディスクコンテンツコントローラ２４７及びデータベースアクセスモジュール２４９並びにコンテンツデータアクセスモジュール２５０は、図２について上述したクライアント端末２の制御部２３と同様の機能を実現可能なプログラムモジュールである。さらにライブラリ２４８の認証ライブラリ２４８Ａは、図２について上述したクライアント端末２の認証処理部３７及び認証情報記憶部３８と同様の機能を実現可能なプログラムモジュールである。
【０１４２】
さらにライブラリ２４８のクリップライブラリ２４８Ｂは、図２について上述したクライアント端末２の制御部２３と同様の機能を実現可能なプログラムモジュールである。さらにラジオ放送情報表示モジュール２５１は、図２について上述したクライアント端末２のラジオ放送表示制御部３９と同様の機能を実現可能なプログラムモジュールである。さらにチューナ選局再生／録音モジュール２５２は、図２について上述したクライアント端末２の制御部２３及び音声制御部２６並びにチューナ部３１と同様の機能を実現可能なプログラムモジュールである。さらにオーディオユーザインタフェース２５３は、図２について上述したクライアント端末２の入力処理部２１及び制御部２３並びに表示制御部２４と同様の機能を実現可能なプログラムモジュールである。
【０１４３】
さらにＣＤ再生モジュール２５４は、図２について上述したクライアント端末２の音声制御部２６及び外部記録媒体記録再生部２８と同様の機能を実現可能なプログラムモジュールである。さらにＨＤＤ再生モジュール２５５は、図２について上述したクライアント端末２の制御部２３及び音声制御部２６と同様の機能を実現可能なプログラムモジュールである。さらにリッピングモジュール２５６は、図２について上述したクライアント端末２の制御部２３及び外部記録媒体記録再生部２８並びにエンコーダ／デコーダ部３４と同様の機能を実現可能なプログラムモジュールである。
【０１４４】
従って図１４について上述したハードウェア回路ブロックによるハードウェア構成のクライアント端末２では、ＣＰＵ２０３が上述の各種プログラムモジュールに従って、図２について上述した機能回路ブロックによるハードウェア構成のクライアント端末２と同様の処理を実行することができる。またハードウェア回路ブロックによるハードウェア構成のクライアント端末２は、後述する関連情報連続出力処理を実現可能である。そして機能回路ブロックによるハードウェア構成のクライアント端末２は、各機能回路ブロックが、それぞれハードウェア回路ブロックによるハードウェア構成のクライアント端末２に実装されているプログラムモジュールで実現可能な機能を網羅していることにより、かかるハードウェア回路ブロックによるハードウェア構成のクライアント端末２と同様に後述の関連情報連続出力処理を実現することができる。
【０１４５】
（１−９）音楽データ配信サーバＳＶ１のハードウェア回路ブロック構成
次いで、音楽データ配信サーバＳＶ１のハードウェア回路ブロックによるハードウェア構成について説明する。図１６に示すように、音楽データ配信サーバＳＶ１は、全体を統括的に制御するＣＰＵ２７０が、ＲＯＭ２７１又はハードディスクドライブ２７２に記憶されている基本プログラムや関連情報連続提供プログラム等の各種プログラムを、バス２７３を介してＲＡＭ２７４に適宜展開しこれを実行することにより関連情報連続提供処理等の各種処理を行う。この場合、ハードディスクドライブ２７２には、クライアント端末２でダウンロード可能な（すなわち、クライアント端末２に対し配信可能な）多数の音楽データが記憶されている。またハードディスクドライブ２７２には、ダウンロード可能な音楽データに関連する楽曲関連情報として、かかる音楽データに基づく楽曲の一部を試聴楽曲として試聴させるために予め用意された複数の試聴データも記憶されている。さらにハードディスクドライブ２７２には、音楽データ配信用のページ情報として、ダウンロード可能な多数の音楽データをネットワークＮＴ上で紹介するためのページ情報（以下、これを紹介ページ情報と呼ぶ）や、実際に音楽データのダウンロードを実行要求させるためのページ情報（以下、これを購入ページ情報と呼ぶ）、またダウンロード可能な音楽データに関連する楽曲関連情報としてアーティスト名や音楽データの再生時間、楽曲に対するコメント等の詳細情報を提示するためのページ情報（以下、これを詳細提示ページ情報と呼ぶ）も記憶されている。さらにまたハードディスクドライブ２７２には、ハードディスク内に構築されたデータベースに、音楽データ配信サーバＳＶ１の利用を許可した顧客の顧客情報等の各種登録情報も登録されている。
【０１４６】
これによりＣＰＵ２７０は、ハードディスクドライブ２７２から各種情報や各種データを読み出し、当該読み出した各種情報及び各種データを用いて各種処理を実行することができる。またネットワークインタフェース２７５は、ＣＰＵ２７０の実行する各種処理に応じて、ネットワークＮＴを介してクライアント端末２や他のサーバと、各種情報及び各種データの送受信用に接続する。
【０１４７】
そしてかかる音楽データ配信サーバＳＶ１は、基本的にＣＰＵ２７０がＲＯＭ２７１又はハードディスクドライブ２７２に記憶された各種プログラムに従って各種処理を行っている。このためかかる音楽データ配信サーバＳＶ１では、図５について上述した機能回路ブロックによるハードウェア構成の音楽データ配信サーバＳＶ１の機能に応じて、ＲＯＭ２７１又はハードディスクドライブ２７２に記憶させる各種プログラムを適宜選定することにより、ＣＰＵ２７０を当該音楽データ配信サーバＳＶ１の制御部７０、通信制御部７２、認証処理部７５及び検索部７９と同様に機能させることができると共に、ハードディスクドライブ２７２をその音楽データ配信サーバＳＶ１の顧客データベース部７４、ページ情報記憶部７６、認証情報記憶部７７及び音楽データ記憶部７８と同様に用いることができる。またハードウェア回路ブロックによるハードウェア構成の音楽データ配信サーバＳＶ１は、後述する関連情報連続提供処理を実現可能である。そして機能回路ブロックによるハードウェア構成の音楽データ配信サーバＳＶ１は、各機能回路ブロックが、それぞれハードウェア回路ブロックによるハードウェア構成の音楽データ配信サーバＳＶ１に実装されている各種プログラムで実現可能な機能を網羅していることにより、かかるハードウェア回路ブロックによるハードウェア構成の音楽データ配信サーバＳＶ１と同様に後述の関連情報連続提供処理を実現することができる。
【０１４８】
なお上述の実施の形態においては、クライアント端末２が受信可能な放送としてラジオ局から放送されるラジオ放送を適用したが、これに限らず、クライアント端末２がテレビジョン用の放送局から放送されるテレビジョン放送を受信し、そのテレビジョン放送のテレビジョン番組に関する各種放送情報等をネットワークＮＴ上のサーバから取得することも可能である。
【０１４９】
（２）関連情報連続提供出力処理
音楽データ配信サーバＳＶ１は、クライアント端末２に対しダウンロード可能な音楽データを紹介する際に当該音楽データに対応する楽曲関連情報としての試聴データを連続的に提供して出力させることにより、当該ダウンロード可能な音楽データをより詳細に紹介することができる。従って、以下には、音楽データ配信サーバＳＶ１及びクライアント端末２で実行する関連情報連続提供出力処理について説明する。ただしかかる関連情報連続提供出力処理については、音楽データ配信サーバＳＶ１及びクライアント端末２の何れもが主体となって実行し得るため、以下には、音楽データ配信サーバＳＶ１が主体となって実行する関連情報連続提供出力処理と、クライアント端末２が主体となって実行する関連情報連続提供出力処理とについて順番に説明する。
【０１５０】
（２−１）音楽データ配信サーバＳＶ１主体の関連情報連続提供出力処理
音楽データ配信サーバＳＶ１のＣＰＵ２７０は、ハードディスクドライブ２７２に対し、ダウンロード可能な多数の音楽データをジャンルやアーティスト等の種別で分類して、シングル曲単位、及び複数の楽曲が収録されたアルバム単位で記憶している。またＣＰＵ２７０は、ハードディスクドライブ２７２に対し、これらシングル曲単位の音楽データやアルバム単位の複数の音楽データに対応する多数の試聴データや詳細情報データも記憶している。そしてＣＰＵ２７０は、ハードディスクドライブ２７２に対し、多数の音楽データ及び試聴データをそれぞれ取得させるためのＵＲＬも記憶しており、これら多数のＵＲＬをそれぞれ取得可能な音楽データや試聴データに対応付けている。さらにＣＰＵ２７０は、ハードディスクドライブ２７２に対し、ダウンロード可能な多数の音楽データのジャンルやアーティスト等の種別毎にそれぞれ例えばＸＭＬで記述されて作成された音楽データ配信用のページ情報（すなわち、紹介ページ情報、購入ページ情報及び詳細提示ページ情報）も記憶している。
【０１５１】
この場合、紹介ページ情報には、ダウンロード可能な音楽データを紹介する楽曲紹介画面を生成するために用いる種々の画面構成情報が含まれている。また紹介ページ情報には、楽曲紹介画面から、購入ページ情報に基づいて生成される購入画面や、詳細提示ページ情報に基づいて生成される詳細情報提示画面等に遷移するために用いる種々の画面遷移情報等も含まれている。さらに紹介ページ情報には、図１７に示すように、楽曲紹介画面で紹介する複数の音楽データを識別可能な楽曲識別情報３００Ａとしての複数の曲名のリストを含む楽曲リスト情報３００も含まれている。楽曲リスト情報３００では、リスト化された複数の曲名のうち任意に選定された曲名に対し、対応する試聴データの出力処理をクライアント端末２に実行させるための処理実行情報３００Ｂを関連付けることができる。この場合、処理実行情報３００Ｂは、試聴データの再生処理を実行する際の実行条件３００Ｃ（すなわち、イベント）と、当該実行条件３００Ｃを満たしたときに再生処理を実行させるための実行命令３００Ｄ（すなわち、メソッド）と、当該再生処理を実行する際に参照する参照情報３００Ｅ等とから構成されている。ここで実行条件３００Ｃは、例えば、「対応する曲名が、紹介用として注目すべき音楽データを示す楽曲識別情報（以下、これを注目楽曲情報と呼ぶ）として選定されたとき」のように、試聴データの出力処理を実行するための条件を規定している。また実行命令３００Ｄは、「試聴データをストリーミング形式で取得しながら再生する（すなわち、試聴データをストリーミング再生する）」のように、試聴データに対する出力処理の命令を規定している。さらに参照情報３００Ｅは、試聴データ取得用のＵＲＬでなる。このようにして楽曲リスト情報３００では、任意に選定された曲名に対し、音楽データの紹介用に試聴データを対応付けることができる。
【０１５２】
さらにまた楽曲リスト情報３００内の複数の曲名は、当該複数の曲名に対応する複数の試聴データを連続出力させるとき、かかる連続出力対象の複数の試聴データを順次選択するための連続出力対象選択情報として使用可能なように規定されている。そして楽曲リスト情報３００では、当該楽曲リスト情報３００に対し、複数の曲名に対応付けられている複数の試聴データが連続出力可能であることを示す連続出力可能識別情報３００Ｆが付加されると、かかる楽曲リスト情報３００内の全ての曲名を、当該曲名に対応付けられている複数の試聴データを連続出力させるための対応情報となる連続出力対象選択情報（以下、これを連続出力対応と呼ぶ）として設定することができる。因みに楽曲リスト情報３００では、連続出力可能識別情報３００Ｆが付加されると、当該楽曲リスト情報３００内の全ての曲名を、試聴データの対応付けにかかわらずに連続出力対応として設定することができる。なお楽曲リスト情報３００では、当該楽曲リスト情報３００内の複数の曲名のうち一部の曲名（例えば、試聴データが対応付けられている曲名）に対しそれぞれ連続出力対応であることを示す所定情報を付加することで、これら一部の曲名のみを連続出力対応として設定することもできる。そして楽曲リスト情報３００内で一部の曲名に対し連続出力対応であることを示す所定情報を付加する場合、かかる所定情報としては、連続出力対応であることを示す識別情報や、試聴データの連続出力用に次に選定させる曲名を示すリンク情報のように、種々の所定情報が適用可能である。
【０１５３】
また楽曲リスト情報３００内の複数の曲名が連続出力対応として設定されている場合、紹介ページ情報には、当該複数の曲名に対応付けられている試聴データを連続出力させるために、これら複数の曲名を順次注目楽曲情報として選定させるように指示する曲名選定指示情報が、試聴データに対する連続出力処理の処理制御情報（以下、これを単に処理制御情報と呼ぶ）として含まれている。そして曲名選定指示情報は、連続出力対応として設定されている複数の曲名を注目楽曲情報として選定させるための順序として、音楽データ配信サーバＳＶ１側でこれら複数の曲名を楽曲リスト情報３００としてリスト化したときの順序（以下、これを基準設定順序と呼ぶ）を示す順序情報を含んでいる。また曲名選定指示情報は、連続出力対応として設定されている複数の曲名を、基準設定順序で注目楽曲情報として選定させるか否かを指示する選定指示命令も含んでいる。このため曲名選定指示情報によれば、選定指示命令により曲名を基準設定順序で注目楽曲情報として選定するように指示されている場合、かかる選定指示命令に従って、連続出力対応として設定されている複数の曲名を当該基準設定順序で注目楽曲情報として選定させることができる。その結果、紹介ページ情報に対しかかる構成の曲名選定指示情報が含まれていると、連続出力対応の複数の曲名に対応付けられている複数の試聴データについては、基準設定順序に準じた順番で連続的に自動出力させることができる。
【０１５４】
ところで曲名選定指示情報によれば、選定指示命令により曲名を基準設定順序では注目楽曲情報として選定しないように指示されている場合、連続出力対応として設定されている複数の曲名を当該基準設定順序とは異なる他の所定順序で注目楽曲情報として選定させることができる。その結果、紹介ページ情報に対しかかる構成の曲名選定指示情報が含まれていると、連続出力対応の複数の曲名に対応付けられている複数の試聴データについては、基準設定順序に準じた順番で連続的に自動出力させる出力形態（以下、これをデータ出力形態と呼ぶ）とは異なる他の出力形態（以下、これを変更出力形態と呼ぶ）で連続的に自動出力させることもできる。そして紹介ページ情報には、連続出力対応として設定されている複数の曲名に対応する複数の試聴データを変更出力形態で連続的に自動出力させる場合、当該変更出力形態を指示する出力形態指示情報が処理制御情報として含まれている。従って曲名選定指示情報によれば、選定指示命令により基準設定順序の使用が無効にされると、連続出力対応として設定されている複数の曲名を変更出力形態に準じた所定順序で注目楽曲情報として選定させることができる。すなわち選定指示命令は、試聴データの出力形態を変更しないとき（例えば紹介ページ情報に対し出力形態指示情報が含まれていないとき）、基準設定順序の使用が有効にされ、試聴データの出力形態を変更するとき（例えば紹介ページ情報に対し出力形態指示情報が含まれているとき）、基準設定順序の使用が無効にされる。
【０１５５】
さらに紹介ページ情報には、楽曲紹介画面上で、楽曲リスト情報３００内の連続出力対応として設定されている曲名を注目楽曲情報として選定させたとき、当該注目楽曲情報として選定させた曲名を他の曲名よりも輝度を上げて強調表示する（すなわち、フォーカスをあてる）ように指示する強調表示指示情報も処理制御情報として含まれている。さらに紹介ページ情報には、楽曲リスト情報３００内の連続出力対応として設定されている全ての曲名を注目楽曲情報として選定させ、対応する全ての試聴データの連続的な自動出力が終了したとき、最後に注目楽曲情報として選定させた曲名、又は最初に注目楽曲情報として選定させた曲名を強調表示させるように指示する最終強調表示指示情報も処理制御情報として含まれている。なお紹介ページ情報には、楽曲リスト情報３００内の連続出力対応として設定されている全ての曲名を注目楽曲情報として選定させ、対応する全ての試聴データの連続的な自動出力が終了したとき、最後又は最初に注目楽曲情報として選定させた曲名を強調表示させるように指示するだけではなく、例えば音楽データ配信サーバＳＶ１側で任意に選定された曲名を強調表示させるように指示する最終強調表示指示情報を処理制御情報として含ませることもできる。すなわち紹介ページ情報には、試聴データの連続的な自動出力が終了したとき、その時点の出力形態（すなわち、データ出力形態及び変更出力形態）にかかわらずに、これら最後又は最初に注目楽曲情報として選定させた曲名や、音楽データ配信サーバＳＶ１側で任意に選定された曲名を強調表示させるように指示する最終強調表示指示情報を処理制御情報として含ませることができる。また紹介ページ情報には、試聴データの連続的な自動出力が終了したとき、データ出力形態及び変更出力形態にかかわらずに、楽曲リスト情報３００内の複数の曲名のうち基準設定順序に従った先頭又は後尾の曲名を強調表示させるように指示する最終強調表示指示情報を処理制御情報として含ませることもできる。さらに試聴データを変更出力形態としての後述する並替出力形態や無作為選択出力形態に従って連続的に自動出力するような場合、ページ情報には、当該試聴データの連続的な自動出力が終了したとき、最後に注目楽曲情報として選定させた曲名に次いでさらに無作為に選定させた曲名を強調表示させるように指示する最終強調表示指示情報を処理制御情報として含ませることもできる。
【０１５６】
これに加えて紹介ページ情報には、楽曲リスト情報３００内の複数の曲名が連続出力対応として設定されている場合、当該紹介ページ情報に基づいて生成される楽曲紹介画面上で、これら複数の曲名に対応付けられている複数の試聴データが連続出力可能であることを通知するための連続出力通知表示子や、当該複数の曲名に試聴データが対応付けられていることを通知するための対応通知表示子等の各種表示子も含まれている。これにより紹介ページ情報は、楽曲紹介画面上で、試聴データが連続出力可能であることや、曲名に試聴データが対応付けられていること等をユーザに対し的確に通知させることができる。なお音楽データ配信サーバＳＶ１側では、紹介ページ情報に連続出力通知表示子を含めることもできるが、かかる紹介ページ情報に基づいて生成可能な楽曲紹介画面の背景となる壁紙（テンプレート）の所定位置に、予め連続出力通知表示子の絵柄を描いておくこともできる。
【０１５７】
また紹介ページ情報には、楽曲リスト情報３００内の複数の曲名のうち一部の曲名にのみ試聴データが対応付けられているものの、当該試聴データの対応付けの有無にかかわらずにこれら複数の曲名が連続出力対応として設定されている場合、試聴データが対応付けられていない曲名を注目楽曲情報として自動的に選定させたときに、当該注目楽曲情報の選定と強調表示とを継続させる選定継続指示情報と、その選定を継続させる例えば数秒程度の第１の時間でなる一定時間（以下、これを第１の一定時間と呼ぶ）を示す第１の選定継続時間情報も処理制御情報として含まれている。ただし紹介ページ情報には、楽曲リスト情報３００内の一部の曲名が試聴データの対応付けの有無にかかわらずに連続出力対応として設定されている場合に、クライアント端末２で一連の連続出力処理の実行途中にユーザの指示に応じて、試聴データの対応付けられていない曲名が注目楽曲情報として選定されたとき、第１の一定時間よりも長い第２の時間でなる一定時間（以下、これを第２の一定時間と呼ぶ）、その曲名を継続して注目楽曲情報として選定させ、かつ強調表示させるための当該第２の一定時間を示す第２の選定継続時間情報を処理制御情報として加えることもできる。
【０１５８】
そして紹介ページ情報には、試聴データの対応付けられていない曲名を注目楽曲情報として選定させる場合、当該曲名の選定を第１の一定時間又は第２の一定時間継続させている間、かかる曲名を楽曲紹介画面内の後述する曲名表示欄内で当該曲名を構成する文字列の並びの方向（以下、これを例えば横方向と呼ぶ）にスクロール表示させるように指示するスクロール表示指示情報も処理制御情報として適宜含ませることができる。従って紹介ページ情報は、例えば曲名を構成する文字列が比較的多いために、その全体を曲名表示欄に一括して表示し難い場合でも、当該曲名を注目楽曲情報として選定させたときに、かかる曲名表示欄内で曲名を横方向にスクロールさせることにより、当該曲名を強調表示した状態で的確に確認させることができる。
【０１５９】
さらに紹介ページ情報には、楽曲リスト情報３００内の複数の曲名が試聴データの対応付けの有無にかかわらずに連続出力対応として設定されている場合、これら連続出力対応として設定されている複数の曲名のうち、当該試聴データが対応付けられていない曲名を選定させたとき、その時点でクライアント端末２に対し曲名の自動的な選定を強制的に終了させるような選定強制終了指示情報も処理制御命令として適宜含ませることができる。
【０１６０】
このように紹介ページ情報には、クライアント端末２に対し楽曲紹介画面を生成させると共に、当該生成させた楽曲紹介画面上で、楽曲リスト情報３００内の連続出力対応として設定されている複数の曲名を順次注目楽曲情報として自動的に選定させながら、当該注目楽曲情報として選定された曲名に対応付けられている試聴データをストリーミング再生させて当該試聴データに基づく試聴楽曲を連続的に自動出力させるための一連の処理を実行可能な各種処理制御情報（処理実行情報３００Ｂも含む）が適宜選択的に含まれている。
【０１６１】
そして音楽データ配信サーバＳＶ１のＣＰＵ２７０は、クライアント端末２からユーザにより指定された種別（すなわち、ジャンルやアーティスト等）に対応する紹介ページ情報を要求する要求情報（以下、これを紹介ページ情報要求信号と呼ぶ）が送信されると、当該紹介ページ情報要求信号を、ネットワークインタフェース２７５を介して受信する。これに応じてＣＰＵ２７０は、ハードディスクドライブ２７２から、かかる紹介ページ情報要求信号に対応する紹介ページ情報を読み出し、当該読み出した紹介ページ情報を、ネットワークインタフェース２７５を介してクライアント端末２に送信する。これによりＣＰＵ２７０は、クライアント端末２に対し楽曲リスト情報３００を含む紹介ページ情報を提供することができる。
【０１６２】
一方、クライアント端末２のＣＰＵ２０３は、ユーザにより操作入力部２００を介して紹介ページ情報を取得要求する操作入力信号が入力されると、これに応じて紹介ページ情報要求信号を通信処理部２１４及びネットワークインタフェース２１５を順次介して音楽データ配信サーバＳＶ１に送信する。その結果、ＣＰＵ２０３は、音楽データ配信サーバＳＶ１から送信された紹介ページ情報をネットワークインタフェース２１５及び通信処理部２１４を順次介して受信すると、当該受信した紹介ページ情報に基づいて楽曲紹介画面データを生成する。そしてＣＰＵ２０３は、かかる楽曲紹介画面データを表示処理部２０７を介してディスプレイ２０６に送出することにより当該ディスプレイ２０６にその楽曲紹介画面データに基づく例えば図１８に示すような楽曲紹介画面３１０を表示させる。
【０１６３】
この場合、楽曲紹介画面３１０には、当該楽曲紹介画面３１０の垂直方向に沿って並べられ、複数の曲名表示欄３１１ＡＡ乃至３１１ＡＥを有する曲名表示部３１１が設けられている。そして曲名表示部３１１の各曲名表示欄３１１ＡＡ乃至３１１ＡＥには、楽曲紹介画面３１０の垂直方向の上端から下端にかけて、それぞれ楽曲リスト情報３００内の曲名が基準設定順序で割り当てられて表示されている。また曲名表示部３１１には、当該曲名表示部３１１内に表示する曲名表示欄３１１ＡＡ乃至３１１ＡＥを切り替えるためのスクロール操作部３１１Ｂが設けられている。従って楽曲紹介画面３１０では、楽曲リスト情報３００内に、曲名表示部３１１に一括表示可能な曲名表示欄３１１ＡＡ乃至３１１ＡＥ以上の数の曲名が含まれている場合、スクロール操作部３１１Ｂの上向き又は下向きの矢印に対する選択指示（すなわち、操作）に応じて曲名表示部３１１内でこれら曲名表示欄３１１ＡＡ乃至３１１ＡＦを上方向又は下方向にスクロールさせることにより、当該曲名表示欄３１１ＡＡ乃至３１１ＡＦの表示を、図１８には図示していない他の曲名表示欄の表示に順次切り替えることができる。従って楽曲紹介画面３１０では、楽曲リスト情報３００内の全ての曲名を、それぞれ対応する曲名表示欄３１１ＡＡ乃至３１１ＡＦや他の図示していない曲名表示欄と共に表示して目視させることができる。また各曲名表示欄３１１ＡＡ乃至３１１ＡＥには、表示される曲名に試聴データが対応付けられているとき、紹介ページ情報に含まれる例えばスピーカの形状を模式的に示すマークでなる対応通知表示子３１１Ｃも表示される。さらに楽曲紹介画面３１０には、楽曲リスト情報３００内の全ての曲名に対応する音楽データを一括して購入するための一括購入画面（図示せず）に遷移するための一括購入ボタン３１２が設けられている。
【０１６４】
さらに楽曲紹介画面３１０には、曲名表示欄３１１ＡＡ乃至３１１ＡＥ内の曲名が注目楽曲情報として選定されたとき、当該注目楽曲情報として選定された曲名に対応する楽曲関連情報としてのジャケット写真等の画像を表示させる関連画像表示部３１３が設けられている。さらに楽曲紹介画面３１０には、例えば１つのアルバムに収録されている楽曲のみを紹介するために曲名表示部３１１の各曲名表示欄３１１ＡＡ乃至３１１ＡＥに対し当該１つのアルバムの曲名のみが表示されている場合、そのアルバムに関する（すなわち、楽曲リスト情報３００に含まれる複数の曲名全体に関する）詳細提示ページ情報を取得して詳細情報を例えば楽曲紹介画面３１０内の空領域に表示するための詳細情報提示ボタン３１４も設けられている。因みにかかる詳細情報は、詳細情報提示ボタン３１４内に表示しても良い。さらにまた楽曲紹介画面３１０には、楽曲リスト情報３００内の複数の曲名が連続出力対応として設定されている場合、紹介ページ情報に含まれている連続出力通知表示子３１５も表示されている。さらに楽曲紹介画面３１０の下端には、操作ボタン通知領域が設けられている。かかる操作ボタン通知領域には、楽曲紹介画面３１０上で各種入力を行う際に、リモートコントローラ等に設けられた各種操作ボタン（すなわち、操作入力部２００）うち操作命令の入力に利用可能な（すなわち、有効な）操作ボタンをユーザに通知するための、４方向の矢印マークでなる選択指示入力用の選択ボタン３１６や、決定ボタン３１７、かかる選択指示を取り消して１つ前の処理に戻るための戻るボタン３１８が表示されている。
【０１６５】
なお楽曲紹介画面３１０では、詳細情報提示ボタン３１４を曲名毎の楽曲関連情報としての詳細情報を提示するために機能させ、曲名が注目楽曲情報として選定された状態で詳細情報提示ボタン３１４が選択指示されたとき、当該選定された曲名にのみ対応する詳細提示ページ情報を取得して、その曲名に対応する詳細情報を提示するようにしても良い。また楽曲紹介画面３１０では、その下端に、実際に画面上のボタンとして機能する選択ボタン３１６、決定ボタン３１７、戻るボタン３１８を設けるようにしても良い。
【０１６６】
そしてＣＰＵ２０３は、ディスプレイ２０６に楽曲紹介画面３１０を表示した場合、例えば表示初期だけは、クライアント端末２で予め設定されている設定情報に応じて、曲名表示部３１１の各曲名表示欄３１１ＡＡ乃至３１１ＡＥのうち最も上端寄りに配置された曲名表示欄３１１ＡＡに表示している曲名を注目楽曲情報として自動的に選定すると共に、当該曲名表示欄３１１ＡＡを他の曲名表示欄３１１ＡＢ乃至３１１ＡＥよりも輝度を上げて、当該注目楽曲情報として選定した曲名を強調表示する。そしてＣＰＵ２０３は、曲名を注目楽曲情報として選定したときに当該曲名に対し処理実行情報３００Ｂが関連付けられていると、処理実行情報３００Ｂに従い、当該処理実行情報３００Ｂに含まれるＵＲＬを利用して試聴データを要求するための要求情報（以下、これを試聴データ要求信号と呼ぶ）を通信処理部２１４及びネットワークインタフェース２１５を順次介して音楽データ配信サーバＳＶ１に送信する。
【０１６７】
これにより音楽データ配信サーバＳＶ１のＣＰＵ２７０は、クライアント端末２から送信された試聴データ要求信号をネットワークインタフェース２７５を介して受信すると共に、当該受信した試聴データ要求信号の送信に利用されたＵＲＬに応じてハードディスクドライブ２７２から取得要求された試聴データを読み出す。そしてＣＰＵ２７０は、かかる試聴データをＵＤＰ／ＩＰ（ User Datagram Protocol/Internet Protocol）に従ってストリーミング形式でネットワークインタフェース２７５を介してクライアント端末２に送信する。従ってクライアント端末２のＣＰＵ２０３は、音楽データ配信サーバＳＶ１から試聴データがストリーミング形式で送信されると、当該試聴データをネットワークインタフェース２１５及び通信処理部２１４を順次介して受信しながら音声処理部２０９を介してスピーカ２１０に送出することにより、当該スピーカ２１０から試聴データに基づく試聴楽曲を出力させてユーザに試聴させる。
【０１６８】
またＣＰＵ２０３は、かかる試聴データに対する試聴楽曲としての出力が終了すると、例えば紹介ページ情報に含まれている処理制御情報に従い当該紹介ページ情報に連続出力可能識別情報３００Ｆが含まれているか否かを判別する。その結果、ＣＰＵ２０３は、紹介ページ情報に連続出力可能識別情報３００Ｆが含まれていると、当該紹介ページ情報に含まれている例えば曲名選定指示情報に従い、図１９に示すように、楽曲紹介画面３１０上で上端から２つ目の曲名表示欄３１１ＡＢに表示している曲名（すなわち、楽曲リスト情報３００内で連続出力対応として設定されている曲名）を新たな注目楽曲情報として自動的に選定すると共に、当該曲名表示欄３１１ＡＢを他の曲名表示欄３１１ＡＡ、３１１ＡＣ乃至３１１ＡＥよりも輝度を上げて、当該注目楽曲情報として自動的に選定した曲名を強調表示する。そしてＣＰＵ２０３は、注目楽曲情報として選定した曲名に処理実行情報３００Ｂが関連付けられていると、当該処理実行情報３００Ｂに従い、当該処理実行情報３００Ｂに含まれるＵＲＬを利用して試聴データ要求信号を通信処理部２１４及びネットワークインタフェース２１５を順次介して音楽データ配信サーバＳＶ１に送信する。
【０１６９】
これにより音楽データ配信サーバＳＶ１のＣＰＵ２７０は、再びクライアント端末２から送信された試聴データ要求信号をネットワークインタフェース２７５を介して受信すると共に、当該受信した試聴データ要求信号の送信に利用されたＵＲＬに応じてハードディスクドライブ２７２から取得要求された試聴データを読み出す。そしてＣＰＵ２７０は、かかる試聴データをストリーミング形式でネットワークインタフェース２７５を介してクライアント端末２に送信する。従ってクライアント端末２のＣＰＵ２０３は、音楽データ配信サーバＳＶ１から試聴データがストリーミング形式で送信されると、当該試聴データをネットワークインタフェース２１５及び通信処理部２１４を順次介して受信しながら音声処理部２０９を介してスピーカ２１０に送出することにより、当該スピーカ２１０から試聴データに基づく試聴楽曲を出力させてユーザに試聴させる。
【０１７０】
このようにしてクライアント端末２のＣＰＵ２０３は、例えば楽曲リスト情報３００内の全ての曲名にそれぞれ試聴データが対応付けられ、かつ当該全ての曲名が連続出力対応として設定されていると、当該試聴データの出力の終了を検出する毎に紹介ページ情報に含まれている曲名選定指示情報に従い、楽曲紹介画面３１０上で楽曲リスト情報３００内の連続出力対応として設定されている曲名を基準設定順序で順次注目楽曲情報として自動的に選定すると共に、当該紹介ページ情報に含まれている処理実行情報３００Ｂに従い、音楽データ配信サーバＳＶ１に対し、当該注目楽曲情報として選定した曲名に対応付けられている試聴データを要求する。また音楽データ配信サーバＳＶ１のＣＰＵ２７０は、クライアント端末２から試聴データが要求される毎に、当該クライアント端末２に対して、その要求された試聴データを連続的に自動送信する。これによりクライアント端末２のＣＰＵ２０３は、楽曲リスト情報３００内の複数の曲名に対応付けられている複数の試聴データ（すなわち、楽曲関連情報）を試聴楽曲として連続的に自動出力することができる。
【０１７１】
これに加えてクライアント端末２のＣＰＵ２０３は、楽曲紹介画面３１０上で曲名が注目楽曲情報として選定された状態（すなわち、何れかの曲名表示欄３１１ＡＡ乃至３１１ＡＥに表示している曲名を注目楽曲情報として選定し、かつ当該曲名表示欄３１１Ａ乃至３１１ＡＥと共に強調表示した状態）で、例えば操作入力部２００の決定ボタンを介して決定命令が入力されると（すなわち、その曲名がクリックされると）、音楽データ配信サーバＳＶ１から当該曲名に対応する詳細提示ページ情報を取得する。そしてＣＰＵ２０３は、かかる詳細提示ページに基づく詳細情報（すなわち、注目楽曲情報として選定されている曲名に対応する詳細情報であり、特に図示してはいない）を、楽曲紹介画面３１０において例えば連続出力通知表示子３１５の右側に表示する。これによりＣＰＵ２０３は、曲名を注目楽曲情報として選定したとき、かかる曲名に対応する試聴楽曲と共に詳細情報も合わせてユーザに提示することができる。なおＣＰＵ２０３は、楽曲紹介画面３１０上で曲名が注目楽曲情報として選定される毎に、当該注目楽曲情報として選定された曲名に対応する詳細提示ページ情報及び画像データを自動的に取得し、関連画像表示部３１３に一方の画像データに基づく楽曲関連情報としての画像を表示させ、かつ連続出力通知表示子３１５の右側又は詳細情報提示ボタン３１４の部分に他方の詳細提示ページ情報に基づく楽曲関連情報としての詳細情報を表示させるようにしても良い。このようにしてＣＰＵ２０３は、曲名を注目楽曲情報として選定する毎に、対応する試聴楽曲と共に画像や詳細情報のように種々の楽曲関連情報をまとめてユーザに提示することもできる。
【０１７２】
ところで図１８との対応部分に同一符号を付して示す図２０において、クライアント端末２のＣＰＵ２０３は、例えば楽曲リスト情報３００内の複数の曲名のうち一部（すなわち、少なくとも２つ以上）の曲名にのみ試聴データが対応付けられ、当該試聴データの対応付けられている曲名のみが連続出力対応として設定されていると、試聴データの出力の終了を検出する毎に、紹介ページ情報に含まれている曲名選定指示情報に従い、楽曲紹介画面３２０上で楽曲リスト情報３００内の複数の曲名のうち連続出力対応として設定されている曲名のみを選択的に順次注目楽曲情報として選定すると共に、当該紹介ページ情報に含まれている処理実行情報３００Ｂに従い、音楽データ配信サーバＳＶ１に対し、当該注目楽曲情報として選定した曲名に対応付けられている試聴データを要求する。また音楽データ配信サーバＳＶ１のＣＰＵ２７０は、このときにもクライアント端末２から試聴データが要求される毎に、当該クライアント端末２に対して、その要求された試聴データを連続的に自動送信する。これによりクライアント端末２のＣＰＵ２０３は、このような場合でも、楽曲リスト情報３００内の複数の曲名に対応付けられている試聴データを試聴楽曲として連続的に自動出力することができる。
【０１７３】
また図１８との対応部分に同一符号を付して示す図２１において、ＣＰＵ２０３は、楽曲リスト情報３００内の複数の曲名のうち一部の曲名にのみ試聴データが対応付けられているものの、当該試聴データの対応付けの有無にかかわらずにこれら複数の曲名が連続出力対応として設定されていると、当該紹介ページ情報に含まれている曲名選定指示情報に従い、楽曲紹介画面３２１上で、処理実行情報３００Ｂが関連付けられていない（すなわち、試聴データが対応付けられていない）曲名を注目楽曲情報として自動的に選定したとき、紹介ページ情報に含まれている選定継続指示情報及び第１の選定継続時間情報に従い、第１の一定時間その曲名を継続して注目楽曲情報として選定し、かつ当該曲名をこれが表示される曲名表示欄３１１ＡＢと共に継続して強調表示した後、次の曲名を注目楽曲情報として選定する。ただしＣＰＵ２０３は、紹介ページ情報に第２の選定継続時間情報が追加で含まれている場合、楽曲紹介画面３２１上で、楽曲リスト情報３００内の連続出力対応として設定されている曲名を順次注目楽曲情報として設定している途中にユーザの指示に応じて、試聴データの対応付けられていない曲名を注目楽曲情報として選定すると、当該紹介ページ情報に含まれている選定継続指示情報及び第２の選定継続時間情報に従い、第２の一定時間その曲名を継続して注目楽曲情報として選定し、かつ当該曲名をこれが表示される曲名表示欄３１１ＡＢと共に継続して強調表示した後、再び曲名の自動的な選定に戻って次の新たな曲名を注目楽曲情報として選定する。
【０１７４】
これによりＣＰＵ２０３は、ユーザの指示に応じて、試聴データが対応付けられていない曲名を注目楽曲情報として選定したときには、その曲名に対する注目楽曲情報としての選定を継続することで、その間にユーザの指示に応じて、当該曲名に対応する音楽データの詳細情報（すなわち、詳細提示ページ情報）を取得して提示することができる。従ってＣＰＵ２０３は、ユーザに対し試聴楽曲を試聴させることのできない（すなわち、曲名に試聴データが対応づけられていない）音楽データについても、一例の連続出力処理の実行途中に詳細情報を提示して的確に紹介することができる。またＣＰＵ２０３は、そのとき曲名と共に対応する曲名表示欄３１１ＡＢの強調表示も継続することで、ユーザにより注目楽曲情報として選定された曲名を容易に確認させることもできる。因みにＣＰＵ２０３は、このとき紹介ページ情報にスクロール表示指示情報が含まれていると、かかるスクロール表示指示情報に従い、楽曲紹介画面３２１上で、試聴データが対応付けられてはいないものの、注目楽曲情報として選定している曲名を第１の一定時間又は第２の一定時間、対応する曲名表示欄３１１ＡＢ内で横方向にスクロール表示させる。これによりＣＰＵ２０３は、かかる曲名を構成する文字列が比較的多いために曲名表示欄３１１ＡＢに一括して表示し難くても、当該曲名全体を容易に確認させることができる。
【０１７５】
なおＣＰＵ２０３は、複数の試聴データに対する連続的な自動出力の実行中に、ユーザ操作により、連続出力対応として設定されてはいない曲名が注目楽曲情報として選定された場合、当該注目楽曲情報として選定された曲名に対し試聴データが対応付けられているか否かにかかわらずに、当該複数の試聴データに対する連続的な自動出力を停止させることもできる。またＣＰＵ２０３は、このとき複数の試聴データに対する連続的な自動出力を停止させずに、基準設定順序に従い、ユーザにより注目楽曲情報として選定された曲名の１つ前又は１つ後に注目楽曲情報として選定される曲名が連続出力対応として設定されているか否かを判別し、当該１つ前又は１つ後の曲名が連続出力対応として設定されているときに、かかる１つ前又は１つ後の曲名を注目楽曲情報として自動的に選定するようにして、複数の試聴データに対する連続的な自動出力を継続するようにしても良い。さらにＣＰＵ２０３は、ユーザにより注目楽曲情報として選定された曲名の１つ前又は１つ後に注目楽曲情報として選定される曲名が連続出力対応として設定されているか否かを判別した結果、当該１つ前又は１つ後の曲名も連続出力対応として設定されていないときには、基準設定順序に従い例えば先頭の曲名から順に、連続出力対応として設定されている曲名を探すようにして、当該連続出力対応として設定されている曲名を選択的に注目楽曲情報として選定して、複数の試聴データに対する連続的な自動出力を継続するようにしても良い。さらにまたＣＰＵ２０３は、複数の試聴データに対する連続的な自動出力の実行中にユーザ操作により、連続出力対応として設定されてはいない曲名が注目楽曲情報として選定されたときには、すでに述べたようにその時点で、当該複数の試聴データに対する連続的な自動出力を停止させ、又は継続しても良いが、もともと複数の試聴データに対する連続的な自動出力を実行してはいないときにユーザ操作により、連続出力対応として設定されてはいない曲名が注目楽曲情報として選定された場合も、そのまま複数の試聴データに対する連続的な自動出力を停止させたままとしても良いし、上述の継続の場合と同様に処理して複数の試聴データに対する連続的な自動出力を開始するようにしても良い。
【０１７６】
さらにＣＰＵ２０３は、紹介ページ情報に選定強制終了指示情報が含まれていると、例えば楽曲紹介画面３２１上で、連続出力対応として設定されている複数の曲名のうち、処理実行情報３００Ｂが関連付けられていない（すなわち、試聴データが対応付けられていない）曲名を注目楽曲情報として選定したとき、当該選定強制終了指示情報に従い、曲名の自動的な選定を強制的に終了する（すなわち、試聴データの連続的な自動出力を終了する）。そしてＣＰＵ２０３は、この後、ユーザに対し楽曲紹介画面３２１上で任意に曲名を注目楽曲情報として選定させるようにする。
【０１７７】
ところでクライアント端末２のＣＰＵ２０３は、上述したように１つ目の試聴楽曲の出力が終了したとき、紹介ページ情報に連続出力可能識別情報３００Ｆが含まれているか否かを判別した結果、当該紹介ページ情報に連続出力可能識別情報３００Ｆが含まれていないと、紹介ページ情報に含まれている処理制御情報に従い曲名の自動的な選定を強制的に終了する。またＣＰＵ２０３は、楽曲紹介画面３１０上で１つ目の曲名を注目楽曲情報として選定したとき、当該注目楽曲情報として選定した曲名に処理実行情報３００Ｂが対応付けられていないと、紹介ページ情報に含まれている処理制御情報に従い、その時点で当該紹介ページ情報に連続出力可能識別情報３００Ｆが含まれているか否かを判別する。その結果、ＣＰＵ２０３は、紹介ページ情報に連続出力可能識別情報３００Ｆが含まれていないと、この場合も曲名の自動的な選定を強制的に終了する。これに対してＣＰＵ２０３は、注目楽曲情報として選定した１つ目の曲名に処理実行情報３００Ｂが対応付けられてはいなくても、紹介ページ情報に連続出力可能識別情報３００Ｆが含まれていると、そのときには紹介ページ情報に含まれている処理制御情報に応じて上述の何れかの処理を実行する。
【０１７８】
ところで上述した変更出力形態としては、楽曲リスト情報３００内の連続出力対応として設定されている複数の曲名に対応する複数の試聴データを循環的に繰り返すように出力させる複数繰返出力形態（すなわち、複数リピート）がある。またかかる変更出力形態としては、楽曲リスト情報３００内の連続出力対応として設定されている複数の曲名に対応する複数の試聴データのうち、特定の１つの試聴データ（例えば、音楽データ配信サーバＳＶ１側で積極的に紹介したい１つの楽曲に関連する試聴データ）のみを順次繰り返し出力させる単一繰返出力形態（すなわち、１リピート）もある。さらにかかる変更出力形態としては、楽曲リスト情報３００内の連続出力対応として設定されている複数の曲名に対応する複数の試聴データを、当該楽曲リスト情報３００内の複数の曲名に対応付けたときの並びの順序を無作為に並べ替えた他の順序で出力させる並替出力形態（すなわち、シャッフル）がある。さらにかかる変更出力形態としては、楽曲リスト情報３００内の連続出力対応として設定されている複数の曲名に対応する複数の試聴データ全体から順次無作為に１つの試聴データを選択して出力させる無作為選択出力形態（すなわち、ランダム）がある。さらにかかる変更出力形態としては、楽曲リスト情報３００内の連続出力対応として設定されている複数の曲名に対応する複数の試聴データを任意に設定された順序で出力させる順序設定出力形態（すなわち、プログラム）がある。因みに順序設定出力形態では、連続出力対応として設定されている複数の曲名に対応する複数の試聴データを重複して出力することもできるし、当該連続出力対応として設定されている全ての曲名に対応する全ての試聴データのうち何れかのみを出力することもできる。
【０１７９】
因みに変更出力形態としては、この他に並替出力形態及び複数繰返出力形態を併用し、楽曲リスト情報３００内の連続出力対応として設定されている複数の曲名に対応する複数の試聴データを、当該楽曲リスト情報３００内の複数の曲名に対応付けたときの並びの順序を無作為に並べ替えた他の順序で循環的に繰り返すように出力させる並替繰返出力形態（すなわち、シャッフルリピート）がある。また変更出力形態としては、順序設定出力形態及び複数繰返出力形態を併用し、楽曲リスト情報３００内の連続出力対応として設定されている複数の曲名に対応する複数の試聴データを任意に設定された順序で循環的に繰り返すように出力させる順序設定繰返出力形態（すなわち、プログラムリピート）もある。
【０１８０】
そして音楽データ配信サーバＳＶ１側で試聴データの変更出力形態として、複数繰返出力形態が選定されたとき、紹介ページ情報には、かかる複数繰返出力形態を指示する出力形態指示情報と共に、楽曲リスト情報３００内の連続出力対応として設定されている複数の曲名を循環的に繰り返し注目楽曲情報として選定させる最大循環回数を指示する循環回数指示情報が処理制御情報として含まれている。これに加えて紹介ページ情報には、この際、例えばかかる複数繰返出力形態を、単一繰返出力形態と共に繰返出力形態として兼用して通知するための出力形態通知表示子も含まれている。また音楽データ配信サーバＳＶ１側で試聴データの変更出力形態として、単一繰返出力形態が選定されたとき、紹介ページ情報には、かかる単一繰返出力形態を指示する出力形態指示情報と共に、繰り返し出力させる１つの試聴データに対応する曲名を指示する曲名指示情報と、当該曲名を注目楽曲情報として繰り返し選定させる最大選定回数を指示する選定回数指示情報とが処理制御情報として含まれている。これに加えて紹介ページ情報には、この際、繰返出力形態を通知するための出力形態通知表示子が含まれている。さらに音楽データ配信サーバＳＶ１側で試聴データの変更出力形態として、並替出力形態が選定されたとき、紹介ページ情報には、かかる並替出力形態を指示する出力形態指示情報と共に、その並替出力形態に応じて、楽曲リスト情報３００内の連続出力対応として設定されている複数の曲名を重複して選択しないように無作為に選択させるように指示する無作為選択指示情報が処理制御情報として含まれている。これに加えて紹介ページ情報には、この際、かかる並替出力形態を通知するための出力形態通知表示子も含まれている。
【０１８１】
さらに音楽データ配信サーバＳＶ１側で試聴データの変更出力形態として、無作為選択出力形態が選定されたとき、紹介ページ情報には、かかる無作為選択出力形態を指示する出力形態指示情報と共に、その無作為選択出力形態に応じて、楽曲リスト情報３００内の連続出力対応として設定されている複数の曲名全体から順次無作為に１つの曲名を選択させるように指示する無作為選択指示情報と、当該複数の曲名全体から順次無作為に曲名を選択させる最大選択回数を指示する選択回数指示情報とが処理制御情報として含まれている。これに加えて紹介ページ情報には、この際、かかる無作為選択出力形態を通知するための出力形態通知表示子も含まれている。さらに音楽データ配信サーバＳＶ１側で試聴データの変更出力形態として、順序設定出力形態が選定されたとき、紹介ページ情報には、かかる順序設定出力形態を指示する出力形態指示情報と共に、その順序設定出力形態に応じて、楽曲リスト情報３００内の連続出力対応として設定されている複数の曲名を注目楽曲情報として選定する際の、基準設定順序とは異なる任意に設定された順序（以下、これを任意設定順序と呼ぶ）を示す設定順序指示情報が処理制御情報として含まれている。これに加えて紹介ページ情報には、この際、かかる順序設定出力形態を通知するための出力形態通知表示子も含まれている。ところで音楽データ配信サーバＳＶ１側で試聴データに対する出力形態をデータ出力形態に設定しているとき、紹介ページ情報には、上述した曲名選定指示情報が処理制御情報として含まれていると共に、かかるデータ出力形態を通知するための出力形態通知表示子も含まれている。
【０１８２】
これによりクライアント端末２のＣＰＵ２０３は、音楽データ配信サーバＳＶ１からデータ出力形態を指示する曲名選定指示情報が含まれている紹介ページ情報を取得した場合、ディスプレイ２０６に対し、かかる紹介ページ情報に基づき図２２に示すようなデータ出力形態を通知するための出力形態通知表示子３２３が設けられた楽曲紹介画面３２４を表示する。この状態でＣＰＵ２０３は、紹介ページ情報に含まれている曲名選定指示情報に従い、上述と同様に楽曲紹介画面３２４上で、楽曲リスト情報３００内の連続出力対応として設定されている複数の曲名を基準設定順序で注目楽曲情報として選定しながら、対応する複数の試聴データを連続的に自動出力する。
【０１８３】
またＣＰＵ２０３は、音楽データ配信サーバＳＶ１から複数繰返出力形態を指示する出力形態指示情報が含まれている紹介ページ情報を取得した場合、ディスプレイ２０６に対し、かかる紹介ページ情報に基づき図２３に示すような繰返出力形態を通知するための出力形態通知表示子３２５が設けられた楽曲紹介画面３２６を表示する。この状態でＣＰＵ２０３は、紹介ページ情報に含まれている繰返回数指示情報に従い、楽曲紹介画面３２６上で、楽曲リスト情報３００内の連続出力対応として設定されている複数の曲名を最大繰返回数に達するまで循環的に繰り返し注目楽曲情報として選定しながら、対応する複数の試聴データを循環的に繰り返し自動出力する。
【０１８４】
さらにＣＰＵ２０３は、音楽データ配信サーバＳＶ１から単一繰返出力形態を指示する出力形態指示情報が含まれている紹介ページ情報を取得した場合、ディスプレイ２０６に対し、かかる紹介ページ情報に基づき、複数繰返出力形態が選定されたときと同様に図２３に示す楽曲紹介画面３２６を表示する。この状態でＣＰＵ２０３は、紹介ページ情報に含まれている曲名指示情報及び選定回数指示情報に従い、楽曲紹介画面３２６上で、楽曲リスト情報３００内の連続出力対応として設定されている複数の曲名のうち、繰り返し出力させる１つの試聴データに対応する曲名のみを順次注目楽曲情報として自動的に選定しながら、当該１つの試聴データを連続的に繰返し自動出力する。そしてＣＰＵ２０３は、このとき楽曲リスト情報３００内の連続出力対応として設定されている複数の曲名のうちの１つの曲名のみを最大選定回数に達するまで順次繰り返し注目楽曲情報として選定することにより、当該曲名に対応する１つの試聴データのみを所定回数（すなわち、最大選定回数）繰り返し連続的に自動出力することができる。
【０１８５】
さらにＣＰＵ２０３は、音楽データ配信サーバＳＶ１から並替出力形態を指示する出力形態指示情報が含まれている紹介ページ情報を取得した場合、ディスプレイ２０６に対し、かかる紹介ページ情報に基づき図２４に示すような並替出力形態を通知するための出力形態通知表示子３２７が設けられた楽曲紹介画面３２８を表示する。この状態でＣＰＵ２０３は、紹介ページ情報に含まれている無作為選択指示情報に従い、楽曲紹介画面３２８上で、楽曲リスト情報３００内の連続出力対応として設定されている複数の曲名を重複して選択しないように順次無作為に選択して注目楽曲情報として自動的に設定しながら、対応する試聴データを連続的に自動出力する。これによりＣＰＵ２０３は、楽曲リスト情報３００内の連続出力対応として設定されている複数の曲名に対応する複数の試聴データを、当該複数の曲名に対応付けられたときの順番（すなわち、基準設定順序に準じた順番）とは異なる順番で連続的に自動出力する。
【０１８６】
さらにＣＰＵ２０３は、音楽データ配信サーバＳＶ１から無作為選択出力形態を指示する出力形態指示情報が含まれている紹介ページ情報を取得した場合、ディスプレイ２０６に対し、かかる紹介ページ情報に基づき図２５に示すような無作為選択出力形態を通知するための出力形態通知表示子３２９が設けられた楽曲紹介画面３３０を表示する。この状態でＣＰＵ２０３は、紹介ページ情報に含まれている無作為選択指示情報及び選択回数指示情報に従い、楽曲紹介画面３３０上で、最大選定回数に達するまで常に楽曲リスト情報３００内の連続出力対応として設定されている複数の曲名全体から無作為に１つの曲名を選択して（すなわち、曲名を重複して選択する場合もある）注目楽曲情報として自動的に設定しながら、対応する試聴データを連続的に自動出力する。これによりＣＰＵ２０３は、楽曲リスト情報３００内の連続出力対応として設定されている複数の曲名に対応する複数の試聴データを無作為に選んで連続的に自動出力する。
【０１８７】
ＣＰＵ２０３は、音楽データ配信サーバＳＶ１から順序設定出力形態を指示する出力形態指示情報が含まれている紹介ページ情報を取得した場合、ディスプレイ２０６に対し、かかる紹介ページ情報に基づき図２６に示すような順序設定出力形態を通知するための出力形態通知表示子３３１が設けられた楽曲紹介画面３３２を表示する。この状態でＣＰＵ２０３は、紹介ページ情報に含まれている選定順序指示情報に従い、楽曲紹介画面３３２上で、楽曲リスト情報３００内の連続出力対応として設定されている複数の曲名を設定順序指示情報の示す変更設定順序（すなわち、基準設定順序とは異なる）で順次注目楽曲情報として自動的に選定しながら、対応する試聴データを連続的に自動出力する。これによりＣＰＵ２０３は、楽曲リスト情報３００内の連続出力対応として設定されている複数の曲名に対応する複数の試聴データを、変更設定順序に準じた順番で連続的に繰り返し自動出力する。
【０１８８】
因みに音楽データ配信サーバＳＶ１側で試聴データの変更出力形態として、並替繰返出力形態が選定されたとき、紹介ページ情報には、かかる並替繰返出力形態を指示する出力形態指示情報と共に、無作為選択指示情報及び循環回数指示情報が処理制御情報として含まれている。従ってＣＰＵ２０３は、音楽データ配信サーバＳＶ１から並替繰返出力形態を指示する出力形態指示情報が含まれている紹介ページ情報を取得した場合、ディスプレイ２０６に対し、かかる紹介ページ情報に基づく楽曲紹介画面（図示せず）を表示する。この状態でＣＰＵ２０３は、紹介ページ情報に含まれている無作為選択指示情報に従い、楽曲紹介画面３２８上で、楽曲リスト情報３００内の連続出力対応として設定されている複数の曲名を重複して選択しないように順次無作為に選択して注目楽曲情報として自動的に選定しながら、対応する試聴データを連続的に自動出力すると共に、当該複数の曲名に対する注目楽曲情報としての選定が一巡すると、かかる一連の選定を最大繰返回数に達するまで循環的に繰り返すことにより、これら複数の曲名に対応する複数の試聴データを無作為な順序でかつ循環的に繰り返し自動出力する。これによりＣＰＵ２０３は、楽曲リスト情報３００内の連続出力対応として設定されている複数の曲名に対応する複数の試聴データを、当該複数の曲名に対応付けられたときの順番（すなわち、基準設定順序に準じた順番）とは異なる順番で連続的に繰り返し自動出力する。
【０１８９】
また音楽データ配信サーバＳＶ１側で試聴データの変更出力形態として、順序設定繰返出力形態が選定されたとき、紹介ページ情報には、かかる順序設定繰返出力形態を指示する出力形態指示情報と共に、設定順序指示情報及び循環回数指示情報が処理制御情報として含まれている。従ってＣＰＵ２０３は、音楽データ配信サーバＳＶ１から順序設定繰返出力形態を指示する出力形態指示情報が含まれている紹介ページ情報を取得した場合、ディスプレイ２０６に対し、かかる紹介ページ情報に基づく楽曲紹介画面（図示せず）を表示する。この状態でＣＰＵ２０３は、紹介ページ情報に含まれている選定順序指示情報に従い、楽曲紹介画面３３２上で、楽曲リスト情報３００内の連続出力対応として設定されている複数の曲名を設定順序指示情報の示す変更設定順序で順次注目楽曲情報として自動的に選定しながら、対応する試聴データを連続的に自動出力すると共に、当該複数の曲名に対する注目楽曲情報としての選定が一巡すると、かかる一連の選定を最大繰返回数に達するまで循環的に繰り返すことにより、これら複数の曲名に対応する複数の試聴データを変更設定順序に準じた順番でかつ循環的に繰り返し自動出力する。これによりＣＰＵ２０３は、楽曲リスト情報３００内の連続出力対応として設定されている複数の曲名に対応する複数の試聴データを、当該複数の曲名に対応付けられたときの順番（すなわち、基準設定順序に準じた順番）とは異なる順番で、かつ特定の数だけ連続的に繰り返し自動出力する。
【０１９０】
このようにしてＣＰＵ２０３は、紹介ページ情報に含まれている処理制御情報に従って、楽曲リスト情報３００内で連続出力対象として設定されている複数の曲名に対応する複数の試聴データを連続的に自動出力した場合、当該紹介ページ情報に含まれている曲名選定指示情報に従い、楽曲紹介画面３１０上で、最終的に注目楽曲情報として選定した曲名をこれが表示されている曲名表示欄３１１ＡＡ乃至３１１ＡＥと共に強調表示したままにして、又は最初に注目楽曲情報として選定した曲名に戻って当該曲名をこれが表示されている曲名表示欄３１１ＡＡと共に強調表示して、かかる試聴データの連続的な自動出力を終了する。ただしＣＰＵ２０３は、紹介ページ情報に対し上述した選定継続指示情報と共に、第１の選定継続時間情報又は第２の選定継続時間情報が含まれていない場合、試聴データを連続的に自動出力している途中に楽曲紹介画面３１０上で、ユーザにより操作入力部２００の選択ボタンや決定ボタン、戻るボタンが操作され、各曲名表示欄３１１ＡＡ乃至３１１ＡＥや、一括購入ボタン３１２、詳細情報提示ボタン３１４、スクロール操作部３１１Ｂの上端及び下端等が選択指示されると、その時点で試聴データの連続的な自動出力を終了する。そしてＣＰＵ２０３は、この時点からユーザにより操作入力部２００を介して入力される指示情報に応じて、曲名を注目楽曲情報として選定して試聴データを出力し、又は所望の音楽データの購入処理に移行する。
【０１９１】
因みにＣＰＵ２０３は、ユーザの指示に応じて、楽曲紹介画面３１０上で何れかの曲名を注目楽曲情報として設定した状態で、さらにその曲名が選択指示されると、これに応じて当該注目楽曲情報として選定した曲名に対応する詳細提示ページ情報の要求情報（以下、これを詳細提示ページ情報要求信号と呼ぶ）を通信処理部２１４及びネットワークインタフェース２１５を順次介して音楽データ配信サーバＳＶ１に送信する。これにより音楽データ配信サーバＳＶ１のＣＰＵ２７０は、クライアント端末２から送信された詳細提示ページ情報要求信号をネットワークインタフェース２７５を介して受信すると共に、当該受信した詳細提示ページ情報要求信号に応じてハードディスクドライブ２７２から取得要求された詳細提示ページ情報を読み出す。そしてＣＰＵ２７０は、かかる詳細提示ページ情報をネットワークインタフェース２７５を介してクライアント端末２に送信する。従ってクライアント端末２のＣＰＵ２０３は、音楽データ配信サーバＳＶ１から送信された詳細提示ページ情報をネットワークインタフェース２１５及び通信処理部２１４を順次介して受信し、当該受信した詳細提示ページ情報に基づいて詳細情報提示画面データを生成する。そしてＣＰＵ２０３は、かかる詳細情報提示画面データを表示処理部２０７を介してディスプレイ２０６に送出することにより当該ディスプレイ２０６において楽曲紹介画面の例えば連続出力通知表示子３１５の右側に、その詳細情報提示画面データに基づく例えば図２７に示すような詳細情報提示画面３３５を表示させる。これによりＣＰＵ２０３は、ダウンロード可能な音楽データを試聴楽曲のみならず、かかる詳細情報提示画面３３５内に表示したテキスト形式の詳細情報としても詳しく紹介することができる。なおＣＰＵ２０３は、比較的幅広な詳細情報提示画面３３５にテキスト形式の詳細情報を複数行に分けて表示させても良いが、例えば１行表示用の詳細情報提示画面に対しテキスト形式の詳細情報を１行で表示させ、かかる詳細情報を一括して表示し難い場合にはスクロール表示させても良い。
【０１９２】
また紹介ページ情報には、楽曲リスト情報３００内の複数の曲名にそれぞれ対応する音楽データ購入用の購入ページ情報を取得するためのＵＲＬを対応付けて含ませておくことができる。このためＣＰＵ２０３は、例えば試聴データの自動出力中に、操作入力部２００に設けられた購入ボタンが選択指示されると、その時点で自動出力中の試聴データに対応する（すなわち、その時点で注目楽曲情報として選定している曲名に対応する）購入ページ情報取得用のＵＲＬを利用して当該購入ページ情報を要求するための要求情報（以下、これを購入ページ情報要求信号と呼ぶ）を通信処理部２１４及びネットワークインタフェース２１５を順次介して音楽データ配信サーバＳＶ１に送信する。その結果、音楽データ配信サーバＳＶ１のＣＰＵ２７０は、クライアント端末２から送信された購入ページ情報要求信号をネットワークインタフェース２７５を介して受信すると共に、当該受信した購入ページ情報要求信号の送信に利用されたＵＲＬに応じてハードディスクドライブ２７２から取得要求された購入ページ情報を読み出す。そしてＣＰＵ２７０は、かかる購入ページ情報をネットワークインタフェース２７５を介してクライアント端末２に送信する。従ってクライアント端末２のＣＰＵ２０３は、音楽データ配信サーバＳＶ１から送信された購入ページ情報をネットワークインタフェース２１５及び通信処理部２１４を順次介して受信し、当該受信した購入ページ情報に基づく購入画面を表示する。これによりＣＰＵ２０３は、試聴楽曲の試聴中に購入ボタンを選択指示するだけの簡易な操作で、当該試聴中の試聴楽曲に対応する音楽データを容易に購入することができる。
【０１９３】
（２−１−１）関連情報連続提供出力処理手順
実際に音楽データ配信サーバＳＶ１のＣＰＵ２７０は、自己が主体の関連情報連続提供出力処理を、紹介ページ情報に含まれる各種処理制御情報と、ＲＯＭ２７１又はハードディスクドライブ２７２に予め記憶している関連情報連続提供プログラムとに従ってクライアント端末２と共に実行している。以下には、図２８を用いて、例えば楽曲リスト情報３００内の複数（全て）の曲名にそれぞれ試聴データが対応付けられ、かつ当該複数の曲名が連続出力対応として設定される場合を例にとって、関連情報連続提供出力処理手順を説明する。すなわちクライアント端末２のＣＰＵ２０３は、ユーザの指示に応じて音楽データ配信サーバＳＶ１から音楽データ配信用の一連のページ情報を順次取得し、所定のページ情報に基づいて生成した画面上で紹介ページ情報の取得が要求されると、これに応じてステップＳＰ１００において紹介ページ情報要求信号を音楽データ配信サーバＳＶ１に送信する。このとき音楽データ配信サーバＳＶ１のＣＰＵ２７０は、クライアント端末２から送信された紹介ページ情報要求信号を受信することにより、関連情報連続提供プログラムに従って関連情報連続提供処理手順を開始する。そしてＣＰＵ２７０は、かかる関連情報連続提供処理手順を開始すると、ステップＳＰ１０１において、ハードディスクドライブ２７２から紹介ページ情報要求信号に応じた紹介ページ情報を読み出し、当該読み出した紹介ページ情報をクライアント端末２に送信する。
【０１９４】
これによりステップＳＰ１０２においてクライアント端末２のＣＰＵ２０３は、音楽データ配信サーバＳＶ１から送信された紹介ページ情報を受信し、当該受信した紹介ページ情報に含まれる各種処理制御情報に従って関連情報連続出力処理手順を開始する。そしてＣＰＵ２０３は、かかる紹介ページ情報に基づきディスプレイ２０６に楽曲紹介画面３１０を表示する。この状態でＣＰＵ２０３は、楽曲紹介画面３１０上で、紹介ページ情報に含まれている楽曲リスト情報３００内の連続出力対応として設定されている複数の曲名のうち、例えばリスト化の際の先頭の曲名を注目楽曲情報として自動的に選定して、次のステップＳＰ１０３に移る。そしてステップＳＰ１０３においてＣＰＵ２０３は、注目楽曲情報として選定した曲名に関連付けられている処理実行情報３００Ｂに従い、当該曲名に対応付けられている試聴データを要求するための試聴データ要求信号を音楽データ配信サーバＳＶ１に送信する。従ってステップＳＰ１０４において音楽データ配信サーバＳＶ１のＣＰＵ２７０は、クライアント端末２から送信された試聴データ要求信号を受信すると共に、ハードディスクドライブ２７２から、当該受信した試聴データ要求信号に応じた試聴データを読み出す。そしてＣＰＵ２７０は、かかる試聴データをストリーミング形式でクライアント端末２に送信する。これによりステップＳＰ１０５においてクライアント端末２のＣＰＵ２０３は、音楽データ配信サーバＳＶ１からストリーミング形式で送信された試聴データを受信しながら当該試聴データを試聴楽曲としてスピーカ２１０から自動的に出力させることで、ユーザに対し、かかる試聴楽曲を試聴させる。そしてＣＰＵ２０３は、かかる試聴データに対する試聴楽曲としての出力が終了すると（すなわち、出力の終了を検出する）と、次のステップＳＰ１０６に移る。
【０１９５】
ここで試聴データ（すなわち、ストリーミングコンテンツデータ）のストリーミング再生の終了（すなわち、試聴楽曲の出力の終了）を検出する方法としては、例えば、以下のような手法が考えられる。しかしながらかかる手法に限定されるものではない。まずスピーカ２１０やデジタルアウトのためのインタフェースの前段に位置するバッファを管理することによりストリーミング再生の終了を検出することが可能である。例えば、リニアＰＣＭデータ（デジタルデータ）がバッファに入力され、当該バッファから出力されたデジタルデータがＤ／Ａコンバータに入力されることによりアナログ信号に変換され、スピーカ２１０に供給される。バッファとＤ／Ａコンバータは、音声処理部２０９（又は音声制御部２６）に対応する。また例えば、デコーダから供給されたリニアＰＣＭデータ（デジタルデータ）がインタフェースコントローラ内のバッファに一旦入力され、当該バッファから出力されたデジタルデータはデジタルアウトのための伝送プロトコルに対応するフォーマットに変換されてインタフェースコントローラから出力され、インタフェースを介してデジタルアウトされる。本インタフェースコントローラの図示は省略する。これらのバッファへのデジタルデータの書き込みが終了し、かつバッファに書き込まれたデジタルデータが全て読み出されたことをＣＰＵ２０３（制御部２３に対応）が検出することにより、試聴データ（すなわち、ストリーミングコンテンツデータ）のストリーミング再生の終了を検出する。また試聴データ（ストリーミングコンテンツデータ）内に終了タイムコードが存在するときには、再生中に、ＣＰＵ２０３（すなわち、制御部２３）が現在のタイムコードを検出し、現在のタイムコードが終了タイムコードと一致したとき、試聴データ（ストリーミングコンテンツデータ）のストリーミング再生が終了したと判別することもできる。さらに試聴データ（ストリーミングコンテンツデータ）の再生中に、ＣＰＵ２０３（制御部２３）が現在のタイムコードを検出し、現在のタイムコードが所定時間停止したことを検出すると、試聴データ（ストリーミングコンテンツデータ）のストリーミング再生が終了したと判別することもできる。さらにまた試聴データ（ストリーミングコンテンツデータ）のストリーミング再生中に、ＣＰＵ２０３（制御部２３）が、再生中のリニアＰＣＭデータのレベルが所定値以下である状態が所定時間続いたことを検出すると、試聴データ（ストリーミングコンテンツデータ）の再生が終了したと判別することもできる。
【０１９６】
ステップＳＰ１０６においてＣＰＵ２０３は、紹介ページ情報に含まれている処理制御情報に従い楽曲紹介画面３１０上で、楽曲リスト情報３００内の連続出力対応として設定されている次の曲名を新たな注目楽曲情報として自動的に選定して、次のステップＳＰ１０７に移る。ステップＳＰ１０７においてＣＰＵ２０３は、注目楽曲情報として選定した曲名に関連付けられている処理実行情報３００Ｂに従い、当該試聴データを要求する試聴データ要求信号を音楽データ配信サーバＳＶ１に送信する。従ってステップＳＰ１０８において音楽データ配信サーバＳＶ１のＣＰＵ２７０は、クライアント端末２から送信された試聴データ要求信号を受信すると共に、ハードディスクドライブ２７２から、当該受信した試聴データ要求信号に応じた試聴データを読み出す。そしてＣＰＵ２７０は、かかる試聴データをストリーミング形式でクライアント端末２に自動的に送信する。これによりステップＳＰ１０９においてクライアント端末２のＣＰＵ２０３は、音楽データ配信サーバＳＶ１からストリーミング形式で送信された試聴データを受信しながら当該試聴データを試聴楽曲としてスピーカ２１０から自動的に出力させることで、ユーザに対し、かかる試聴楽曲を試聴させる。そしてＣＰＵ２０３は、かかる試聴データに対する試聴楽曲としての出力の終了を検出すると、次の処理ステップに移る。
【０１９７】
このようにして音楽データ配信サーバＳＶ１のＣＰＵ２７０は、この後、クライアント端末２で楽曲リスト情報３００内の連続出力対応として設定されている全ての曲名が注目楽曲情報として選定されるまでの間、当該クライアント端末２と連携して上述したステップＳＰ１０６乃至ステップＳＰ１０９の処理を循環的に繰り返し実行する。これにより音楽データ配信サーバＳＶ１のＣＰＵ２７０は、クライアント端末２に対し楽曲リスト情報３００内の連続出力対応として設定されている曲名を順次注目楽曲情報として自動的に選定させると共に、これに応じて、当該注目楽曲情報として選定された曲名に対応付けられている試聴データをクライアント端末２に連続的に自動送信することで、当該クライアント端末２に対し、複数の試聴データを試聴楽曲として連続的に自動出力させる。
【０１９８】
なお音楽データ配信サーバＳＶ１のＣＰＵ２７０は、連続出力通知表示子３１５を含む紹介ページ情報をクライアント端末２に提供するようにしたが、これに限らず、当該クライアント端末２に対し連続出力通知表示子３１５を予め保持させ、又は紹介ページ情報に含まれる連続出力可能識別情報３００Ｆに基づき当該連続出力通知表示子３１５を生成させるようにしても良い。このようにすれば音楽データ配信サーバＳＶ１側では、紹介ページ情報の構成を連続出力通知表示子３１５を除いて簡易化することができる。また音楽データ配信サーバＳＶ１のＣＰＵ２７０は、対応通知表示子３１１Ｃを含む紹介ページ情報をクライアント端末２に提供するようにしたが、これに限らず、当該クライアント端末２に対し、楽曲リスト情報３００の内容を解析して複数の曲名に試聴データが対応付けられているか否かを判別させ、当該判別結果に応じて、試聴データの対応付けられている曲名を表示する曲名表示欄３１１ＡＡ乃至３１１ＡＥ、及び当該試聴データの対応付けられていない曲名を表示する曲名表示欄３１１ＡＡ乃至３１１ＡＥを例えば点滅及び点灯等のように異なる表示状態にする楽曲紹介画面を生成させて表示させるようにしても良い。これにより音楽データ配信サーバＳＶ１のＣＰＵ２７０は、上述と同様にユーザに対し曲名に試聴データが対応付けられていることを的確に通知させながら、紹介ページ情報の構成を対応通知表示子３１１Ｃを除いてさらに簡易化させることができる。
【０１９９】
さらに音楽データ配信サーバＳＶ１のＣＰＵ２７０は、曲名の注目楽曲情報としての選定を第１及び第２の一定時間継続させるとき、曲名表示欄３１１ＡＡ乃至３１１ＡＥに表示しきれない曲名を横方向にスクロール表示させるようにしたが、これに限らず、試聴データの対応付けられている曲名を注目楽曲情報として選定したときにも、曲名表示欄３１１ＡＡ乃至３１１ＡＥに表示しきれない曲名を横方向にスクロール表示させるようにしても良い。これにより音楽データ配信サーバＳＶ１のＣＰＵ２７０は、ユーザに対し、試聴楽曲を試聴させる際に対応する曲名を的確に通知させることができる。なおＣＰＵ２０３は、紹介ページ情報内の処理制御情報によりスクロール表示するのではなく、クライアント端末２に対して予め設定されている設定情報に従ってスクロール表示しても良い。さらに音楽データ配信サーバＳＶ１のＣＰＵ２７０は、クライアント端末２に対し楽曲紹介画面３１０上で、表示初期は設定情報に応じて曲名を注目楽曲情報として選定させるようにしたが、これに限らず、クライアント端末２に対し、楽曲紹介画面３１０の表示初期に注目楽曲情報として選定させる曲名を指示する指示情報を含む紹介ページ情報を提供するようにしても良い。
【０２００】
さらに音楽データ配信サーバＳＶ１のＣＰＵ２７０は、試聴データに対する出力形態として複数繰返出力形態が選定されたときと、単一繰返出力形態が選定されたときとで、同一の出力形態通知表示子３２５を含む紹介ページ情報をクライアント端末２に提供するようにしたが、これに限らず、試聴データに対する出力形態として複数繰返出力形態が選定されたときと、単一繰返出力形態が選定されたときとで、異なる出力形態通知表示子を含む紹介ページ情報をクライアント端末２に提供するようにしても良い。これにより音楽データ配信サーバＳＶ１のＣＰＵ２７０は、ユーザに対し、複数繰返出力形態と単一繰返出力形態とを明確に区別して通知することができる。
【０２０１】
（２−１−２）第１の関連情報連続出力処理手順
次いで、音楽データ配信サーバＳＶ１が主体となってクライアント端末２のＣＰＵ２０３が、紹介ページ情報に含まれる各種処理制御情報に従って実行する第１の関連情報連続出力処理手順について説明する。この場合、クライアント端末２のＣＰＵ２０３は、音楽データ配信サーバＳＶ１から取得した紹介ページ情報に基づき上述と同様に楽曲紹介画面３１０を生成してディスプレイ２０６に表示する。この状態でクライアント端末２のＣＰＵ２０３は、楽曲リスト情報３００内で、複数の曲名が連続出力対応として設定されているか否かを判別し、その判別結果に応じて当該複数の曲名に対応付けられている複数の試聴データを連続的に自動出力する。
【０２０２】
すなわち、クライアント端末２のＣＰＵ２０３は、ディスプレイ２０６に紹介ページ情報に基づく楽曲紹介画面３１０を表示すると、当該紹介ページ情報に含まれる各種処理制御情報に従って図２９に示す第１の関連情報連続出力処理手順ＲＴ１を開始する。ＣＰＵ２０３は、かかる第１の関連情報連続出力処理手順ＲＴ１を開始すると、ステップＳＰ２００において楽曲紹介画面３１０上で、楽曲リスト情報３００内の複数の曲名のうち基準設定順序で先頭の曲名を注目楽曲情報として自動的に選定すると共に、当該注目楽曲情報として選定した曲名をこれが表示している曲名表示欄３１１ＡＡ乃至３１１ＡＥと共に強調表示して、次のステップＳＰ２０１に移る。ステップＳＰ２０１においてＣＰＵ２０３は、楽曲リスト情報３００内の複数の曲名が連続出力対応として設定されているか否かを判別する。このステップＳＰ２０１において肯定結果が得られると、このことは紹介ページ情報に連続出力可能識別情報３００Ｆが含まれていることを表している。すなわち、かかる肯定結果は、楽曲リスト情報３００内の複数の曲名が音楽データ配信サーバＳＶ１側で連続出力対応として設定されていることにより、これら複数の曲名に対応付けられている複数の試聴データを連続的に自動出力することが可能であることを表している。従ってＣＰＵ２０３は、このとき次のステップＳＰ２０２に移る。
【０２０３】
ステップＳＰ２０２においてＣＰＵ２０３は、注目楽曲情報として選定した曲名に処理実行情報３００Ｂが関連付けられているときには、当該処理実行情報３００Ｂに含まれるＵＲＬを利用して試聴データ要求信号を通信処理部２１４及びネットワークインタフェース２１５を順次介して音楽データ配信サーバＳＶ１に送信する。これによりＣＰＵ２０３は、音楽データ配信サーバＳＶ１に対し、注目楽曲情報として選定した曲名に対応付けられている試聴データを要求する。その結果、ＣＰＵ２０３は、音楽データ配信サーバＳＶ１からストリーミング形式で送信される試聴データをネットワークインタフェース２１５及び通信処理部２１４を順次介して受信しながら音声処理部２０９を介してスピーカ２１０に送出することにより、当該スピーカ２１０から試聴データに基づく試聴楽曲を出力させてユーザに試聴させる。これに対してＣＰＵ２０３は、注目楽曲情報として選定した曲名に処理実行情報３００Ｂが関連付けられていないときには、紹介ページ情報に含まれている第１の選定継続時間情報に従い、その曲名を注目楽曲情報として第１の一定時間継続して選定し、かつ当該曲名をこれが表示される曲名表示欄３１１ＡＢ乃至３１１ＡＥと共に継続して強調表示する。そしてＣＰＵ２０３は、試聴データに対する試聴楽曲としての出力の終了を検出し、又は曲名に対する注目楽曲情報としての選定時間が第１の一定時間経過したことを検出すると、次のステップＳＰ２０３に移る。
【０２０４】
ステップＳＰ２０３においてＣＰＵ２０３は、楽曲リスト情報３００内の連続出力対応として設定されている複数の曲名の中に、基準設定順序で次に注目楽曲情報として選定すべき曲名が存在するか否かを判別する。このステップＳＰ２０３において肯定結果が得られると、このことは楽曲リスト情報３００内の連続出力対応として設定されている全ての曲名を未だ注目楽曲情報として選定し終えてはいないことを表している。従ってＣＰＵ２０３は、このとき次のステップＳＰ２０４に移る。ステップＳＰ２０４においてＣＰＵ２０３は、楽曲紹介画面３１０上で楽曲リスト情報３００内の連続出力対応として設定されている曲名のうち基準設定順序で次の曲名を注目楽曲情報として自動的に選定すると共に、当該注目楽曲情報として選定した曲名をこれを表示している曲名表示欄３１１ＡＡ乃至３１１ＡＥと共に強調表示して、ステップＳＰ２０１に戻る。従ってＣＰＵ２０３は、この後、ステップＳＰ２０３において否定結果を得るまでの間は、ステップＳＰ２０１乃至ステップＳＰ２０４の処理を循環的に繰り返し実行することにより、楽曲リスト情報３００内の連続出力対応として設定されている複数の曲名を基準設定順序で注目楽曲情報として自動的に選定しながら、当該複数の曲名に対応付けられている複数の試聴データを取得し試聴楽曲として連続的に自動出力する。
【０２０５】
そしてステップＳＰ２０３において否定結果が得られると、このことは楽曲リスト情報３００内の連続出力対応として設定されている全ての曲名を注目楽曲情報として選定し、これら曲名に対応付けられている全ての試聴データの連続的な自動出力が完了したことを表している。従ってＣＰＵ２０３は、このときステップＳＰ２０５に移る。そしてステップＳＰ２０５においてＣＰＵ２０３は、楽曲紹介画面３１０上で、楽曲リスト情報３００内の連続出力対応として設定されている複数の曲名のうち先頭の曲名（すなわち、最初に注目楽曲情報として選定した曲名）が表示されている曲名表示欄３１１ＡＡに戻って当該先頭の曲名を強調表示して、又は基準設定順序で最後尾の曲名（すなわち、最後に注目楽曲情報として選定した曲名）をこれが表示されている曲名表示欄３１１ＡＡ乃至３１１ＡＥと共に強調表示したまま、次のステップＳＰ２０６に移り、かかる第１の関連情報連続出力処理手順ＲＴ１を終了する。因みに上述のステップＳＰ２０１において否定結果が得られると、このことは紹介ページ情報に連続出力可能識別情報３００Ｆが含まれていないことを表している。すなわち、かかる否定結果は、例えば楽曲リスト情報３００内の複数の曲名に試聴データが対応付けられてはいないことにより試聴データを連続的に自動出力することができないことを表している。従ってＣＰＵ２０３は、このときステップＳＰ２０６に移る。このようにしてＣＰＵ２０３は、かかる第１の関連情報連続出力処理手順ＲＴ１を実行した場合、楽曲リスト情報３００内の複数の曲名が連続出力対応として設定されていると、ダウンロード可能な全ての音楽データを、試聴データに基づく試聴楽曲や強調表示した曲名により的確に紹介することができる。
【０２０６】
なおクライアント端末２のＣＰＵ２０３は、かかる音楽データ配信サーバＳＶ１主体の第１の関連情報連続出力処理手順ＲＴ１において、注目楽曲情報として選定した曲名に処理実行情報３００Ｂが関連付けられていない場合、紹介ページ情報に含まれる第１の選定継続時間情報に従い、当該曲名を注目楽曲情報として第１の一定時間継続して選定するようにしたが、これに限らず、当該曲名を注目楽曲情報として、クライアント端末２に予め設定されていた所定時間でなる一定時間継続して選定し、又は当該曲名を注目楽曲情報としてユーザにより任意に設定された所定時間でなる一定時間継続して選定するようにしても良い。またかかる第１の関連情報連続出力処理手順ＲＴ１では、上述したステップＳＰ２０１で、楽曲リスト情報３００内の複数の曲名が連続出力対応として設定されているか否かを判別するようにしたが、これに限らず、紹介ページ情報に含まれる処理制御情報、クライアント端末２に対する事前設定又はユーザによる指示に応じて、当該第１の関連情報連続出力処理手順ＲＴ１を開始した直後（すなわち、ステップＳＰ２００の前）や、上述したステップＳＰ２０２及びステップＳＰ２０３の間、又はステップＳＰ２０３及びステップＳＰ２０４の間で楽曲リスト情報３００内の複数の曲名が連続出力対応として設定されているか否かを判別するようにしても良い。
【０２０７】
またクライアント端末２のＣＰＵ２０３は、音楽データ配信サーバＳＶ１主体の第１の関連情報連続出力処理手順ＲＴ１の実行途中に楽曲リスト情報３００内の複数の曲名が連続出力対応として設定されているか否かを判別するようにしたが、これに限らず、紹介ページ情報に含まれる処理制御情報、クライアント端末２に対する事前設定又はユーザによる指示に応じて、予め、紹介ページ情報に連続出力可能識別情報３００Ｆが含まれているか否かを判別し、その判別結果に応じて、当該紹介ページ情報に連続出力可能識別情報３００Ｆが含まれているときに、かかる第１の関連情報連続出力処理手順ＲＴ１を開始するようにしても良い。これに加えてクライアント端末２のＣＰＵ２０３は、かかる事前の判別処理を実行しなくても、楽曲紹介画面３１０上で連続出力通知表示子３１５の存在を確認したユーザにより、筐体表面やリモートコントローラに設けられた操作ボタンを介して処理実行命令が入力されたことに応じて第１の関連情報連続出力処理手順ＲＴ１を開始するようにしても良い。またクライアント端末２のＣＰＵ２０３は、図３０に示すようにディスプレイ２０６に対して、処理実行指示ボタン３４０が設けられたユーザインタフェースとしての処理命令入力画面３４１と共に楽曲紹介画面３１０を表示し、当該楽曲紹介画面３１０内で連続出力通知表示子３１５の表示を確認したユーザにより処理実行指示ボタン３４０が選択指示されたことに応じて、かかる第１の関連情報連続出力処理手順ＲＴ１を開始するようにしても良い。これにより第１の関連情報連続出力処理手順ＲＴ１を、楽曲リスト情報３００内の複数の曲名が連続出力対応として設定されているか否かを判別するための判別処理を特には実行しないように構成することができ、かくして第１の関連情報連続出力処理手順ＲＴ１の構成を簡易化することができる。
【０２０８】
（２−２）クライアント端末２主体の関連情報連続提供出力処理
次いで、クライアント端末２が主体となって音楽データ配信サーバＳＶ１と共に実行する関連情報連続提供出力処理について説明する。実際にクライアント端末２のＣＰＵ２０３は、上述したプログラムモジュールとしての楽曲購入再生モジュール２４５及びＸＭＬブラウザ２４６（以下、これらをまとめて関連情報連続出力プログラムと呼ぶ）に従って、上述とほぼ同様にして紹介ページ情報に基づき楽曲紹介画面を生成しディスプレイ２０６に表示すると共に、その状態で楽曲リスト情報３００内の連続出力対応として設定されている複数の曲名に対応する複数の試聴データを連続的に自動出力している。
【０２０９】
ただしクライアント端末２のＣＰＵ２０３は、異なる構成の関連情報連続出力プログラムに従いそれぞれ異なる手法の関連情報連続出力処理手順を実行することができる。そしてクライアント端末２のＣＰＵ２０３は、構成の異なるこれら複数種類の関連情報連続出力プログラムを実装しておき、音楽データ配信サーバＳＶ１から紹介ページ情報を取得した際に、かかる紹介ページ情報の内容（すなわち、処理制御情報）を解析し、その解析結果に応じた何れか１つの関連情報連続出力プログラムを選択的に用いて対応する関連情報連続出力処理手順を実行することもできる。またクライアント端末２のＣＰＵ２０３は、これら複数種類の関連情報連続出力プログラムを実装しておき、音楽データ配信サーバＳＶ１から紹介ページ情報を取得する毎に、ユーザに対して、これら複数種類のうち何れか１つの関連情報連続出力プログラムを任意に選択させ、当該選択させた関連情報連続出力プログラムに対応する関連情報連続出力処理手順を実行することもできる。さらにクライアント端末２のＣＰＵ２０３は、これら複数種類の関連情報連続出力プログラムのうち何れか１つを実装しておくことで、音楽データ配信サーバＳＶ１から紹介ページ情報を取得した際に、かかる１つの関連情報連続出力プログラムに従って対応する関連情報連続出力処理手順のみを実行することもできる。従って以下には、クライアント端末２のＣＰＵ２０３で実行可能な複数種類の関連情報連続出力処理手順について順番に説明する。
【０２１０】
ただしクライアント端末２のＣＰＵ２０３は、以下に説明する複数種類の関連情報連続出力処理手順の他に、第１の関連情報連続出力プログラムに従い、当該クライアント端末２が主体となって、図２９について上述した第１の関連情報連続出力処理手順ＲＴ１を実行することもできる。
【０２１１】
（２−２−１）第２の関連情報連続出力処理手順
まずクライアント端末２のＣＰＵ２０３が実行する第２の関連情報連続出力処理手順について説明する。この場合、クライアント端末２のＣＰＵ２０３は、音楽データ配信サーバＳＶ１から取得した紹介ページ情報に基づき上述と同様に楽曲紹介画面３１０を生成してディスプレイ２０６に表示する。この状態でクライアント端末２のＣＰＵ２０３は、楽曲リスト情報３００の内容を解析し、その解析結果に応じて当該楽曲リスト情報３００内の連続出力対応として設定されている複数の曲名のうち、試聴データの対応付けられている曲名のみを基準設定順序に準じて注目楽曲情報として自動的に選定して当該試聴データを連続的に自動出力する。
【０２１２】
すなわち、クライアント端末２のＣＰＵ２０３は、ディスプレイ２０６に紹介ページ情報に基づく楽曲紹介画面３１０を表示すると、第２の関連情報連続出力プログラムに従って図３１に示す第２の関連情報連続出力処理手順ＲＴ２を開始する。ＣＰＵ２０３は、かかる第２の関連情報連続出力処理手順ＲＴ２を開始すると、ステップＳＰ２１０において楽曲リスト情報３００の内容の解析として、当該楽曲リスト情報３００内の複数の曲名に処理実行情報３００Ｂ（又は単に試聴データ取得用のＵＲＬ）が対応付けられているか否かを検出する。そしてＣＰＵ２０３は、その検出結果に応じて、楽曲リスト情報３００内の複数の曲名の中に、試聴データが対応付けられ、かつ基準設定順序に準じて注目楽曲情報として選定すべき曲名が存在するか否かを判別する。このステップＳＰ２１０において肯定結果が得られると、このことは音楽データ配信サーバＳＶ１側で楽曲リスト情報３００内の複数の曲名が連続出力対応として設定され、試聴データが対応付けられているものの、未だ注目楽曲情報として選定してはいない曲名が存在することを表している。従ってＣＰＵ２０３は、このとき次のステップＳＰ２１１に移る。ただしＣＰＵ２０３は、初めてステップＳＰ２１０の処理を実行したときだけは、楽曲リスト情報３００内の複数の曲名のうち試聴データが対応付けられている曲名のみを、新たに連続出力対応として設定し直す。そしてＣＰＵ２０３は、ステップＳＰ２１０の処理を２回目以降実行するときには、自己が楽曲リスト情報３００内で連続出力対応として設定した複数の曲名に対する当該設定を利用して、楽曲リスト情報３００内の複数の曲名の中に、試聴データが対応付けられ、かつ基準設定順序に準じて注目楽曲情報として選定すべき曲名が存在するか否かを判別する。
【０２１３】
ステップＳＰ２１１においてＣＰＵ２０３は、楽曲紹介画面３１０上で楽曲リスト情報３００内の自己が連続出力対応として設定した複数の曲名のうち１つを基準設定順序に従い注目楽曲情報として自動的に選定すると共に、当該注目楽曲情報として選定した曲名をこれを表示している曲名表示欄３１１ＡＡ乃至３１１ＡＥと共に強調表示して、ステップＳＰ２１２に移る。ステップＳＰ２１２においてＣＰＵ２０３は、注目楽曲情報として選定した曲名に関連付けられている処理実行情報３００Ｂ内のＵＲＬを利用して試聴データ要求信号を通信処理部２１４及びネットワークインタフェース２１５を順次介して音楽データ配信サーバＳＶ１に送信する。その結果、ＣＰＵ２０３は、音楽データ配信サーバＳＶ１からストリーミング形式で送信される試聴データをネットワークインタフェース２１５及び通信処理部２１４を順次介して受信しながら音声処理部２０９を介してスピーカ２１０に送出することにより、当該スピーカ２１０から試聴データに基づく試聴楽曲を出力させてユーザに試聴させる。そしてＣＰＵ２０３は、試聴データに対する試聴楽曲としての出力の終了を検出すると、ステップＳＰ２１０に戻る。
【０２１４】
従ってＣＰＵ２０３は、この後、ステップＳＰ２１０において否定結果を得るまでの間は、ステップＳＰ２１０乃至ステップＳＰ２１２の処理を循環的に繰り返し実行することにより、楽曲リスト情報３００内の自己が連続出力対応として設定した複数の曲名を基準設定順序に従い注目楽曲情報として自動的に選定しながら、当該複数の曲名に対応付けられている複数の試聴データを取得し試聴楽曲として連続的に自動出力する。ところで上述のステップＳＰ２１０において否定結果が得られると、このことは楽曲リスト情報３００内の自己が連続出力対応として設定した複数の曲名を全て注目楽曲情報として選定し、当該曲名に対応付けられている全ての試聴データに対する連続的な自動出力が完了したことを表している。又はこのステップＳＰ２１０において否定結果が得られると、このことは音楽データ配信サーバＳＶ１側で楽曲リスト情報３００内の複数の曲名が連続出力対応として設定されてはいないことで試聴データの対応付けられた曲名が存在しないことを表している。従ってＣＰＵ２０３は、このときステップＳＰ２１３に移って、かかる第２の関連情報連続出力処理手順ＲＴ２を終了する。このようにしてＣＰＵ２０３は、音楽データ配信サーバＳＶ１から紹介ページ情報を取得した場合、楽曲リスト情報３００内の複数の曲名が連続出力対応として設定されているか否かを何ら気にせずに第２の関連情報連続出力処理手順ＲＴ２を実行して、試聴データの対応付けられている曲名のみを的確に注目楽曲情報として選定して当該試聴データを連続的に自動出力することができる。
【０２１５】
なおクライアント端末２のＣＰＵ２０３は、かかる第２の関連情報連続出力処理手順ＲＴ２の実行中に、楽曲リスト情報３００の内容を解析するようにしたが、これに限らず、紹介ページ情報を取得した際（又は楽曲紹介画面３１０を生成した際）に楽曲リスト情報３００の内容を解析し、当該楽曲リスト情報３００内の複数の曲名が連続出力対応として設定されていると判別したときのみ、当該第２の関連情報連続出力処理手順ＲＴ２を開始するようにしても良い。これにより第２の関連情報連続出力処理プログラムを、楽曲リスト情報３００の内容を解析するための処理を特には実行しないように構成することができ、かくして第２の関連情報連続出力処理手順ＲＴ２の処理を簡易化することができる。そしてクライアント端末２のＣＰＵ２０３は、かかる第２の関連情報連続出力処理手順ＲＴ２の実行中に、楽曲リスト情報３００の内容を解析し試聴データの対応付けられている曲名のみを連続出力対応として設定するようにしたが、これに限らず、ユーザに対し、ユーザインタフェースとしての楽曲紹介画面３１０上で、対応通知表示子３１１Ｃにより試聴データの対応付けられている曲名を確認させ、その確認結果に応じて楽曲リスト情報３００内で試聴データの対応付けられている曲名のみを連続出力対応として設定させるようにしても良い。このようにしてユーザに対し、試聴データの対応付けられている曲名を連続出力対応として設定させた場合も、上述と同様に第２の関連情報連続出力処理プログラムを、楽曲リスト情報３００の内容を解析するための処理を特には実行しないように構成することができ、かくして第２の関連情報連続出力処理手順ＲＴ２の処理を簡易化することができる。
【０２１６】
またクライアント端末２のＣＰＵ２０３は、音楽データ配信サーバＳＶ１から紹介ページ情報を取得した場合、楽曲リスト情報３００内の複数の曲名が連続出力対応として設定されているか否かを何ら気にせずに第２の関連情報連続出力処理手順ＲＴ２を実行するようにしたが、これに限らず、予め、紹介ページ情報に連続出力可能識別情報３００Ｆが含まれているか否かを判別し、その判別結果に応じて、当該紹介ページ情報に連続出力可能識別情報３００Ｆが含まれているときにのみ、かかる第２の関連情報連続出力処理手順ＲＴ２を開始するようにしても良い。これに加えてクライアント端末２のＣＰＵ２０３は、かかる事前の判別処理を実行しなくても、楽曲紹介画面３１０上で連続出力通知表示子３１５の存在を確認したユーザにより、筐体表面やリモートコントローラに設けられた操作ボタンを介して処理実行命令が入力されたことに応じて第２の関連情報連続出力処理手順ＲＴ２を開始するようにしても良い。またクライアント端末２のＣＰＵ２０３は、図３０について上述したディスプレイ２０６を介して楽曲紹介画面３１０内で連続出力通知表示子３１５の表示を確認したユーザにより処理実行指示ボタン３４０が選択指示されたことに応じて、かかる第２の関連情報連続出力処理手順ＲＴ２を開始するようにしても良い。これによりクライアント端末２のＣＰＵ２０３は、音楽データ配信サーバＳＶ１から紹介ページ情報を取得しても、楽曲リスト情報３００内の複数の曲名が連続出力対応として設定されているときのみ第２の関連情報連続出力処理手順ＲＴ２を実行するため、ダウンロード可能な音楽データの紹介時に処理負荷を低減させることができる。
【０２１７】
（２−２−２）第３の関連情報連続出力処理手順
次いで、クライアント端末２のＣＰＵ２０３が実行する第３の関連情報連続出力処理手順について説明する。この場合、クライアント端末２のＣＰＵ２０３は、音楽データ配信サーバＳＶ１から取得した紹介ページ情報に基づき上述と同様に楽曲紹介画面３１０を生成してディスプレイ２０６に表示する。この状態でクライアント端末２のＣＰＵ２０３は、楽曲リスト情報３００の複数の曲名を基準設定順序で注目楽曲情報として自動的に選定するものの、当該注目楽曲情報として選定した曲名に試聴データが対応付けられているときのみ、関連情報連続出力処理を継続して当該試聴データを連続的に自動出力する。
【０２１８】
すなわちクライアント端末２のＣＰＵ２０３は、ディスプレイ２０６に紹介ページ情報に基づく楽曲紹介画面３１０を表示すると、第３の関連情報連続出力プログラムに従って図３２に示す第３の関連情報連続出力処理手順ＲＴ３を開始する。ＣＰＵ２０３は、かかる第３の関連情報連続出力処理手順ＲＴ３を開始すると、ステップＳＰ２２０において楽曲紹介画面３１０上で、楽曲リスト情報３００内の複数の曲名のうち基準設定順序で先頭の曲名を注目楽曲情報として自動的に選定すると共に、当該注目楽曲情報として選定した曲名をこれを表示している曲名表示欄３１１ＡＡ乃至３１１ＡＥと共に強調表示して、次のステップＳＰ２２１に移る。ステップＳＰ２２１においてＣＰＵ２０３は、注目楽曲情報として選定した曲名に試聴データが対応付けられているか否かを判別する。このステップＳＰ２２１において肯定結果が得られると、このことは音楽データ配信サーバＳＶ１側で楽曲リスト情報３００内の複数の曲名が連続出力対応として設定されており、注目楽曲情報として選定した曲名に処理実行情報３００Ｂが関連付けられていることを表している。従ってＣＰＵ２０３は、このとき次のステップＳＰ２２２に移る。
【０２１９】
ステップＳＰ２２２においてＣＰＵ２０３は、注目楽曲情報として選定した曲名に関連付けられている処理実行情報３００Ｂ内のＵＲＬを利用して試聴データ要求信号を通信処理部２１４及びネットワークインタフェース２１５を順次介して音楽データ配信サーバＳＶ１に送信する。その結果、ＣＰＵ２０３は、音楽データ配信サーバＳＶ１からストリーミング形式で送信される試聴データをネットワークインタフェース２１５及び通信処理部２１４を順次介して受信しながら音声処理部２０９を介してスピーカ２１０に送出することにより、当該スピーカ２１０から試聴データに基づく試聴楽曲を出力させてユーザに試聴させる。そしてＣＰＵ２０３は、試聴データに対する試聴楽曲としての出力の終了を検出すると、次のステップＳＰ２２３に移る。
【０２２０】
ステップＳＰ２２３においてＣＰＵ２０３は、楽曲リスト情報３００内の連続出力対応として設定されている複数の曲名の中に、基準設定順序で次に注目楽曲情報として選定すべき曲名が存在するか否かを判別する。このステップＳＰ２２３において肯定結果が得られると、このことは楽曲リスト情報３００内の連続出力対応として設定されている全ての曲名を未だ注目楽曲情報として選定し終えてはいないことを表している。従ってＣＰＵ２０３は、このとき次のステップＳＰ２２４に移る。ステップＳＰ２２４においてＣＰＵ２０３は、楽曲紹介画面３１０上で楽曲リスト情報３００内の連続出力対応として設定されている曲名のうち基準設定順序で次の曲名を注目楽曲情報として自動的に選定すると共に、当該注目楽曲情報として選定した曲名をこれを表示している曲名表示欄３１１ＡＡ乃至３１１ＡＥと共に強調表示して、ステップＳＰ２２１に戻る。従ってＣＰＵ２０３は、この後、ステップＳＰ２２１及びステップＳＰ２２３において否定結果を得るまでの間は、ステップＳＰ２２１乃至ステップＳＰ２２４の処理を循環的に繰り返し実行することにより、楽曲リスト情報３００内の連続出力対応として設定されている複数の曲名を基準設定順序で注目楽曲情報として自動的に選定しながら、当該注目楽曲情報として選定した曲名に対応付けられている複数の試聴データを取得し試聴楽曲として連続的に自動出力する。
【０２２１】
ところで上述のステップＳＰ２２１において否定結果が得られると、このことは楽曲リスト情報３００内の複数の曲名が連続出力対応として設定されているものの、その時点で注目楽曲情報として選定した曲名には試聴データが対応付けられていないことを表している。又はこのステップＳＰ２２１において否定結果が得られると、このことは楽曲リスト情報３００内の複数の曲名が連続出力対応として設定されてはいないことで試聴データの対応付けられた曲名が存在しないことを表している。従ってＣＰＵ２０３は、このときステップＳＰ２２５に移って、かかる第３の関連情報連続出力処理手順ＲＴ３を終了する。また上述のステップＳＰ２２３において否定結果が得られると、このことは音楽データ配信サーバＳＶ１側で楽曲リスト情報３００内の複数の曲名が連続出力対応として設定され、かつこれら全ての曲名にそれぞれ試聴データが対応付けられており、当該全ての曲名を基準設定順序で注目楽曲情報として選定しながら、これら曲名に対応付けられている全ての試聴データの連続的な自動出力が完了したことを表している。従ってＣＰＵ２０３は、このときステップＳＰ２２５に移る。このようにしてＣＰＵ２０３は、楽曲リスト情報３００内の複数の曲名が連続出力対応として設定されていても、試聴データの対応付けられている曲名が少ない場合、単に試聴データの対応付けられていない複数の曲名を連続的に注目楽曲情報として選定し強調表示することを回避することができる。すなわちＣＰＵ２０３は、試聴データの対応付けられている曲名が少ない場合、ダウンロード可能な音楽データを試聴楽曲により効率良く紹介することができる。
【０２２２】
なおクライアント端末２のＣＰＵ２０３は、音楽データ配信サーバＳＶ１から紹介ページ情報を取得した場合、楽曲リスト情報３００内の複数の曲名が連続出力対応として設定されているか否かを何ら気にせずに第３の関連情報連続出力処理手順ＲＴ３を実行するようにしたが、これに限らず、予め、紹介ページ情報に連続出力可能識別情報３００Ｆが含まれているか否かを判別し、その判別結果に応じて、当該紹介ページ情報に連続出力可能識別情報３００Ｆが含まれているときにのみ、かかる第３の関連情報連続出力処理手順ＲＴ３を開始するようにしても良い。これに加えてクライアント端末２のＣＰＵ２０３は、かかる事前の判別処理を実行しなくても、楽曲紹介画面３１０上で連続出力通知表示子３１５の存在を確認したユーザにより、筐体表面やリモートコントローラに設けられた操作ボタンを介して処理実行命令が入力されたことに応じて第３の関連情報連続出力処理手順ＲＴ３を開始するようにしても良い。またクライアント端末２のＣＰＵ２０３は、図３０について上述したディスプレイ２０６を介して楽曲紹介画面３１０内で連続出力通知表示子３１５の表示を確認したユーザにより処理実行指示ボタン３４０が選択指示されたことに応じて、かかる第３の関連情報連続出力処理手順ＲＴ３を開始するようにしても良い。これによりクライアント端末２のＣＰＵ２０３は、音楽データ配信サーバＳＶ１から紹介ページ情報を取得しても、楽曲リスト情報３００内の複数の曲名が連続出力対応として設定されているときのみ第３の関連情報連続出力処理手順ＲＴ３を実行するため、ダウンロード可能な音楽データの紹介時に処理負荷を低減させることができる。
【０２２３】
（２−２−３）第４の関連情報連続出力処理手順
次いで、クライアント端末２のＣＰＵ２０３が実行する第４の関連情報連続出力処理手順について説明する。この場合、クライアント端末２のＣＰＵ２０３は、音楽データ配信サーバＳＶ１から取得した紹介ページ情報に基づき上述と同様に楽曲紹介画面３１０を生成してディスプレイ２０６に表示する。この状態でクライアント端末２のＣＰＵ２０３は、楽曲リスト情報３００内の複数の曲名が連続出力対応として設定されていると、当該楽曲リスト情報３００内の連続出力対応として設定されている曲名を基準設定順序で注目楽曲情報として自動的に選定しながら、当該注目楽曲情報として選定した曲名に対応付けられている試聴データを連続的に自動出力する。またクライアント端末２のＣＰＵ２０３は、注目楽曲情報として自動的に選定した曲名に試聴データが対応付けられていないときには、当該曲名を例えば第１の一定時間継続して注目楽曲情報として選定したまま強調表示する。
【０２２４】
これに加えてクライアント端末２のＣＰＵ２０３は、関連情報連続出力処理の実行途中に、ユーザに対し、試聴データの対応付けられていない曲名を、例えば詳細情報の閲覧等のために任意に注目楽曲情報として選定させることができる。そしてクライアント端末２のＣＰＵ２０３は、このようにユーザにより、試聴データの対応付けられていない曲名が注目楽曲情報として選定されたときには、かかる曲名を第１の一定時間よりも長い第２の一定時間継続して注目楽曲情報として選定したまま強調表示する。
【０２２５】
すなわち、クライアント端末２のＣＰＵ２０３は、例えば図３０について上述した場合と同様に、ディスプレイ２０６に対し楽曲紹介画面３１０と共に処理命令入力画面３４１表示し、かかる楽曲紹介画面３１０内で連続出力通知表示子３１５の表示を確認したユーザにより処理実行指示ボタン３４０が選択指示されると、これに応じて第４の関連情報連続出力プログラムに従って図３３に示す第４の関連情報連続出力処理手順ＲＴ４を開始する。ＣＰＵ２０３は、かかる第４の関連情報連続出力処理手順ＲＴ４を開始すると、ステップＳＰ２３０において楽曲紹介画面３１０上で、楽曲リスト情報３００内の連続出力対応として設定されている複数の曲名のうち基準設定順序で先頭の曲名を注目楽曲情報として自動的に選定すると共に、当該注目楽曲情報として選定した曲名をこれを表示している曲名表示欄３１１ＡＡ乃至３１１ＡＥと共に強調表示して、次のステップＳＰ２３１に移る。ステップＳＰ２３１においてＣＰＵ２０３は、注目楽曲情報として選定した曲名に試聴データが対応付けられているか否かを判別する。このステップＳＰ２３１において肯定結果が得られると、このことは注目楽曲情報として選定した曲名に処理実行情報３００Ｂが関連付けられていることを表している。従ってＣＰＵ２０３は、このとき次のステップＳＰ２３２に移る。
【０２２６】
ステップＳＰ２３２においてＣＰＵ２０３は、注目楽曲情報として選定した曲名に関連付けられている処理実行情報３００Ｂ内のＵＲＬを利用して試聴データ要求信号を通信処理部２１４及びネットワークインタフェース２１５を順次介して音楽データ配信サーバＳＶ１に送信する。その結果、ＣＰＵ２０３は、音楽データ配信サーバＳＶ１からストリーミング形式で送信される試聴データをネットワークインタフェース２１５及び通信処理部２１４を順次介して受信しながら音声処理部２０９を介してスピーカ２１０に送出することにより、当該スピーカ２１０から試聴データに基づく試聴楽曲を出力させてユーザに試聴させる。そしてＣＰＵ２０３は、試聴データに対する試聴楽曲としての出力の終了を検出すると、次のステップＳＰ２３３に移る。
【０２２７】
ステップＳＰ２３３においてＣＰＵ２０３は、楽曲リスト情報３００内の連続出力対応として設定されている複数の曲名の中に、基準設定順序で次に注目楽曲情報として選定すべき曲名が存在するか否かを判別する。このステップＳＰ２３３において肯定結果が得られると、このことは楽曲リスト情報３００内の連続出力対応として設定されている全ての曲名を未だ注目楽曲情報として選定し終えてはいないことを表している。従ってＣＰＵ２０３は、このとき次のステップＳＰ２３４に移る。ステップＳＰ２３４においてＣＰＵ２０３は、楽曲紹介画面３１０上で楽曲リスト情報３００内の連続出力対応として設定されている曲名のうち基準設定順序で次の曲名を注目楽曲情報として自動的に選定すると共に、当該注目楽曲情報として選定した曲名をこれを表示している曲名表示欄３１１ＡＡ乃至３１１ＡＥと共に強調表示して、ステップＳＰ２３１に戻る。従ってＣＰＵ２０３は、この後、ステップＳＰ２３１及びステップＳＰ２３３において否定結果を得るまでの間は、ステップＳＰ２３１乃至ステップＳＰ２３４の処理を循環的に繰り返し実行することにより、楽曲リスト情報３００内の連続出力対応として設定されている複数の曲名を基準設定順序で注目楽曲情報として自動的に選定しながら、当該複数の曲名に対応付けられている複数の試聴データを取得し試聴楽曲として連続的に自動出力する。
【０２２８】
ところで上述のステップＳＰ２３１において否定結果が得られると、このことは現時点に注目楽曲情報として選定した曲名には試聴データが対応付けられていないことを表している。従ってＣＰＵ２０３は、このときステップＳＰ２３５に移る。ステップＳＰ２３５においてＣＰＵ２０３は、現時点に注目楽曲情報として選定している曲名がユーザにより選択された曲名であるか否かを判別する。このステップＳＰ２３５において肯定結果が得られると、このことは現時点に注目楽曲情報として選定している曲名は、楽曲紹介画面３１０上で、例えばユーザにより詳細情報の閲覧のために任意に選択指示された曲名であることを表している。従ってＣＰＵ２０３は、このとき次のステップＳＰ２３６に移る。ステップＳＰ２３６においてＣＰＵ２０３は、例えば紹介ページ情報に含まれている第２の選定継続時間情報に従い、楽曲紹介画面３１０上で、ユーザにより選択指示された曲名をそのまま注目楽曲情報として第２の一定時間継続して選定し、かつ当該曲名をこれが表示される曲名表示欄３１１ＡＢ乃至３１１ＡＥと共に継続して強調表示する。そしてＣＰＵ２０３は、かかる曲名に対する注目楽曲情報としての選定時間が第２の一定時間経過したことを検出すると、ステップＳＰ２３３に移る。
【０２２９】
またステップＳＰ２３５において否定結果が得られると、このことは現時点に注目楽曲情報として選定している曲名は、ＣＰＵ２０３自身が楽曲リスト情報３００内の連続出力対応として設定されている複数の曲名の中から基準設定順序で注目楽曲情報として自動的に選定したものであることを表している。従ってＣＰＵ２０３は、このときステップＳＰ２３７に移る。ステップＳＰ２３７においてＣＰＵ２０３は、例えば紹介ページ情報に含まれている第１の選定継続時間情報に従い、楽曲紹介画面３１０上で、ＣＰＵ２０３自身が注目楽曲情報として自動的に選定した曲名をそのまま注目楽曲情報として第１の一定時間継続して選定し、かつ当該曲名をこれが表示される曲名表示欄３１１ＡＢ乃至３１１ＡＥと共に継続して強調表示する。そしてＣＰＵ２０３は、かかる曲名に対する注目楽曲情報としての選定時間が第１の一定時間経過したことを検出すると、ステップＳＰ２３３に移る。このようにしてＣＰＵ２０３は、試聴データの対応付けられていない曲名を注目楽曲情報として選定した場合、当該曲名の注目楽曲情報としての選定の経緯に応じてステップＳＰ２３６及びステップＳＰ２３７の処理を選択的に実行する。
【０２３０】
そして上述のステップＳＰ２３３において否定結果が得られると、このことは楽曲リスト情報３００内の連続出力対応として設定されている全ての曲名を注目楽曲情報として選定し、これら曲名に対応付けられている全ての試聴データの連続的な自動出力が完了したことを表している。従ってＣＰＵ２０３は、このときステップＳＰ２３８に移り、かかる第４の関連情報連続出力処理手順ＲＴ４を終了する。このようにしてＣＰＵ２０３は、かかる第４の関連情報連続出力処理手順ＲＴ４を実行した場合、楽曲リスト情報３００内の複数の曲名が連続出力対応として設定されていると、ダウンロード可能な全ての音楽データを、試聴データに基づく試聴楽曲や強調表示した曲名により的確に紹介することができる。またＣＰＵ２０３は、かかる第４の関連情報連続出力処理手順ＲＴ４の実行途中に、楽曲紹介画面３１０上でユーザにより実行された、試聴データの対応付けられていない曲名に対する選択指示を受け付けるようにしたことで、複数の曲名に対応付けられている複数の試聴データを試聴楽曲として連続的に自動出力しながら、ユーザによる例えば詳細情報の閲覧要求に的確に応じることができる。そしてＣＰＵ２０３は、楽曲紹介画面３１０上でユーザにより、試聴データの対応付けられていない曲名が選択指示されたとき、ＣＰＵ２０３自身が試聴データの対応付けられていない曲名を注目楽曲情報として選定したときよりも長い時間、当該ユーザにより選択指示された曲名を注目楽曲情報として選定したままにすることで、ユーザに対し当該選択指示された曲名に対応する詳細情報の内容を的確に確認させることができる。
【０２３１】
なおクライアント端末２のＣＰＵ２０３は、かかる第４の関連情報連続出力処理手順ＲＴ４において、注目楽曲情報として選定した曲名に処理実行情報３００Ｂが関連付けられていない場合、紹介ページ情報に含まれる第１及び第２の選定継続時間情報に従い、当該曲名を注目楽曲情報として第１及び第２の一定時間継続して選定するようにしたが、これに限らず、ＣＰＵ２０３自身が曲名を自動的に選定したときに利用する一定時間よりもユーザにより曲名が任意に選択指示されたときに利用する一定時間を長くすれば、これら曲名を注目楽曲情報として、クライアント端末２に予め設定されていたそれぞれ異なる所定時間でなる２種類の一定時間継続して選定し、又は当該曲名を注目楽曲情報としてユーザにより任意に設定されたそれぞれ異なる所定時間でなる２種類の一定時間継続して選定するようにしても良い。
【０２３２】
またクライアント端末２のＣＰＵ２０３は、かかる第４の関連情報連続出力処理手順ＲＴ４において、曲名を基準設定順序で注目楽曲情報として自動的に選定していた途中に、ユーザにより任意に選択指示された曲名を注目楽曲情報として第２の一定時間継続して選定した場合、再び曲名を基準設定順序に戻って注目楽曲情報として自動的に選定するようにしたが、これに限らず、ユーザにより任意に選択指示された曲名を注目楽曲情報として第２の一定時間継続して選定した後、基準設定順序に従い、当該任意に選択指示された曲名の次に選定すべき曲名を新たに注目楽曲情報として自動的に選定するようにしても良い。これによりＣＰＵ２０３は、自己が注目楽曲情報として選定する前の曲名をユーザが先に選択指示したために、当該ユーザにより選択指示された曲名を注目楽曲情報として選定した後、自己が再び同じ曲名を注目楽曲情報として選定することを回避することができ、かくして曲名に対する注目楽曲情報としての選定処理が煩雑化することを回避することができる。
【０２３３】
さらにクライアント端末２のＣＰＵ２０３は、図３０について上述したディスプレイ２０６を介して楽曲紹介画面３１０内で連続出力通知表示子３１５の表示を確認したユーザにより処理実行指示ボタン３４０が選択指示されたことに応じて、第４の関連情報連続出力処理手順ＲＴ４を開始するようにしたが、これに限らず、予め、紹介ページ情報に連続出力可能識別情報３００Ｆが含まれているか否かを判別し、その判別結果に応じて、当該紹介ページ情報に連続出力可能識別情報３００Ｆが含まれているときに、かかる第４の関連情報連続出力処理手順ＲＴ４を開始するようにしても良い。これに加えてクライアント端末２のＣＰＵ２０３は、かかる事前の判別処理を実行しなくても、楽曲紹介画面３１０上で連続出力通知表示子３１５の存在を確認したユーザにより、筐体表面やリモートコントローラに設けられた操作ボタンを介して処理実行命令が入力されたことに応じて第４の関連情報連続出力処理手順ＲＴ４を開始するようにしても良い。このようにしても、クライアント端末２のＣＰＵ２０３は、音楽データ配信サーバＳＶ１から、複数の曲名が連続出力対応として設定されている楽曲リスト情報３００を含む紹介ページ情報を取得したときにのみ第４の関連情報連続出力処理手順ＲＴ４を的確に実行することができる。
【０２３４】
（２−２−４）第５の関連情報連続出力処理手順
次いで、クライアント端末２のＣＰＵ２０３が実行する第５の関連情報連続出力処理手順について説明する。この場合、クライアント端末２のＣＰＵ２０３は、音楽データ配信サーバＳＶ１から紹介ページ情報を取得すると、当該紹介ページ情報に含まれる楽曲リスト情報３００の内容を解析することにより、当該楽曲リスト情報３００内の複数の曲名のうち試聴データが対応付けられている（すなわち、処理実行情報３００Ｂ又は試聴データ取得用のＵＲＬが関連付けられている）曲名を検出する。そしてＣＰＵ２０３は、楽曲リスト情報３００内で試聴データが対応付けられている曲名のみを連続出力対応として設定する。またＣＰＵ２０３は、上述と同様にして紹介ページ情報に基づき楽曲紹介画面データを生成する。そしてＣＰＵ２０３は、予めハードディスクドライブ２１１に記憶しているユーザインタフェースとしての出力形態設定画面データに、かかる楽曲紹介画面データを合成して合成画面データを生成し、これを表示処理部２０７を介してディスプレイ２０６に送出する。これによりＣＰＵ２０３は、かかるディスプレイ２０６に対し合成画面データに基づき例えば図３４に示す出力形態設定画面３５０を表示する。
【０２３５】
この場合、出力形態設定画面３５０は、画面上側に楽曲紹介画面表示領域３５１が設けられると共に、当該楽曲紹介画面表示領域３５１の下側にボタン配置領域３５２が設けられている。そして楽曲紹介画面表示領域３５１には、楽曲紹介画面３１０が嵌め込まれて表示されている。またボタン配置領域３５２には、ＣＰＵ２０３が楽曲リスト情報３００内で連続出力対応として設定した複数の曲名に対応する複数の試聴データの出力形態を、当該試聴データを基準設定順序に準じて出力するデータ出力形態（すなわち、コンティニュ）や、変更出力形態としての複数繰返出力形態及び単一繰返出力形態（すなわち、リピート）、また並替出力形態（すなわち、シャッフル）に設定するためのデータ出力形態設定ボタン３５３や繰返出力形態設定ボタン３５４、また並替出力形態設定ボタン３５５が設けられている。さらにボタン配置領域３５２には、ＣＰＵ２０３が楽曲リスト情報３００内で連続出力対応として設定した複数の曲名に対応する複数の試聴データの出力形態を、変更出力形態としての無作為選択出力形態（すなわち、ランダム）や順序設定出力形態（すなわち、プログラム）に設定するための無作為選択出力形態設定ボタン３５６や順序設定出力形態設定ボタン３５７も設けられている。これに加えてボタン配置領域３５２には、第５の関連情報連続出力処理手順の実行を指示する処理実行指示ボタン３５８も設けられている。
【０２３６】
ＣＰＵ２０３は、ディスプレイ２０６に出力形態設定画面３５０を表示した状態で、当該出力形態設定画面３５０上で、ユーザによりデータ出力形態設定ボタン３５３が選択指示されると、これに応じて試聴データに対する出力形態をデータ出力形態に設定する。そしてＣＰＵ２０３は、かかる設定状態で処理実行指示ボタン３５８の選択指示に応じて関連情報連続出力処理を実行した場合、ＣＰＵ２０３自身が連続出力対応として設定した複数の曲名に対応する複数の試聴データを、基準設定順序に準じた順番で連続的に自動出力する。
【０２３７】
ところで出力形態設定画面３５０に設けられた繰返出力形態設定ボタン３５４は、例えばトグルボタン構成とされている。そして繰返出力形態設定ボタン３５４は、１回選択指示されると、これに応じて試聴データに対する出力形態を単一繰返出力形態に設定するための第１の設定命令を入力し、再び選択指示されると、これに応じて試聴データに対する出力形態を複数繰返出力形態に設定するための第２の設定命令を入力し、さらに選択指示されると、これに応じて試聴データに対する単一繰返出力形態及び複数繰返出力形態の設定命令の入力を解除するための解除命令を入力するように形成されている。このようにして繰返出力形態設定ボタン３５４は、３回選択指示され解除命令を入力すると、再び第１の設定命令を入力可能な状態になり、その選択指示の繰り返しに応じて、第１の設定命令、第２の設定命令及び解除命令を循環的に切り替えて入力可能な状態となる。
【０２３８】
従ってＣＰＵ２０３は、出力形態設定画面３５０上で、ユーザにより繰返出力形態設定ボタン３５４が第１の設定命令を入力可能な状態で１回選択指示されると（すなわち、第１の設定命令が入力されると）、これに応じて試聴データに対する出力形態を単一繰返出力形態に設定する。そしてＣＰＵ２０３は、このとき紹介ページ情報に含まれている処理制御情報又はクライアント端末２に対し予め設定されている設定内容に応じて、当該ＣＰＵ２０３自身が連続出力対応として設定した複数の曲名のうち、例えば先頭の曲名のように特定の１つの曲名を、これに対応する試聴データのみの繰り返し出力用に注目楽曲情報として選定する唯一の曲名に初期設定する。ただしＣＰＵ２０３は、このとき処理制御情報又はクライアント端末２の設定情報に応じて、注目楽曲情報として選定する唯一の曲名を初期設定しても、この後、ユーザにより楽曲紹介画面３１０内で任意に１つの曲名が選択指示されると、当該ユーザにより選択指示された曲名を、これに対応する試聴データのみの繰り返し出力用に注目楽曲情報として選定する唯一の曲名に設定する。このような状態でＣＰＵ２０３は、ユーザによる処理実行指示ボタン３５８の選択指示に応じて関連情報連続出力処理を実行した場合、予めクライアント端末２に対して設定されている、又はユーザにより任意に設定された最大選定回数に達するまで、試聴データの出力対応として設定した唯一の曲名を順次注目楽曲情報として自動的に選定しながら、その都度、当該曲名に対応する試聴データを自動出力するようにして当該試聴データを順次繰り返し連続的に自動出力する。
【０２３９】
またＣＰＵ２０３は、出力形態設定画面３５０上で、ユーザにより繰返出力形態設定ボタン３５４が第１の設定命令を入力可能な状態から２回選択指示されると（すなわち、第２の設定命令が入力されると）、これに応じて試聴データに対する出力形態を複数繰返出力形態に設定する。かかる設定状態でＣＰＵ２０３は、ユーザによる処理実行指示ボタン３５８の選択指示に応じて関連情報連続出力処理を実行した場合、当該ＣＰＵ２０３自身が連続出力対応として設定した複数の曲名に対応する複数の試聴データ全体を、クライアント端末２に対し予め設定されている、又はユーザにより任意に設定された最大繰返回数に達するまで循環的に繰り返すようにして連続的に自動出力する。
【０２４０】
さらにＣＰＵ２０３は、出力形態設定画面３５０上で、ユーザにより並替出力形態設定ボタン３５５が選択指示されると、これに応じて試聴データに対する出力形態を並替出力形態に設定する。そしてＣＰＵ２０３は、かかる設定状態でユーザによる処理実行指示ボタン３５８の選択指示に応じて関連情報連続出力処理を実行した場合、ＣＰＵ２０３自身が連続出力対応として設定した複数の曲名の中から、例えば所定の乱数発生器に発生させた乱数に応じて順次１つの曲名を重複しないように無作為に選択して当該選択した曲名を注目楽曲情報として自動的に選定しながら、当該注目楽曲情報として選定した曲名に対応する試聴データを連続的に自動出力する。
【０２４１】
さらにＣＰＵ２０３は、出力形態設定画面３５０上で、ユーザにより無作為選択出力形態設定ボタン３５６が選択指示されると、これに応じて試聴データに対する出力形態を無作為選択出力形態に設定する。そしてＣＰＵ２０３は、かかる設定状態でユーザによる処理実行指示ボタン３５８の選択指示に応じて関連情報連続出力処理を実行した場合、常にＣＰＵ２０３自身が連続出力対応として設定した複数の曲名全体から、例えば所定の乱数発生器に発生させた乱数に応じて順次１つの曲名を無作為に選択して当該選択した曲名を注目楽曲情報として自動的に選定しながら、当該注目楽曲情報として選定した曲名に対応する試聴データを連続的に自動出力する。この際、ＣＰＵ２０３は、楽曲リスト情報３００内で連続出力対応として選定した複数の曲名を、クライアント端末２に対し予め設定されている、又はユーザにより任意に設定された最大選定回数に達するまで順次無作為に選択する。
【０２４２】
さらにＣＰＵ２０３は、出力形態設定画面３５０上で、ユーザにより順序設定出力形態設定ボタン３５７が選択指示されると、これに応じて試聴データに対する出力形態を順序設定出力形態に設定する。このときＣＰＵ２０３は、例えば出力形態設定画面３５０上でユーザにより順序設定出力形態設定ボタン３５７が１回選択指示された後、楽曲紹介画面３１０内で任意に曲名が選択指示され、再び順序設定出力形態設定ボタン３５７が２回連続して選択指示されると、連続出力対応として設定した複数の曲名の中から、実際に注目楽曲情報として選定する曲名、及び当該曲名に対する注目楽曲情報としての選定順序を、ユーザにより選択指示された曲名、及びその曲名が選択指示された順序に設定する。又はＣＰＵ２０３は、自己が楽曲リスト情報３００内で連続出力対応として設定した複数の曲名の中から、所定の乱数発生器に発生させた乱数に応じて任意に曲名を選択し、実際に注目楽曲情報として選定する曲名、及び当該曲名に対する注目楽曲情報としての選定順序を、自己が任意に選択した曲名、及びその曲名を選択した順序に設定する。因みにＣＰＵ２０３は、試聴データに対する出力形態を順序設定出力形態に設定した場合、自己が楽曲リスト情報３００内で連続出力対応として設定した複数の曲名の中から、実際に注目楽曲情報として選定する曲名を重複して選択し得ると共に、当該連続出力対応として設定した複数の曲名の中から何れかのみ（すなわち、連続出力対応として設定した全ての曲名ではない）を実際に注目楽曲情報として選定するように選択することができる。そしてＣＰＵ２０３は、かかる設定状態でユーザによる処理実行指示ボタン３５８の選択指示に応じて関連情報連続出力処理を実行した場合、ユーザ又はＣＰＵ２０３が任意に選択した複数の曲名を、当該任意に選択した順序で注目楽曲情報として選定しながら、当該注目楽曲情報として選定した曲名に対応する試聴データを連続的に自動出力する。
【０２４３】
実際上、クライアント端末２のＣＰＵ２０３は、ディスプレイ２０６に表示させた出力形態設定画面３５０上でユーザの操作に応じて何れかの出力形態を設定した後、処理実行指示ボタン３５８が選択指示されると、これに応じて第５の関連情報連続出力プログラムに従って図３５及び図３６に示す第５の関連情報連続出力処理手順ＲＴ５を開始する。ＣＰＵ２０３は、かかる第５の関連情報連続出力処理手順ＲＴ５を開始すると、ステップＳＰ２４０において、試聴データに対する出力形態を単一繰返出力形態に設定しているか否かを判別する。このステップＳＰ２４０において肯定結果が得られると、このことは現時点においては出力形態を単一繰返出力形態に設定していることを表している。従ってＣＰＵ２０３は、このとき次のステップＳＰ２４１に移る。ステップＳＰ２４１においてＣＰＵ２０３は、楽曲紹介画面３１０上で、楽曲リスト情報３００内の自己が連続出力対応として設定した複数の曲名のうち、試聴データの出力対応として設定している唯一の曲名を注目楽曲情報として選定すると共に、当該注目楽曲情報として選定した曲名をこれを表示している曲名表示欄３１１ＡＡ乃至３１１ＡＥと共に強調表示して、次のステップＳＰ２４２に移る。
【０２４４】
ステップＳＰ２４２においてＣＰＵ２０３は、注目楽曲情報として選定した唯一の曲名に関連付けられている処理実行情報３００Ｂ内のＵＲＬを利用して試聴データ要求信号を通信処理部２１４及びネットワークインタフェース２１５を順次介して音楽データ配信サーバＳＶ１に送信する。その結果、ＣＰＵ２０３は、音楽データ配信サーバＳＶ１からストリーミング形式で送信される試聴データをネットワークインタフェース２１５及び通信処理部２１４を順次介して受信しながら音声処理部２０９を介してスピーカ２１０に送出することにより、当該スピーカ２１０から試聴データに基づく試聴楽曲を出力させてユーザに試聴させる。そしてＣＰＵ２０３は、試聴データに対する試聴楽曲としての出力の終了を検出すると、次のステップＳＰ２４３に移る。
【０２４５】
ステップＳＰ２４３においてＣＰＵ２０３は、試聴データの出力対応として設定された唯一の曲名の選定回数が最大選定回数に達したか否かを判別する。このステップＳＰ２４３において否定結果が得られると、このことは試聴データの出力対応として設定した唯一の曲名を、未だ最大選定回数まで注目楽曲情報として選定してはいないことを表している。従ってＣＰＵ２０３は、このときステップＳＰ２４１に戻る。そしてＣＰＵ２０３は、この後、ステップＳＰ２４３において肯定結果を得るまでの間、ステップＳＰ２４１乃至ステップＳＰ２４３の処理を循環的に繰り返し実行することにより、試聴データの出力対応として設定された唯一の曲名を繰り返し注目楽曲情報として自動的に選定しながら、当該注目楽曲情報として選定した唯一の曲名に対応付けられている１つの試聴データを繰り返し試聴楽曲として連続的に自動出力する。そしてステップＳＰ２４３において肯定結果が得られると、このことは試聴データの出力対応として設定した唯一の曲名を最大選定回数まで注目楽曲情報として選定したことを表している。従ってＣＰＵ２０３は、このとき次のステップＳＰ２４４に移り、かかる第５の関連情報連続出力処理手順ＲＴ５を終了する。このようにしてＣＰＵ２０３は、楽曲リスト情報３００内の複数の曲名のうち１つの曲名に対応付けられている１つの試聴データのみを連続的に自動出力することができる。
【０２４６】
ところで上述のステップＳＰ２４０において否定結果が得られると、このことは現時点においては試聴データに対する出力形態を複数繰返出力形態、並替出力形態、無作為選択出力形態、順序設定出力形態及びデータ出力形態の何れかに設定していることを表している。従ってＣＰＵ２０３は、このときステップＳＰ２４５に移る。そしてステップＳＰ２４５においてＣＰＵ２０３は、出力形態を複数繰返出力形態に設定しているか否かを判別する。このステップＳＰ２４５において肯定結果が得られると、このことは現時点においては出力形態を複数繰返出力形態に設定していることを表している。従ってＣＰＵ２０３は、このとき次のステップＳＰ２４６に移る。そしてステップＳＰ２４６においてＣＰＵ２０３は、楽曲紹介画面３１０上で、楽曲リスト情報３００内の自己が連続出力対応として設定した複数の曲名のうち基準設定順序に準じて１つの曲名を注目楽曲情報として選定すると共に、当該注目楽曲情報として選定した曲名をこれを表示している曲名表示欄３１１ＡＡ乃至３１１ＡＥと共に強調表示して、次のステップＳＰ２４７に移る。ステップＳＰ２４７においてＣＰＵ２０３は、注目楽曲情報として選定した曲名に関連付けられている処理実行情報３００Ｂ内のＵＲＬを利用して試聴データ要求信号を通信処理部２１４及びネットワークインタフェース２１５を順次介して音楽データ配信サーバＳＶ１に送信する。その結果、ＣＰＵ２０３は、音楽データ配信サーバＳＶ１からストリーミング形式で送信される試聴データをネットワークインタフェース２１５及び通信処理部２１４を順次介して受信しながら音声処理部２０９を介してスピーカ２１０に送出することにより、当該スピーカ２１０から試聴データに基づく試聴楽曲を出力させてユーザに試聴させる。そしてＣＰＵ２０３は、試聴データに対する試聴楽曲としての出力の終了を検出すると、次のステップＳＰ２４８に移る。
【０２４７】
ステップＳＰ２４８においてＣＰＵ２０３は、楽曲リスト情報３００内で自己が連続出力対応として設定した複数の曲名に対する基準設定順序に準じた注目楽曲情報として選定が一巡したか否かを判別する。このステップＳＰ２４８において否定結果が得られると、このことは楽曲リスト情報３００内で自己が連続出力対応として設定した複数の曲名に対する注目楽曲情報としての選定が未だ一巡してはいないことを表している。従ってＣＰＵ２０３は、このときステップＳＰ２４６に戻る。そしてＣＰＵ２０３は、この後、ステップＳＰ２４８において肯定結果を得るまでの間、ステップＳＰ２４６乃至ステップＳＰ２４８の処理を循環的に繰り返し実行することにより、楽曲リスト情報３００内で自己が連続出力対応として設定した複数の曲名を基準設定順序に従い一巡するまで注目楽曲情報として選定しながら、当該注目楽曲情報として選定した曲名に対応付けられている試聴データを試聴楽曲として連続的に自動出力する。そしてステップＳＰ２４８において肯定結果が得られると、このことは楽曲リスト情報３００内で自己が連続出力対応として設定した複数の曲名に対する注目楽曲情報としての選定が一巡したことを表している。従ってＣＰＵ２０３は、このとき次のステップＳＰ２４９に移る。
【０２４８】
そしてステップＳＰ２４９においてＣＰＵ２０３は、楽曲リスト情報３００内で自己が連続出力対応として設定した複数の曲名全体に対する繰返選定回数が最大繰返回数に達したか否かを判別する。このステップＳＰ２４９において否定結果が得られると、このことは楽曲リスト情報３００内で自己が連続出力対応として設定した複数の曲名全体を未だ最大繰返回数まで繰り返し注目楽曲情報として選定してはいないことを表している。従ってＣＰＵ２０３は、このときステップＳＰ２４６に戻る。そしてＣＰＵ２０３は、この後、ステップＳＰ２４９において肯定結果を得るまでの間、ステップＳＰ２４６乃至ステップＳＰ２４９の処理を循環的に繰り返し実行することにより、楽曲リスト情報３００内で自己が連続出力対応として設定した複数の曲名全体を基準設定順序に従い最大繰返回数に達するまで、順次繰り返し注目楽曲情報として選定しながら、当該注目楽曲情報として選定した曲名に対応付けられている試聴データを試聴楽曲として順次繰り返し連続的に自動出力する。そしてステップＳＰ２４９において肯定結果が得られると、このことは楽曲リスト情報３００内で自己が連続出力対応として設定した複数の曲名全体を最大繰返回数まで繰り返し注目楽曲情報として選定し終えたことを表している。従ってＣＰＵ２０３は、このとき次のステップＳＰ２４４に移る。このようにしてＣＰＵ２０３は、楽曲リスト情報３００内の複数の曲名に対応付けられている複数の試聴データを順次繰り返し連続的に自動出力することができる。
【０２４９】
ところで上述のステップＳＰ２４５において否定結果が得られると、このことは現時点においては試聴データに対する出力形態を並替出力形態、無作為選択出力形態、順序設定出力形態及びデータ出力形態の何れかに設定していることを表している。従ってＣＰＵ２０３は、このときステップＳＰ２５０に移る。そしてステップＳＰ２５０においてＣＰＵ２０３は、出力形態を並替出力形態に設定しているか否かを判別する。このステップＳＰ２５０において肯定結果が得られると、このことは現時点においては出力形態を並替出力形態に設定していることを表している。従ってＣＰＵ２０３は、このとき次のステップＳＰ２５１に移る。ステップＳＰ２５１においてＣＰＵ２０３は、楽曲紹介画面３１０上で、楽曲リスト情報３００内の自己が連続出力対応として設定した複数の曲名を重複しないように（すなわち、すでに注目楽曲情報として選定した曲名を再び注目楽曲情報として選定しないように）無作為に注目楽曲情報として選定すると共に、当該注目楽曲情報として選定した曲名をこれを表示している曲名表示欄３１１ＡＡ乃至３１１ＡＥと共に強調表示して、次のステップＳＰ２５２に移る。
【０２５０】
ステップＳＰ２５２においてＣＰＵ２０３は、注目楽曲情報として選定した曲名に関連付けられている処理実行情報３００Ｂ内のＵＲＬを利用して試聴データ要求信号を通信処理部２１４及びネットワークインタフェース２１５を順次介して音楽データ配信サーバＳＶ１に送信する。その結果、ＣＰＵ２０３は、音楽データ配信サーバＳＶ１からストリーミング形式で送信される試聴データをネットワークインタフェース２１５及び通信処理部２１４を順次介して受信しながら音声処理部２０９を介してスピーカ２１０に送出することにより、当該スピーカ２１０から試聴データに基づく試聴楽曲を出力させてユーザに試聴させる。そしてＣＰＵ２０３は、試聴データに対する試聴楽曲としての出力の終了を検出すると、次のステップＳＰ２５３に移る。
【０２５１】
ステップＳＰ２５３においてＣＰＵ２０３は、楽曲リスト情報３００内で自己が連続出力対応として設定した複数の曲名を全て１回ずつ無作為に注目楽曲情報として選定したか否かを判別する。このステップＳＰ２５３において否定結果が得られると、このことは楽曲リスト情報３００内で自己が連続出力対応として設定した複数の曲名全てを未だ注目楽曲情報として選定してはいないことを表している。従ってＣＰＵ２０３は、このときステップＳＰ２５１に戻る。そしてＣＰＵ２０３は、この後、ステップＳＰ２５３において肯定結果を得るまでの間、ステップＳＰ２５１乃至ステップＳＰ２５３の処理を循環的に繰り返し実行することにより、楽曲リスト情報３００内で自己が連続出力対応として設定した複数の曲名を重複しないように無作為に注目楽曲情報として選定しながら、当該注目楽曲情報として選定した曲名に対応付けられている試聴データを試聴楽曲として連続的に自動出力する。そしてステップＳＰ２５３において肯定結果が得られると、このことは楽曲リスト情報３００内で自己が連続出力対応として設定した全ての曲名に対応する複数の試聴データに対する試聴楽曲としての出力が完了したことを表している。従ってＣＰＵ２０３は、このときステップＳＰ２４４に移る。このようにしてＣＰＵ２０３は、楽曲リスト情報３００内の複数の曲名に対応付けられている複数の試聴データを、当該複数の曲名の基準設定順序に準じた出力順序とは異なる出力順序で連続的に自動出力することができる。
【０２５２】
また上述のステップＳＰ２５０において否定結果が得られると、このことは現時点においては試聴データに対する出力形態を無作為選択出力形態、順序設定出力形態及びデータ出力形態の何れかに設定していることを表している。従ってＣＰＵ２０３は、このときステップＳＰ２５４（図３６）に移る。そしてステップＳＰ２５４においてＣＰＵ２０３は、出力形態を無作為選択出力形態に設定しているか否かを判別する。このステップＳＰ２５４において肯定結果が得られると、このことは現時点においては出力形態を無作為選択出力形態に設定していることを表している。従ってＣＰＵ２０３は、このとき次のステップＳＰ２５５に移る。ステップＳＰ２５５においてＣＰＵ２０３は、楽曲紹介画面３１０上で、楽曲リスト情報３００内の自己が連続出力対応として設定した複数の曲名全体から無作為に１つの曲名を注目楽曲情報として選定すると共に、当該注目楽曲情報として選定した曲名をこれを表示している曲名表示欄３１１ＡＡ乃至３１１ＡＥと共に強調表示して、次のステップＳＰ２５６に移る。
【０２５３】
ステップＳＰ２５６においてＣＰＵ２０３は、注目楽曲情報として選定した曲名に関連付けられている処理実行情報３００Ｂ内のＵＲＬを利用して試聴データ要求信号を通信処理部２１４及びネットワークインタフェース２１５を順次介して音楽データ配信サーバＳＶ１に送信する。その結果、ＣＰＵ２０３は、音楽データ配信サーバＳＶ１からストリーミング形式で送信される試聴データをネットワークインタフェース２１５及び通信処理部２１４を順次介して受信しながら音声処理部２０９を介してスピーカ２１０に送出することにより、当該スピーカ２１０から試聴データに基づく試聴楽曲を出力させてユーザに試聴させる。そしてＣＰＵ２０３は、試聴データに対する試聴楽曲としての出力の終了を検出すると、次のステップＳＰ２５７に移る。
【０２５４】
ステップＳＰ２５７においてＣＰＵ２０３は、楽曲リスト情報３００内で自己が連続出力対応として設定した複数の曲名全体から無作為に曲名を注目楽曲情報として選定した選定回数が最大選定回数に達したか否かを判別する。このステップＳＰ２５７において否定結果が得られると、このことは楽曲リスト情報３００内で自己が連続出力対応として設定した複数の曲名全体から最大選定回数に達するまで無作為に曲名を注目楽曲情報として選定してはいないことを表している。従ってＣＰＵ２０３は、このときステップＳＰ２５５に戻る。そしてＣＰＵ２０３は、この後、ステップＳＰ２５７において肯定結果を得るまでの間、ステップＳＰ２５５乃至ステップＳＰ２５７の処理を循環的に繰り返し実行することにより、楽曲リスト情報３００内で自己が連続出力対応として設定した複数の曲名全体から無作為に１つの曲名を注目楽曲情報として選定しながら、当該注目楽曲情報として選定した曲名に対応付けられている試聴データを試聴楽曲として連続的に自動出力する。そしてステップＳＰ２５７において肯定結果が得られると、このことは楽曲リスト情報３００内で自己が連続出力対応として設定した複数の曲名全体から最大選定回数に達するまで無作為に曲名を注目楽曲情報として選定し終えたことを表している。従ってＣＰＵ２０３は、このときステップＳＰ２４４に移る。このようにしてＣＰＵ２０３は、楽曲リスト情報３００内の複数の曲名に対応付けられている複数の試聴データを順次無作為に選択して連続的に自動出力することができる。
【０２５５】
また上述のステップＳＰ２５４において否定結果が得られると、このことは現時点においては試聴データに対する出力形態を順序設定出力形態及びデータ出力形態の何れかに設定していることを表している。従ってＣＰＵ２０３は、このときステップＳＰ２５８に移る。そしてステップＳＰ２５８においてＣＰＵ２０３は、出力形態を順序設定出力形態に設定しているか否かを判別する。このステップＳＰ２５８において肯定結果が得られると、このことは現時点においては出力形態を順序設定出力形態に設定していることを表している。従ってＣＰＵ２０３は、このとき次のステップＳＰ２５９に移る。ステップＳＰ２５９においてＣＰＵ２０３は、楽曲紹介画面３１０上で、楽曲リスト情報３００内の自己が連続出力対応として設定した複数の曲名の中から、基準設定順序とは異なる変更設定順序で曲名を注目楽曲情報として選定すると共に、当該注目楽曲情報として選定した曲名をこれを表示している曲名表示欄３１１ＡＡ乃至３１１ＡＥと共に強調表示して、次のステップＳＰ２６０に移る。
【０２５６】
ステップＳＰ２６０においてＣＰＵ２０３は、注目楽曲情報として選定した曲名に関連付けられている処理実行情報３００Ｂ内のＵＲＬを利用して試聴データ要求信号を通信処理部２１４及びネットワークインタフェース２１５を順次介して音楽データ配信サーバＳＶ１に送信する。その結果、ＣＰＵ２０３は、音楽データ配信サーバＳＶ１からストリーミング形式で送信される試聴データをネットワークインタフェース２１５及び通信処理部２１４を順次介して受信しながら音声処理部２０９を介してスピーカ２１０に送出することにより、当該スピーカ２１０から試聴データに基づく試聴楽曲を出力させてユーザに試聴させる。そしてＣＰＵ２０３は、試聴データに対する試聴楽曲としての出力の終了を検出すると、次のステップＳＰ２６１に移る。
【０２５７】
ステップＳＰ２６１においてＣＰＵ２０３は、楽曲リスト情報３００内で自己が連続出力対応として設定した曲名を基準設定順序とは異なる変更設定順序で注目楽曲情報として選定し終えたか否かを判別する。このステップＳＰ２６１において否定結果が得られると、このことは楽曲リスト情報３００内で自己が連続出力対応として設定した曲名を変更設定順序で注目楽曲情報として選定し終えてはいないことを表している。従ってＣＰＵ２０３は、このときステップＳＰ２５９に戻る。そしてＣＰＵ２０３は、この後、ステップＳＰ２６１において肯定結果を得るまでの間、ステップＳＰ２５９乃至ステップＳＰ２６１の処理を循環的に繰り返し実行することにより、楽曲リスト情報３００内で自己が連続出力対応として設定した複数の曲名を基準設定順序とは異なる変更設定順序で注目楽曲情報として選定しながら、当該注目楽曲情報として選定した曲名に対応付けられている試聴データを試聴楽曲として連続的に自動出力する。そしてステップＳＰ２６１において肯定結果が得られると、このことは楽曲リスト情報３００内で自己が連続出力対応として設定した曲名を基準設定順序とは異なる変更設定順序で注目楽曲情報として選定し終えたことを表している。従ってＣＰＵ２０３は、このときステップＳＰ２４４に移る。このようにしてＣＰＵ２０３は、楽曲リスト情報３００内の複数の曲名に対応付けられている複数の試聴データを基準設定順序に準じた出力順序とは異なる変更設定順序に準じた出力順序で連続的に自動出力することができる。
【０２５８】
また上述のステップＳＰ２５８において否定結果が得られると、このことは現時点においては試聴データに対する出力形態をデータ出力形態に設定していることを表している。従ってＣＰＵ２０３は、このときステップＳＰ２６２に移る。そしてステップＳＰ２６２においてＣＰＵ２０３は、楽曲紹介画面３１０上で、楽曲リスト情報３００内の自己が連続出力対応として設定した複数の曲名のうち基準設定順序に準じて１つの曲名を注目楽曲情報として選定すると共に、当該注目楽曲情報として選定した曲名をこれを表示している曲名表示欄３１１ＡＡ乃至３１１ＡＥと共に強調表示して、次のステップＳＰ２６３に移る。ステップＳＰ２６３においてＣＰＵ２０３は、注目楽曲情報として選定した曲名に関連付けられている処理実行情報３００Ｂ内のＵＲＬを利用して試聴データ要求信号を通信処理部２１４及びネットワークインタフェース２１５を順次介して音楽データ配信サーバＳＶ１に送信する。その結果、ＣＰＵ２０３は、音楽データ配信サーバＳＶ１からストリーミング形式で送信される試聴データをネットワークインタフェース２１５及び通信処理部２１４を順次介して受信しながら音声処理部２０９を介してスピーカ２１０に送出することにより、当該スピーカ２１０から試聴データに基づく試聴楽曲を出力させてユーザに試聴させる。そしてＣＰＵ２０３は、試聴データに対する試聴楽曲としての出力の終了を検出すると、次のステップＳＰ２６４に移る。
【０２５９】
ステップＳＰ２６４においてＣＰＵ２０３は、楽曲リスト情報３００内で自己が連続出力対応として設定した全ての曲名を基準設定順序に準じて注目楽曲情報として選定したか否かを判別する。このステップＳＰ２６４において否定結果が得られると、このことは楽曲リスト情報３００内で自己が連続出力対応として設定した全ての曲名を未だ注目楽曲情報として選定してはいないことを表している。従ってＣＰＵ２０３は、このときステップＳＰ２６２に戻る。そしてＣＰＵ２０３は、この後、ステップＳＰ２６４において肯定結果を得るまでの間、ステップＳＰ２６２乃至ステップＳＰ２６４の処理を循環的に繰り返し実行することにより、楽曲リスト情報３００内で自己が連続出力対応として設定した複数の曲名を基準設定順序に準じて注目楽曲情報として選定しながら、当該注目楽曲情報として選定した曲名に対応付けられている試聴データを試聴楽曲として連続的に自動出力する。そしてステップＳＰ２６４において肯定結果が得られると、このことは楽曲リスト情報３００内で自己が連続出力対応として設定した全ての曲名を基準設定順序に準じて注目楽曲情報として選定したことを表している。従ってＣＰＵ２０３は、このときステップＳＰ２４４に移る。このようにしてＣＰＵ２０３は、楽曲リスト情報３００内の複数の曲名に対応付けられている複数の試聴データを基準設定順序に準じて連続的に自動出力することができる。
【０２６０】
なおクライアント端末２のＣＰＵ２０３は、音楽データ配信サーバＳＶ１から紹介ページ情報を取得した場合、楽曲リスト情報３００内の複数の曲名を連続出力対応として設定すると共に、試聴データに対する出力形態を設定した後、かかる第５の関連情報連続出力処理手順ＲＴ５を実行するようにしたが、これに限らず、音楽データ配信サーバＳＶ１から紹介ページ情報を取得した場合、紹介ページ情報に連続出力可能識別情報３００Ｆ又は連続出力通知表示子３１５が含まれているか否かを判別し、その判別結果に応じて当該紹介ページ情報に連続出力可能識別情報３００Ｆ又は連続出力通知表示子３１５が含まれているとき、自動的に第５の関連情報連続出力処理手順ＲＴ５を開始し、その開始段階に第５の関連情報連続出力処理手順ＲＴ５の一環として楽曲リスト情報３００内の複数の曲名を連続出力対応として設定すると共に、試聴データに対する出力形態を自己で任意に設定するようにしても良い。これによりクライアント端末２のＣＰＵ２０３は、ユーザの手を何ら煩わせることなく第５の関連情報連続出力処理手順ＲＴ５を実行することができる。またクライアント端末２のＣＰＵ２０３は、音楽データ配信サーバＳＶ１から紹介ページ情報を取得した場合、かかる紹介ページ情報に連続出力可能識別情報３００Ｆ又は連続出力通知表示子３１５が含まれていることを検出したとき、楽曲リスト情報３００内の複数の曲名を連続出力対応として設定するようにしても良い。これによりＣＰＵ２０３は、紹介ページ情報に連続出力可能識別情報３００Ｆ又は連続出力通知表示子３１５が含まれていることを検出したときのみ、楽曲リスト情報３００の内容を解析すれば良く、かくして紹介ページ情報取得時に処理負荷を低減させることができる。これに加えてクライアント端末２のＣＰＵ２０３は、かかる第５の関連情報連続出力処理手順ＲＴ５の実行中に、楽曲リスト情報３００の内容を解析し試聴データの対応付けられている曲名のみを連続出力対応として設定するようにしたが、これに限らず、ユーザに楽曲紹介画面３１０上で、対応通知表示子３１１Ｃにより試聴データの対応付けられている曲名を確認させ、その確認結果に応じて楽曲リスト情報３００内で試聴データの対応付けられている曲名のみを連続出力対応として設定させるようにしても良い。これによりユーザに試聴データの対応付けられている曲名を連続出力対応として設定させるため、第５の関連情報連続出力処理プログラムを、楽曲リスト情報３００の内容を解析するための処理を特には実行しないように構成することができ、かくして第５の関連情報連続出力処理手順ＲＴ５の処理を簡易化することができる。
【０２６１】
さらにまたクライアント端末２のＣＰＵ２０３は、音楽データ配信サーバＳＶ１から紹介ページ情報を取得した場合、当該紹介ページ情報に連続出力可能識別情報３００Ｆが含まれていることを検出したとき、又は複数の曲名に処理実行情報３００Ｂ（又は試聴データ取得用のＵＲＬ）が関連付けられているときに、自己では特に楽曲リスト情報３００内の複数の曲名を連続出力対応として設定し直さずに、第５の関連情報連続出力処理手順ＲＴ５を実行するようにして、試聴データの出力と共に、曲名に対する注目楽曲情報としての選定及び強調表示の継続も合わせて実行するようにしても良い。これによりクライアント端末２のＣＰＵ２０３は、第５の関連情報連続出力処理手順ＲＴ５を開始する際に処理負荷を低減させることができる。またクライアント端末２のＣＰＵ２０３は、音楽データ配信サーバＳＶ１から紹介ページ情報を取得した場合、ユーザの要求に応じて試聴データに対する出力形態を設定するようにしたが、これに限らず、音楽データ配信サーバＳＶ１から紹介ページ情報を取得した場合、当該紹介ページ情報に含まれている曲名選定指示情報や出力形態指示情報に従って試聴データに対する出力形態を設定するようにしても良い。これによりクライアント端末２のＣＰＵ２０３は、ユーザに対し、音楽データ配信サーバＳＶ１の意図を反映させて音楽データを紹介することができる。
【０２６２】
さらにクライアント端末２のＣＰＵ２０３は、試聴データに対する出力形態として単一繰返出力形態、複数繰返出力形態、無作為選択出力形態及び順序設定出力形態を実行するように設定した場合、曲名を注目楽曲情報として選定する毎に、当該注目楽曲情報として選定した曲名に対応付けられている試聴データを音楽データ配信サーバＳＶ１から取得して出力するようにしたが、これに限らず、繰り返し出力する試聴データについては、一度目の取得でＲＡＭ２０５又はハードディスクドライブ２１１等に一時記憶しておき、２度目以降の出力の際には音楽データ配信サーバＳＶ１から取得せずに当該一時記憶している試聴データを出力するようにしても良い。これによりクライアント端末２のＣＰＵ２０３は、試聴データに対する出力形態を単一繰返出力形態、複数繰返出力形態、無作為選択出力形態及び順序設定出力形態に設定して第５の関連情報連続出力処理手順ＲＴ５を実行する際に、音楽データ配信サーバＳＶ１の処理負荷を大幅に低減させることができる。さらにクライアント端末２のＣＰＵ２０３は、第５の関連情報連続出力処理手順ＲＴ５を実行する際に、楽曲紹介画面３１０を表示するようにしたが、これに限らず、試聴データに対する出力形態として設定したデータ出力形態、単一繰返出力形態、複数繰返出力形態、並替出力形態、無作為選択出力形態及び順序設定出力形態に応じて、図２２乃至図２６について上述した場合と同様に出力形態通知表示子３２３、３２５、３２７、３２９及び３３１を有する楽曲紹介画面３２４、３２６、３２８、３３０及び３３２を表示するようにしても良い。これによりクライアント端末２のＣＰＵ２０３は、第５の関連情報連続出力処理手順ＲＴ５の実行中にユーザに対し、この時点で設定している試聴データの出力形態を容易に確認させることができる。因みにクライアント端末２のＣＰＵ２０３は、楽曲紹介画面３２４、３２６、３２８、３３０及び３３２内に表示する出力形態通知表示子３２３、３２５、３２７、３２９及び３３１として紹介ページ情報に含まれる出力形態通知表示子３２３、３２５、３２７、３２９及び３３１を利用しても良いし、クライアント端末２に予めかかる出力形態表示子を保持しておき、これを利用するようにしても良い。
【０２６３】
さらにクライアント端末２のＣＰＵ２０３は、ユーザに対し、複数繰返出力形態及び単一繰返出力形態の選択指示に同一の繰返出力形態設定ボタン３５４を利用させるようにしたが、これに限らず、ユーザに対し、複数繰返出力形態及び単一繰返出力形態の選択指示にそれぞれ異なる複数繰返出力形態設定ボタン及び単一繰返出力形態設定ボタンを利用させるようにしても良い。またクライアント端末２のＣＰＵ２０３は、試聴データに対する出力形態を複数繰返出力形態に設定した場合、楽曲リスト情報３００内で自己が連続出力対応として設定した全ての曲名をそのまま複数の試聴データの出力用としたが、これに限らず、試聴データに対する出力形態を複数繰返出力形態に設定した場合、ユーザに対し、楽曲リスト情報３００内で自己が連続出力対応として設定した全ての曲名の中から、試聴データを出力させるための複数の曲名を任意に選択させるようにしても良い。さらにクライアント端末２のＣＰＵ２０３は、試聴データに対する出力形態を複数繰返出力形態に設定した場合、楽曲リスト情報３００内で自己が連続出力対応として設定した全ての曲名の中から、さらに所定の乱数発生器に発生させた乱数に応じて、試聴データを出力させるための複数の曲名を任意に選択するようにしても良い。因みにＣＰＵ２０３は、このようにユーザに対し複数の曲名を任意に選択させたうえで複数繰返出力形態を実行する場合には、例えばユーザに対し出力形態設定画面３５０上で並替出力形態設定ボタン３５５や順序設定出力形態設定ボタン３５７を選択指示させて一旦は試聴データに対する出力形態を並替出力形態や順序設定出力形態に設定した後（すなわち、注目楽曲情報として選定する曲名も選択させた後）、引き続き繰返出力形態設定ボタン３５４が選択指示されたとき、複数繰返出力形態を、並替出力形態や順序設定出力形態と併用する（すなわち、並替繰返出力形態や順序設定繰返出力形態）ようにしても良い。さらにクライアント端末２のＣＰＵ２０３は、試聴データに対する出力形態を単一繰返出力形態に設定した場合、楽曲リスト情報３００内で自己が連続出力対応として設定した複数の曲名の中から、ユーザに対し試聴データの繰り返し出力用の唯一の曲名を任意に選択させるようにしたが、これに限らず、試聴データに対する出力形態を単一繰返出力形態に設定した場合、楽曲リスト情報３００内で自己が連続出力対応として設定した全ての曲名の中から、所定の乱数発生器に発生させた乱数に応じて１つの曲名を任意に選択し、当該選択した曲名を、対応する試聴データの繰り返し出力用に注目楽曲情報として選定する唯一の曲名に設定するようにしても良い。
【０２６４】
さらにクライアント端末２のＣＰＵ０３は、出力形態設定画面３５０を表示した状態で試聴データに対する出力形態を設定し、この後、処理実行指示ボタン３５８が選択指示されると、複数の試聴データに対する連続的な自動出力を実行するようにしたが、これに限らず、試聴データに対する出力形態を設定する毎に、その設定した出力形態を示す出力形態設定情報を適宜更新しながら保持し、出力形態設定画面３５０と共に楽曲紹介画面３１０を表示したときには、その時点に保持している出力形態設定情報の示す出力形態で自動的に複数の試聴データに対する連続的な自動出力を開始するようにしても良い。またＣＰＵ２０３は、出力形態設定画面３５０と共に楽曲紹介画面３１０を表示したとき、クライアント端末２に対して予め設定されている出力形態、又は紹介ページ情報に含まれる出力形態指示情報の示す出力形態、さらには前回の試聴データに対する連続的な自動出力の際の出力形態で自動的に複数の試聴データに対する連続的な自動出力を開始し、当該複数の試聴データに対する連続的な自動出力の実行途中に、データ出力形態設定ボタン３５３、繰返出力形態設定ボタン３５４、並替出力形態設定ボタン３５５、無作為選択出力形態設定ボタン３５６、順序設定出力形態設定ボタン３５７が選択指示されたときに、当該複数の試聴データに対する出力形態を、その選択指示されたデータ出力形態設定ボタン３５３、繰返出力形態設定ボタン３５４、並替出力形態設定ボタン３５５、無作為選択出力形態設定ボタン３５６、順序設定出力形態設定ボタン３５７に応じて変更するようにしても良い。因みにＣＰＵ２０３は、かかる構成において、複数の試聴データに対する連続的な自動出力中に出力形態を単一繰返出力形態、並替出力形態、無作為選択出力形態、順序設定出力形態に変更する場合には、注目楽曲情報として選定する曲名を当該ＣＰＵ０３自身が自動的に選択する。またＣＰＵ２０３は、処理実行指示ボタン３５８の選択指示に応じて複数の試聴データに対する連続的な自動出力を実行している途中に、同様にして出力形態を変更するようにしても良い。
【０２６５】
（２−２−５）第６の関連情報連続出力処理手順
次いで、クライアント端末２のＣＰＵ２０３がユーザの入力する操作命令に応じて実行する第６の関連情報連続出力処理手順について説明する。この場合、クライアント端末２のＣＰＵ２０３は、音楽データ配信サーバＳＶ１から紹介ページ情報を取得すると、当該紹介ページ情報に含まれる楽曲リスト情報３００の内容を解析することにより、当該楽曲リスト情報３００内の複数の曲名のうち試聴データが対応付けられている（すなわち、処理実行情報３００Ｂ又は試聴データ取得用のＵＲＬが関連付けられている）曲名を検出する。そしてＣＰＵ２０３は、楽曲リスト情報３００内で試聴データが対応付けられている曲名のみを連続出力対応として設定する。またＣＰＵ２０３は、上述と同様にして紹介ページ情報に基づき楽曲紹介画面データを生成する。そしてＣＰＵ２０３は、予めハードディスクドライブ２１１に記憶しているユーザインタフェースとしての出力制御画面データに、かかる楽曲紹介画面データを合成して合成画面データを生成し、これを表示処理部２０７を介してディスプレイ２０６に送出する。これによりＣＰＵ２０３は、ディスプレイ２０６に対し合成画面データに基づき例えば図３７に示す出力制御画面３６０を表示する。
【０２６６】
かかる出力制御画面３６０は、画面上側に楽曲紹介画面表示領域３６１が設けられると共に、当該楽曲紹介画面表示領域３６１の下側にボタン配置領域３６２が設けられている。そして楽曲紹介画面表示領域３６１には、楽曲紹介画面３６３が嵌め込まれて表示されている。またボタン配置領域３６２には、楽曲リスト情報３００内の曲名に対応付けられている試聴データを出力させる出力命令（すなわち、再生命令）を入力させるための出力ボタン３６４、当該試聴データの出力を一時停止させる一時停止命令を入力させるための一時停止ボタン３６５、当該試聴データの出力を停止させる出力停止命令を入力させるための出力停止ボタン３６６が設けられている。またボタン配置領域３６２には、出力対象の試聴データを例えば基準設定順序に準じた順番で１つ前に戻す前スキップ命令を入力させるための前スキップボタン３６７、出力対象の試聴データを例えば基準設定順序に準じて１つ後（以下、これを次と呼ぶ）に進める次スキップ命令を入力させるための次スキップボタン３６８、出力中の試聴データを早戻しさせる早戻し命令を入力させるための早戻しボタン３６９、出力中の試聴データを早送りさせる早送り命令を入力させるための早送りボタン３７０が設けられている。
【０２６７】
ＣＰＵ２０３は、ディスプレイ２０６に楽曲紹介画面３６３と共に出力制御画面３６０を表示すると、楽曲紹介画面３６３上で、楽曲リスト情報３００内の自己が連続出力対応として設定した複数の曲名を基準設定順序に準じて注目楽曲情報として自動的に選定しながら、当該注目楽曲情報として選定した曲名に対応付けられている試聴データを音楽データ配信サーバＳＶ１から取得して試聴楽曲として連続的に自動出力する。その際ＣＰＵ２０３は、音楽データ配信サーバＳＶ１から取得した試聴データを例えば音声処理部２０９に設けられたバッファメモリに一時記憶した後、当該バッファメモリから試聴データを読み出し試聴楽曲として出力する。またＣＰＵ２０３は、かかる試聴データの出力開始から出力終了までの間は、出力制御画面３６０上でユーザにより、出力ボタン３６４、一時停止ボタン３６５、出力停止ボタン３６６、前スキップボタン３６７、次スキップボタン３６８、早戻しボタン３６９、早送りボタン３７０が選択指示され、これらに対応する出力命令、一時停止命令、出力停止命令、前スキップ命令、次スキップ命令、早戻し命令、早送り命令が入力されたか否かを監視する。そしてＣＰＵ２０３は、試聴データの出力中に一時停止ボタン３６５や出力停止ボタン３６６が選択指示され対応する一時停止命令や出力停止命令が入力されると、これに応じて、出力中の試聴データを一時停止させ、又は出力停止させる。
【０２６８】
ところで出力中の試聴データを一時停止命令に応じて一時停止させた後、出力を再開するには、クライアント端末２に対する事前設定又はユーザによる事前設定に応じた種々の手法がある。例えばＣＰＵ２０３は、出力中の試聴データを一時停止させたとき、当該一時停止させた試聴データに対応する曲名と、その試聴データに対する一時停止位置（以下、これをデータ一時停止位置と呼ぶ）とを一時記憶しておく。そしてＣＰＵ２０３は、試聴データを一時停止した後、出力ボタン３６４が選択指示（又は一時停止ボタン２６５が再度選択指示）され出力命令が入力されると、これに応じて、一時記憶していた曲名及びデータ一時停止位置に基づき、一時停止していた試聴データの出力をデータ一時停止位置から再開する。またＣＰＵ２０３は、出力中の試聴データを一時停止させたとき、当該一時停止させた試聴データに対応する曲名を一時記憶しておき、その後入力される出力命令に応じて、当該一時記憶していた曲名に基づき、その一時停止させていた試聴データを特定すると共に、当該特定した試聴データの先頭位置（以下、これをデータ先頭位置と呼ぶ）から出力を再開する。さらにＣＰＵ２０３は、当該ＣＰＵ２０３自身が連続出力対応として設定した複数の曲名のうち、出力を一時停止させていた試聴データに対応する曲名とは異なる特定の曲名に対応付けられている試聴データのデータ先頭位置から出力を再開することもできる。
【０２６９】
一方、出力中の試聴データを出力停止命令に応じて出力停止させた後、出力を再開する場合も、クライアント端末２に対する事前設定又はユーザによる事前設定に応じた種々の手法がある。例えばＣＰＵ２０３は、出力中の試聴データを出力停止させたとき、当該出力停止させた試聴データに対応する曲名と、その試聴データに対する出力停止位置（以下、これをデータ出力停止位置と呼ぶ）とを一時記憶しておく。そしてＣＰＵ２０３は、試聴データを出力停止した後、出力ボタン３６４が選択指示され出力命令が入力されると、これに応じて、一時記憶していた曲名及びデータ出力停止位置に基づき、出力停止していた試聴データの出力をデータ出力停止位置から再開する。またＣＰＵ２０３は、出力中の試聴データを出力停止させたとき、当該出力停止させた試聴データに対応する曲名を一時記憶しておき、出力再開時にその一時記憶していた曲名に対応する当該出力停止させていた試聴データを特定すると共に、その特定した試聴データのデータ先頭位置から出力を再開する。さらにＣＰＵ２０３は、当該ＣＰＵ２０３自身が連続出力対応として設定した複数の曲名のうち、出力停止させていた試聴データに対応する曲名とは異なる特定の曲名に対応付けられている試聴データのデータ先頭位置から出力を再開することもできる。因みにＣＰＵ２０３は、出力中の試聴データを一時停止又は出力停止させた後に出力を再開させるとき、その一時停止又は出力停止時に一時記憶していた曲名を基準として、当該ＣＰＵ２０３自身が連続出力対応として設定した複数の曲名のうち、基準設定順序に準じた先頭の曲名や、一時停止又は出力停止させた試聴データに対応する曲名よりも基準設定順序に準じた１つ前又は次の曲名を特定の曲名とする。これによりＣＰＵ２０３は、かかる特定の曲名に対応付けられている試聴データの例えばデータ先頭位置から出力を再開する。そして出力中の試聴データを一時停止及び出力停止させた後に出力を再開する手法としては、ＣＰＵ２０３又はユーザにより適宜選定しても良いし、何れかの手法を固定的に利用することもできる。
【０２７０】
これに加えてＣＰＵ２０３は、試聴データの出力中にユーザにより前スキップボタン３６７が選択指示され前スキップ命令が入力されると、これに応じてその時点で出力中の試聴データを出力停止させる。そしてＣＰＵ２０３は、自己が連続出力対応として設定した複数の曲名のうち、その時点に出力停止させた試聴データに対応する曲名よりも１つ前の曲名に対応付けられている試聴データをデータ先頭位置から出力させる。またＣＰＵ２０３は、試聴データの出力中に次スキップボタン３６８が選択指示され次スキップ命令が入力されると、これに応じてその時点で出力中の試聴データを出力停止させる。そしてＣＰＵ２０３は、自己が連続出力対応として設定した複数の曲名のうち、その時点に出力停止させた試聴データに対応する曲名の次の曲名に対応付けられている試聴データをデータ先頭位置から出力させる。
【０２７１】
さらにＣＰＵ２０３は、試聴データの出力開始時や出力中にユーザにより早戻しボタン３６９が選択指示され早戻し命令が入力されると、これに応じてバッファメモリから当該試聴データを適宜間引きながらデータ先頭位置側にさかのぼるように読み出す早戻し処理を実行する。これによりＣＰＵ２０３は、試聴楽曲を再生開始位置側に順次音飛させながら出力させ、かくして通常の出力速度（以下、これを通常速度と呼ぶ）よりも早い速度の早戻し出力を実現する。このようにしてＣＰＵ２０３は、ユーザにより早戻しボタン３６９が継続的に選択指示されている間は、これに応じて試聴データに対する早戻し処理を実行する。ただしＣＰＵ２０３は、試聴データに対する早戻し位置がデータ先頭位置に到達する前に、早戻しボタン３６９に対する選択指示が解除されると、その時点で早戻し処理を停止すると共に、当該試聴データを自動的にかかる早戻し終了位置からデータの後尾位置（以下、これをデータ後尾位置と呼ぶ）側に再び通常速度で出力し始める。またＣＰＵ２０３は、早戻しボタン３６９に対する選択指示が解除される前に、試聴データに対する早戻し位置がデータ先頭位置に到達したときには、その時点で早戻し処理を停止すると共に、当該試聴データを自動的にデータ先頭位置からデータ後尾位置側に再び通常速度で出力し始める。
【０２７２】
これに対してＣＰＵ２０３は、試聴データの出力開始時や出力中に早送りボタン３７０が選択指示され早送り命令が入力されると、これに応じてバッファメモリから当該試聴データを適宜間引きながらデータ後尾位置側に進めるように読み出す早送り処理を実行する。これによりＣＰＵ２０３は、試聴楽曲を再生終了位置側に順次音飛させながら出力させて早送り出力を実現する。このようにしてＣＰＵ２０３は、ユーザにより早送りボタン３７０が継続的に選択指示されている間は、これに応じて試聴データに対する早送り処理を実行する。ただしＣＰＵ２０３は、試聴データに対する早送り位置がデータ後尾位置に到達する前に、早送りボタン３７０に対する選択指示が解除されると、その時点で早送り処理を停止すると共に、当該試聴データを自動的にかかる早送り終了位置からデータ後尾位置側に再び通常速度で出力し始める。またＣＰＵ２０３は、早送りボタン３７０に対する選択指示が解除される前に、試聴データに対する早送り位置がデータ後尾位置に到達したときには、その時点で早送り処理を停止すると共に、当該試聴データの次に出力対象となる他の試聴データを自動的にデータ先頭位置からデータ後尾位置側に通常速度で出力し始める。
【０２７３】
そして図３８に示すように、ＣＰＵ２０３は、楽曲リスト情報３００内で自己が連続出力対応として設定した複数の曲名に対応付けられている試聴データの出力を検出すると、出力制御画面３６０の楽曲紹介画面表示領域３６１内で楽曲紹介画面３６３Ａに、予めクライアント端末２で保持している、当該試聴データの出力実行中を通知するための出力実行中通知表示子３７１を表示する。また図３９に示すように、ＣＰＵ２０３は、試聴データの出力中に一時停止したときには出力実行中通知表示子３７１の表示を停止すると共に、当該一時停止の間、出力制御画面３６０の楽曲紹介画面表示領域３６１内で楽曲紹介画面３６３Ｂに、予めクライアント端末２で保持している、当該試聴データの一時停止を通知するための一時停止通知表示子３７２を表示する。さらに図４０に示すように、ＣＰＵ２０３は、出力中の試聴データを出力停止したときには出力実行中通知表示子３７１の表示を停止すると共に、かかる出力停止の間、出力制御画面３６０の楽曲紹介画面表示領域３６１内で楽曲紹介画面３６３Ｃに、予めクライアント端末２で保持している、当該試聴データの出力停止を通知するための出力停止通知表示子３７３を表示する。
【０２７４】
さらに図４１に示すように、ＣＰＵ２０３は、試聴データの出力中に前スキップを実行したときには、かかる前スキップの開始から完了までの間、出力実行中通知表示子３７１の表示を停止すると共に、出力制御画面３６０の楽曲紹介画面表示領域３６１内で楽曲紹介画面３６３Ｄに、予めクライアント端末２で保持している、前スキップ実行中を通知するための前スキップ実行中通知表示子３７４を表示する。さらに図４２に示すように、ＣＰＵ２０３は、試聴データの出力中に次スキップを実行したときには、当該次スキップの開始から完了までの間、出力実行中通知表示子３７１の表示を停止すると共に、出力制御画面３６０の楽曲紹介画面表示領域３６１内で楽曲紹介画面３６３Ｅに、予めクライアント端末２で保持している、次スキップ実行中を通知するための次スキップ実行中通知表示子３７５を表示する。
【０２７５】
さらに図４３に示すように、ＣＰＵ２０３は、試聴データの出力中に早戻しを実行したときには、かかる早戻しの開始から完了までの間、出力実行中通知表示子３７１の表示を停止すると共に、出力制御画面３６０の楽曲紹介画面表示領域３６１内で楽曲紹介画面３６３Ｆに、予めクライアント端末２で保持している、早戻し実行中を通知するための早戻し実行中通知表示子３７６を表示する。さらに図４４に示すように、ＣＰＵ２０３は、試聴データの出力中に早送りを実行したときには、かかる早送りの開始から完了までの間、出力実行中通知表示子３７１の表示を停止すると共に、出力制御画面３６０の楽曲紹介画面表示領域３６１内で楽曲紹介画面３６３Ｇに、予めクライアント端末２で保持している、早送り実行中を通知するための早送り実行中通知表示子３７７を表示する。このようにしてＣＰＵ２０３は、試聴データの出力中に楽曲紹介画面３６３Ａ乃至３６３Ｇを介して当該試聴データの出力に対する制御内容等を的確に通知して確認させることができる。
【０２７６】
実際上、クライアント端末２のＣＰＵ２０３は、ディスプレイ２０６に出力制御画面３６０を表示させると、これに応じて第６の関連情報連続出力プログラムに従って図４５及び図４６に示す第６の関連情報連続出力処理手順ＲＴ６を開始する。ＣＰＵ２０３は、かかる第６の関連情報連続出力処理手順ＲＴ６を開始すると、ステップＳＰ２７０において出力制御画面３６０内の楽曲紹介画面３６３上で、楽曲リスト情報３００内で自己が連続出力対応として設定した複数の曲名のうち基準設定順序に準じて１つの曲名を注目楽曲情報として自動的に選定すると共に、当該注目楽曲情報として選定した曲名をこれを表示している曲名表示欄３１１ＡＡ乃至３１１ＡＥと共に強調表示して、次のステップＳＰ２７１に移る。
【０２７７】
ステップＳＰ２７１においてＣＰＵ２０３は、注目楽曲情報として選定した曲名に関連付けられている処理実行情報３００Ｂ内のＵＲＬを利用して試聴データ要求信号を通信処理部２１４及びネットワークインタフェース２１５を順次介して音楽データ配信サーバＳＶ１に送信する。その結果、ＣＰＵ２０３は、音楽データ配信サーバＳＶ１からストリーミング形式で送信される試聴データをネットワークインタフェース２１５及び通信処理部２１４を順次介して受信して音声処理部２０９内のバッファメモリに一時記憶すると共に、当該バッファメモリからその試聴データを読み出し始めて所定の音声処理を施した後、スピーカ２１０に送出することにより、当該スピーカ２１０から試聴データに基づく試聴楽曲の出力を開始して、次のステップＳＰ２７２に移る。そしてステップＳＰ２７２においてＣＰＵ２０３は、注目楽曲情報として設定した曲名に対応付けられている試聴データに対する試聴楽曲としての出力が終了したか否かを判別する。このステップＳＰ２７２において否定結果が得られると、このことは試聴データを未だ出力している途中であることを表している。従ってＣＰＵ２０３は、このときステップＳＰ２７３に移る。
【０２７８】
ステップＳＰ２７３においてＣＰＵ２０３は、ユーザにより出力中の試聴データに対する前スキップ又は次スキップが要求されたか否かを判別する。このステップＳＰ２７３において否定結果が得られると、このことはこの時点に出力制御画面３６０上で、ユーザにより前スキップボタン３６７及び次スキップボタン３６８の何れも選択指示されてはいないことを表している。すなわち、かかる否定結果は、未だ前スキップ命令及び次スキップ命令の何れも入力されてはいないことを表している。従ってＣＰＵ２０３は、このときステップＳＰ２７４（図４６）に移る。ステップＳＰ２７４においてＣＰＵ２０３は、ユーザにより出力中の試聴データに対する早戻し又は早送りが要求されたか否かを判別する。このステップＳＰ２７４において否定結果が得られると、このことはこの時点に出力制御画面３６０上で、ユーザにより早戻しボタン３６９及び早送りボタン３７０の何れも選択指示されてはいないことを表している。すなわち、かかる否定結果は、未だ早戻し命令及び早送り命令の何れも入力されてはいないことを表している。従ってＣＰＵ２０３は、このときステップＳＰ２７５に移る。ステップＳＰ２７５においてＣＰＵ２０３は、ユーザにより出力中の試聴データに対する一時停止又は出力停止が要求されたか否かを判別する。このステップＳＰ２７５において否定結果が得られると、このことはこの時点に出力制御画面３６０上で、ユーザにより一時停止ボタン３６５及び出力停止ボタン３６６の何れも選択指示されてはいないことを表している。すなわち、かかる否定結果は、未だ一時停止命令及び出力停止命令の何れも入力されてはいないことを表している。従ってＣＰＵ２０３は、このときステップＳＰ２７２に戻る。このようにしてＣＰＵ２０３は、この後、ステップＳＰ２７２乃至ステップＳＰ２７５の何れかで肯定結果が得られるまでの間は、注目楽曲情報として選定した曲名に対応付けられている試聴データを出力し続ける。
【０２７９】
そしてステップＳＰ２７２において肯定結果が得られると、このことは出力中の試聴データに対しユーザにより一時停止、出力停止、前スキップ、次スキップ、早戻し、早送りが要求される前に、当該試聴データに対する出力の終了を検出したことを表している。従ってＣＰＵ２０３は、このとき次のステップＳＰ２７６に移る。ステップＳＰ２７６においてＣＰＵ２０３は、ダウンロード可能な音楽データの紹介を終了させるか否かを判別する。このステップＳＰ２７６において否定結果が得られると、このことは例えばユーザにより未だ音楽データの紹介を終了するように要求されてはいないことを表している。従ってＣＰＵ２０３は、このときステップＳＰ２７０に戻る。従ってＣＰＵ２０３は、ステップＳＰ２７６において肯定結果が得られるまでの間、ステップＳＰ２７０乃至ステップＳＰ２７６の処理を循環的に繰り返し実行することにより、楽曲リスト情報３００内で自己が連続出力対応として設定した複数の曲名を基準設定順序に準じて注目楽曲情報として自動的に選定しながら、当該注目楽曲情報として選定した曲名に対応付けられている試聴データを連続的に自動出力する。
【０２８０】
ところで上述のステップＳＰ２７３において肯定結果が得られると、このことはこの時点に出力制御画面３６０上で、ユーザにより前スキップボタン３６７又は次スキップボタン３６８が選択指示され対応する前スキップ命令又は次スキップ命令が入力されたことを表している。従ってＣＰＵ２０３は、このとき次のステップＳＰ２７７に移る。ステップＳＰ２７７においてＣＰＵ２０３は、このとき前スキップが要求されていると、現時点に出力中の試聴データを自動的に出力停止する。またＣＰＵ２０３は、出力制御画面３６０内の楽曲紹介画面３６３上で、楽曲リスト情報３００内の自己が連続出力対応として設定した複数の曲名のうち、前スキップの要求に応じて出力停止させた試聴データに対応する曲名よりも基準設定順序に準じて１つ前の曲名を注目楽曲情報として自動的に選定すると共に、当該注目楽曲情報として選定した曲名をこれを表示している曲名表示欄３１１ＡＡ乃至３１１ＡＥと共に強調表示して、次のステップＳＰ２７８に移る。これに対してＣＰＵ２０３は、このとき次スキップが要求されていると、現時点に出力中の試聴データを自動的に出力停止する。またＣＰＵ２０３は、出力制御画面３６０内の楽曲紹介画面３６３上で、楽曲リスト情報３００内の自己が連続出力対応として設定した複数の曲名のうち、次スキップの要求に応じて出力停止させた試聴データに対応する曲名よりも基準設定順序に準じて次の曲名を注目楽曲情報として自動的に選定すると共に、当該注目楽曲情報として選定した曲名をこれを表示している曲名表示欄３１１ＡＡ乃至３１１ＡＥと共に強調表示して、次のステップＳＰ２７８に移る。そしてステップＳＰ２７８においてＣＰＵ２０３は、前スキップ又は次スキップの要求に応じて新たに注目楽曲情報として選定した曲名に対応付けられている試聴データを、上述と同様にして音楽データ配信サーバＳＶ１から取得し当該試聴データに基づく試聴楽曲の出力を開始して、ステップＳＰ２７２に戻る。
【０２８１】
またステップＳＰ２７４において肯定結果が得られると、このことはこの時点に出力制御画面３６０上で、ユーザにより早戻しボタン３６９又は早送りボタン３７０が選択指示され対応する早戻し命令又は早送り命令が入力されたことを表している。従ってＣＰＵ２０３は、このとき次のステップＳＰ２７９に移る。ステップＳＰ２７９においてＣＰＵ２０３は、このとき早戻しが要求されていると、この時点に出力中の試聴データを早戻し処理して通常速度よりも早い速度で早戻し出力して、次のステップＳＰ２８０に移る。ステップＳＰ２８０においてＣＰＵ２０３は、この時点に出力中の試聴データに対する早戻し出力が終了したか否かを判別する。このステップＳＰ２８０において否定結果が得られると、このことは早戻し出力中の試聴データを未だデータ先頭位置まで早戻ししてはいない状態で、かつ出力制御画面３６０上でユーザにより早戻しボタン３６９が選択指示され対応する早戻し命令が入力されたままの状態であることを表している。従ってＣＰＵ２０３は、このときステップＳＰ２７９に戻る。これによりＣＰＵ２０３は、この後、ステップＳＰ２８０において肯定結果を得るまでの間は、ステップＳＰ２７９において試聴データを早戻し処理して通常速度よりも早い速度の早戻し出力を継続する。そしてステップＳＰ２８０において肯定結果が得られると、このことは早戻し出力中の試聴データをデータ先頭位置まで早戻しする前にユーザによる早戻しの操作が終了した、又はユーザによる早戻しの操作が終了する前に、早戻し出力中の試聴データをデータ先頭位置まで早戻ししたことを表している。従ってＣＰＵ２０３は、このとき次のステップＳＰ２８１に移る。ステップＳＰ２８１においてＣＰＵ２０３は、早戻し出力中の試聴データに対する早戻しを終了すると共に、当該試聴データに対する早戻し終了位置又はデータ先頭位置からの通常速度の出力を再開して、ステップＳＰ２７２に戻る。
【０２８２】
一方、ステップＳＰ２７４においてＣＰＵ２０３は、このとき早送りが要求されていると、この時点に出力中の試聴データを早送り処理して通常速度よりも早い速度で早送り出力して、次のステップＳＰ２８０に移る。ステップＳＰ２８０においてＣＰＵ２０３は、この時点に出力中の試聴データに対する早送り出力が終了したか否かを判別する。このステップＳＰ２８０において否定結果が得られると、このことは早送り出力中の試聴データを未だデータ後尾位置まで早送りしてはいない状態で、かつ出力制御画面３６０上でユーザにより早送りボタン３７０が選択指示され対応する早送り命令が入力されたままの状態であることを表している。従ってＣＰＵ２０３は、このときステップＳＰ２７９に戻る。これによりＣＰＵ２０３は、この後、ステップＳＰ２８０において肯定結果を得るまでの間は、ステップＳＰ２７９において試聴データを早送り処理して通常速度よりも早い速度の早送り出力を継続する。そしてステップＳＰ２８０において肯定結果が得られると、このことは早送り出力中の試聴データをデータ後尾位置まで早送りする前にユーザによる早送りの操作が終了した、又はユーザによる早送りの操作が終了する前に、早送り出力中の試聴データをデータ後尾位置まで早送りしたことを表している。従ってＣＰＵ２０３は、このとき次のステップＳＰ２８１に移る。ステップＳＰ２８１においてＣＰＵ２０３は、早送り出力中の試聴データに対する早送りを終了する。そしてＣＰＵ２０３は、このとき試聴データに対しデータ後尾位置に到達する前に早送りを終了していると、当該試聴データに対する早送り終了位置からの通常速度の出力を再開して、ステップＳＰ２７２に戻る。またＣＰＵ２０３は、このとき試聴データに対しデータ後尾位置まで早送りしてその早送りを強制的に終了していると、出力制御画面３６０内の楽曲紹介画面３６３上で、楽曲リスト情報３００内の自己が連続出力対応として設定した複数の曲名のうち、早送りを強制的に終了した試聴データに対応する曲名よりも基準設定順序に準じて次の曲名を注目楽曲情報として自動的に選定すると共に、当該注目楽曲情報として選定した曲名をこれを表示している曲名表示欄３１１ＡＡ乃至３１１ＡＥと共に強調表示する。そしてＣＰＵ２０３は、早送りの強制的な終了に応じて新たに注目楽曲情報として選定した曲名に対応付けられている試聴データを、上述と同様にして音楽データ配信サーバＳＶ１から取得し当該試聴データに基づく試聴楽曲の出力を通常速度で開始して、ステップＳＰ２７２に戻る。
【０２８３】
またステップＳＰ２７５において肯定結果が得られると、このことはこの時点に出力制御画面３６０上で、ユーザにより一時停止ボタン３６５又は出力停止ボタン３６６が選択指示され対応する一時停止命令又は出力停止命令が入力されたことを表している。従ってＣＰＵ２０３は、このとき次のステップＳＰ２８２に移る。ステップＳＰ２８２においてＣＰＵ２０３は、このとき入力された一時停止命令又は出力停止命令を示す入力命令履歴情報（例えば、試聴データのデータ一時停止位置やデータ出力停止位置から出力を再開するように設定されているときには、かかるデータ一時停止位置やデータ出力停止位置の情報も含む）を生成し、かかる入力命令履歴情報と、そのとき一時停止した又は出力停止した試聴データに対応する曲名とを例えばＲＡＭ２０５に一時記憶すると共に、この時点に出力中の試聴データを、入力された一時停止命令又は出力停止命令に応じて一時停止させ又は出力停止させて、次のステップＳＰ２８３に移る。ステップＳＰ２８３においてＣＰＵ２０３は、試聴データに対する出力を再開するか否かを判別する。このステップＳＰ２８３において否定結果が得られると、このことはユーザにより未だ試聴データの出力が要求されてはいないことを表している。従ってＣＰＵ２０３は、このときステップＳＰ２８４に移る。ステップＳＰ２８４においてＣＰＵ２０３は、この時点に注目楽曲情報として選定している曲名（すなわち、一時停止又は出力停止させた試聴データに対応する曲名）を他の曲名に変更するか否かを判別する。このステップＳＰ２８４において否定結果が得られると、このことはこの時点にユーザにより、注目楽曲情報に選定している曲名を変更するようには要求されていないことを表している。従ってＣＰＵ２０３は、このときステップＳＰ２８５に移る。ステップＳＰ２８５においてＣＰＵ２０３は、ダウンロード可能な音楽データの紹介を終了させるか否かを判別する。このステップＳＰ２８５において否定結果が得られると、このことは例えばユーザにより未だ音楽データの紹介を終了するように要求されてはいないことを表している。従ってＣＰＵ２０３は、このときステップＳＰ２８３に戻る。これによりＣＰＵ２０３は、この後ステップＳＰ２８３乃至ステップＳＰ２８５において肯定結果が得られるまでの間、当該ステップＳＰ２８３乃至ステップＳＰ２８５の処理を循環的に繰り返し実行することにより、試聴データに対する出力の再開が要求されることを待ち受ける。
【０２８４】
ところでステップＳＰ２８３において肯定結果が得られると、このことは出力制御画面３６０上で、ユーザにより出力ボタン３６４が選択指示され出力命令が入力されたことを表している。従ってＣＰＵ２０３は、このとき次のステップＳＰ２８６に移る。ステップＳＰ２８６においてＣＰＵ２０３は、この際、ＲＡＭ２０５に一時記憶していた入力命令履歴情報と、クライアント端末２又はユーザによる事前設定とに応じて、上述したようにその時点の出力対象の試聴データを設定すると共に、当該出力対象として設定した試聴データに対する出力再開位置を決定し、かかる出力対象の試聴データを当該決定した出力開始位置から出力して、ステップＳＰ２７２に移る。またステップＳＰ２８４において肯定結果が得られると、このことは楽曲紹介画面３６３上で、ユーザにより、一時停止又は出力停止させた試聴データに対応する曲名とは異なる曲名が選択指示されたことで、当該選択指示された曲名を新たな注目楽曲情報として選定すると共に、当該注目楽曲情報として選定した曲名をこれを表示している曲名表示欄３１１ＡＡ乃至３１１ＡＥと共に強調表示したことを表している。従ってＣＰＵ２０３は、このときステップＳＰ２８６に移る。そしてステップＳＰ２８６においてＣＰＵ２０３は、この際、ユーザにより選択指示された曲名に対応する試聴データに対する出力再開位置を当該試聴データのデータ先頭位置に決定する共に、かかる試聴データのデータ先頭位置から出力を再開して、ステップＳＰ２７２に移る。さらにステップＳＰ２８５において肯定結果が得られると、このことは例えばユーザにより音楽データの紹介を終了するように要求されたことを表している。従ってＣＰＵ２０３は、このときステップＳＰ２８７に移り、かかる第６の関連情報連続出力処理手順ＲＴ６を終了する。因みに上述のステップＳＰ２７６において肯定結果が得られると、このときも例えばユーザにより音楽データの紹介を終了するように要求されたことを表している。従ってＣＰＵ２０３は、このときも次のステップＳＰ２８７に移り、第６の関連情報連続出力処理手順ＲＴ６を終了する。
【０２８５】
このようにしてＣＰＵ２０３は、楽曲リスト情報３００内で自己が連続出力対応として設定した複数の曲名に対応付けられている複数の試聴データを連続的に自動出力するものの、この際にユーザにより各種出力制御命令（すなわち、出力命令、一時停止命令、出力停止命令、前スキップ命令、次スキップ命令、早戻し命令及び早送り命令）が入力されると、これに応じて試聴データの出力を制御する。これによりＣＰＵ２０３は、ユーザ所望の試聴データを何度も出力し、またユーザ所望の試聴データのみを連続的に出力する等のように、ダウンロード可能な複数の音楽データをユーザの希望に合わせて試聴楽曲により紹介することができる。従ってＣＰＵ２０３は、ダウンロード可能な複数の音楽データをユーザにとって最も効率的、かつ効果的に紹介することができる。
【０２８６】
なおクライアント端末２のＣＰＵ２０３は、音楽データ配信サーバＳＶ１から紹介ページ情報を取得した場合、楽曲リスト情報３００内の複数の曲名を連続出力対応として設定した後、かかる第６の関連情報連続出力処理手順ＲＴ６を実行するようにしたが、これに限らず、音楽データ配信サーバＳＶ１から紹介ページ情報を取得した場合、楽曲紹介画面３１０上で連続出力通知表示子３１５の存在を確認したユーザにより、筐体表面やリモートコントローラに設けられた操作ボタンを介して処理実行命令が入力されたことに応じて、自動的に第６の関連情報連続出力処理手順ＲＴ６を開始し、その開始段階に第６の関連情報連続出力処理手順ＲＴ６の一環として楽曲リスト情報３００内の複数の曲名を連続出力対応として設定するようにしても良い。またクライアント端末２のＣＰＵ２０３は、音楽データ配信サーバＳＶ１から紹介ページ情報を取得した場合、かかる紹介ページ情報に連続出力可能識別情報３００Ｆ又は連続出力通知表示子３１５が含まれていることを検出したとき、楽曲リスト情報３００内の複数の曲名を連続出力対応として設定するようにしても良い。これによりクライアント端末２のＣＰＵ２０３は、紹介ページ情報に連続出力可能識別情報３００Ｆ又は連続出力通知表示子３１５が含まれていることを検出したときのみ、楽曲リスト情報３００の内容を解析すれば良く、かくして紹介ページ情報取得時に処理負荷を低減させることができる。これに加えてクライアント端末２のＣＰＵ２０３は、ユーザに楽曲紹介画面３１０上で、対応通知表示子３１１Ｃにより試聴データの対応付けられている曲名を確認させ、その確認結果に応じて楽曲リスト情報３００内で試聴データの対応付けられている曲名のみを連続出力対応として設定させるようにしても良い。
【０２８７】
さらにクライアント端末２のＣＰＵ２０３は、音楽データ配信サーバＳＶ１から紹介ページ情報を取得した場合、当該紹介ページ情報に連続出力可能識別情報３００Ｆ（又は連続出力通知表示子３１５）が含まれていることを検出したとき、又は複数の曲名に処理実行情報３００Ｂ（又は試聴データ取得用のＵＲＬ）が関連付けられているときに、自己では特に楽曲リスト情報３００内の複数の曲名を連続出力対応として設定し直さずに、第６の関連情報連続出力処理手順ＲＴ６を実行するようにして、試聴データの出力と共に、曲名に対する注目楽曲情報としての選定及び強調表示の継続も合わせて実行するようにしても良い。これによりクライアント端末２のＣＰＵ２０３は、第６の関連情報連続出力処理手順ＲＴ６を実行する際に処理負荷を低減させることができる。
【０２８８】
さらにクライアント端末２のＣＰＵ２０３は、試聴データに対する出力制御の内容に応じて図３８乃至図４４に示したように楽曲紹介画面３６３Ａ乃至３６３Ｇに、予めクライアント端末２が保持している出力実行中通知表示子３７１、一時停止通知表示子３７２、出力停止通知表示子３７３、前スキップ実行中通知表示子３７４、次スキップ実行中通知表示子３７５、早戻し実行中通知表示子３７６、早送り実行中通知表示子３７７を表示するようにしたが、これに限らず、音楽データ配信サーバＳＶ１側で、かかる出力実行中通知表示子３７１、一時停止通知表示子３７２、出力停止通知表示子３７３、前スキップ実行中通知表示子３７４、次スキップ実行中通知表示子３７５、早戻し実行中通知表示子３７６、早送り実行中通知表示子３７７を予め紹介ページ情報に含めておき、これをＣＰＵ２０３が利用するようにしても良い。これに加えて音楽データ配信サーバＳＶ１側では、紹介ページ情報に対し、これら出力実行中通知表示子３７１、一時停止通知表示子３７２、出力停止通知表示子３７３、前スキップ実行中通知表示子３７４、次スキップ実行中通知表示子３７５、早戻し実行中通知表示子３７６、早送り実行中通知表示子３７７を表示させためのタイミング等を示す処理制御情報を含めるようにしても良い。さらにクライアント端末２のＣＰＵ２０３は、出力中の試聴データを一時停止及び出力停止したとき、当該クライアント端末２又はユーザによる事前設定に応じて出力対象の試聴データ及び出力再開位置を決定するようにしたが、これに限らず、出力再開時の出力対象の試聴データ及び出力再開位置を音楽データ配信サーバＳＶ１側で予め設定して紹介ページ情報に含めておくようにしても良い。
【０２８９】
さらにクライアント端末２のＣＰＵ２０３は、出力中の試聴データを早戻ししたとき、そのデータ先頭位置で当該早戻しを強制的に終了するようにしたが、これに限らず、出力中の試聴データを早戻ししたとき、ユーザにより早戻しボタン３６９が選択指示され早戻し命令が入力されている間は、順次１つ前の試聴データにさかのぼるようにして早戻しを継続するようにしても良い。これに加えてクライアント端末２のＣＰＵ２０３は、出力中の試聴データを早送りしたとき、そのデータ後尾位置で当該早送りを強制的に終了するようにしたが、これに限らず、出力中の試聴データを早送りしたとき、ユーザにより早送りボタン３７０が選択指示され早送り命令が入力されている間は、順次次の試聴データに進めるようにして早送りを継続するようにしても良い。これによりクライアント端末２のＣＰＵ２０３は、ユーザにより早戻し及び早送りが要求されたとき、複数の試聴データに亘って早戻し及び早送りを実行することで、当該ユーザに対し複数の試聴楽曲の内容をおおまかにではあるが、すばやく確認させることができる。
【０２９０】
（２−２−６）第７の関連情報連続出力処理手順
次いで、図４７に示す図表を用いてクライアント端末２のＣＰＵ２０３が実行する第７の関連情報連続出力処理手順について説明する。この場合、図４７に示す図表は、第７の関連情報連続出力処理手順を示すフローチャートと同等のものである。そしてかかる第７の関連情報連続出力処理手順は、一部の曲名に試聴データが対応付けられていない楽曲リスト情報３００を含む紹介ページ情報に基づいて、例えば図２１及び図２２について上述した楽曲紹介画面３２０及び３２１を表示した状態で、ユーザ操作により、連続出力対応として設定されている複数の曲名の中から、任意に曲名が注目楽曲情報として選定された場合の試聴データに対する連続的な自動出力の処理を示すものである。
【０２９１】
まず楽曲リスト情報３００内に、試聴データの対応付けられていない曲名が存在する場合、連続出力対応として設定されている複数の曲名を注目楽曲情報として選定するための仕様としては、大別して３通りの第１乃至第３の仕様がある。この場合、第１の仕様は、図３３について上述した第４の関連情報連続出力処理手順ＲＴ４に対応しており、連続出力対応として設定されている複数の曲名のうち、試聴データの対応付けられていない曲名を注目楽曲情報として自動的に選定したときには、かかる選定をそのまま例えば第１の一定時間継続した後、新たな曲名を注目楽曲情報として選定し、ユーザ操作により、試聴データの対応付けられていない曲名が注目楽曲情報として選定されたときには、かかる選定をそのまま例えば第２の一定時間継続した後、新たな曲名を注目楽曲情報として選定するものである。また第２の仕様は、図３２について上述した第３の関連情報連続出力処理手順ＲＴ３に対応しており、連続出力対応として設定されている複数の曲名のうち、試聴データの対応付けられていない曲名を注目楽曲情報として自動的に選定したときに、複数の試聴データに対する連続的な自動出力の処理を停止するものである。さらに第３の仕様は、図３１について上述した第２の関連情報連続出力処理手順ＲＴ２に対応しており、連続出力対応として設定されている複数の曲名のうち、試聴データの対応付けられている曲名のみを選択的に注目楽曲情報として自動的に選定するものである。
【０２９２】
そして第７の関連情報連続出力処理手順については、これら第１乃至第３の仕様の何れにも適用し得るものであり、連続出力対応として設定されている複数の曲名の中からユーザ操作により任意に曲名が注目楽曲情報として選定されたとき、その直前に複数の試聴データを連続的に自動出力していたか否かの状態（以下、これを任意選定前の連続自動出力状態と呼ぶ）と、当該ユーザ操作により注目楽曲情報として任意に選定された曲名に試聴データが対応付けられているか否かと、ユーザ操作により任意に曲名が注目楽曲情報として選定され直後に複数の試聴データを連続的に自動出力するか否かの状態（以下、これを任意選定後の連続自動出力状態と呼ぶ）とに応じて、順次処理を展開する。因みにかかる第７の関連情報連続出力処理手順では、任意選定後の連続自動出力状態として、３種類の仕様が規定されている。この場合、かかる３種類の仕様のうち１つめの仕様は、任意選定前の連続自動出力状態にかかわらずに（すなわち、ユーザ操作により任意に曲名が注目楽曲情報として選定された直前に複数の試聴データを連続的に自動出力していたか否かにかかわらずに）、複数の試聴データに対する連続的な自動出力を実行（新たな開始や処理の継続）する動作仕様である。また２つめの仕様は、任意選定前の連続自動出力状態にかかわらずに（すなわち、ユーザ操作により任意に曲名が注目楽曲情報として選定された直前に複数の試聴データを連続的に自動出力していたか否かにかかわらずに）、複数の試聴データに対する連続的な自動出力を停止（処理の終了や停止の継続）する停止仕様である。さらに３つめの仕様は、任意選定前の連続自動出力状態を維持（処理の継続や停止の継続）する維持仕様である。
【０２９３】
ここで実際上、クライアント端末２のＣＰＵ２０３は、例えば第１の仕様で複数の試聴データを連続的に自動出力するように設定している状態で、第７の関連情報連続出力処理手順を開始すると、楽曲紹介画面３２０及び３２１上でユーザ操作により任意に曲名が注目楽曲情報として選定されることを待ち受ける。そしてＣＰＵ２０３は、かかるユーザ操作により任意に曲名が注目楽曲情報として選定されると、当該注目楽曲情報として選定された曲名に試聴データが対応付けられているか否かを判別する。またＣＰＵ２０３は、このとき任意選定前の連続自動出力状態も判別する。その結果、ＣＰＵ２０３は、例えばユーザ操作により任意に注目楽曲情報として選定された曲名に対し試聴データが対応付けられてはおらず、かつ任意選定前の連続自動出力状態として、ユーザ操作により任意に曲名が注目楽曲情報として選定された直前に複数の試聴データを連続的に自動出力していたときには、引き続き任意選定後の連続自動出力状態の判別を実行する。この場合、ＣＰＵ２０３は、任意選定後の連続自動出力状態として動作仕様を適用していると、第１の仕様に準じて、ユーザ操作による曲名の注目楽曲情報としての選定をそのまま第２の一定時間継続した後、次の曲名を注目楽曲情報として自動的に選定するようにして、複数の試聴データに対する連続的な自動出力の処理を継続する。またＣＰＵ２０３は、任意選定後の連続自動出力状態として停止仕様を適用していると、第１の仕様にかかわらずに、複数の試聴データに対する連続的な自動出力の処理を停止する。さらにＣＰＵ２０３は、任意選定後の連続自動出力状態として継続仕様を適用していると、第１の仕様に準じて、ユーザ操作による曲名の注目楽曲情報としての選定をそのまま第２の一定時間継続した後、次の曲名を注目楽曲情報として自動的に選定するようにして、複数の試聴データに対する連続的な自動出力の処理を継続する。
【０２９４】
またＣＰＵ２０３は、ユーザ操作により注目楽曲情報として選定された曲名に試聴データが対応付けられているか否かを判別すると共に、任意選定前の連続自動出力状態も判別した結果、例えばユーザ操作により任意に注目楽曲情報として選定された曲名に対し試聴データが対応付けられており、かつ任意選定前の連続自動出力状態として、ユーザ操作により任意に曲名が注目楽曲情報として選定された直前に複数の試聴データを連続的に自動出力していたときには、引き続き任意選定後の連続自動出力状態の判別を実行する。この場合、ＣＰＵ２０３は、任意選定後の連続自動出力状態として動作仕様を適用していると、ユーザ操作により注目楽曲情報として選定された曲名に対応する試聴データを音楽データ配信サーバＳＶ１からストリーミング形式で取得して自動出力する。またＣＰＵ２０３は、任意選定後の連続自動出力状態として停止仕様を適用していると、第１の仕様にかかわらずに、複数の試聴データに対する連続的な自動出力の処理を停止する。さらにＣＰＵ２０３は、任意選定後の連続自動出力状態として継続仕様を適用していると、ユーザ操作により注目楽曲情報として選定された曲名に対応する試聴データを音楽データ配信サーバＳＶ１からストリーミング形式で取得して自動出力するようにして、複数の試聴データに対する連続的な自動出力の処理を継続する。
【０２９５】
そしてＣＰＵ２０３は、第２及び第３の仕様で複数の試聴データを連続的に自動出力するように設定している状態で第７の関連情報連続出力処理手順を開始した場合でも、同様に複数の試聴データに対する連続的な自動出力の処理を実行する。ただしＣＰＵ２０３は、第２の仕様で複数の試聴データを連続的に自動出力するように設定し、かつ任意選定後の連続自動出力状態として動作仕様を適用している場合、本来、第２の仕様では試聴データの対応付けられていない曲名を注目楽曲情報として選定すると、複数の試聴データに対する連続的な自動出力を停止させるため、当該第２の仕様による規定を優先する。すなわちＣＰＵ２０３は、ユーザ操作により任意に注目楽曲情報として選定された曲名に対し試聴データが対応付けられていないときには、任意選定前の連続自動出力状態にかかわらずに、複数の試聴データに対する連続的な自動出力を停止させる。またＣＰＵ２０３は、第２の仕様で複数の試聴データを連続的に自動出力するように設定し、かつ任意選定後の連続自動出力状態として維持仕様を適用している場合も、任意選定前の連続自動出力状態として複数の試聴データを連続的に自動出力しているものの、ユーザ操作により任意に注目楽曲情報として選定された曲名に対し試聴データが対応付けられていないときには、第２の仕様に準じて、当該複数の試聴データに対する連続的な自動出力を停止させる。
【０２９６】
またＣＰＵ２０３は、第３の仕様で複数の試聴データを連続的に自動出力するように設定し、かつ任意選定後の連続自動出力状態として動作仕様を適用している場合、本来、第３の仕様では試聴データの対応付けられていない曲名を飛ばして（すなわち、スキップして）、当該試聴データの対応付けられている曲名を選択的に注目楽曲情報として選定するため、かかる第３の仕様による規定を優先する。すなわちＣＰＵ２０３は、ユーザ操作により任意に注目楽曲情報として選定された曲名に対し試聴データが対応付けられていないときには、任意選定前の連続自動出力状態にかかわらずに、当該ユーザ操作により任意に注目楽曲情報として選定された曲名の次の曲名を自動的に（例えば、あたかもスキップするように素早く）新たな注目楽曲情報として選定し直して、複数の試聴データに対する連続的な自動出力を継続する。またＣＰＵ２０３は、第３の仕様で複数の試聴データを連続的に自動出力するように設定し、かつ任意選定後の連続自動出力状態として維持仕様を適用している場合も、任意選定前の連続自動出力状態として複数の試聴データを連続的に自動出力しているものの、ユーザ操作により任意に注目楽曲情報として選定された曲名に対し試聴データが対応付けられていないときには、第３の仕様に準じて、当該ユーザ操作により任意に注目楽曲情報として選定された曲名の次の曲名を自動的に（例えば、あたかもスキップするように素早く）新たな注目楽曲情報として選定し直して、複数の試聴データに対する連続的な自動出力を継続する。
【０２９７】
なおＣＰＵ２０３は、第３の仕様で複数の試聴データを連続的に自動出力するように設定し、かつ任意選定後の連続自動出力状態として動作仕様を適用している場合、ユーザ操作により任意に注目楽曲情報として選定された曲名に対し試聴データが対応付けられていないときには、第３の仕様では本来スキップすべき曲名が注目楽曲情報として選定されたために、当該複数の試聴データに対する連続的な自動出力を停止させるようにしても良い。またＣＰＵ２０３は、第３の仕様で複数の試聴データを連続的に自動出力するように設定し、かつ任意選定後の連続自動出力状態として維持仕様を適用している場合、任意選定前の連続自動出力状態として複数の試聴データを連続的に自動出力しているものの、ユーザ操作により任意に注目楽曲情報として選定された曲名に対し試聴データが対応付けられていないときには、同様に複数の試聴データに対する連続的な自動出力を停止させるようにしても良い。
【０２９８】
またクライアント端末２では、第１乃至第３の仕様や、任意選定後の連続自動出力状態を、紹介ページ情報に含まれている処理制御情報に基づいて設定し、当該紹介ページ情報に含まれる処理制御情報の変更に応じて適宜設定内容を変更しても良い。またクライアント端末２では、第１乃至第３の仕様や、任意選定後の連続自動出力状態を当該クライアント端末２自体に予め設定していても良い。さらにクライアント端末２では、第１乃至第３の仕様や、任意選定後の連続自動出力状態をユーザによる外部からの入力に応じて設定しても良い。すなわち、第７の関連情報連続出力処理手順は、音楽データ配信サーバＳＶ１、クライアント端末２及びユーザの何れが主体となっても実行することができる。因みに任意選定後の連続自動出力状態としては、動作仕様、停止仕様、維持仕様を、第１乃至第３の仕様毎に、任意選定前の連続自動出力状態にかかわらず、かつユーザ操作により任意に注目楽曲情報として選定された曲名に対する試聴データの対応付けの有無にもかかわらずに種々の組み合せで適用することができる。またクライアント端末２のＣＰＵ２０３は、第１乃至第３の仕様を設定した状態で第７の関連情報連続出力処理手順を実行するようにしたが、これに限らず、第１乃至第３の仕様と共に、データ出力形態（コンティニュ）、順序設定出力形態（プログラム）等の試聴データに対する出力形態も組み合せて設定した状態で第７の関連情報連続出力処理手順を実行するようにしても良い。
【０２９９】
（３）動作及び効果
以上の構成において、音楽データ配信サーバＳＶ１は、ダウンロード可能な音楽データを識別可能な複数の曲名のリストを含む楽曲リスト情報３００と、当該複数の曲名に対応する複数の試聴データをクライアント端末２に取得させて出力させるための処理制御情報とを含む紹介ページ情報を保持している。そして音楽データ配信サーバＳＶ１は、クライアント端末２から紹介ページ情報が要求されると、当該紹介ページ情報をクライアント端末２に提供する。これによりクライアント端末２は、かかる紹介ページ情報に含まれる処理制御情報に従い、楽曲リスト情報３００内で連続出力対応として設定されている複数の曲名のうち先頭の曲名を注目楽曲情報として自動的に選定すると共に、当該注目楽曲情報として選定した曲名に対応付けられている試聴データを音楽データ配信サーバＳＶ１に要求する。その結果、音楽データ配信サーバＳＶ１は、クライアント端末２からの試聴データの要求に応じて当該試聴データをクライアント端末２に提供する。これによりクライアント端末２は、音楽データ配信サーバＳＶ１から提供された試聴データを出力する。
【０３００】
そしてクライアント端末２は、かかる試聴データに対する出力の終了を検出すると、再び楽曲リスト情報３００内の連続出力対応として設定されている複数の曲名のうち、２つ目の曲名を注目楽曲情報として自動的に選定すると共に、当該注目楽曲情報として選定した曲名に対応付けられている試聴データを音楽データ配信サーバＳＶ１に要求する。その結果、音楽データ配信サーバＳＶ１は、クライアント端末２からの試聴データの要求に応じて当該試聴データをクライアント端末２に提供する。これによりクライアント端末２は、音楽データ配信サーバＳＶ１から提供された試聴データを出力する。このようにしてクライアント端末２は、楽曲リスト情報３００内の連続出力対応として設定されている複数の曲名に対応付けられている複数の試聴データを音楽データ配信サーバＳＶ１から取得して連続的に自動出力する。
【０３０１】
従って音楽データ配信サーバＳＶ１は、紹介ページ情報に含まれる楽曲リスト情報３００及び処理制御情報によりクライアント端末２に対し取得対象の試聴データを順次選定させると共に、当該選定された試聴データを要求させ、これに応じて単に取得要求された試聴データを提供することで、複数の試聴データから提供対象の試聴データを順次選び出し、又は音楽データから試聴データを切り出すような煩雑な処理を何ら行うことなく、当該クライアント端末２に対し複数の試聴データを連続的に自動出力させることができる。
【０３０２】
以上の構成によれば、音楽データ配信サーバＳＶ１がダウンロード可能な音楽データの複数の曲名の楽曲リスト情報３００を含む紹介ページ情報をクライアント端末２に提供する。そしてクライアント端末２が、楽曲リスト情報３００内で連続出力対応として設定されている複数の曲名のうち先頭の曲名を注目楽曲情報として自動的に選定し、当該注目楽曲情報として選定した曲名に対応付けられている試聴データを音楽データ配信サーバＳＶ１に要求し、その結果、音楽データ配信サーバＳＶ１から送信される試聴データを取得して出力する。またクライアント端末２が、かかる試聴データの出力終了を検出すると再び楽曲リスト情報３００内の連続出力対応として設定されている複数の曲名のうち、新たな曲名を注目楽曲情報として自動的に選定し、当該注目楽曲情報として選定した曲名に対応付けられている試聴データを音楽データ配信サーバＳＶ１に要求し、その結果、音楽データ配信サーバＳＶ１から送信される試聴データを取得して出力するようにして、当該クライアント端末２が楽曲リスト情報３００内の連続出力対応として設定されている複数の曲名に対応付けられている複数の試聴データを連続的に取得して自動出力するようにした。従って音楽データ配信サーバＳＶ１は、クライアント端末２で自動的に取得対象の試聴データを順次選定し要求することに応じて、当該取得要求された試聴データを連続的に送信することで、複数の試聴データの中からクライアント端末２に送信すべき試聴データを順次選び出し、又は音楽データから試聴データを切り出すような煩雑な処理を何ら行うことなく、当該クライアント端末２に対し複数の試聴データを連続的に自動出力させることができる。よって音楽データ配信サーバＳＶ１は、複数の試聴データの提供時に処理負荷を大幅に低減することができる。
【０３０３】
また音楽データ配信サーバＳＶ１は、ダウンロード可能な音楽データの複数の曲名を含む楽曲リスト情報３００及び当該複数の曲名に対応付けられている複数の試聴データを取得し出力するための処理制御情報を含む紹介ページ情報をクライアント端末２に提供し、当該クライアント端末２に対し紹介ページ情報に含まれる処理制御情報に従い複数の試聴データを要求させるようにした。従って音楽データ配信サーバＳＶ１は、ダウンロード可能な音楽データの提供元の意図するように、試聴データに基づく試聴楽曲によってユーザにダウンロード可能な音楽データを紹介することができる。これに加えてクライアント端末２は、自己に実装された第１乃至第６の関連情報連続出力プログラムに従い、楽曲リスト情報３００内の連続出力対応として設定されている複数の曲名に対応付けられている複数の試聴データを要求することもできる。そしてかかる場合、クライアント端末２は、紹介ページ情報の構成を簡易化させ、ダウンロード可能な音楽データの提供元に対し、紹介ページ情報の作成の際の負荷を低減させることができる。
【０３０４】
さらに音楽データ配信サーバＳＶ１は、複数の曲名に対応付けられている複数の試聴データに対する出力形態を指示する出力形態指示情報を処理制御情報として含む紹介ページ情報をクライアント端末２に提供し、当該クライアント端末２に対し、かかる出力形態指示情報に従い複数繰返出力形態、単一繰返出力形態、並替出力形態、無作為選択出力形態及び順序設定出力形態で試聴データを選択的に要求させるようにした。従って音楽データ配信サーバＳＶ１は、ダウンロード可能な音楽データの提供元で当該音楽データの紹介の仕方が変更されても、楽曲リスト情報３００を作成し直させることなく容易にかつ的確に当該提供元の意図する通りに、ダウンロード可能な音楽データをユーザに紹介することができる。これに加えてクライアント端末２は、ユーザに試聴データに対する出力形態を選択させることができる。従ってクライアント端末２は、複数の試聴データをユーザの要望する通りに紹介することができる。
【０３０５】
さらに音楽データ配信サーバＳＶ１は、連続出力通知表示子３１５や対応通知表示子３３１Ｃ、出力形態通知表示子３２３、３２５、３２７、３２９、３３１、出力実行中通知表示子３７１、一時停止通知表示子３７２、出力停止通知表示子３７３、前スキップ実行中通知表示子３７４、次スキップ実行中通知表示子３７５、早戻し実行中通知表示子３７６、早送り実行中通知表示子３７７等の各種表示子を含む紹介ページ情報をクライアント端末２に提供して、これら各種表示子を適宜表示させるようにした。従って音楽データ配信サーバＳＶ１は、複数の試聴データの連続的な自動出力の際に、処理実行用の設定内容や処理の実行内容等をユーザに的確に通知することができる。これに加えてクライアント端末２は、これら連続出力通知表示子３１５や対応通知表示子３３１Ｃ、出力形態通知表示子３２３、３２５、３２７、３２９、３３１、出力実行中通知表示子３７１、一時停止通知表示子３７２、出力停止通知表示子３７３、前スキップ実行中通知表示子３７４、次スキップ実行中通知表示子３７５、早戻し実行中通知表示子３７６、早送り実行中通知表示子３７７等の各種表示子を予め保持しておき、適宜表示させるようにした。従ってクライアント端末２は、複数の試聴データの連続的な自動出力の際に、処理実行用の設定内容や処理の実行内容等をユーザに的確に通知することができると共に、紹介ページ情報をこれら各種表示子を除いて構成させて当該構成を簡易化させることができ、かくして紹介ページ情報の作成負荷を低減させることができる。
【０３０６】
（４）他の実施の形態
なお上述した第１の実施の形態においては、音楽データ配信サーバＳＶ１がクライアント端末２で曲名を注目楽曲情報として選定したとき、当該クライアント端末２に対し、注目楽曲情報として選定した曲名に対応付けられている試聴データを提供するようにした場合について述べたが、本発明はこれに限らず、音楽データに関連する関連情報として詳細情報等のテキストデータや、ミュージッククリップの少なくとも一部でなる動画像データ、アーティストの写真画像等の静止画像データ等のサンプルデータも試聴データと共に又は別々に提供するようにしても良い。これによりダウンロード可能な音楽データをさらに詳しく紹介することができる。これに加えて音楽データ配信サーバＳＶ１は、曲名に試聴データを対応付けていない場合、当該曲名に関連する関連情報として詳細情報等のテキストデータや、ミュージッククリップの少なくとも一部でなる動画像データ、アーティストの写真画像等の静止画像データ等のサンプルデータ（すなわち、見本データ）を対応付けても良い。これにより音楽データ配信サーバＳＶ１は、クライアント端末２で試聴データを対応付けてはいない曲名が注目楽曲情報として選定されたとき、かかるサンプルデータに基づくサンプルをユーザに提示させて音楽データを紹介することができる。
【０３０７】
また上述した第１の実施の形態においては、クライアント端末２が音楽データに関連する関連情報としての試聴データを取得して連続的に自動出力するようにした場合について述べたが、本発明はこれに限らず、クライアント端末２が、動画、静止画、ゲーム、オーディオ、テキスト、プログラム等の種々のコンテンツに関連するサンプルデータ等のコンテンツ関連情報を取得して連続的に自動出力するようにしても良い。また音楽データ配信サーバＳＶ１は、曲名等のコンテンツ識別情報に対応する関連情報として、コンテンツデータ（オーディオデータ、ビデオデータ、イメージデータ、テキストデータ、プログラムデータ）そのものをクライアント端末２に提供してもかまわない。
【０３０８】
さらに上述した第１の実施の形態においては、クライアント端末２が、第１乃至第６の関連情報連続出力処理手順ＲＴ１乃至ＲＴ６を実行する際に取得する紹介ページ情報に楽曲リスト情報３００の一部として処理実行情報３００Ｂを含むようにした場合について述べたが、本発明はこれに限らず、クライアント端末２が、第１乃至第６の関連情報連続出力処理手順ＲＴ１乃至ＲＴ６を実行可能なときには、紹介ページ情報に楽曲リスト情報３００の一部として処理実行情報３００Ｂ全てを含まずに、試聴データを取得可能な最低限の例えばＵＲＬのみを含ませるようにしても良い。このようにしてもクライアント端末２では、上述した第１乃至第６の関連情報連続出力処理手順ＲＴ１乃至ＲＴ６を実行することができる。
【０３０９】
さらに上述した第１の実施の形態においては、音楽データ配信サーバＳＶ１が紹介ページ情報及び試聴データをクライアント端末２に提供するようにした場合について述べたが、本発明はこれに限らず、クライアント端末２に対し、これら紹介ページ情報と、試聴データとを異なるサーバでなるリスト情報提供装置や関連情報連続提供装置から提供するようにしても良い。このようしても上述の実施の形態と同様の効果を得ることができる。
【０３１０】
さらに上述した第１の実施の形態においては、音楽データ配信サーバＳＶ１が主体となってクライアント端末２において上述した第１の関連情報連続出力処理手順ＲＴ１を実行するようにした場合について述べたが、本発明はこれに限らず、クライアント端末２が、自己を主体として第１の関連情報連続出力プログラムに従い第１の関連情報連続出力処理手順ＲＴ１を実行しても良いし、クライアント端末２がユーザを主体として当該ユーザによる入力に応じて第１の関連情報連続出力処理手順ＲＴ１を実行するようにしても良い。
【０３１１】
さらに上述した第１の実施の形態においては、クライアント端末２が、自己を主体として第２乃至第６の関連情報連続出力プログラムに従い上述した第２乃至第６の関連情報連続出力処理手順ＲＴ２乃至ＲＴ６を実行するようにした場合について述べたが、本発明はこれに限らず、クライアント端末２が、音楽データ配信サーバＳＶ１を主体として紹介ページ情報に含まれる処理制御情報に従い上述した第２乃至第６の関連情報連続出力処理手順ＲＴ２乃至ＲＴ６を実行しても良いし、クライアント端末２がユーザを主体として当該ユーザによる入力に応じて第２乃至第６の関連情報連続出力処理手順ＲＴ２乃至ＲＴ６を実行するようにしても良い。すなわち上述した第１の実施の形態においては、音楽データ配信サーバＳＶ１及びクライアント端末２において図２８について上述した関連情報連続提供出力処理手順を実行するとき、当該クライアント端末２が実行する関連情報連続出力処理の内容を上述した第１乃至第６の関連情報連続出力処理手順ＲＴ１乃至ＲＴ６のいずれにも変更し得ると共に、その際にかかる関連情報連続出力処理手順を音楽データ配信サーバＳＶ１、クライアント端末２及びユーザの何れが主体となっても実行することができる。
【０３１２】
〔２〕第２の実施の形態
（１）関連情報連続提供出力システムの構成
図４８は、第２の実施の形態による関連情報連続提供出力システム５００を示す。かかる関連情報連続提供出力システム５００は、コンテンツ関連情報を連続的に提供可能な関連情報連続提供装置５０１と、当該関連情報連続提供装置５０１からコンテンツ関連情報を取得して連続的に出力可能な関連情報連続出力装置５０２とから構築されている。
【０３１３】
（１−１）関連情報連続提供装置５０１の機能回路ブロック構成
まず図４８を用いて、第２の実施の形態による関連情報連続提供装置５０１の機能回路ブロックによるハードウェア構成を説明する。かかる関連情報連続提供装置５０１において、ページ情報送信部５１０は、関連情報連続出力装置５０２から送信される要求に応じて、当該関連情報連続出力装置５０２に対し、複数のコンテンツ識別情報のリストを含むページ情報を送信する。そして関連情報連続提供装置５０１において、要求情報受信部５１１は、関連情報連続出力装置５０２でページ情報に含まれるリスト内の連続出力対応として設定されているコンテンツ識別情報が注目コンテンツ情報として選定されることにより、当該関連情報連続出力装置５０２から送信される、注目コンテンツ情報として選定されたコンテンツ識別情報に対応するコンテンツ関連情報の要求情報を受信する。その結果、関連情報連続提供装置５０１において、関連情報送信部５１２は、関連情報連続出力装置５０２に対し、要求情報受信部５１１により受信された要求情報に応じたコンテンツ関連情報を送信する。
【０３１４】
すなわち関連情報連続提供装置５０１では、要求情報受信部５１１が関連情報連続出力装置５０２からページ情報に含まれるリスト内の連続出力対応として設定されているコンテンツ識別情報のうち１つの当該コンテンツ識別情報が注目コンテンツ情報として選定されることにより送信される、当該注目コンテンツ情報として選定されたコンテンツ識別情報に対応するコンテンツ関連情報の要求情報を受信すると、関連情報送信部５１２が関連情報連続出力装置５０２に対し当該要求情報に応じたコンテンツ関連情報を送信する。そして関連情報連続提供装置５０１では、要求情報受信部５１１が関連情報連続出力装置５０２からコンテンツ関連情報の出力が終了し、ページ情報に含まれるリスト内の連続出力対応として設定されているコンテンツ識別情報のうち新たに１つの当該コンテンツ識別情報が注目コンテンツ情報として自動的に選定されることにより送信される、当該新たに注目コンテンツ情報として選定されたコンテンツ識別情報に対応するコンテンツ関連情報の要求情報を受信すると、関連情報送信部５１２が関連情報連続出力装置５０２に対し当該要求情報に応じたコンテンツ関連情報を送信する。このようにして関連情報連続提供装置５０１では、要求情報受信部５１１及び関連情報送信部５１２が順次交互に動作することにより、関連情報連続出力装置５０２に対し、当該関連情報連続出力装置５０２から順次送信される要求情報に応じたコンテンツ関連情報を連続的に自動送信する。
【０３１５】
なお関連情報連続提供装置５０１は、第１の実施の形態で上述した音楽データ配信サーバＳＶ１に対応する。そしてページ情報送信部５１０は、上述した音楽データ配信サーバＳＶ１の制御部７０、通信制御部７２及びネットワークインタフェース７３や、ＣＰＵ２７０及びネットワークインタフェース２７５に対応し、第１の実施の形態で上述した関連情報連続提供出力処理手順のステップＳＰ１０１の処理を実現する機能を有している。また要求情報受信部５１１は、上述した音楽データ配信サーバＳＶ１の制御部７０、通信制御部７２及びネットワークインタフェース７３や、ＣＰＵ２７０及びネットワークインタフェース２７５に対応し、第１の実施の形態で上述した関連情報連続提供出力処理手順のステップＳＰ１０４の処理を実現する機能を有している。さらに関連情報送信部５１２は、上述した音楽データ配信サーバＳＶ１の制御部７０、通信制御部７２及びネットワークインタフェース７３や、ＣＰＵ２７０及びネットワークインタフェース２７５に対応し、第１の実施の形態で上述した関連情報連続提供出力処理手順のステップＳＰ１０８の処理を実現する機能を有している。
【０３１６】
（１−２）関連情報連続出力装置５０２の機能回路ブロック構成
次いで、図４８を用いて、第２の実施の形態による関連情報連続出力装置５０２の機能回路ブロックによるハードウェア構成を説明する。かかる関連情報連続出力装置５０２において、ページ情報取得部５２０は、関連情報連続提供装置５０１（又は他の図示しないページ情報提供装置）にページ情報を要求することにより、当該関連情報連続提供装置５０１（又はページ情報提供装置）から送信される、複数のコンテンツ識別情報のリストを含むページ情報を取得する。この状態で関連情報連続出力装置５０２において、注目コンテンツ情報選定部５２１は、ページ情報取得部５２０により取得されたページ情報に含まれるリスト内で、連続出力対応として設定されているコンテンツ識別情報を注目コンテンツ情報として選定する。そして関連情報連続出力装置５０２において、関連情報取得部５２２は、注目コンテンツ情報選定部５２１により注目コンテンツ情報として選定されたコンテンツ識別情報に対応するコンテンツ関連情報の要求情報を関連情報連続提供装置５０１に送信する。その結果、関連情報取得部５２２は、関連情報連続提供装置５０１から、注目コンテンツ情報選定部５２１により注目コンテンツ情報として選定されたコンテンツ識別情報に対応するコンテンツ関連情報を取得する。これにより関連情報連続出力装置５０２において、関連情報出力部５２３は、関連情報取得部５２２により取得されたコンテンツ関連情報を出力する。また関連情報連続出力装置５０２において、出力終了検出部５２４は、この際、関連情報出力部５２３によるコンテンツ関連情報の出力終了を検出する。
【０３１７】
すなわち関連情報連続出力装置５０２では、注目コンテンツ情報選定部５２１がページ情報に含まれるリスト内で、連続出力対応として設定されているコンテンツ識別情報のうち１つの当該コンテンツ識別情報を注目コンテンツ情報として選定すると、関連情報取得部５２２が関連情報連続提供装置５０１から当該注目コンテンツ情報として選定されたコンテンツ識別情報に対応するコンテンツ関連情報を取得して関連情報出力部５２３が当該取得されたコンテンツ関連情報を出力する、この際、関連情報連続出力装置５０２では、出力終了検出部５２４が関連情報出力部５２３によるコンテンツ関連情報の出力終了を検出すると、注目コンテンツ情報選定部５２１がページ情報に含まれるリスト内で、連続出力対応として設定されているコンテンツ識別情報のうち新たに１つの当該コンテンツ識別情報を注目コンテンツ情報として自動的に選定し、関連情報取得部５２２が関連情報連続提供装置５０１から当該新たに注目コンテンツ情報として選定されたコンテンツ識別情報に対応するコンテンツ関連情報を取得して関連情報出力部５２３が当該取得されたコンテンツ関連情報を出力する。このようにして関連情報連続出力装置５０２では、注目コンテンツ情報選定部５２１、関連情報取得部５２２、関連情報出力部５２３及び出力終了検出部５２４が循環的に繰り返し動作することにより、ページ情報に含まれるリスト内で、連続出力対応として設定されているコンテンツ識別情報に対応するコンテンツ関連情報を連続的に自動出力する。
【０３１８】
なお関連情報連続出力装置５０２は、第１の実施の形態で上述したクライアント端末２に対応する。そしてページ情報取得部５２０は、クライアント端末２の制御部２２、通信制御部３２及びネットワークインタフェース３３や、ＣＰＵ２０３、通信処理部２１４及びネットワークインタフェース２１５に対応し、第１の実施の形態で上述した関連情報連続提供出力処理手順のステップＳＰ１００の処理を実現する機能を有している。また注目コンテンツ情報選定部５２１は、上述したクライアント端末２の制御部２２や、ＣＰＵ２０３に対応し、第１の実施の形態で上述した関連情報連続提供出力処理手順のステップＳＰ１０２及びステップＳＰ１０６の処理を実現する機能を有している。さらに関連情報取得部５２２は、上述したクライアント端末２の制御部２２、通信制御部３２及びネットワークインタフェース３３や、ＣＰＵ２０３、通信処理部２１４及びネットワークインタフェース２１５に対応し、第１の実施の形態で上述した関連情報連続提供出力処理手順のステップＳＰ１０３及びステップＳＰ１０７の処理を実現する機能を有している。さらに関連情報出力部５２３は、上述したクライアント端末２の制御部２２、音声制御部２６及びスピーカ２７や、ＣＰＵ２０３、音声処理部２０９及びスピーカ２１０に対応し、第１の実施の形態で上述した関連情報連続提供出力処理手順のステップＳＰ１０５及びステップＳＰ１０９の処理を実現する機能を有している。さらに出力終了検出部５２４は、上述したクライアント端末２の制御部２２及び音声制御部２６や、ＣＰＵ２０３及び音声処理部２０９に対応し、第１の実施の形態で上述した第１乃至第６の関連情報連続出力処理手順ＲＴ１乃至ＲＴ６のステップＳＰ２０２、ステップＳＰ２１２、ステップＳＰ２２２、ステップＳＰ２３２、ステップＳＰ２４２、ステップＳＰ２４７、ステップＳＰ２５２、ステップＳＰ２５６、ステップＳＰ２６０、ステップＳＰ２６３、ステップＳＰ２７２の処理を実現する機能を有している。
【０３１９】
（２）動作及び効果
以上の構成において、関連情報連続出力装置５０２は、関連情報連続提供装置５０１（又はページ情報提供装置）から、複数のコンテンツ識別情報のリストを含むページ情報を取得し、当該取得したページ情報に含まれるリスト内で、連続出力対応として設定されているコンテンツ識別情報のうち１つのコンテンツ識別情報を注目コンテンツ情報として選定することで関連情報連続提供装置５０１から、当該注目コンテンツ情報として選定した１つのコンテンツ識別情報に対応するコンテンツ関連情報を取得して出力し、かかるコンテンツ関連情報の出力終了を検出すると、ページ情報に含まれるリスト内で、連続出力対応として設定されているコンテンツ識別情報のうち新たに１つのコンテンツ識別情報を注目コンテンツ情報として自動的に選定すると共に、再び関連情報連続提供装置５０１から、当該新たに注目コンテンツ情報として選定した１つのコンテンツ識別情報に対応するコンテンツ関連情報を取得し出力するようにして、連続出力対応として設定されているコンテンツ識別情報に対応するコンテンツ関連情報を連続的に自動出力する。
【０３２０】
従って関連情報連続出力装置５０２では、ページ情報に含まれるリスト内で、連続出力対応として設定されているコンテンツ識別情報を順次注目コンテンツ情報として自動的に選定しながら、関連情報連続提供装置５０１に対し当該注目コンテンツ情報として選定したコンテンツ識別情報に対応するコンテンツ関連情報を要求することで、かかる関連情報連続提供装置５０１に対して複数のコンテンツ関連情報の中から関連情報連続出力装置５０２に提供するコンテンツ関連情報を順次選び出させる等の煩雑な処理を何ら行わせることなく、ページ情報に含まれるリスト内で、連続出力対応として設定されているコンテンツ識別情報に対応するコンテンツ関連情報を連続的に自動送信させ自動出力することができる。
【０３２１】
すなわち関連情報連続提供装置５０１では、関連情報連続出力装置５０２から、ページ情報に含まれるリスト内で、連続出力対応として設定されているコンテンツ識別情報を順次注目コンテンツ情報として自動的に選定しながら、当該注目コンテンツ情報として選定したコンテンツ識別情報に対応するコンテンツ関連情報が要求されるため、複数のコンテンツ関連情報の中から関連情報連続出力装置５０２に提供するコンテンツ関連情報を順次選び出す等の煩雑な処理を何ら行うことなく、当該関連情報連続出力装置５０２に対し、ページ情報に含まれるリスト内で、連続出力対応として設定されているコンテンツ識別情報に対応するコンテンツ関連情報を連続的に自動送信することができる。
【０３２２】
以上の構成によれば、関連情報連続出力装置５０１では、関連情報連続提供装置５０１（又はページ情報提供装置）から送信される、複数のコンテンツ識別情報のリストを含むページ情報を取得し、当該取得したページ情報に含まれるリスト内で、連続出力対応として設定されているコンテンツ識別情報のうち１つのコンテンツ識別情報を注目コンテンツ情報として選定することで関連情報連続提供装置５０１から、当該注目コンテンツ情報として選定した１つのコンテンツ識別情報に対応するコンテンツ関連情報を取得して出力し、かかるコンテンツ関連情報の出力終了を検出すると、ページ情報に含まれるリスト内で、連続出力対応として設定されているコンテンツ識別情報のうち新たに１つのコンテンツ識別情報を注目コンテンツ情報として自動的に選定すると共に、関連情報連続提供装置５０１から、当該新たに注目コンテンツ情報として選定した１つのコンテンツ識別情報に対応するコンテンツ関連情報を取得し出力するようにして、連続出力対応として設定されているコンテンツ識別情報に対応するコンテンツ関連情報を連続的に自動出力するようにした。従って関連情報連続出力装置５０２では、関連情報連続提供装置５０１に対し、複数のコンテンツ関連情報の中から当該関連情報連続出力装置５０１に提供するコンテンツ関連情報を順次選び出させる等の煩雑な処理を何ら行わせることなく、ページ情報に含まれるリスト内で、連続出力対応として設定されているコンテンツ識別情報に対応するコンテンツ関連情報を連続的に自動送信させ自動出力することができ、かくして関連情報連続提供装置５０１に対しコンテンツ関連情報の提供時の処理負荷を大幅に低減させることができる。
【０３２３】
また関連情報連続提供装置５０１では、関連情報連続出力装置５０２から送信される要求に応じて、当該関連情報連続出力装置５０２に対し、複数のコンテンツ識別情報のリストを含むページ情報を送信し、関連情報連続出力装置５０２でページ情報に含まれるリスト内の連続出力対応として設定されているコンテンツ識別情報のうち１つのコンテンツ識別情報が注目コンテンツ情報として選定されることにより、当該関連情報連続出力装置５０２から送信される当該注目コンテンツ情報として選定された１つのコンテンツ識別情報に対応するコンテンツ関連情報の要求情報を受信すると、関連情報連続出力装置５０２に対して、かかる要求情報に応じたコンテンツ関連情報を送信し、関連情報連続出力装置５０２でコンテンツ関連情報の出力が終了し、ページ情報に含まれるリスト内の連続出力対応として設定されているコンテンツ識別情報のうち新たに１つのコンテンツ識別情報が注目コンテンツ情報として自動的に選定されることにより、当該関連情報連続出力装置５０２から送信される当該新たに注目コンテンツ情報として選定された１つのコンテンツ識別情報に対応するコンテンツ関連情報の要求情報を受信すると、関連情報連続出力装置５０２に対して当該受信した要求情報に応じたコンテンツ関連情報を送信するようにして、関連情報連続出力装置５０２に対し、当該関連情報連続出力装置５０２から順次送信される要求情報に応じたコンテンツ関連情報を連続的に自動送信するようにした。従って関連情報連続提供装置５０１では、複数のコンテンツ関連情報の中から関連情報連続出力装置５０２に提供するコンテンツ関連情報を順次選び出す等の煩雑な処理を何ら行うことなく、当該関連情報連続出力装置５０２に対し、ページ情報に含まれるリスト内で、連続出力対応として設定されているコンテンツ識別情報に対応するコンテンツ関連情報を連続的に自動送信することができ、かくしてコンテンツ関連情報の提供時に処理負荷を大幅に低減することができる。
【０３２４】
〔３〕第３の実施の形態
（１）関連情報連続提供出力システムの構成
図４９は、第３の実施の形態による関連情報連続提供出力システム６００を示す。かかる関連情報連続提供出力システム６００は、コンテンツ関連情報を連続的に提供可能な関連情報連続提供装置６０１と、当該関連情報連続提供装置６０１からコンテンツ関連情報を取得して連続的に出力可能な関連情報連続出力装置６０２とから構築されている。
【０３２５】
（１−１）関連情報連続提供装置６０１の機能回路ブロック構成
まず図４９を用いて、第３の実施の形態による関連情報連続提供装置６０１の機能回路ブロックによるハードウェア構成を説明する。かかる関連情報連続提供装置６０１において、ページ情報送信部６１０は、関連情報連続出力装置６０２から送信される要求に応じて、当該関連情報連続出力装置６０２に対し、複数のコンテンツ識別情報のリストを含むページ情報を送信する。そして関連情報連続提供装置６０１において、要求情報受信部６１１は、関連情報連続出力装置６０２でページ情報に含まれるリスト内の連続出力対応として設定されているコンテンツ識別情報が注目コンテンツ情報として選定されることにより、当該関連情報連続出力装置６０２から送信される、注目コンテンツ情報として選定されたコンテンツ識別情報に対応するコンテンツ関連情報の要求情報を受信する。その結果、関連情報連続提供装置６０１において、関連情報送信部６１２は、関連情報連続出力装置６０２に対し、要求情報受信部６１１により受信された要求情報に応じたコンテンツ関連情報を送信する。
【０３２６】
すなわち関連情報連続提供装置６０１では、要求情報受信部６１１が関連情報連続出力装置６０２からページ情報に含まれるリスト内の連続出力対応として設定されているコンテンツ識別情報のうち１つの当該コンテンツ識別情報が注目コンテンツ情報として選定されることにより送信される、当該注目コンテンツ情報として選定されたコンテンツ識別情報に対応するコンテンツ関連情報の要求情報を受信すると、関連情報送信部６１２が関連情報連続出力装置６０２に対し当該要求情報に応じたコンテンツ関連情報を送信する。そして関連情報連続提供装置６０１では、要求情報受信部６１１が関連情報連続出力装置６０２からコンテンツ関連情報の出力が終了し、ページ情報に含まれるリスト内の連続出力対応として設定されているコンテンツ識別情報のうち新たに１つの当該コンテンツ識別情報が注目コンテンツ情報として自動的に選定されることにより送信される、当該新たに注目コンテンツ情報として選定されたコンテンツ識別情報に対応するコンテンツ関連情報の要求情報を受信すると、関連情報送信部６１２が関連情報連続出力装置６０２に対し当該要求情報に応じたコンテンツ関連情報を送信する。このようにして関連情報連続提供装置６０１では、要求情報受信部６１１及び関連情報送信部６１２が順次交互に動作することにより、関連情報連続出力装置６０２に対し、当該関連情報連続出力装置６０２から順次送信される要求情報に応じたコンテンツ関連情報を連続的に自動送信する。
【０３２７】
これに加えて関連情報連続提供装置６０１のページ情報送信部６１０は、関連情報連続出力装置６０２に対し、連続出力対応として設定されているコンテンツ識別情報に対応するコンテンツ関連情報が連続出力可能であることを示す連続出力可能識別情報を含むページ情報を送信することができる。またページ情報送信部６１０は、関連情報連続出力装置６０２に対し、連続出力対応として設定されているコンテンツ識別情報に対応するコンテンツ関連情報が連続出力可能であることを通知する連続出力通知表示子を含むページ情報を送信することもできる。さらにページ情報送信部６１０は、関連情報連続出力装置６０２に対し、連続出力対応として設定されているコンテンツ識別情報と、当該コンテンツ識別情報に対応するコンテンツ関連情報の出力形態を指示する出力形態指示情報とを含むページ情報を送信することもできる。
【０３２８】
そしてページ情報送信部６１０は、関連情報連続出力装置６０２に対し出力形態指示情報を含むページ情報を送信する場合、当該関連情報連続出力装置６０２に対し、連続出力対応として設定されている複数のコンテンツ識別情報と、当該複数のコンテンツ識別情報に対応する複数のコンテンツ関連情報の出力形態として複数繰返出力形態を指示する出力形態指示情報とを含むページ情報を送信することができる。またページ情報送信部６１０は、関連情報連続出力装置６０２に対し、連続出力対応として設定されているコンテンツ識別情報と、当該コンテンツ識別情報に対応するコンテンツ関連情報の出力形態として単一繰返出力形態を指示する出力形態指示情報とを含むページ情報を送信することもできる。さらにページ情報送信部６１０は、関連情報連続出力装置６０２に対し、連続出力対応として設定されている複数のコンテンツ識別情報と、当該複数のコンテンツ識別情報に対応する複数のコンテンツ関連情報の出力形態として並替出力形態を指示する出力形態指示情報とを含むページ情報を送信することもできる。さらにページ情報送信部６１０は、関連情報連続出力装置６０２に対し、連続出力対応として設定されている複数のコンテンツ識別情報と、当該複数のコンテンツ識別情報に対応する複数のコンテンツ関連情報の出力形態として無作為選択出力形態を指示する出力形態指示情報とを含むページ情報を送信することもできる。さらにまたページ情報送信部６１０は、関連情報連続出力装置６０２に対し、連続出力対応として設定されている複数のコンテンツ識別情報と、当該複数のコンテンツ識別情報に対応する複数のコンテンツ関連情報に対して設定された出力順序と、当該複数のコンテンツ関連情報の出力形態として設定された出力順序で出力する順序設定出力形態を指示する出力形態指示情報とを含むページ情報を送信することもできる。そしてページ情報送信部６１０は、関連情報連続出力装置６０２に対し、連続出力対応として設定されているコンテンツ識別情報に対応するコンテンツ関連情報の出力形態を通知する出力形態通知表示子を含むページ情報を送信することもできる。
【０３２９】
ところでページ情報送信部６１０は、関連情報連続出力装置６０２に対し、連続出力対応として設定されているコンテンツ識別情報に対応するコンテンツ関連情報の出力中に出力させる、当該コンテンツ関連情報が出力中であることを通知する出力実行中通知表示子を含むページ情報を送信することができる。またページ情報送信部６１０は、関連情報連続出力装置６０２に対し、連続出力対応として設定されているコンテンツ識別情報に対応するコンテンツ関連情報の出力が一旦停止されたときの出力再開位置を指示する出力再開位置指示情報を含むページ情報を送信することもできる。さらにページ情報送信部６１０は、関連情報連続出力装置６０２に対し、出力の停止されたコンテンツ関連情報の先頭を出力再開位置として指示する出力再開位置指示情報を含むページ情報を送信することもできる。さらにページ情報送信部６１０は、関連情報連続出力装置６０２に対し、出力の停止されたコンテンツ関連情報の出力停止位置を出力再開位置として指示する出力再開位置指示情報を含むページ情報を送信することもできる。さらにページ情報送信部６１０は、関連情報連続出力装置６０２に対し、最初に注目コンテンツ情報として選定されるコンテンツ識別情報に対応するコンテンツ関連情報を出力再開位置として指示する出力再開位置指示情報を含むページ情報を送信することもできる。
【０３３０】
これに加えてページ情報送信部６１０は、関連情報連続出力装置６０２に対し、注目コンテンツ情報として選定されたコンテンツ識別情報に対しコンテンツ関連情報を対応付けていないとき、次のコンテンツ識別情報が注目コンテンツ情報として選定される前に、選定されたコンテンツ識別情報を注目コンテンツ情報としてそのまま選定させる一定時間を示す選定継続時間情報を含むページ情報を送信することができる。またページ情報送信部６１０は、関連情報連続出力装置６０２に対し、コンテンツ関連情報を対応付けていないコンテンツ識別情報が外部入力に応じて注目コンテンツ情報として選定されたとき、当該コンテンツ識別情報を注目コンテンツ情報としてそのまま選定させる第１の時間でなる一定時間を示す選定継続時間情報と、コンテンツ関連情報を対応付けていないコンテンツ識別情報が自動的に注目コンテンツ情報として選定されたとき、当該コンテンツ識別情報を注目コンテンツ情報としてそのまま選定させる第２の時間でなる一定時間を示す選定継続時間情報とを含むページ情報を送信することもできる。
【０３３１】
またページ情報送信部６１０は、関連情報連続出力装置６０２に対し、連続出力対応として設定されているコンテンツ識別情報に対しコンテンツ関連情報を対応付けているか否かを通知するための対応通知表示子を含むページ情報を送信することができる。さらにページ情報送信部６１０は、関連情報連続出力装置６０２に対し、コンテンツ識別情報にコンテンツ関連情報として、当該コンテンツ識別情報で識別されるコンテンツ用のサンプルコンテンツを対応付けたページ情報を送信することもできる。そしてページ情報送信部６１０は、関連情報連続出力装置６０２に対し、コンテンツ識別情報にコンテンツ関連情報として、当該コンテンツ識別情報で識別される動画、静止画、ゲーム、オーディオ、テキスト、プログラムを含むコンテンツ用のサンプルコンテンツを対応付けたページ情報を送信することもできる。またページ情報送信部６１０は、関連情報連続出力装置６０２に対し、コンテンツ識別情報にコンテンツ関連情報として、当該コンテンツ識別情報で識別されるコンテンツに関連するテキスト情報を対応付けたページ情報を送信することもできるし、当該関連情報連続出力装置６０２に対し、コンテンツ識別情報にコンテンツ関連情報として、当該コンテンツ識別情報で識別されるコンテンツに関連する画像情報を対応付けたページ情報を送信することもできる。そして関連情報送信部６１２は、関連情報連続出力装置６０２に対しコンテンツ関連情報をストリーミング形式で送信することができる。
【０３３２】
なお関連情報連続提供装置６０１は、第１の実施の形態で上述した音楽データ配信サーバＳＶ１に対応する。そしてページ情報送信部６１０は、上述した音楽データ配信サーバＳＶ１の制御部７０、通信制御部７２及びネットワークインタフェース７３や、ＣＰＵ２７０及びネットワークインタフェース２７５に対応し、第１の実施の形態で上述した関連情報連続提供出力処理手順のステップＳＰ１０１の処理を実現する機能を有している。また要求情報受信部６１１は、上述した音楽データ配信サーバＳＶ１の制御部７０、通信制御部７２及びネットワークインタフェース７３や、ＣＰＵ２７０及びネットワークインタフェース２７５に対応し、第１の実施の形態で上述した関連情報連続提供出力処理手順のステップＳＰ１０４の処理を実現する機能を有している。さらに関連情報送信部６１２は、上述した音楽データ配信サーバＳＶ１の制御部７０、通信制御部７２及びネットワークインタフェース７３や、ＣＰＵ２７０及びネットワークインタフェース２７５に対応し、第１の実施の形態で上述した関連情報連続提供出力処理手順のステップＳＰ１０８の処理を実現する機能を有している。
【０３３３】
（１−２）関連情報連続出力装置６０２の機能回路ブロック構成
次いで、図４９を用いて、第３の実施の形態による関連情報連続出力装置６０２の機能回路ブロックによるハードウェア構成を説明する。かかる関連情報連続出力装置６０２において、ページ情報取得部６２０は、関連情報連続提供装置６０１（又は他の図示しないページ情報提供装置）にページ情報を要求することにより、当該関連情報連続提供装置６０１（又はページ情報提供装置）から送信される、複数のコンテンツ識別情報のリストを含むページ情報を取得する。この状態で関連情報連続出力装置６０２において、注目コンテンツ情報選定部６２１は、ページ情報取得部６２０により取得されたページ情報に含まれるリスト内で、連続出力対応として設定されているコンテンツ識別情報を注目コンテンツ情報として選定する。そして関連情報連続出力装置６０２において、関連情報取得部６２２は、注目コンテンツ情報選定部６２１により注目コンテンツ情報として選定されたコンテンツ識別情報に対応するコンテンツ関連情報の要求情報を関連情報連続提供装置６０１に送信する。その結果、関連情報取得部６２２は、関連情報連続提供装置６０１から、注目コンテンツ情報選定部６２１により注目コンテンツ情報として選定されたコンテンツ識別情報に対応するコンテンツ関連情報を取得する。これにより関連情報連続出力装置６０２において、関連情報出力部６２３は、関連情報取得部６２２により取得されたコンテンツ関連情報を出力する。また関連情報連続出力装置６０２において、出力終了検出部６２４は、この際、関連情報出力部６２３によるコンテンツ関連情報の出力終了を検出する。
【０３３４】
すなわち関連情報連続出力装置６０２では、注目コンテンツ情報選定部６２１がページ情報に含まれるリスト内で、連続出力対応として設定されているコンテンツ識別情報のうち１つの当該コンテンツ識別情報を注目コンテンツ情報として選定すると、関連情報取得部６２２が関連情報連続提供装置６０１から当該注目コンテンツ情報として選定されたコンテンツ識別情報に対応するコンテンツ関連情報を取得して関連情報出力部６２３が当該取得されたコンテンツ関連情報を出力する、この際、関連情報連続出力装置６０２では、出力終了検出部６２４が関連情報出力部６２３によるコンテンツ関連情報の出力終了を検出すると、注目コンテンツ情報選定部６２１がページ情報に含まれるリスト内で、連続出力対応として設定されているコンテンツ識別情報のうち新たに１つの当該コンテンツ識別情報を注目コンテンツ情報として自動的に選定し、関連情報取得部６２２が関連情報連続提供装置６０１から当該新たに注目コンテンツ情報として選定されたコンテンツ識別情報に対応するコンテンツ関連情報を取得して関連情報出力部６２３が当該取得されたコンテンツ関連情報を出力する。このようにして関連情報連続出力装置６０２では、注目コンテンツ情報選定部６２１、関連情報取得部６２２、関連情報出力部６２３及び出力終了検出部６２４が循環的に繰り返し動作することにより、ページ情報に含まれるリスト内で、連続出力対応として設定されているコンテンツ識別情報に対応するコンテンツ関連情報を連続的に自動出力する。
【０３３５】
これに加えて関連情報連続出力装置６０２の関連情報取得部６２２は、注目コンテンツ情報として選定された１つのコンテンツ識別情報に対しコンテンツ関連情報が対応付けられているとき、関連情報連続提供装置６０１から当該コンテンツ関連情報を取得する。また注目コンテンツ情報選定部６２１は、ページ情報内に、連続出力対応として設定されているコンテンツ識別情報に対応するコンテンツ関連情報が、連続出力可能であることを示す連続出力可能識別情報が存在するとき、コンテンツ識別情報を注目コンテンツ情報として自動的に選定する。
【０３３６】
ところで関連情報連続出力装置６０２において、連続出力対応設定部６２５は、ページ情報に含まれるリスト内の特定のコンテンツ識別情報を、連続出力対応として設定することができる。その際に連続出力対応設定部６２５は、外部からの入力に応じて、ページ情報に含まれるリスト内で指定されたコンテンツ識別情報を連続出力対応として設定することもできる。そして連続出力対応設定部６２５は、外部からの入力に応じてコンテンツ識別情報を連続出力対応として設定する場合、かかる入力を実行させるためのユーザインタフェースを生成し、当該生成したユーザインタフェースを出力する。
【０３３７】
また関連情報連続出力装置６０２において、連続出力通知表示子出力部６２６は、ページ情報に含まれるリスト内の連続出力対応として設定されているコンテンツ識別情報に対応するコンテンツ関連情報が、連続出力可能であることを通知する連続出力通知表示子を出力する。この際に連続出力通知表示子出力部６２６は、ページ情報に含まれる連続出力通知表示子を出力することもできるし、ページ情報内に、連続出力対応として設定されているコンテンツ識別情報に対応するコンテンツ関連情報が連続出力可能であることを示す連続出力可能識別情報が存在するとき、当該連続出力可能識別情報に応じて連続出力通知表示子を出力することもできる。
【０３３８】
また関連情報出力部６２３は、ページ情報に含まれるリスト内の連続出力対応として設定されているコンテンツ識別情報に対応する全てのコンテンツ関連情報の出力が終了すると、最後に出力したコンテンツ関連情報に対応するコンテンツ識別情報、又は最初に出力したコンテンツ関連情報に対応するコンテンツ識別情報を注目コンテンツ情報として、当該コンテンツ関連情報の出力を停止する。
【０３３９】
これに加えて関連情報連続出力装置６０２において、関連情報出力形態設定部６２７は、ページ情報に含まれるリスト内の連続出力対応として設定されているコンテンツ識別情報に対応するコンテンツ関連情報の出力形態を設定することができる。そして注目コンテンツ情報選定部６２１は、このとき設定された出力形態に応じて、ページ情報に含まれるリスト内の連続出力対応として設定されているコンテンツ識別情報を順次注目コンテンツ情報として選定し、関連情報出力部６２３は、注目コンテンツ情報選定部６２１で出力形態に応じて注目コンテンツ情報として選定されたコンテンツ識別情報に対応するコンテンツ関連情報を出力する。
【０３４０】
ところで出力形態としては種々の形態が存在しており、関連情報出力部６２３は、設定された出力形態が複数繰返出力形態の場合、当該複数繰返出力形態に応じて、ページ情報に含まれるリスト内の連続出力対応として設定されている複数のコンテンツ識別情報に対応する複数のコンテンツ関連情報を循環的に繰り返すように出力する。また関連情報出力部６２３は、設定された出力形態が単一繰返出力形態の場合、現在の注目コンテンツ情報として選定されたコンテンツ識別情報に対応する単一のコンテンツ関連情報を繰り返すように出力する。さらに関連情報出力部６２３は、設定された出力形態が並替出力形態の場合、当該並替出力形態に応じて、ページ情報に含まれるリスト内の連続出力対応として設定されている複数のコンテンツ識別情報に対応する複数のコンテンツ関連情報を無作為に並べ替えた順序で出力する。さらに関連情報出力部６２３は、設定された出力形態が無作為選択出力形態の場合、当該無作為選択出力形態に応じて、ページ情報に含まれるリスト内の連続出力対応として設定されている複数のコンテンツ識別情報に対応する複数のコンテンツ関連情報全体から順次１つの当該コンテンツ関連情報を無作為に選択しながら出力する。さらに関連情報出力部６２３は、設定された出力形態が順序設定出力形態の場合、当該順序設定出力形態に応じて、ページ情報に含まれるリスト内の連続出力対応として設定されている複数のコンテンツ識別情報に対応する複数のコンテンツ関連情報を設定された順序で出力する。
【０３４１】
一方、注目コンテンツ情報選定部６２１は、ページ情報に含まれる、連続出力対応として設定されているコンテンツ識別情報に対応するコンテンツ関連情報の出力形態を指示する出力形態指示情報に応じて、ページ情報に含まれるリスト内の連続出力対応として設定されているコンテンツ識別情報のうち当該出力形態に応じたコンテンツ識別情報を注目コンテンツ情報として自動的に選定することもできる。また注目コンテンツ情報選定部６２１は、ページ情報に含まれるリスト内の連続出力対応として設定されているコンテンツ識別情報のうち、当該連続出力対応として設定されているコンテンツ識別情報に対応するコンテンツ関連情報の予め設定されている出力形態に応じたコンテンツ識別情報を注目コンテンツ情報として自動的に選定することもできる。
【０３４２】
これに加えて関連情報出力形態設定部６２７は、外部からの入力に応じて、ページ情報に含まれるリスト内の連続出力対応として設定されているコンテンツ識別情報に対応するコンテンツ関連情報の出力形態を設定することもでき、この際には、かかる入力を実行させるためのユーザインタフェースを生成し、当該生成したユーザインタフェースを出力する。そして関連情報出力形態設定部６２７は、このとき出力形態が順序設定出力形態であると、ユーザインタフェースにより、ページ情報に含まれるリスト内の連続出力対応として設定されている複数のコンテンツ識別情報に対し、複数のコンテンツ関連情報に対する出力の順序を設定させる。
【０３４３】
ところで関連情報連続出力装置６０２において、出力形態通知表示子出力部６２８は、設定された出力形態に対応する出力形態通知表示子を出力する。その際に出力形態通知表示子出力部６２８は、ページ情報に含まれる出力形態通知表示子を出力することもできるし、ページ情報に含まれる、出力形態を指示する出力形態指示情報に応じて出力形態通知表示子を出力することもできる。また出力形態通知表示子出力部６２８は、関連情報出力形態設定部６２７が外部からの入力に応じて出力形態を設定したとき、当該設定された出力形態に対応する出力形態通知表示子を出力することもできる。
【０３４４】
ところで関連情報出力部６２３は、コンテンツ関連情報の出力中に、当該コンテンツ関連情報が出力中であることを通知する出力実行中通知表示子を出力する。そして関連情報出力部６２３は、このときコンテンツ関連情報を出力していると判断すると、ページ情報に含まれる出力実行中通知表示子を出力することもできるし、コンテンツ関連情報を出力中であると判断すると、予め記憶している出力実行中通知表示子を出力することもできる。そして関連情報出力部６２３は、コンテンツ関連情報の出力を停止すると、出力実行中通知表示子の出力も停止する。
【０３４５】
また関連情報出力部６２３は、外部からの入力に応じて、コンテンツ関連情報の出力を制御する。このとき関連情報出力部６２３は、外部からの入力に応じて、現在の注目コンテンツ情報として選定されているコンテンツ識別情報の前又は次に注目コンテンツ情報として選定するように設定されているコンテンツ識別情報に対応するコンテンツ関連情報を出力することもできるし、外部からの入力に応じて、現在出力中のコンテンツ関連情報を早送り又は早戻し出力することもできる。そして関連情報出力部６２３は、外部から早送り又は早戻しの指示が入力されている間は、コンテンツ関連情報を早送り又は早戻し出力し、外部からの早送り又は早戻しの指示の入力が終了すると、コンテンツ関連情報に対する早送り又は早戻し出力を終了すると共に、当該出力の終了位置から通常出力する。
【０３４６】
また関連情報出力部６２３は、外部からの入力に応じて、現在出力中のコンテンツ関連情報の出力を停止する。そして関連情報出力部６２３は、外部からの出力開始を指示する入力に応じてコンテンツ関連情報の出力を開始する。このとき関連情報出力部６２３は、コンテンツ関連情報の出力を停止したとき、当該出力を停止したコンテンツ関連情報に対応するコンテンツ識別情報を記憶し、外部からの出力開始を指示する入力に応じて、記憶したコンテンツ識別情報に対応するコンテンツ関連情報の先頭から出力を開始することもできるし、コンテンツ関連情報の出力を停止したとき、当該出力を停止したコンテンツ関連情報に対応するコンテンツ識別情報と当該コンテンツ関連情報の出力停止位置とを記憶し、外部からの出力開始を指示する入力に応じて、記憶したコンテンツ識別情報に対応するコンテンツ関連情報の記憶した出力停止位置から出力を開始することもできる。また関連情報出力部６２３は、外部からの出力開始を指示する入力に応じて、ページ情報に含まれるリスト内の連続出力対応として設定されているコンテンツ識別情報のうち最初に注目コンテンツ情報として選定するコンテンツ識別情報に対応するコンテンツ関連情報の出力を開始することもできるし、外部からの出力開始を指示する入力に応じて、ページ情報に含まれる出力再開位置からコンテンツ関連情報の出力を開始することもできる。さらに関連情報出力部６２３は、外部からの出力開始を指示する入力に応じて、予め設定されている出力再開位置からコンテンツ関連情報の出力を開始することもできるし、外部からの出力開始を指示する入力に応じて、当該外部からの入力に応じて予め設定されている出力再開位置からコンテンツ関連情報の出力を開始することもできる。
【０３４７】
ところで注目コンテンツ情報選定部６２１は、注目コンテンツ情報として選定したコンテンツ識別情報に対しコンテンツ関連情報が対応付けられていないとき、一定時間、コンテンツ識別情報を注目コンテンツ情報として選定した後、当該コンテンツ識別情報の次に注目コンテンツ情報として選定するように設定されている他のコンテンツ識別情報を注目コンテンツ情報として自動的に選定する。そして注目コンテンツ情報選定部６２１は、注目コンテンツ情報として選定したコンテンツ識別情報に対しコンテンツ関連情報が対応付けられていないとき、ページ情報に含まれる一定時間を示す選定継続時間情報に応じて、当該一定時間、コンテンツ識別情報を注目コンテンツ情報として選定した後、当該コンテンツ識別情報の次に注目コンテンツ情報として選定するように設定されている他のコンテンツ識別情報を注目コンテンツ情報として自動的に選定することができる。また注目コンテンツ情報選定部６２１は、注目コンテンツ情報として選定したコンテンツ識別情報に対しコンテンツ関連情報が対応付けられていないとき、予め設定されている一定時間、コンテンツ識別情報を注目コンテンツ情報として選定した後、当該コンテンツ識別情報の次に注目コンテンツ情報として選定するように設定されている他のコンテンツ識別情報を注目コンテンツ情報として自動的に選定することもできる。さらに注目コンテンツ情報選定部６２１は、注目コンテンツ情報として選定したコンテンツ識別情報に対しコンテンツ関連情報が対応付けられていないとき、外部からの入力に応じて予め設定されている一定時間、コンテンツ識別情報を注目コンテンツ情報として選定した後、当該コンテンツ識別情報の次に注目コンテンツ情報として選定するように設定されている他のコンテンツ識別情報を注目コンテンツ情報として自動的に選定することもできる。さらにまた注目コンテンツ情報選定部６２１は、外部からの入力に応じてコンテンツ識別情報を注目コンテンツ情報として選定したときに当該コンテンツ識別情報に対しコンテンツ関連情報が対応付けられていないと、第１の時間でなる一定時間、コンテンツ識別情報を注目コンテンツ情報として選定した後、当該コンテンツ識別情報の次に注目コンテンツ情報として選定するように設定されている他のコンテンツ識別情報を注目コンテンツ情報として自動的に選定し、自動的にコンテンツ識別情報を注目コンテンツ情報として選定したときに当該コンテンツ識別情報に対しコンテンツ関連情報が対応付けられていないと、第２の時間でなる一定時間、コンテンツ識別情報を注目コンテンツ情報として選定した後、当該コンテンツ識別情報の次に注目コンテンツ情報として選定するように設定されている他のコンテンツ識別情報を注目コンテンツ情報として自動的に選定することもできる。これに加えて注目コンテンツ情報選定部６２１は、注目コンテンツ情報として選定したコンテンツ識別情報に対しコンテンツ関連情報が対応付けられていないとき、コンテンツ関連情報の出力動作を終了することもできるし、コンテンツ関連情報が対応付けられているコンテンツ識別情報を選択的に注目コンテンツ情報として選定することもできる。
【０３４８】
ところで関連情報連続出力装置６０２において、通知画像出力部６２９は、ページ情報に含まれるリスト内の連続出力対応として設定されているコンテンツ識別情報に対しコンテンツ関連情報が対応付けられているか否かを通知するための通知画像を生成して出力する。この際、通知画像出力部６２９は、ページ情報に含まれる、連続出力対応として設定されているコンテンツ識別情報に対しコンテンツ関連情報が対応付けられているか否かを通知する対応通知表示子を用いて通知画像を生成することができる。また通知画像出力部６２９は、ページ情報に含まれるリスト内の連続出力対応として設定されているコンテンツ識別情報に対しコンテンツ関連情報が対応付けられているか否かを判別し、当該判別結果に応じて通知画像を生成することもできる。
【０３４９】
そして実際に関連情報出力部６２３は、注目コンテンツ情報として選定されたコンテンツ識別情報に対応するコンテンツ関連情報として、当該コンテンツ識別情報で識別されるコンテンツ用のサンプルコンテンツを出力することができ、かかるコンテンツは、動画、静止画、ゲーム、オーディオ、テキスト、プログラムを含むことができる。また関連情報出力部６２３は、注目コンテンツ情報として選定されたコンテンツ識別情報に対応するコンテンツ関連情報として、当該コンテンツ識別情報で識別されるコンテンツに関連するテキスト情報を出力することもできるし、当該注目コンテンツ情報として選定されたコンテンツ識別情報に対応するコンテンツ関連情報として、当該コンテンツ識別情報で識別されるコンテンツに関連する画像情報を出力することもできる。そして関連情報出力部６２３は、関連情報連続提供装置６０１からストリーミング形式で送信されるコンテンツ関連情報を出力することもできる。
【０３５０】
なお関連情報連続出力装置６０２は、第１の実施の形態で上述したクライアント端末２に対応する。そしてページ情報取得部６２０は、クライアント端末２の制御部２２、通信制御部３２及びネットワークインタフェース３３や、ＣＰＵ２０３、通信処理部２１４及びネットワークインタフェース２１５に対応し、第１の実施の形態で上述した関連情報連続提供出力処理手順のステップＳＰ１００の処理を実現する機能を有している。また注目コンテンツ情報選定部６２１は、上述したクライアント端末２の制御部２２や、ＣＰＵ２０３に対応し、第１の実施の形態で上述した関連情報連続提供出力処理手順のステップＳＰ１０２及びステップＳＰ１０６の処理を実現する機能や、上述した第１乃至第６の関連情報連続出力処理手順ＲＴ１乃至ＲＴ６のステップＳＰ２００、ステップＳＰ２０２、ステップＳＰ２０４、ステップＳＰ２１０、ステップＳＰ２１１、ステップＳＰ２２０、ステップＳＰ２２１、ステップＳＰ２２３、ステップＳＰ２２４、ステップＳＰ２３０、ステップＳＰ２３３、ステップＳＰ２３４、ステップＳＰ２３６、ステップＳＰ２３７、ステップＳＰ２４１、ステップＳＰ２４６、ステップＳＰ２５１、ステップＳＰ２５５、ステップＳＰ２５９、ステップＳＰ２６２、ステップＳＰ２７０及びステップＳＰ２７７の処理を実現する機能を有している。
【０３５１】
さらに関連情報取得部６２２は、上述したクライアント端末２の制御部２２、通信制御部３２及びネットワークインタフェース３３や、ＣＰＵ２０３、通信処理部２１４及びネットワークインタフェース２１５に対応し、第１の実施の形態で上述した関連情報連続提供出力処理手順のステップＳＰ１０３及びステップＳＰ１０７の処理を実現する機能や、上述した第１乃至第６の関連情報連続出力処理手順ＲＴ１乃至ＲＴ６のステップＳＰ２０２、ステップＳＰ２１２、ステップＳＰ２２２、ステップＳＰ２３２、ステップＳＰ２４２、ステップＳＰ２４７、ステップＳＰ２５２、ステップＳＰ２５６、ステップＳＰ２６０、ステップＳＰ２６３及びステップＳＰ２７２の処理を実現する機能を有している。さらに関連情報出力部６２３は、上述したクライアント端末２の制御部２２、音声制御部２６及びスピーカ２７や、ＣＰＵ２０３、音声処理部２０９及びスピーカ２１０に対応し、第１の実施の形態で上述した関連情報連続提供出力処理手順のステップＳＰ１０５及びステップＳＰ１０９の処理を実現する機能や、上述した第１及び第６の関連情報連続出力処理手順ＲＴ１及びＲＴ６のステップＳＰ２０５、ステップＳＰ２７８、ステップＳＰ２７９、ステップＳＰ２８０、ステップＳＰ２８１、ステップＳＰ２８２及びステップＳＰ２８６の処理を実現する機能を有している。これに加えて関連情報出力部６２３は、第１の実施の形態で上述した第６の関連情報連続出力処理手順ＲＴ６の実行の際に図３８乃至図４４について上述した楽曲紹介画面３６３Ａ乃至３６３Ｇを出力表示するような機能も有している。
【０３５２】
さらに出力終了検出部６２４は、上述したクライアント端末２の制御部２２及び音声制御部２６や、ＣＰＵ２０３及び音声処理部２０９に対応し、第１の実施の形態で上述した第１乃至第６の関連情報連続出力処理手順ＲＴ１乃至ＲＴ６のステップＳＰ２０２、ステップＳＰ２１２、ステップＳＰ２２２、ステップＳＰ２３２、ステップＳＰ２４２、ステップＳＰ２４７、ステップＳＰ２５２、ステップＳＰ２５６、ステップＳＰ２６０、ステップＳＰ２６３、ステップＳＰ２７２の処理を実現する機能を有している。さらに連続出力対応設定部６２５は、上述したクライアント端末２の制御部２２や、ＣＰＵ２０３に対応し、例えば第１の実施の形態で上述した第２の関連情報連続出力処理手順ＲＴ２のステップＳＰ２１０の処理を実現する機能を有している。さらに連続出力通知表示子出力部６２６は、上述したクライアント端末２の制御部２２、表示制御部２４及び表示部２５や、ＣＰＵ２０３、表示処理部２０７及びディスプレイ２０６に対応し、第１の実施の形態で上述した第１乃至第６の関連情報連続出力処理手順ＲＴ１乃至ＲＴ６の実行の際に例えば図１８について上述した楽曲紹介画面３１０において対応通知表示子３１１Ｃを出力表示するような機能を有している。
【０３５３】
さらに関連情報出力形態設定部６２７は、上述したクライアント端末２の制御部２２や、ＣＰＵ２０３に対応し、第１の実施の形態で上述した第５の関連情報連続出力処理手順ＲＴ５の開始前等に、例えば図３４について上述した出力形態設定画面３５０を介して入力される各種命令に応じてコンテンツ関連情報の出力形態を設定するような機能を有している。さらに出力形態通知表示子出力部６２８は、上述したクライアント端末２の制御部２２、表示制御部２４及び表示部２５や、ＣＰＵ２０３、表示処理部２０７及びディスプレイ２０６に対応し、第１の実施の形態で上述した第５の関連情報連続出力処理手順ＲＴ５の実行の際に例えば図２２乃至図２６について上述した楽曲紹介画面３２４、３２６、３２８、３３０及び３３２において出力形態通知表示子３２３、３２５、３２７、３２９及び３３１を出力表示するような機能を有している。さらに通知画像出力部６２９は、上述したクライアント端末２の制御部２２、表示制御部２４及び表示部２５や、ＣＰＵ２０３、表示処理部２０７及びディスプレイ２０６に対応し、第１の実施の形態で上述した第１乃至第６の関連情報連続出力処理手順ＲＴ１乃至ＲＴ６の実行の際に例えば図１８について上述した楽曲紹介画面３１０を出力表示するような機能を有している。
【０３５４】
（２）動作及び効果
以上の構成において、関連情報連続出力装置６０２は、関連情報連続提供装置６０１（又はページ情報提供装置）から、複数のコンテンツ識別情報のリストを含むページ情報を取得し、当該取得したページ情報に含まれる各種情報及び表示子、自己での事前設定、又は外部の入力の何れかに応じて、かかるページ情報に含まれるリスト内で、連続出力対応として設定されているコンテンツ識別情報のうち１つのコンテンツ識別情報を注目コンテンツ情報として選定することで関連情報連続提供装置６０１から、当該注目コンテンツ情報として選定した１つのコンテンツ識別情報に対応するコンテンツ関連情報を取得して出力し、かかるコンテンツ関連情報の出力終了を検出すると、ページ情報に含まれるリスト内で、連続出力対応として設定されているコンテンツ識別情報のうち新たに１つのコンテンツ識別情報を注目コンテンツ情報として自動的に選定すると共に、再び関連情報連続提供装置６０１から、当該新たに注目コンテンツ情報として選定した１つのコンテンツ識別情報に対応するコンテンツ関連情報を取得し出力するようにして、連続出力対応として設定されているコンテンツ識別情報に対応するコンテンツ関連情報を連続的に自動出力する。
【０３５５】
従って関連情報連続出力装置６０２では、ページ情報に含まれるリスト内で、連続出力対応として設定されているコンテンツ識別情報を順次注目コンテンツ情報として自動的に選定しながら、関連情報連続提供装置６０１に対し当該注目コンテンツ情報として選定したコンテンツ識別情報に対応するコンテンツ関連情報を要求することで、かかる関連情報連続提供装置６０１に対して複数のコンテンツ関連情報の中から関連情報連続出力装置６０２に提供するコンテンツ関連情報を順次選び出させる等の煩雑な処理を何ら行わせることなく、ページ情報に含まれるリスト内で、連続出力対応として設定されているコンテンツ識別情報に対応するコンテンツ関連情報を連続的に自動送信させ自動出力することができる。
【０３５６】
すなわち関連情報連続提供装置６０１では、関連情報連続出力装置６０２から、ページ情報に含まれるリスト内で、連続出力対応として設定されているコンテンツ識別情報を順次注目コンテンツ情報として自動的に選定しながら、当該注目コンテンツ情報として選定したコンテンツ識別情報に対応するコンテンツ関連情報が要求されるため、複数のコンテンツ関連情報の中から関連情報連続出力装置６０２に提供するコンテンツ関連情報を順次選び出す等の煩雑な処理を何ら行うことなく、当該関連情報連続出力装置６０２に対し、ページ情報に含まれるリスト内で、連続出力対応として設定されているコンテンツ識別情報に対応するコンテンツ関連情報を連続的に自動送信することができる。
【０３５７】
以上の構成によれば、関連情報連続出力装置６０１では、関連情報連続提供装置６０１（又はページ情報提供装置）から送信される、複数のコンテンツ識別情報のリストを含むページ情報を取得し、当該取得したページ情報に含まれる各種情報及び表示子、自己での事前設定、又は外部の入力の何れかに応じて、かかるページ情報に含まれるリスト内で、連続出力対応として設定されているコンテンツ識別情報のうち１つのコンテンツ識別情報を注目コンテンツ情報として選定することで関連情報連続提供装置６０１から、当該注目コンテンツ情報として選定した１つのコンテンツ識別情報に対応するコンテンツ関連情報を取得して出力し、かかるコンテンツ関連情報の出力終了を検出すると、ページ情報に含まれるリスト内で、連続出力対応として設定されているコンテンツ識別情報のうち新たに１つのコンテンツ識別情報を注目コンテンツ情報として自動的に選定すると共に、関連情報連続提供装置６０１から、当該新たに注目コンテンツ情報として選定した１つのコンテンツ識別情報に対応するコンテンツ関連情報を取得し出力するようにして、連続出力対応として設定されているコンテンツ識別情報に対応するコンテンツ関連情報を連続的に自動出力するようにした。従って関連情報連続出力装置６０２では、上述した第２の実施の形態によって得られる効果を得ることができると共に、これに加えてコンテンツ関連情報の連続的な自動出力を関連情報連続提供装置６０１、関連情報連続出力装置６０２及びユーザの何れを主体としても実行することができ、かくしてコンテンツ関連情報の連続的な自動出力を実現するうえでの規制を大幅に緩和し、当該コンテンツ関連情報の連続的な自動出力を実現し易くすることができる。
【０３５８】
また関連情報連続提供装置６０１では、関連情報連続出力装置６０２から送信される要求に応じて、当該関連情報連続出力装置６０２に対し、複数のコンテンツ識別情報のリストを含むページ情報を送信し、関連情報連続出力装置６０２で当該ページ情報に含まれる各種情報及び表示子、関連情報連続出力装置６０２に対する事前設定、又は関連情報連続出力装置６０２への外部入力の何れかに応じて、かかるページ情報に含まれるリスト内の連続出力対応として設定されているコンテンツ識別情報のうち１つのコンテンツ識別情報が注目コンテンツ情報として選定されることにより、当該関連情報連続出力装置６０２から送信される当該注目コンテンツ情報として選定された１つのコンテンツ識別情報に対応するコンテンツ関連情報の要求情報を受信すると、関連情報連続出力装置６０２に対して、かかる要求情報に応じたコンテンツ関連情報を送信し、関連情報連続出力装置６０２でコンテンツ関連情報の出力が終了し、ページ情報に含まれるリスト内の連続出力対応として設定されているコンテンツ識別情報のうち新たに１つのコンテンツ識別情報が注目コンテンツ情報として自動的に選定されることにより、当該関連情報連続出力装置６０２から送信される当該新たに注目コンテンツ情報として選定された１つのコンテンツ識別情報に対応するコンテンツ関連情報の要求情報を受信すると、関連情報連続出力装置６０２に対して当該受信した要求情報に応じたコンテンツ関連情報を送信するようにして、関連情報連続出力装置６０２に対し、当該関連情報連続出力装置６０２から順次送信される要求情報に応じたコンテンツ関連情報を連続的に自動送信するようにした。従って関連情報連続提供装置６０１では、上述した第２の実施の形態によって得られる効果を得ることができると共に、これに加えてコンテンツ関連情報の連続的な自動出力を関連情報連続提供装置６０１、関連情報連続出力装置６０２及びユーザの何れを主体としても実行させることができ、かくしてコンテンツ関連情報の連続的な自動出力を実現するうえでの規制を大幅に緩和し、当該コンテンツ関連情報の連続的な自動出力を実現し易くすることができる。
【０３５９】
〔４〕他の実施の形態
なお上述した第１乃至第３の実施の形態においては、本発明による関連情報連続出力装置を、図１乃至図４９について上述したクライアント端末２、関連情報連続出力装置５０２及び６０２に適用するようにした場合について述べたが、本発明はこれに限らず、外部からページ情報及びコンテンツ関連情報を取得することができれば、パーソナルコンピュータや携帯電話機、ＰＤＡ（Personal Digital Assistance ）、ゲーム機器、コンパクトディスクプレーヤ、ＤＶＤ（Digital Versatile Disc）プレーヤ、ハードディスクレコーダ等の情報処理装置、またテレビジョン受像機等のように、この他種々の関連情報連続出力装置に広く適用することができる。すなわち上述の実施の形態においては、図１乃至図４９について上述したハードウェア回路ブロックや、機能回路ブロック及びプログラムモジュールをクライアント端末２や関連情報連続出力装置５０２及び６０２に実装した場合について述べたが、本発明はこれに限らず、これらを携帯電話機やパーソナルコンピュータ等、クライアント端末２や関連情報連続出力装置５０２及び６０２以外の種々の端末装置に実装するようにしても良く、これらハードウェア回路ブロックや、機能回路ブロック及びプログラムモジュールを実装した端末装置であれば、上述したクライアント端末２や関連情報連続出力装置５０２及び６０２と同様の処理を実現することができる。
【０３６０】
また上述した第１乃至第３の実施の形態においては、本発明による関連情報連続提供装置を、図１乃至図４９について上述した音楽データ配信サーバＳＶ１、関連情報連続提供装置５０１及び６０１に適用するようにした場合について述べたが、本発明はこれに限らず、ページ情報及びコンテンツ関連情報を提供することができれば、上述した物販サーバＳＶ２、ラジオ放送情報配信サーバＳＶ３及びインターネットラジオサーバＳＶ４等のサーバ装置、またパーソナルコンピュータや携帯電話機、ＰＤＡ、コンパクトディスクプレーヤ、ＤＶＤプレーヤ、ハードディスクレコーダ等の情報処理装置等のように、この他種々の関連情報連続提供装置に広く適用することができる。すなわち上述の実施の形態においては、図１乃至図４９について上述したハードウェア回路ブロックや、機能回路ブロック及び関連情報連続提供プログラムを音楽データ配信サーバＳＶ１や関連情報連続提供装置５０１及び６０１に実装した場合について述べたが、本発明はこれに限らず、これらを携帯電話機やパーソナルコンピュータ等、音楽データ配信サーバＳＶ１や関連情報連続提供装置５０１及び６０１以外の種々の装置に実装するようにしても良く、これらハードウェア回路ブロックや、機能回路ブロック及び関連情報連続提供プログラムを実装した装置であれば、上述した音楽データ配信サーバＳＶ１や関連情報連続提供装置５０１及び６０１と同様の処理を実現することができる。
【０３６１】
さらに上述した第１乃至第３の実施の形態においては、本発明による関連情報連続出力プログラムを、図１乃至図４９について上述した楽曲購入再生モジュール２４５及びＸＭＬブラウザ２４６に適用するようにした場合について述べたが、本発明はこれに限らず、この他種々の構成の関連情報連続出力プログラムに広く適用することができる。
【０３６２】
さらに上述した第１乃至第３の実施の形態においては、ページ情報提供装置から送信される、複数のコンテンツ識別情報のリストを含むページ情報を取得するページ情報取得部として、図１乃至図４９について上述したクライアント端末２の制御部２２、通信制御部３２及びネットワークインタフェース３３や、ＣＰＵ２０３、通信処理部２１４及びネットワークインタフェース２１５、さらには関連情報連続出力装置５０２及び６０２のページ情報取得部５２０及び６２０を適用するようにした場合について述べたが、本発明はこれに限らず、ページ情報提供装置から送信される、複数のコンテンツ識別情報のリストを含むページ情報を取得するハードウェア回路構成のページ情報取得回路等のように、この他種々のページ情報取得部を広く適用することができる。
【０３６３】
さらに上述した第１乃至第３の実施の形態においては、ページ情報取得部により取得されたページ情報に含まれるリスト内で、連続出力対応として設定されているコンテンツ識別情報を注目コンテンツ情報として選定する注目コンテンツ情報選定部として、図１乃至図４９について上述したクライアント端末２の制御部２２や、ＣＰＵ２０３、さらには関連情報連続出力装置５０２及び６０２の注目コンテンツ情報選定部５２１及び６２１を適用するようにした場合について述べたが、本発明はこれに限らず、ページ情報取得部により取得されたページ情報に含まれるリスト内で、連続出力対応として設定されているコンテンツ識別情報を注目コンテンツ情報として選定するハードウェア回路構成の注目コンテンツ情報選定回路等のように、この他種々の注目コンテンツ情報選定部を広く適用することができる。
【０３６４】
さらに上述した第１乃至第３の実施の形態においては、関連情報連続提供装置から、注目コンテンツ情報選定部により注目コンテンツ情報として選定されたコンテンツ識別情報に対応するコンテンツ関連情報を取得する関連情報取得部として、図１乃至図４９について上述したクライアント端末２の制御部２２、通信制御部３２及びネットワークインタフェース３３や、ＣＰＵ２０３、通信処理部２１４及びネットワークインタフェース２１５、さらには関連情報連続出力装置５０２及び６０２の関連情報取得部５２２及び６２２を適用するようにした場合について述べたが、本発明はこれに限らず、関連情報連続提供装置から、注目コンテンツ情報選定部により注目コンテンツ情報として選定されたコンテンツ識別情報に対応するコンテンツ関連情報を取得するハードウェア回路構成の関連情報取得回路等のように、この他種々の関連情報取得部を広く適用することができる。
【０３６５】
さらに上述した第１乃至第３の実施の形態においては、関連情報取得部により取得されたコンテンツ関連情報を出力する関連情報出力部として、図１乃至図４９について上述したクライアント端末２の制御部２２、音声制御部２６及びスピーカ２７や、ＣＰＵ２０３、音声処理部２０９及びスピーカ２１０、さらには関連情報連続出力装置５０２及び６０２の関連情報出力部５２３及び６２３を適用するようにした場合について述べたが、本発明はこれに限らず、関連情報取得部により取得されたコンテンツ関連情報を出力するハードウェア回路構成の関連情報出力回路や、画像出力用の制御部２２、表示制御部２４及び表示部２５、又はＣＰＵ２０３、表示処理部２０７及びディスプレイ２０６等のように、この他種々の関連情報出力部を広く適用することができる。
【０３６６】
さらに上述した第１乃至第３の実施の形態においては、関連情報出力部によるコンテンツ関連情報の出力終了を検出する出力終了検出部として、図１乃至図４９について上述したクライアント端末２の制御部２２及び音声制御部２６や、ＣＰＵ２０３及び音声処理部２０９、さらには関連情報連続出力装置５０２及び６０２の出力終了検出部５２４及び６２４を適用するようにした場合について述べたが、本発明はこれに限らず、関連情報出力部によるコンテンツ関連情報の出力終了を検出するハードウェア回路構成の出力終了検出回路等のように、この他種々の出力終了検出部を広く適用することができる。
【０３６７】
さらに上述した第１乃至第３の実施の形態においては、関連情報連続出力装置から送信される要求に応じて、当該関連情報連続出力装置に対し、複数のコンテンツ識別情報のリストを含むページ情報を送信するページ情報送信部として、図１乃至図４９について上述した音楽データ配信サーバＳＶ１の制御部７０、通信制御部７２及びネットワークインタフェース７３や、ＣＰＵ２７０及びネットワークインタフェース２７５、さらには関連情報連続提供装置５０１及び６０１のページ情報送信部５１０及び６１０を適用するようにした場合について述べたが、本発明はこれに限らず、関連情報連続出力装置から送信される要求に応じて、当該関連情報連続出力装置に対し、複数のコンテンツ識別情報のリストを含むページ情報を送信するハードウェア回路構成のページ情報送信回路等のように、この他種々のページ情報送信部を広く適用することができる。
【０３６８】
さらに上述した第１乃至第３の実施の形態においては、関連情報連続出力装置でページ情報に含まれるリスト内の連続出力対応として設定されているコンテンツ識別情報が注目コンテンツ情報として選定されることにより、関連情報連続出力装置から送信される、当該注目コンテンツ情報として選定されたコンテンツ識別情報に対応するコンテンツ関連情報の要求情報を受信する要求情報受信部として、図１乃至図４９について上述した音楽データ配信サーバＳＶ１の制御部７０、通信制御部７２及びネットワークインタフェース７３や、ＣＰＵ２７０及びネットワークインタフェース２７５、さらには関連情報連続提供装置５０１及び６０１の要求情報受信部５１１及び６１１を適用するようにした場合について述べたが、本発明はこれに限らず、関連情報連続出力装置でページ情報に含まれるリスト内の連続出力対応として設定されているコンテンツ識別情報が注目コンテンツ情報として選定されることにより、関連情報連続出力装置から送信される、当該注目コンテンツ情報として選定されたコンテンツ識別情報に対応するコンテンツ関連情報の要求情報を受信するハードウェア回路構成の要求情報受信回路等のように、この他種々の要求情報受信部を広く適用することができる。
【０３６９】
さらに上述した第１乃至第３の実施の形態においては、関連情報連続出力装置に対し、要求情報受信部により受信された要求情報に応じたコンテンツ関連情報を送信する関連情報送信部として、図１乃至図４９について上述した音楽データ配信サーバＳＶ１の制御部７０、通信制御部７２及びネットワークインタフェース７３や、ＣＰＵ２７０及びネットワークインタフェース２７５、さらには関連情報連続提供装置５０１及び６０１の関連情報送信部５１２及び６１２を適用するようにした場合について述べたが、本発明はこれに限らず、関連情報連続出力装置に対し、要求情報受信部により受信された要求情報に応じたコンテンツ関連情報を送信するハードウェア回路構成の関連情報送信回路等のように、この他種々の関連情報送信部を広く適用することができる。
【産業上の利用可能性】
【０３７０】
本発明は、コンテンツ関連情報を要求に応じて連続的に自動送信するパーソナルコンピュータ等の関連情報連続提供装置や、コンテンツ関連情報を要求して連続的に自動出力するパーソナルコンピュータ及びデータ記録再生装置等の関連情報連続出力装置に利用することができる。
【図面の簡単な説明】
【０３７１】
【図１】本実施による音楽関連サービス提供システムの全体構成の第１の実施の形態を示す略線図である。
【図２】クライアント端末の機能回路ブロックによるハードウェア構成を示すブロック図である。
【図３】ディレクトリ構成を示す略線図である。
【図４】ポータルサーバの機能回路ブロックによるハードウェア構成を示すブロック図である。
【図５】音楽データ配信サーバの機能回路ブロックによるハードウェア構成を示すブロック図である。
【図６】物販サーバの機能回路ブロックによるハードウェア構成を示すブロック図である。
【図７】ラジオ放送情報配信サーバの機能回路ブロックによるハードウェア構成を示すブロック図である。
【図８】クライアント端末及びポータルサーバ間のユーザ認証処理手順を示すシーケンスチャートである。
【図９】クライアント端末及び音楽データ配信サーバ間のユーザ認証処理手順を示すシーケンスチャートである。
【図１０】音楽データ配信サービス提供処理手順を示すシーケンスチャートである。
【図１１】物販サービス提供処理手順を示すシーケンスチャートである。
【図１２】ラジオ放送情報（オンエアリスト情報）配信サービス提供処理手順（１）を示すシーケンスチャートである。
【図１３】ラジオ放送情報（ナウオンエア情報）配信サービス提供処理手順（２）を示すシーケンスチャートである。
【図１４】クライアント端末のハードウェア回路ブロックによるハードウェア構成を示すブロック図である。
【図１５】クライアント端末のプログラムモジュールを示す略線図である。
【図１６】音楽データ配信サーバのハードウェア回路ブロックによるハードウェア構成を示すブロック図である。
【図１７】楽曲リスト情報の構成を示す略線図である。
【図１８】楽曲紹介画面の構成を示す略線図である。
【図１９】楽曲紹介画面における曲名の選定の説明に供する略線図である。
【図２０】連続出力対応の曲名の選定（１）の説明に供する略線図である。
【図２１】連続出力対応の曲名の選定（２）の説明に供する略線図である。
【図２２】データ出力形態が指示されたときの楽曲紹介画面の構成を示す略線図である。
【図２３】複数繰返出力形態及び単一繰返出力形態が指示されたときの楽曲紹介画面の構成を示す略線図である。
【図２４】並替出力形態が指示されたときの楽曲紹介画面の構成を示す略線図である。
【図２５】無作為選択出力形態が指示されたときの楽曲紹介画面の構成を示す略線図である。
【図２６】順序設定出力形態が指示されたときの楽曲紹介画面の構成を示す略線図である。
【図２７】詳細情報提示画面の構成を示す略線図である。
【図２８】関連情報連続提供出力処理手順を示すシーケンスチャートである。
【図２９】第１の関連情報連続出力処理手順を示すフローチャートである。
【図３０】処理命令入力画面の構成を示す略線図である。
【図３１】第２の関連情報連続出力処理手順を示すフローチャートである。
【図３２】第３の関連情報連続出力処理手順を示すフローチャートである。
【図３３】第４の関連情報連続出力処理手順を示すフローチャートである。
【図３４】出力形態設定画面の構成を示す略線図である。
【図３５】第５の関連情報連続出力処理手順（１）を示すフローチャートである。
【図３６】第５の関連情報連続出力処理手順（２）を示すフローチャートである。
【図３７】出力制御画面の構成を示す略線図である。
【図３８】試聴データの出力時の楽曲紹介画面の構成を示す略線図である。
【図３９】試聴データの一時停止時の楽曲紹介画面の構成を示す略線図である。
【図４０】試聴データの出力停止時の楽曲紹介画面の構成を示す略線図である。
【図４１】試聴データの前スキップ時の楽曲紹介画面の構成を示す略線図である。
【図４２】試聴データの次スキップ時の楽曲紹介画面の構成を示す略線図である。
【図４３】試聴データの早戻し時の楽曲紹介画面の構成を示す略線図である。
【図４４】試聴データの早送り時の楽曲紹介画面の構成を示す略線図である。
【図４５】第６の関連情報連続出力処理手順（１）を示すフローチャートである。
【図４６】第６の関連情報連続出力処理手順（２）を示すフローチャートである。
【図４７】ユーザにより任意に曲名が注目楽曲情報として選定された場合の第７の関連情報連続出力処理手順の説明に供する略線図である。
【図４８】第２の実施の形態による関連情報連続提供出力システムの関連情報連続提供装置及び関連情報連続出力装置の機能回路ブロックによるハードウェア構成を示すブロック図である。
【図４９】第３の実施の形態による関連情報連続提供出力システムの関連情報連続提供装置及び関連情報連続出力装置の機能回路ブロックによるハードウェア構成を示すブロック図である。
【符号の説明】
【０３７２】
２……クライアント端末、２３、７０……制御部、２４……表示制御部、２５……表示部、２６……音声制御部、２７、２１０……スピーカ、３２、７２……通信制御部、３３、７３、２１５、２７５……ネットワークインタフェース、２０３、２７０……ＣＰＵ、２０６……ディスプレイ、２０７……表示処理部、２１４……通信処理部、２０９……音声処理部、２４５……楽曲購入再生モジュール、２４６……ＸＭＬブラウザ、３００……楽曲リスト情報、３００Ａ……楽曲識別情報、３００Ｂ……処理実行情報、３００Ｆ……連続出力可能識別情報、３１０、３２０、３２１、３２４、３２６、３２８、３３０、３３２、３６３Ａ乃至３６３Ｇ……楽曲紹介画面、３１５……連続出力通知表示子、３２３、３２５、３２７、３２９、３３１……出力形態通知表示子、３４１……処理命令入力画面、３５０……出力形態設定画面、３５３……複数繰返出力形態設定ボタン、３５４……単一繰返出力形態設定ボタン、３５５……並替出力形態設定ボタン、３５６……無作為選択出力形態設定ボタン、３５７……順序設定出力形態設定ボタン、３５８……処理実行指示ボタン、３６４……出力ボタン、３６５……一時停止ボタン、３６６……出力停止ボタン、３６７……前スキップボタン、３６８……次スキップボタン、３６９……早戻しボタン、３７０……早送りボタン、３７１……出力実行中通知表示子、３７２……一時停止通知表示子、３７３……出力停止通知表示子、３７４……前スキップ実行中通知表示子、３７５……次スキップ実行中通知表示子、３７６……早戻し実行中通知表示子、３７７……早送り実行中通知表示子、５００、６００……関連情報連続提供出力システム、５０１、６０１……関連情報連続提供装置、５０２、６０２……関連情報連続出力装置、５１０、６１０……ページ情報送信部、５１１、６１１……要求情報受信部、５１２、６１２……関連情報送信部、５２０、６２０……ページ情報取得部、５２１、６２１……注目コンテンツ情報選定部、５２２、６２２……関連情報取得部、５２３、６２３……関連情報出力部、５２４、６２４……出力終了検出部、６２５……連続出力対応設定部、６２６……連続出力通知表示子出力部、６２７……関連情報出力形態設定部、６２８……出力形態通知表示子出力部、６２９……通知画像出力部、ＲＴ１……第１の関連情報連続出力処理手順、ＲＴ２……第２の関連情報連続出力処理手順、ＲＴ３……第３の関連情報連続出力処理手順、ＲＴ４……第４の関連情報連続出力処理手順、ＲＴ５……第５の関連情報連続出力処理手順、ＲＴ６……第６の関連情報連続出力処理手順、ＳＶ１……音楽データ配信サーバ。
【図１】
2006293968.tif 000003
【図２】
2006293968.tif 000004
【図３】
2006293968.tif 000005
【図４】
2006293968.tif 000006
【図５】
2006293968.tif 000007
【図６】
2006293968.tif 000008
【図７】
2006293968.tif 000009
【図８】
2006293968.tif 000010
【図９】
2006293968.tif 000011
【図１０】
2006293968.tif 000012
【図１１】
2006293968.tif 000013
【図１２】
2006293968.tif 000014
【図１３】
2006293968.tif 000015
【図１４】
2006293968.tif 000016
【図１５】
2006293968.tif 000017
【図１６】
2006293968.tif 000018
【図１７】
2006293968.tif 000019
【図１８】
2006293968.tif 000020
【図１９】
2006293968.tif 000021
【図２０】
2006293968.tif 000022
【図２１】
2006293968.tif 000023
【図２２】
2006293968.tif 000024
【図２３】
2006293968.tif 000025
【図２４】
2006293968.tif 000026
【図２５】
2006293968.tif 000027
【図２６】
2006293968.tif 000028
【図２７】
2006293968.tif 000029
【図２８】
2006293968.tif 000030
【図２９】
2006293968.tif 000031
【図３０】
2006293968.tif 000032
【図３１】
2006293968.tif 000033
【図３２】
2006293968.tif 000034
【図３３】
2006293968.tif 000035
【図３４】
2006293968.tif 000036
【図３５】
2006293968.tif 000037
【図３６】
2006293968.tif 000038
【図３７】
2006293968.tif 000039
【図３８】
2006293968.tif 000040
【図３９】
2006293968.tif 000041
【図４０】
2006293968.tif 000042
【図４１】
2006293968.tif 000043
【図４２】
2006293968.tif 000044
【図４３】
2006293968.tif 000045
【図４４】
2006293968.tif 000046
【図４５】
2006293968.tif 000047
【図４６】
2006293968.tif 000048
【図４７】
2006293968.tif 000049
【図４８】
2006293968.tif 000050
【図４９】
2006293968.tif 000051